(57)【要約】この出願の実施形態は、ローカルエリアネットワークサービスのためのセッション管理ネットワーク要素を跨いだプライベート通信を実装するためのローカルエリアネットワーク通信方法、装置、及びシステムを提供する。方法は、サービス管理ネットワーク要素によって、ローカルエリアネットワークの指示情報に基づいて、第１のアドレスに関連する第１の経路情報を決定することであって、第１の経路情報は、第２のユーザプレーンネットワーク要素によって、その宛先アドレスが第１のアドレスであるデータを第１のユーザプレーンネットワーク要素にルーティングするために利用され、第１のユーザプレーンネットワーク要素は、第１のアドレスに対応する端末にローカルエリアネットワークへのアクセスを提供する、ことと、サービス管理ネットワーク要素によって、第２のユーザプレーンネットワーク要素上で第１のルーティングルールを構成するために、第１のメッセージを第２のセッション管理ネットワーク要素に送信することであって、第１のルーティングルールは、ローカルエリアネットワークの指示情報と、第１のアドレスと、第１の経路情報とを含む、こととを含む。
2022501927.tif 000002
【特許請求の範囲】
【請求項１】
ローカルエリアネットワーク通信方法であって、前記方法は、
サービス管理ネットワーク要素によって、ローカルエリアネットワークの指示情報に基づいて、第１のアドレスに関連する第１の経路情報を決定するステップであって、前記第１の経路情報は、第２のユーザプレーンネットワーク要素によって、その宛先アドレスが前記第１のアドレスであるデータを、第１のユーザプレーンネットワーク要素へとルーティングするために利用され、前記第１のユーザプレーンネットワーク要素は、前記ローカルエリアネットワークに対するアクセスを、前記第１のアドレスに対応する端末に提供する、ステップと、
前記サービス管理ネットワーク要素によって、前記第２のユーザプレーンネットワーク要素上で第１のルーティングルールを構成するために、第１のメッセージを第２のセッション管理ネットワーク要素に送信するステップであって、前記第１のルーティングルールは、前記ローカルエリアネットワークの前記指示情報と、前記第１のアドレスと、前記第１の経路情報とを含む、ステップと、
を含む、ローカルエリアネットワーク通信方法。
【請求項２】
前記第１のアドレスは、第１の端末のアドレスであり、前記第１のメッセージは、前記第２のユーザプレーンネットワーク要素の識別子と、前記第１のルーティングルールとを含み、
サービス管理ネットワーク要素によって、ローカルエリアネットワークの指示情報に基づいて、第１のアドレスに関連する第１の経路情報を決定する前記ステップの前に、前記方法は、
前記サービス管理ネットワーク要素によって、第２のメッセージを第１のセッション管理ネットワーク要素から受信するステップであって、前記第２のメッセージは、前記第１のユーザプレーンネットワーク要素の識別子と、前記ローカルエリアネットワークの識別子とを含む、ステップ
をさらに含み、
それに対応して、前記ローカルエリアネットワークの前記指示情報は、前記ローカルエリアネットワークの前記識別子であり、
サービス管理ネットワーク要素によって、ローカルエリアネットワークの指示情報に基づいて、第１のアドレスに関連する第１の経路情報を決定する前記ステップは、
前記サービス管理ネットワーク要素によって、前記ローカルエリアネットワークの前記識別子に基づいて、前記第２のユーザプレーンネットワーク要素の前記識別子を決定するステップと、
前記サービス管理ネットワーク要素によって、前記ローカルエリアネットワークの前記識別子と、前記第２のユーザプレーンネットワーク要素の前記識別子と、前記第１のユーザプレーンネットワーク要素の前記識別子とに基づいて、前記第１の端末の前記アドレスに関連する前記第１の経路情報を決定するステップと、
を含む、
請求項１に記載の方法。
【請求項３】
前記第２のメッセージは、前記第１の端末の識別子をさらに含み、前記サービス管理ネットワーク要素によって、第２のメッセージを第１のセッション管理ネットワーク要素から受信する前記ステップの後、前記方法は、前記サービス管理ネットワーク要素によって、前記第１の端末の前記識別子に対応する前記第１の端末の前記アドレスを決定するステップと、前記サービス管理ネットワーク要素によって、前記第１のユーザプレーンネットワーク要素上で、前記第１の端末へのルーティングを示す第２の経路情報を構成するために、前記第１の端末の前記アドレスを前記第１のセッション管理ネットワーク要素に送信するステップと、をさらに含む、又は、
前記第２のメッセージは、前記第１の端末の前記アドレスをさらに含む、
請求項２に記載の方法。
【請求項４】
前記サービス管理ネットワーク要素によって、前記ローカルエリアネットワークの前記識別子と、前記第２のユーザプレーンネットワーク要素の前記識別子と、前記第１のユーザプレーンネットワーク要素の前記識別子とに基づいて、前記第１の端末の前記アドレスに関連する前記第１の経路情報を決定する前記ステップは、
前記サービス管理ネットワーク要素によって、前記第１のユーザプレーンネットワーク要素の前記識別子と、前記ローカルエリアネットワークの前記識別子とに基づいて、前記第１のユーザプレーンネットワーク要素が前記ローカルエリアネットワークへのアクセスを提供することは初めてであると決定するステップと、
前記サービス管理ネットワーク要素によって、前記ローカルエリアネットワークの前記識別子と、前記第２のユーザプレーンネットワーク要素の前記識別子と、前記第１のユーザプレーンネットワーク要素の前記識別子とに基づいて、前記第１の端末の前記アドレスに関連する前記第１の経路情報を割り当てるステップと、
を含む、
請求項２又は３に記載の方法。
【請求項５】
前記サービス管理ネットワーク要素によって、前記第１のユーザプレーンネットワーク要素が前記ローカルエリアネットワークへのアクセスを提供することは初めてであると決定する前記ステップの後で、前記方法は、
前記サービス管理ネットワーク要素によって、前記第１のユーザプレーンネットワーク要素上で第２のルーティングルールを構成するために、第３のメッセージを前記第１のセッション管理ネットワーク要素に送信するステップであって、前記第２のルーティングルールは、前記ローカルエリアネットワークの前記指示情報と、第２の端末のアドレスと、第３の経路情報とを含み、前記第３の経路情報は、前記第１のユーザプレーンネットワーク要素によって、その宛先アドレスが前記第２の端末の前記アドレスであるデータを、前記第２のユーザプレーンネットワーク要素へとルーティングするために利用され、前記第２の端末は、前記第２のユーザプレーンネットワーク要素が前記ローカルエリアネットワークへのアクセスを提供する端末である、ステップと、
をさらに含む、
請求項４に記載の方法。
【請求項６】
前記第１のアドレスは、前記第２のユーザプレーンネットワーク要素によってマッチングできる経路情報がないデータに対応する宛先アドレスであり、前記第１のメッセージは、前記第１の経路情報を含み、
サービス管理ネットワーク要素によって、ローカルエリアネットワークの指示情報に基づいて、第１のアドレスに関連する第１の経路情報を決定する前記ステップの前に、前記方法は、
前記サービス管理ネットワーク要素によって、第４のメッセージを前記第２のセッション管理ネットワーク要素から受信するステップであって、前記第４のメッセージは、前記ローカルエリアネットワークの前記指示情報と、前記第２のユーザプレーンネットワーク要素の指示情報と、前記第１のアドレスとを含む、ステップ
をさらに含み、
それに対応して、サービス管理ネットワーク要素によって、ローカルエリアネットワークの指示情報に基づいて、第１のアドレスに関連する第１の経路情報を決定する前記ステップは、
前記サービス管理ネットワーク要素によって、前記ローカルエリアネットワークの前記指示情報と前記第１のアドレスとに基づいて、前記第１のユーザプレーンネットワーク要素の識別子を決定するステップと、
前記サービス管理ネットワーク要素によって、前記ローカルエリアネットワークの前記指示情報と、前記第２のユーザプレーンネットワーク要素の前記指示情報と、前記第１のユーザプレーンネットワーク要素の前記指示情報とに基づいて、前記第１のアドレスに関連する前記第１の経路情報を決定するステップと、
を含む、
請求項１に記載の方法。
【請求項７】
前記第２のユーザプレーンネットワーク要素の前記指示情報は、第２のアドレスであり、前記第２のアドレスは、前記第２のユーザプレーンネットワーク要素によってマッチングできる経路情報がない前記データに対応する送信元アドレスであり、
前記サービス管理ネットワーク要素によって、第４のメッセージを前記第２のセッション管理ネットワーク要素から受信する前記ステップの後で、前記方法は、
前記サービス管理ネットワーク要素によって、前記第１のユーザプレーンネットワーク要素上で、第３のルーティングルールを構成するために、第５のメッセージを第１のセッション管理ネットワーク要素に送信するステップであって、前記第５のメッセージは、前記ローカルエリアネットワークの前記指示情報と、前記第２のアドレスと、前記第１のユーザプレーンネットワーク要素の前記識別子と、第４の経路情報とを含み、前記第３のルーティングルールは、前記ローカルエリアネットワークの前記指示情報と、前記第２のアドレスと、前記第４の経路情報とを含み、前記第４の経路情報は、前記第１のユーザプレーンネットワーク要素によって、その宛先アドレスが前記第２のアドレスであるデータを前記第２のユーザプレーンネットワーク要素へとルーティングするために利用される、ステップ
をさらに含む、
請求項６に記載の方法。
【請求項８】
前記方法は、
前記サービス管理ネットワーク要素によって、第６のメッセージを前記第２のセッション管理ネットワーク要素から受信するステップであって、前記第６のメッセージは、前記ローカルエリアネットワークの前記指示情報と、前記第２のユーザプレーンネットワーク要素の識別子と、前記第１のアドレスとを含み、前記ローカルエリアネットワークの前記指示情報と、前記第１のアドレスと、前記第２のユーザプレーンネットワーク要素の前記識別子とに関連する経路情報の更新をキャンセルするために利用される、ステップと、
前記サービス管理ネットワーク要素によって、前記第６のメッセージに基づいて、前記ローカルエリアネットワークの前記指示情報と、前記第１のアドレスと、前記第２のユーザプレーンネットワーク要素の前記識別子とに関連する前記経路情報を、前記第２のセッション管理ネットワーク要素に送信することを停止するステップと、
をさらに含む、
請求項６又は７に記載の方法。
【請求項９】
ローカルエリアネットワーク通信方法であって、前記方法は、
第２のセッション管理ネットワーク要素によって、第１のメッセージをサービス管理ネットワーク要素から受信するステップと、
前記第２のセッション管理ネットワーク要素によって、前記第１のメッセージに基づいて、第１のルーティングルールを、前記第２のユーザプレーンネットワーク要素上で前記第１のルーティングルールを構成するために、第２のユーザプレーンネットワーク要素に送信するステップであって、前記第１のルーティングルールは、ローカルエリアネットワークの指示情報と、第１のアドレスと、前記第１のアドレスに関連する第１の経路情報とを含み、前記第１の経路情報は、前記第２のユーザプレーンネットワーク要素によって、その宛先アドレスが前記第１のアドレスであるデータを第１のユーザプレーンネットワーク要素へとルーティングするために利用され、前記第１のユーザプレーンネットワーク要素は、前記ローカルエリアネットワークへのアクセスを、前記第１のアドレスに対応する端末に提供する、ステップと、
を含む、
ローカルエリアネットワーク通信方法。
【請求項１０】
第２のセッション管理ネットワーク要素によって、第１のメッセージをサービス管理ネットワーク要素から受信する前記ステップの前に、前記方法は、
前記第２のセッション管理ネットワーク要素によって、第１のアドレス報告を前記第２のユーザプレーンネットワーク要素から受信するステップであって、前記第１のアドレス報告は、前記ローカルエリアネットワークの前記指示情報と前記第１のアドレスとを含む、又は、前記第１のアドレス報告は、前記ローカルエリアネットワークの前記指示情報と、前記第１のアドレスと、第２のアドレスとを含み、前記第１のアドレスは、前記第２のユーザプレーンネットワーク要素によってマッチングできる経路情報がないデータに対応する宛先アドレスであり、前記第２のアドレスは、前記第２のユーザプレーンネットワーク要素によってマッチングできる経路情報がない前記データに対応する送信元アドレスである、ステップと、
前記第２のセッション管理ネットワーク要素によって、第４のメッセージを前記サービス管理ネットワーク要素に送信するステップであって、前記第４のメッセージは、前記ローカルエリアネットワークの前記指示情報と、前記第２のユーザプレーンネットワーク要素の指示情報と、前記第１のアドレスとを含み、前記第１のアドレスに関連する前記第１の経路情報を決定するために利用される、ステップと、
をさらに含む、
請求項９に記載の方法。
【請求項１１】
前記方法は、
前記第２のセッション管理ネットワーク要素によって、第２のアドレス報告を前記第２のユーザプレーンネットワーク要素から受信するステップであって、前記第２のアドレス報告は、前記ローカルエリアネットワークの前記指示情報と、前記第１のアドレスとを含み、前記第２のアドレス報告は、前記第２のユーザプレーンネットワーク要素が、事前設定された時間内に前記第１のアドレスに関連するデータを検出しないときにトリガされる、ステップと、
前記第２のセッション管理ネットワーク要素によって、第６のメッセージを前記サービス管理ネットワーク要素に送信するステップであって、前記第６のメッセージは、前記ローカルエリアネットワークの前記指示情報と、前記第２のユーザプレーンネットワーク要素の識別子と、前記第１のアドレスとを含み、前記ローカルエリアネットワークの前記指示情報と、前記第２のユーザプレーンネットワーク要素の前記識別子と、前記第１のアドレスとに関連する経路情報の更新をキャンセルするために利用される、ステップと、
をさらに含む、
請求項９又は１０に記載の方法。
【請求項１２】
サービス管理ネットワーク要素であって、前記サービス管理ネットワーク要素は、処理モジュールと、トランシーバモジュールとを備え、
前記処理モジュールは、ローカルエリアネットワークの指示情報に基づいて、第１のアドレスに関連する第１の経路情報を決定することであって、前記第１の経路情報は、第２のユーザプレーンネットワーク要素によって、その宛先アドレスが前記第１のアドレスであるデータを第１のユーザプレーンネットワーク要素へとルーティングするために利用され、前記第１のユーザプレーンネットワーク要素は、前記ローカルエリアネットワークへのアクセスを、前記第１のアドレスに対応する端末に提供する、ことを行うように構成され、
前記トランシーバモジュールは、前記第２のユーザプレーンネットワーク要素上で第１のルーティングルールを構成するために、第１のメッセージを第２のセッション管理ネットワーク要素に送信することであって、前記第１のルーティングルールは、前記ローカルエリアネットワークの前記指示情報と、前記第１のアドレスと、前記第１の経路情報とを含む、ことを行うように構成される、
サービス管理ネットワーク要素。
【請求項１３】
前記第１のアドレスは、第１の端末のアドレスであり、前記第１のメッセージは、前記第２のユーザプレーンネットワーク要素の識別子と、前記第１のルーティングルールとを含み、
前記トランシーバモジュールは、第２のメッセージを第１のセッション管理ネットワーク要素から受信することであって、前記第２のメッセージは、前記第１のユーザプレーンネットワーク要素の識別子と、前記ローカルエリアネットワークの識別子とを含む、ことを行うようにさらに構成され、
それに対応して、前記ローカルエリアネットワークの前記指示情報は、前記ローカルエリアネットワークの前記識別子であり、前記処理モジュールは、
前記ローカルエリアネットワークの前記識別子に基づいて前記第２のユーザプレーンネットワーク要素の前記識別子を決定し、前記ローカルエリアネットワークの前記識別子と、前記第２のユーザプレーンネットワーク要素の前記識別子と、前記第１のユーザプレーンネットワーク要素の前記識別子とに基づいて、前記第１の端末の前記アドレスに関連する前記第１の経路情報を決定するように特に構成される、
請求項１２に記載のサービス管理ネットワーク要素。
【請求項１４】
前記第２のメッセージは、前記第１の端末の識別子をさらに含み、前記処理モジュールは、前記第１の端末の前記識別子に対応する前記第１の端末の前記アドレスを決定するようにさらに構成され、前記トランシーバモジュールは、前記第１のユーザプレーンネットワーク要素上で、前記第１の端末へのルーティングを示す第２の経路情報を構成するために、前記第１の端末の前記アドレスを前記第１のセッション管理ネットワーク要素に送信するようにさらに構成される、又は、
前記第２のメッセージは、前記第１の端末の前記アドレスをさらに含む、
請求項１３に記載のサービス管理ネットワーク要素。
【請求項１５】
前記処理モジュールが、前記ローカルエリアネットワークの前記識別子と、前記第２のユーザプレーンネットワーク要素の前記識別子と、前記第１のユーザプレーンネットワーク要素の前記識別子とに基づいて、前記第１の端末の前記アドレスに関連する前記第１の経路情報を決定するように構成されることは、
前記第１のユーザプレーンネットワーク要素の前記識別子と、前記ローカルエリアネットワークの前記識別子とに基づいて、前記第１のユーザプレーンネットワーク要素が前記ローカルエリアネットワークへのアクセスを提供することは初めてであると決定することと、前記ローカルエリアネットワークの前記識別子と、前記第２のユーザプレーンネットワーク要素の前記識別子と、前記第１のユーザプレーンネットワーク要素の前記識別子とに基づいて、前記第１の端末の前記アドレスに関連する前記第１の経路情報を割り当てることと、
を含む、
請求項１３又は１４に記載のサービス管理ネットワーク要素。
【請求項１６】
前記トランシーバモジュールは、前記第１のユーザプレーンネットワーク要素上で第２のルーティングルールを構成するために、第３のメッセージを前記第１のセッション管理ネットワーク要素に送信することであって、前記第２のルーティングルールは、前記ローカルエリアネットワークの前記指示情報と、第２の端末のアドレスと、第３の経路情報とを含み、前記第３の経路情報は、前記第１のユーザプレーンネットワーク要素によって、その宛先アドレスが前記第２の端末の前記アドレスであるデータを前記第２のユーザプレーンネットワーク要素にルーティングするために利用され、前記第２の端末は、前記第２のユーザプレーンネットワーク要素が前記ローカルエリアネットワークへのアクセスを提供する端末である、ことを行うようにさらに構成される、
請求項１５に記載のサービス管理ネットワーク要素。
【請求項１７】
前記第１のアドレスは、前記第２のユーザプレーンネットワーク要素によってマッチングできる経路情報がないデータに対応する宛先アドレスであり、前記第１のメッセージは、前記第１の経路情報を含み、
前記トランシーバモジュールは、第４のメッセージを前記第２のセッション管理ネットワーク要素から受信することであって、前記第４のメッセージは、前記ローカルエリアネットワークの前記指示情報と、前記第２のユーザプレーンネットワーク要素の指示情報と、前記第１のアドレスとを含む、ことを行うようにさらに構成され、
それに対応して、前記処理モジュールが、前記ローカルエリアネットワークの前記指示情報に基づいて、前記第１のアドレスに関連する前記第１の経路情報を決定するように構成されることは、
前記ローカルエリアネットワークの前記指示情報と、前記第１のアドレスとに基づいて、前記第１のユーザプレーンネットワーク要素の識別子を決定することと、
前記ローカルエリアネットワークの前記指示情報と、前記第２のユーザプレーンネットワーク要素の前記指示情報と、前記第１のユーザプレーンネットワーク要素の前記識別子とに基づいて、前記第１のアドレスに関連する前記第１の経路情報を決定することと、
を含む、
請求項１２に記載のサービス管理ネットワーク要素。
【請求項１８】
前記第２のユーザプレーンネットワーク要素の前記指示情報は、第２のアドレスであり、前記第２のアドレスは、前記第２のユーザプレーンネットワーク要素によってマッチングできる経路情報がない前記データに対応する送信元アドレスであり、
前記トランシーバモジュールは、前記第１のユーザプレーンネットワーク要素上で第３のルーティングルールを構成するために、第５のメッセージを第１のセッション管理ネットワーク要素に送信することであって、前記第５のメッセージは、前記ローカルエリアネットワークの前記指示情報と、前記第２のアドレスと、前記第１のユーザプレーンネットワーク要素の前記識別子と、第４の経路情報とを含み、前記第３のルーティングルールは、前記ローカルエリアネットワークの前記指示情報と、前記第２のアドレスと、前記第４の経路情報とを含み、前記第４の経路情報は、前記第１のユーザプレーンネットワーク要素によって、その宛先アドレスが前記第２のアドレスであるデータを前記第２のユーザプレーンネットワーク要素にルーティングするために利用される、ことを行うようにさらに構成される、
請求項１７に記載のサービス管理ネットワーク要素。
【請求項１９】
前記トランシーバモジュールは、第６のメッセージを前記第２のセッション管理ネットワーク要素から受信することであって、前記第６のメッセージは、前記ローカルエリアネットワークの前記指示情報と、前記第２のユーザプレーンネットワーク要素の識別子と、前記第１のアドレスとを含み、前記ローカルエリアネットワークの前記指示情報と、前記第１のアドレスと、前記第２のユーザプレーンネットワーク要素の前記識別子とに関連する経路情報の更新をキャンセルするために利用される、ことを行うようにさらに構成され、
前記処理モジュールは、前記第６のメッセージに基づいて、前記ローカルエリアネットワークの前記指示情報と、前記第１のアドレスと、前記第２のユーザプレーンネットワーク要素の前記識別子とに関連する前記経路情報を前記第２のセッション管理ネットワーク要素に送信することを停止するようにさらに構成される、
請求項１７又は１８に記載のサービス管理ネットワーク要素。
【請求項２０】
第２のセッション管理ネットワーク要素であって、前記第２のセッション管理ネットワーク要素は、受信モジュールと、送信モジュールとを備え、
前記受信モジュールは、第１のメッセージをサービス管理ネットワーク要素から受信するように構成され、
前記送信モジュールは、前記第１のメッセージに基づいて、第１のルーティングルールを、前記第２のユーザプレーンネットワーク要素上で前記第１のルーティングルールを構成するために、第２のユーザプレーンネットワーク要素に送信することであって、前記第１のルーティングルールは、前記ローカルエリアネットワークの指示情報と、第１のアドレスと、前記第１のアドレスに関連する第１の経路情報とを含み、前記第１の経路情報は、前記第２のユーザプレーンネットワーク要素によって、その宛先アドレスが前記第１のアドレスであるデータを前記第１のユーザプレーンネットワーク要素にルーティングするために利用され、前記第１のユーザプレーンネットワーク要素は、前記第１のアドレスに対応する端末に前記ローカルエリアネットワークへのアクセスを提供する、ことを行うように構成される、
第２のセッション管理ネットワーク要素。
【請求項２１】
前記受信モジュールは、第１のアドレス報告を前記第２のユーザプレーンネットワーク要素から受信することであって、前記第１のアドレス報告は、前記ローカルエリアネットワークの前記指示情報と、前記第１のアドレスを含む、又は、前記第１のアドレス報告は、前記ローカルエリアネットワークの前記指示情報と、前記第１のアドレスと、第２のアドレスを含み、前記第１のアドレスは、前記第２のユーザプレーンネットワーク要素によってマッチングできる経路情報がないデータに対応する宛先アドレスであり、前記第２のアドレスは、前記第２のユーザプレーンネットワーク要素によってマッチングできる経路情報がない前記データに対応する送信元アドレスである、ことを行うようにさらに構成され、
前記送信モジュールは、第４のメッセージを前記サービス管理ネットワーク要素に送信することであって、前記第４のメッセージは、前記ローカルエリアネットワークの前記指示情報と、前記第２のユーザプレーンネットワーク要素の指示情報と、前記第１のアドレスとを含み、前記第１のアドレスに関連する前記第１の経路情報を決定するために利用される、ことを行うようにさらに構成される、
請求項２０に記載の第２のセッション管理ネットワーク要素。
【請求項２２】
前記受信モジュールは、第２のアドレス報告を前記第２のユーザプレーンネットワーク要素から受信することであって、前記第２のアドレス報告は、前記ローカルエリアネットワークの前記指示情報と、前記第１のアドレスとを含み、前記第２のアドレス報告は、前記第２のユーザプレーンネットワーク要素が、事前設定された時間内に前記第１のアドレスに関連するデータを検出しないときにトリガされる、ことを行うようにさらに構成され、
前記送信モジュールは、第６のメッセージを前記サービス管理ネットワーク要素に送信することであって、前記第６のメッセージは、前記ローカルエリアネットワークの前記指示情報と、前記第２のユーザプレーンネットワーク要素の識別子と、前記第１のアドレスとを含み、前記ローカルエリアネットワークの前記指示情報と、前記第２のユーザプレーンネットワーク要素の前記識別子と、前記第１のアドレスとに関連する経路情報の更新をキャンセルするために利用される、ことを行うようにさらに構成される、
請求項２０又は２１に記載の第２のセッション管理ネットワーク要素。
【請求項２３】
通信システムであって、前記通信システムは、サービス管理ネットワーク要素と、第２のセッション管理ネットワーク要素とを含み、
前記サービス管理ネットワーク要素は、ローカルエリアネットワークの指示情報に基づいて、第１のアドレスに関連する第１の経路情報を決定し、第１のメッセージを前記第２のセッション管理ネットワーク要素に送信するように構成され、前記第１の経路情報は、第２のユーザプレーンネットワーク要素によって、その宛先アドレスが前記第１のアドレスであるデータを第１のユーザプレーンネットワーク要素にルーティングするために利用され、前記第１のユーザプレーンネットワーク要素は、前記第１のアドレスに対応する端末に前記ローカルエリアネットワークへのアクセスを提供し、
前記第２のセッション管理ネットワーク要素は、前記第１のメッセージを前記サービス管理ネットワーク要素から受信し、前記第１のメッセージに基づいて、第１のルーティングルールを、前記第２のユーザプレーンネットワーク要素上で前記第１のルーティングルールを構成するために、前記第２のユーザプレーンネットワーク要素に送信するように構成され、前記第１のルーティングルールは、前記ローカルエリアネットワークの前記指示情報と、前記第１のアドレスと、前記第１の経路情報とを含む、
通信システム。
【請求項２４】
前記第１のアドレスは、第１の端末のアドレスであり、前記第１のアドレスに対応する端末は、前記第１の端末であり、前記第１のメッセージは、前記第２のユーザプレーンネットワーク要素の識別子と、前記第１のルーティングルールとを含み、前記通信システムは、第１のセッション管理ネットワーク要素をさらに含み、
前記第１のセッション管理ネットワーク要素は、第２のメッセージを前記サービス管理ネットワーク要素に送信することであって、前記第２のメッセージは、前記第１のユーザプレーンネットワーク要素の識別子と、前記ローカルエリアネットワークの識別子とを含む、ことを行うように構成され、
それに対応して、前記ローカルエリアネットワークの前記指示情報は、前記ローカルエリアネットワークの前記識別子であり、
前記サービス管理ネットワーク要素が、前記ローカルエリアネットワークの前記指示情報に基づいて、前記第１のアドレスに関連する前記第１の経路情報を決定するように構成されることは、
前記サービス管理ネットワーク要素が、前記ローカルエリアネットワークの前記識別子に基づいて、前記第２のユーザプレーンネットワーク要素の前記識別子を決定し、前記ローカルエリアネットワークの前記識別子と、前記第２のユーザプレーンネットワーク要素の前記識別子と、前記第１のユーザプレーンネットワーク要素の前記識別子とに基づいて、前記第１の端末の前記アドレスに関連する前記第１の経路情報を決定するように構成される、ことを含む、
請求項２３に記載の通信システム。
【請求項２５】
前記サービス管理ネットワーク要素は、前記第１のユーザプレーンネットワーク要素の前記識別子と前記ローカルエリアネットワークの前記識別子とに基づいて、前記第１のユーザプレーンネットワーク要素が前記ローカルエリアネットワークへのアクセスを提供することは初めてであると決定した後、第３のメッセージを前記第１のセッション管理ネットワーク要素に送信するようにさらに構成され、
前記第１のセッション管理ネットワーク要素は、前記第３のメッセージを前記サービス管理ネットワーク要素から受信し、前記第３のメッセージに基づいて、第２のルーティングルールを、前記第１のユーザプレーンネットワーク要素上で前記第２のルーティングルールを構成するために、前記第１のユーザプレーンネットワーク要素に送信するようにさらに構成され、前記第２のルーティングルールは、前記ローカルエリアネットワークの前記指示情報と、第２の端末のアドレスと、第３の経路情報とを含み、前記第３の経路情報は、前記第１のユーザプレーンネットワーク要素によって、その宛先アドレスが前記第２の端末の前記アドレスであるデータを前記第２のユーザプレーンネットワーク要素にルーティングするために利用され、前記第２の端末は、前記第２のユーザプレーンネットワーク要素が前記ローカルエリアネットワークへのアクセスを提供する端末である、
請求項２４に記載の通信システム。
【請求項２６】
前記第２のセッション管理ネットワーク要素は、アドレス報告を前記第２のユーザプレーンネットワーク要素から受信するようにさらに構成され、前記アドレス報告は、前記ローカルエリアネットワークの前記指示情報と、前記第１のアドレスとを含み、前記第１のアドレスは、前記第２のユーザプレーンネットワーク要素によってマッチングできる経路情報がないデータに対応する宛先アドレスであり、
前記第２のセッション管理ネットワーク要素は、第４のメッセージを前記サービス管理ネットワーク要素に送信するようにさらに構成され、前記第４のメッセージは、前記ローカルエリアネットワークの前記指示情報と、前記第２のユーザプレーンネットワーク要素の指示情報と、前記第１のアドレスとを含み、
前記サービス管理ネットワーク要素は、前記第４のメッセージを前記第２のセッション管理ネットワーク要素から受信するようにさらに構成され、
それに対応して、前記サービス管理ネットワーク要素が、前記ローカルエリアネットワークの前記指示情報に基づいて、前記第１のアドレスに関連する前記第１の経路情報を決定するように構成されることは、
前記サービス管理ネットワーク要素が、前記ローカルエリアネットワークの前記指示情報と、前記第１のアドレスとに基づいて、前記第１のユーザプレーンネットワーク要素の識別子を決定し、前記ローカルエリアネットワークの前記指示情報と、前記第２のユーザプレーンネットワーク要素の前記指示情報と、前記第１のユーザプレーンネットワーク要素の前記識別子とに基づいて、前記第１のアドレスに関連する前記第１の経路情報を決定するように構成される、ことを含む、
請求項２３に記載の通信システム。
【請求項２７】
前記アドレス報告は、第２のアドレスをさらに含み、前記第２のユーザプレーンネットワーク要素の前記指示情報は、前記第２のアドレスであり、前記第２のアドレスは、前記第２のユーザプレーンネットワーク要素によってマッチングできる経路情報がない前記データに対応する送信元アドレスであり、前記通信システムは、第１のセッション管理ネットワーク要素をさらに含み、
前記サービス管理ネットワーク要素は、前記第４のメッセージを前記第２のセッション管理ネットワーク要素から受信した後、第５のメッセージを前記第１のセッション管理ネットワーク要素に送信するようにさらに構成され、前記第５のメッセージは、前記ローカルエリアネットワークの前記指示情報と、前記第２のアドレスと、前記第１のユーザプレーンネットワーク要素の前記識別子と、第４の経路情報とを含み、前記第４の経路情報は、前記第１のユーザプレーンネットワーク要素によって、その宛先アドレスが前記第２のアドレスであるデータを前記第２のユーザプレーンネットワーク要素にルーティングするために利用され、
前記第１のセッション管理ネットワーク要素は、前記第５のメッセージを前記サービス管理ネットワーク要素から受信し、第３のルーティングルールを、前記第１のユーザプレーンネットワーク要素上で前記第３のルーティングルールを構成するために、前記第１のユーザプレーンネットワーク要素に送信するようにさらに構成され、前記第３のルーティングルールは、前記ローカルエリアネットワークの前記指示情報と、前記第２のアドレスと、前記第４の経路情報とを含む、
請求項２６に記載の通信システム。
【請求項２８】
通信装置であって、前記装置は、プロセッサとメモリとを備え、前記メモリは、コンピュータ実行可能命令を格納するように構成され、前記装置が動作するとき、前記プロセッサは、前記メモリに格納された前記コンピュータ実行可能命令を実行し、それによって、前記装置は、請求項１〜８のいずれか１項に記載のローカルエリアネットワーク通信方法を実行する、通信装置。
【請求項２９】
プロセッサと、メモリとを備える通信装置であって、前記メモリは、コンピュータ実行可能命令を格納するように構成され、前記サービス管理ネットワーク要素が動作するとき、前記プロセッサは、前記メモリに格納された前記コンピュータ実行可能命令を実行し、それによって、前記装置は、請求項９〜１１のいずれか１項に記載のローカルエリアネットワーク通信方法を実行する、通信装置。
【請求項３０】
コンピュータ可読記憶媒体であって、前記コンピュータ可読記憶媒体は、命令を格納し、前記命令がコンピュータ上で実行されるとき、前記コンピュータは、請求項１〜８のいずれか１項に記載のローカルエリアネットワーク通信方法を実行できるようになる、コンピュータ可読記憶媒体。
【請求項３１】
コンピュータ可読記憶媒体であって、前記コンピュータ可読記憶媒体は、命令を格納し、前記命令がコンピュータ上で実行されるとき、前記コンピュータは、請求項９〜１１のいずれか１項に記載のローカルエリアネットワーク通信方法を実行できるようになる、コンピュータ可読記憶媒体。
【発明の詳細な説明】
【技術分野】
【０００１】
本出願は、参照によってその全体が本明細書に組み込まれている、２０１８年９月２８日に中国国家知識産権局に出願し、「ＬＯＣＡＬ  ＡＲＥＡ  ＮＥＴＷＯＲＫ  ＣＯＭＭＵＮＩＣＡＴＩＯＮ  ＭＥＴＨＯＤ，ＤＥＶＩＣＥ，ＡＮＤ  ＳＹＳＴＥＭ」と題する中国特許出願第２０１８１１１４６９６３．７号に対する優先権を主張する。
【０００２】
本出願は、通信技術の分野に関し、詳細には、ローカルエリアネットワーク通信方法、デバイス、及びシステムに関する。
【背景技術】
【０００３】
第５世代（５ｔｈ  ｇｅｎｅｒａｔｉｏｎ、５Ｇ）ローカルエリアネットワーク（ｌｏｃａｌ  ａｒｅａ  ｎｅｔｗｏｒｋ、５ＧＬＡＮ）サービスとは、現行の５Ｇネットワークによって提供されるサービスであり、ホーム通信、企業のオフィス、工場での製造、車両のインターネット、送電網再構築、公安組織などにおいて主に使用される。サービスは、端末のグループの中の２つ以上の端末のための、インターネットプロトコル（ｉｎｔｅｒｎｅｔ  ｐｒｏｔｏｃｏｌ、ＩＰ）タイプ又は非ＩＰタイプ（例えば、イーサネットタイプ）のプライベート通信を提供することができる。例えば、工場の中のデバイスがグループを構成してよく、グループの中のデバイスは、イーサネットデータパケットを互いへ送信し得る。代替として、企業の部署の中の従業員のオフィスデバイス（モバイルフォン、コンピュータ、又はラップトップコンピュータなど）がグループを構成してよく、オフィスデバイスは、ＩＰパケットを互いへ送信し得る。２つの端末が、同じグループにない場合、２つの端末は互いと通信することができない。
【０００４】
現在、５ＧＬＡＮサービスは、広いカバレージをもつ、端末用の二地点間データ送信、例えば、国にわたるか、又は省にわたる通信を提供する。例えば、５ＧＬＡＮサービスは、多国籍企業の、異なる省、市、又は国に位置するオフィスエリアにあるデバイス用のプライベート通信を提供する。従来の技術では、２つの端末が、互いから遠く離れている場合、５Ｇネットワークは、それぞれ、端末から５ＧＬＡＮサービスへのセッションを管理するために、２つの端末のための異なるセッション管理機能（ｓｅｓｓｉｏｎ  ｍａｎａｇｅｍｅｎｔ  ｆｕｎｃｔｉｏｎ、ＳＭＦ）ネットワーク要素を選択する必要がある。加えて、５Ｇネットワークは、端末のセッションのデータ送信のために、異なるユーザプレーン機能（ｕｓｅｒ  ｐｌａｎｅ  ｆｕｎｃｔｉｏｎ、ＵＰＦ）ネットワーク要素を選択する。
【０００５】
しかし、現在、ローカルエリアネットワークサービス用のセッション管理ネットワーク要素にわたるプライベート通信をどのようにして実装するかに対する関連する解決策はない。
【発明の概要】
【０００６】
本出願の実施形態は、ローカルエリアネットワークサービス用のセッション管理ネットワーク要素にわたるプライベート通信を実装するための、ローカルエリアネットワーク通信方法、デバイス、及びシステムを提供する。
【０００７】
上述の目的を達成するために、以下の技術的解決策が、本出願の実施形態において使用される。
【０００８】
第１の態様によると、ローカルエリアネットワーク通信方法が提供される。この方法は、以下を含む。サービス管理ネットワーク要素が、ローカルエリアネットワークの指示情報に基づいて、第１のアドレスに関連付けられた第１の経路情報を決定する。第１の経路情報は、第２のユーザプレーンネットワーク要素によって、その宛先アドレスが第１のアドレスであるデータを、第１のユーザプレーンネットワーク要素へルーティングするために使用される。第１のユーザプレーンネットワーク要素は、第１のアドレスに対応する端末に、ローカルエリアネットワークへのアクセスを提供する。サービス管理ネットワーク要素は、第２のユーザプレーンネットワーク要素上で第１のルーティングルールを構成するために、第２のセッション管理ネットワーク要素へ第１のメッセージを送信する。第１のルーティングルールは、ローカルエリアネットワークの指示情報、第１のアドレス、及び第１の経路情報を含む。解決策によると、第２のユーザプレーンネットワーク要素は、第１のルーティングルールに従って、その宛先アドレスが第１のアドレスであるデータを、第１のユーザプレーンネットワーク要素へルーティングすることができる。従って、セッション管理ネットワーク要素にわたるプライベート通信が、ローカルエリアネットワークサービス用に実装されることが可能である。
【０００９】
可能な設計では、第１のアドレスは第１の端末のアドレスであり、第１のメッセージは、第２のユーザプレーンネットワーク要素の識別子及び第１のルーティングルールを含む。サービス管理ネットワーク要素が、ローカルエリアネットワークの指示情報に基づいて、第１のアドレスに関連付けられた第１の経路情報を決定する前に、方法は、以下をさらに含む。サービス管理ネットワーク要素は、第１のセッション管理ネットワーク要素から第２のメッセージを受信する。第２のメッセージは、第１のユーザプレーンネットワーク要素の識別子及びローカルエリアネットワークの識別子を含む。それに対応して、ローカルエリアネットワークの指示情報は、ローカルエリアネットワークの識別子である。サービス管理ネットワーク要素が、ローカルエリアネットワークの指示情報に基づいて、第１のアドレスに関連付けられた第１の経路情報を決定することは、以下を含む。サービス管理ネットワーク要素は、ローカルエリアネットワークの識別子に基づいて、第２のユーザプレーンネットワーク要素の識別子を決定する。サービス管理ネットワーク要素は、ローカルエリアネットワークの識別子、第２のユーザプレーンネットワーク要素の識別子、及び第１のユーザプレーンネットワーク要素の識別子に基づいて、第１の端末のアドレスに関連付けられた第１の経路情報を決定する。解決策によると、サービス管理ネットワーク要素は、第１のアドレスに関連付けられた第１の経路情報を決定することができる。
【００１０】
可能な設計では、第２のメッセージは、第１の端末の識別子をさらに含む。サービス管理ネットワーク要素が、第１のセッション管理ネットワーク要素から第２のメッセージを受信した後、方法は、以下をさらに含む。サービス管理ネットワーク要素は、第１の端末の識別子に対応する第１の端末のアドレスを決定する。サービス管理ネットワーク要素は、第１のユーザプレーンネットワーク要素上で、第１の端末へのルーティングを示す第２の経路情報を構成するために、第１の端末のアドレスを第１のセッション管理ネットワーク要素へ送信する。言い換えると、本出願の本実施形態において、サービス管理ネットワーク要素は、第１の端末のアドレスを決定し得る。
【００１１】
可能な設計では、第２のメッセージは、第１の端末のアドレスをさらに含む。言い換えると、本出願の本実施形態において、第１のセッション管理ネットワーク要素は、第１の端末のアドレスを決定し得る。
【００１２】
可能な設計では、サービス管理ネットワーク要素が、ローカルエリアネットワークの識別子、第２のユーザプレーンネットワーク要素の識別子、及び第１のユーザプレーンネットワーク要素の識別子に基づいて、第１の端末のアドレスに関連付けられた第１の経路情報を決定することは、以下を含む。サービス管理ネットワーク要素は、第１のユーザプレーンネットワーク要素の識別子及びローカルエリアネットワークの識別子に基づいて、第１のユーザプレーンネットワーク要素がローカルエリアネットワークへのアクセスを提供するのは初めてであると決定する。サービス管理ネットワーク要素は、ローカルエリアネットワークの識別子、第２のユーザプレーンネットワーク要素の識別子、及び第１のユーザプレーンネットワーク要素の識別子に基づいて、第１の端末のアドレスに関連付けられた第１の経路情報を割り当てる。言い換えると、本出願の本実施形態において、サービス管理ネットワーク要素は、第１の端末のアドレスに関連付けられた第１の経路情報を割り当て得る。
【００１３】
可能な設計では、サービス管理ネットワーク要素が、第１のユーザプレーンネットワーク要素がローカルエリアネットワークへのアクセスを提供するのは初めてであると決定した後、方法は、以下をさらに含む。サービス管理ネットワーク要素は、第１のユーザプレーンネットワーク要素上で第２のルーティングルールを構成するために、第１のセッション管理ネットワーク要素へ第３のメッセージを送信する。第２のルーティングルールは、ローカルエリアネットワークの指示情報、第２の端末のアドレス、及び第３の経路情報を含む。第３の経路情報は、第１のユーザプレーンネットワーク要素によって、その宛先アドレスが第２の端末のアドレスであるデータを、第２のユーザプレーンネットワーク要素へルーティングするために使用される。第２の端末は、第２のユーザプレーンネットワーク要素がローカルエリアネットワークへのアクセスを提供する先の端末である。解決策によると、第１のユーザプレーンネットワーク要素は、第２のルーティングルールに従って、その宛先アドレスが第２の端末のアドレスであるデータを、第２のユーザプレーンネットワーク要素へルーティングすることができる。従って、セッション管理ネットワーク要素にわたるプライベート通信が、ローカルエリアネットワークサービス用に実装されることが可能である。
【００１４】
可能な設計では、サービス管理ネットワーク要素が、ローカルエリアネットワークの識別子、第２のユーザプレーンネットワーク要素の識別子、及び第１のユーザプレーンネットワーク要素の識別子に基づいて、第１の端末のアドレスに関連付けられた第１の経路情報を決定することは、以下を含む。サービス管理ネットワーク要素は、ローカルエリアネットワークの識別子に基づいて、第１のユーザプレーンネットワーク要素がローカルエリアネットワークへのアクセスを提供するのは初めてであると決定する。サービス管理ネットワーク要素は、ローカルエリアネットワークの指示情報、第１のユーザプレーンネットワーク要素の識別子、及び第２のユーザプレーンネットワーク要素の識別子を、第１のセッション管理ネットワーク要素へ送信して、第１の経路情報を要求する。サービス管理ネットワーク要素は、第１のセッション管理ネットワーク要素から第１の経路情報を受信する。言い換えると、本出願の本実施形態において、第１のセッション管理ネットワーク要素は、第１の端末のアドレスに関連付けられた第１の経路情報を割り当て得る。
【００１５】
可能な設計では、方法は、以下をさらに含む。サービス管理ネットワーク要素は、第２のセッション管理ネットワーク要素から第３の経路情報を受信する。第３の経路情報は、第１のユーザプレーンネットワーク要素によって、その宛先アドレスが第２の端末のアドレスであるデータを、第２のユーザプレーンネットワーク要素へルーティングするために使用される。第２の端末は、第２のユーザプレーンネットワーク要素がローカルエリアネットワークへのアクセスを提供する先の端末である。サービス管理ネットワーク要素は、第１のユーザプレーンネットワーク要素上で第２のルーティングルールを構成するために、第１のセッション管理ネットワーク要素へ第３のメッセージを送信する。第２のルーティングルールは、ローカルエリアネットワークの指示情報、第２の端末のアドレス、及び第３の経路情報を含む。解決策によると、第１のユーザプレーンネットワーク要素は、第２のルーティングルールに従って、その宛先アドレスが第２の端末のアドレスであるデータを、第２のユーザプレーンネットワーク要素へルーティングすることができる。従って、セッション管理ネットワーク要素にわたるプライベート通信が、ローカルエリアネットワークサービス用に実装されることが可能である。
【００１６】
可能な設計では、第１のアドレスは、第２のユーザプレーンネットワーク要素によってマッチングできる経路情報がないデータに対応する宛先アドレスである。第１のメッセージは、第１の経路情報を含む。サービス管理ネットワーク要素が、ローカルエリアネットワークの指示情報に基づいて、第１のアドレスに関連付けられた第１の経路情報を決定する前に、方法は、以下をさらに含む。サービス管理ネットワーク要素は、第２のセッション管理ネットワーク要素から第４のメッセージを受信する。第４のメッセージは、ローカルエリアネットワークの指示情報、第２のユーザプレーンネットワーク要素の指示情報、及び第１のアドレスを含む。それに対応して、サービス管理ネットワーク要素が、ローカルエリアネットワークの指示情報に基づいて、第１のアドレスに関連付けられた第１の経路情報を決定することは、以下を含む。サービス管理ネットワーク要素は、ローカルエリアネットワークの指示情報及び第１のアドレスに基づいて、第１のユーザプレーンネットワーク要素の識別子を決定する。サービス管理ネットワーク要素は、ローカルエリアネットワークの指示情報、第２のユーザプレーンネットワーク要素の指示情報、及び第１のユーザプレーンネットワーク要素の識別子に基づいて、第１のアドレスに関連付けられた第１の経路情報を決定する。解決策によると、サービス管理ネットワーク要素は、第１のアドレスに関連付けられた第１の経路情報を決定することができる。
【００１７】
可能な設計では、第２のユーザプレーンネットワーク要素の指示情報は第２のアドレスであり、第２のアドレスは、第２のユーザプレーンネットワーク要素によってマッチングできる経路情報がないデータに対応するソースアドレスである。サービス管理ネットワーク要素が、第２のセッション管理ネットワーク要素から第４のメッセージを受信した後、方法は、以下をさらに含む。サービス管理ネットワーク要素は、第１のユーザプレーンネットワーク要素上で第３のルーティングルールを構成するために、第１のセッション管理ネットワーク要素へ第５のメッセージを送信する。第５のメッセージは、ローカルエリアネットワークの指示情報、第２のアドレス、第１のユーザプレーンネットワーク要素の識別子、及び第４の経路情報を含む。第３のルーティングルールは、ローカルエリアネットワークの指示情報、第２のアドレス、及び第４の経路情報を含む。第４の経路情報は、第１のユーザプレーンネットワーク要素によって、その宛先アドレスが第２のアドレスであるデータを、第２のユーザプレーンネットワーク要素へルーティングするために使用される。解決策によると、第１のユーザプレーンネットワーク要素は、第３のルーティングルールに従って、その宛先アドレスが第２のアドレスであるデータを、第２のユーザプレーンネットワーク要素へルーティングすることができる。従って、セッション管理ネットワーク要素にわたるプライベート通信が、ローカルエリアネットワークサービス用に実装されることが可能である。
【００１８】
可能な設計では、方法は、以下をさらに含む。サービス管理ネットワーク要素は、第２のセッション管理ネットワーク要素から第６のメッセージを受信する。第６のメッセージは、ローカルエリアネットワークの指示情報、第２のユーザプレーンネットワーク要素の識別子、及び第１のアドレスを含み、ローカルエリアネットワークの指示情報、第１のアドレス、及び第２のユーザプレーンネットワーク要素の識別子に関連付けられた経路情報の更新をキャンセルするために使用される。サービス管理ネットワーク要素は、第６のメッセージに基づいて、第２のセッション管理ネットワーク要素へ、ローカルエリアネットワークの指示情報、第１のアドレス、及び第２のユーザプレーンネットワーク要素の識別子に関連付けられた経路情報を送信することを停止する。解決策によると、ローカルエリアネットワークの指示情報、第１のアドレス、及び第２のユーザプレーンネットワーク要素の識別子に関連付けられた経路情報の更新がキャンセルされることが可能である。
【００１９】
第２の態様によると、ローカルエリアネットワーク通信方法が提供される。この方法は、以下を含む。第２のセッション管理ネットワーク要素が、サービス管理ネットワーク要素から第１のメッセージを受信する。第２のセッション管理ネットワーク要素は、第１のメッセージに基づいて、第２のユーザプレーンネットワーク要素上で第１のルーティングルールを構成するために、第２のユーザプレーンネットワーク要素へ第１のルーティングルールを送信する。第１のルーティングルールは、ローカルエリアネットワークの指示情報、第１のアドレス、及び第１のアドレスに関連付けられた第１の経路情報を含む。第１の経路情報は、第２のユーザプレーンネットワーク要素によって、その宛先アドレスが第１のアドレスであるデータを、第１のユーザプレーンネットワーク要素へルーティングするために使用される。第１のユーザプレーンネットワーク要素は、第１のアドレスに対応する端末に、ローカルエリアネットワークへのアクセスを提供する。解決策によると、第２のユーザプレーンネットワーク要素は、第１のルーティングルールに従って、その宛先アドレスが第１のアドレスであるデータを、第１のユーザプレーンネットワーク要素へルーティングすることができる。従って、セッション管理ネットワーク要素にわたるプライベート通信が、ローカルエリアネットワークサービス用に実装されることが可能である。
【００２０】
可能な設計では、第２のセッション管理ネットワーク要素が、サービス管理ネットワーク要素から第１のメッセージを受信する前に、方法は、以下をさらに含む。第２のセッション管理ネットワーク要素は、第２のユーザプレーンネットワーク要素から、第１のアドレス報告を受信する。第１のアドレス報告は、ローカルエリアネットワークの指示情報及び第１のアドレスを含む。代替として、第１のアドレス報告は、ローカルエリアネットワークの指示情報、第１のアドレス、及び第２のアドレスを含む。第１のアドレスは、第２のユーザプレーンネットワーク要素によってマッチングできる経路情報がないデータに対応する宛先アドレスである。第２のアドレスは、第２のユーザプレーンネットワーク要素によってマッチングできる経路情報がないデータに対応するソースアドレスである。第２のセッション管理ネットワーク要素は、サービス管理ネットワーク要素へ第４のメッセージを送信する。第４のメッセージは、ローカルエリアネットワークの指示情報、第２のユーザプレーンネットワーク要素の指示情報、及び第１のアドレスを含み、第１のアドレスに関連付けられた第１の経路情報を決定するために使用される。言い換えると、本出願の本実施形態において、サービス管理ネットワーク要素は、第１のアドレスに関連付けられた第１の経路情報を決定し得る。
【００２１】
可能な設計では、方法は、以下をさらに含む。第２のセッション管理ネットワーク要素は、第２のユーザプレーンネットワーク要素から、第２のアドレス報告を受信する。第２のアドレス報告は、ローカルエリアネットワークの指示情報及び第１のアドレスを含む。第２のアドレス報告は、第２のユーザプレーンネットワーク要素が、第１のアドレスに関連付けられたデータを、予め設定された時間内に検出しなかったときにトリガされる。第２のセッション管理ネットワーク要素は、サービス管理ネットワーク要素へ第６のメッセージを送信する。第６のメッセージは、ローカルエリアネットワークの指示情報、第２のユーザプレーンネットワーク要素の識別子、及び第１のアドレスを含み、ローカルエリアネットワークの指示情報、第２のユーザプレーンネットワーク要素の識別子、及び第１のアドレスに関連付けられた経路情報の更新をキャンセルするために使用される。解決策によると、ローカルエリアネットワークの指示情報、第２のユーザプレーンネットワーク要素の識別子、及び第１のアドレスに関連付けられた経路情報の更新は、キャンセルされることが可能である。
【００２２】
可能な設計では、方法は、以下をさらに含む。第２のセッション管理ネットワーク要素は、サービス管理ネットワーク要素へ第７のメッセージを送信する。第７のメッセージは、ローカルエリアネットワークの識別子、第２のアドレス、第２のセッション管理ネットワーク要素の識別子、及び第２のユーザプレーンネットワーク要素の識別子を含み、ローカルエリアネットワークに接続された端末についての情報を更新するために使用される。
【００２３】
可能な設計では、第２のセッション管理ネットワーク要素が、サービス管理ネットワーク要素から第１のメッセージを受信した後、方法は、以下をさらに含む。第２のセッション管理ネットワーク要素は、第１の経路情報に対応する第３の経路情報が、第２のユーザプレーンネットワーク要素上に存在しないと決定する。第３の経路情報は、第１のユーザプレーンネットワーク要素によって、その宛先アドレスが第２の端末のアドレスであるデータを、第２のユーザプレーンネットワーク要素へルーティングするために使用される。第２の端末は、第２のユーザプレーンネットワーク要素がローカルエリアネットワークへのアクセスを提供する先の端末である。第２のセッション管理ネットワーク要素は、第３の経路情報を、サービス管理ネットワーク要素へ送信する。解決策によると、サービス管理ネットワーク要素は、第３の経路情報を取得することができる。
【００２４】
第３の態様によると、ローカルエリアネットワーク通信方法が提供される。この方法は、以下を含む。第１のセッション管理ネットワーク要素が、第１の端末のアドレスに関連付けられた第１の経路情報を決定する。第１の経路情報は、第２のユーザプレーンネットワーク要素によって、その宛先アドレスが第１の端末のアドレスであるデータを、第１のユーザプレーンネットワーク要素へルーティングするために使用される。第１のユーザプレーンネットワーク要素は、ローカルエリアネットワークへのアクセスを第１の端末に提供する。第１のセッション管理ネットワーク要素は、第２のユーザプレーンネットワーク要素上で第１のルーティングルールを構成するために、第２のセッション管理ネットワーク要素へ第１のメッセージを送信する。第１のルーティングルールは、ローカルエリアネットワークの指示情報、第１の端末のアドレス、及び第１の経路情報を含む。解決策によると、第２のユーザプレーンネットワーク要素は、第１のルーティングルールに従って、その宛先アドレスが第１の端末のアドレスであるデータを、第１のユーザプレーンネットワーク要素へルーティングすることができる。従って、セッション管理ネットワーク要素にわたるプライベート通信が、ローカルエリアネットワークサービス用に実装されることが可能である。
【００２５】
可能な設計では、第１のセッション管理ネットワーク要素が、第１の端末のアドレスに関連付けられた第１の経路情報を決定する前に、方法は、以下をさらに含む。第１のセッション管理ネットワーク要素は、サービス管理ネットワーク要素から第２のメッセージを受信する。第２のメッセージは、第２のユーザプレーンネットワーク要素の識別子を含む。それに対応して、第１のセッション管理ネットワーク要素が、第１の端末のアドレスに関連付けられた第１の経路情報を決定することは、以下を含む。第１のセッション管理ネットワーク要素は、ローカルエリアネットワークの指示情報、第１のユーザプレーンネットワーク要素の識別子、及び第２のユーザプレーンネットワーク要素の識別子に基づいて、第１の端末のアドレスに関連付けられた第１の経路情報を決定する。解決策によると、第１のセッション管理ネットワーク要素は、第１の端末のアドレスに関連付けられた第１の経路情報を決定することができる。
【００２６】
可能な設計では、第１のセッション管理ネットワーク要素が、ローカルエリアネットワークの指示情報、第１のユーザプレーンネットワーク要素の識別子、及び第２のユーザプレーンネットワーク要素の識別子に基づいて、第１の端末のアドレスに関連付けられた第１の経路情報を決定することは、以下を含む。第１のセッション管理ネットワーク要素は、ローカルエリアネットワークの指示情報及び第１のユーザプレーンネットワーク要素の識別子に基づいて、第１のユーザプレーンネットワーク要素がローカルエリアネットワークへのアクセスを提供するのは初めてであると決定する。第１のセッション管理ネットワーク要素は、ローカルエリアネットワークの指示情報、第１のユーザプレーンネットワーク要素の識別子、及び第２のユーザプレーンネットワーク要素の識別子に基づいて、第１の端末のアドレスに関連付けられた第１の経路情報を割り当てる。言い換えると、本出願の本実施形態において、第１のユーザプレーンネットワーク要素がローカルエリアネットワークへのアクセスを提供するのは初めてであるとき、第１のセッション管理ネットワーク要素は、第１の端末のアドレスに関連付けられた第１の経路情報を割り当て得る。
【００２７】
可能な設計では、第２のメッセージは、第２の端末のアドレスをさらに含む。第２の端末は、第２のユーザプレーンネットワーク要素がローカルエリアネットワークへのアクセスを提供する先の端末である。方法は、以下をさらに含む。第１のセッション管理ネットワーク要素は、第２のセッション管理ネットワーク要素から、第２の端末のアドレスに関連付けられた第３の経路情報を受信する。第３の経路情報は、第１のユーザプレーンネットワーク要素によって、その宛先アドレスが第２の端末のアドレスであるデータを、第２のユーザプレーンネットワーク要素へルーティングするために使用される。第１のセッション管理ネットワーク要素は、第１のユーザプレーンネットワーク要素上で第２のルーティングルールを構成するための第２のルーティングルールを、第１のユーザプレーンネットワーク要素へ送信する。第２のルーティングルールは、ローカルエリアネットワークの指示情報、第２の端末のアドレス、及び第３の経路情報を含む。解決策によると、第１のユーザプレーンネットワーク要素は、第２のルーティングルールに従って、その宛先アドレスが第２の端末のアドレスであるデータを、第２のユーザプレーンネットワーク要素へルーティングすることができる。従って、セッション管理ネットワーク要素にわたるプライベート通信が、ローカルエリアネットワークサービス用に実装されることが可能である。
【００２８】
可能な設計では、方法は、以下をさらに含む。第１のセッション管理ネットワーク要素は、サービス管理ネットワーク要素へ第３のメッセージを送信する。第３のメッセージは、第１の端末の識別子又は第１の端末のアドレス、第１のセッション管理ネットワーク要素の識別子、第１のユーザプレーンネットワーク要素の識別子、及びローカルエリアネットワークの識別子を含み、ローカルエリアネットワークに接続された端末についての情報を更新するために使用される。
【００２９】
第４の態様によると、サービス管理ネットワーク要素が提供される。サービス管理ネットワーク要素は、第１の態様における方法を実装する機能を有する。機能は、ハードウェアを使用することによって実装され得るか、又は対応するソフトウェアを実行するハードウェアを使用することによって実装され得る。ハードウェア又はソフトウェアは、上記の機能に対応する１つ又は複数のモジュールを含む。
【００３０】
第５の態様によると、プロセッサ及びメモリを含むサービス管理ネットワーク要素が提供される。メモリは、コンピュータ実行可能命令を記憶するように構成される。サービス管理ネットワーク要素が稼動するとき、プロセッサは、メモリに記憶されたコンピュータ実行可能命令を実行し、そうすることによって、サービス管理ネットワーク要素は、第１の態様の可能な設計のうちのいずれか１つによるローカルエリアネットワーク通信方法を実施する。
【００３１】
第６の態様によると、プロセッサを含むサービス管理ネットワーク要素が提供される。プロセッサは、メモリに結合され、メモリの中の命令を読み取った後、命令に従って、第１の態様の可能な設計のうちのいずれか１つによるローカルエリアネットワーク通信方法を実施するように構成される。
【００３２】
第７の態様によると、コンピュータ可読記憶媒体が提供される。コンピュータ可読記憶媒体は命令を記憶し、命令がコンピュータ上で稼動されるとき、コンピュータは、第１の態様の可能な設計のうちのいずれか１つによるローカルエリアネットワーク通信方法を実施することを可能にされる。
【００３３】
第８の態様によると、命令を含むコンピュータプログラム製品が提供される。コンピュータプログラム製品がコンピュータ上で稼動するとき、コンピュータは、第１の態様の可能な設計のうちのいずれか１つによるローカルエリアネットワーク通信方法を実施することを可能にされる。
【００３４】
第９の態様によると、装置（例えば、装置はチップシステムであってよい）が提供される。装置は、サービス管理ネットワーク要素が、第１の態様における機能を実装する、例えば、ローカルエリアネットワークの指示情報に基づいて、第１のアドレスに関連付けられた第１の経路情報を決定するのをサポートするように構成されたプロセッサを含む。可能な設計では、装置は、メモリをさらに含む。メモリは、サービス管理ネットワーク要素に必要なプログラム命令及びデータを記憶するように構成される。装置がチップシステムであるとき、チップシステムは、チップを含んでよいか、又はチップ及び別の個別デバイスを含んでよい。
【００３５】
第４の態様から第９の態様のいずれかの設計によってもたらされる技術的効果については、第１の態様の異なる設計によってもたらされる技術的効果を参照されたい。詳細は、本明細書で再び説明されない。
【００３６】
第１０の態様によると、第２のセッション管理ネットワーク要素が提供される。第２のセッション管理ネットワーク要素は、第２の態様における方法を実装する機能を有する。機能は、ハードウェアを使用することによって実装され得るか、又は対応するソフトウェアを実行するハードウェアを使用することによって実装され得る。ハードウェア又はソフトウェアは、上記の機能に対応する１つ又は複数のモジュールを含む。
【００３７】
第１１の態様によると、プロセッサ及びメモリを含む第２のセッション管理ネットワーク要素が提供される。メモリは、コンピュータ実行可能命令を記憶するように構成される。第２のセッション管理ネットワーク要素が稼動するとき、プロセッサは、メモリに記憶されたコンピュータ実行可能命令を実行し、そうすることによって、第２のセッション管理ネットワーク要素は、第２の態様の可能な設計のうちのいずれか１つによるローカルエリアネットワーク通信方法を実施する。
【００３８】
第１２の態様によると、プロセッサを含む第２のセッション管理ネットワーク要素が提供される。プロセッサは、メモリに結合され、メモリの中の命令を読み取った後、命令に従って、第２の態様の可能な設計のうちのいずれか１つによるローカルエリアネットワーク通信方法を実施するように構成される。
【００３９】
第１３の態様によると、コンピュータ可読記憶媒体が提供される。コンピュータ可読記憶媒体は命令を記憶し、命令がコンピュータ上で稼動されるとき、コンピュータは、第２の態様の可能な設計のうちのいずれか１つによるローカルエリアネットワーク通信方法を実施することを可能にされる。
【００４０】
第１４の態様によると、命令を含むコンピュータプログラム製品が提供される。コンピュータプログラム製品がコンピュータ上で稼動するとき、コンピュータは、第２の態様の可能な設計のうちのいずれか１つによるローカルエリアネットワーク通信方法を実施することを可能にされる。
【００４１】
第１５の態様によると、装置（例えば、装置はチップシステムであってよい）が提供される。装置は、第２のセッション管理ネットワーク要素が、第２の態様における機能を実装するのを、例えば、第２の経路情報に対応する第３の経路情報が、第２のユーザプレーンネットワーク要素上に存在しないと決定するのをサポートするように構成されたプロセッサを含む。可能な設計では、装置は、メモリをさらに含む。メモリは、第２のセッション管理ネットワーク要素に必要なプログラム命令及びデータを記憶するように構成される。装置がチップシステムであるとき、チップシステムは、チップを含んでよいか、又はチップ及び別の個別デバイスを含んでよい。
【００４２】
第１０の態様から第１５の態様のいずれかの設計によってもたらされる技術的効果については、第２の態様の異なる設計によってもたらされる技術的効果を参照されたい。詳細は、本明細書で再び説明されない。
【００４３】
第１６の態様によると、第１のセッション管理ネットワーク要素が提供される。第１のセッション管理ネットワーク要素は、第３の態様における方法を実装する機能を有する。機能は、ハードウェアを使用することによって実装され得るか、又は対応するソフトウェアを実行するハードウェアを使用することによって実装され得る。ハードウェア又はソフトウェアは、上記の機能に対応する１つ又は複数のモジュールを含む。
【００４４】
第１７の態様によると、プロセッサ及びメモリを含む第１のセッション管理ネットワーク要素が提供される。メモリは、コンピュータ実行可能命令を記憶するように構成され、第１のセッション管理ネットワーク要素が稼動するとき、プロセッサは、メモリに記憶されたコンピュータ実行可能命令を実行し、そうすることによって、第１のセッション管理ネットワーク要素は、第３の態様の可能な設計のうちのいずれか１つによるローカルエリアネットワーク通信方法を実施する。
【００４５】
第１８の態様によると、プロセッサを含む第１のセッション管理ネットワーク要素が提供される。プロセッサは、メモリに結合され、メモリの中の命令を読み取った後、命令に従って、第３の態様の可能な設計のうちのいずれか１つによるローカルエリアネットワーク通信方法を実施するように構成される。
【００４６】
第１９の態様によると、コンピュータ可読記憶媒体が提供される。コンピュータ可読記憶媒体は命令を記憶し、命令がコンピュータ上で稼動されるとき、コンピュータは、第３の態様の可能な設計のうちのいずれか１つによるローカルエリアネットワーク通信方法を実施することを可能にされる。
【００４７】
第２０の態様によると、命令を含むコンピュータプログラム製品が提供される。コンピュータプログラム製品がコンピュータ上で稼動するとき、コンピュータは、第３の態様の可能な設計のうちのいずれか１つによるローカルエリアネットワーク通信方法を実施することを可能にされる。
【００４８】
第２１の態様によると、装置（例えば、装置はチップシステムであってよい）が提供される。装置は、第１のセッション管理ネットワーク要素が、第３の態様における機能を実装するのを、例えば、第１の端末のアドレスに関連付けられた第１の経路情報を決定するのをサポートするように構成されたプロセッサを含む。可能な設計では、装置は、メモリをさらに含む。メモリは、第１のセッション管理ネットワーク要素に必要なプログラム命令及びデータを記憶するように構成される。装置がチップシステムであるとき、チップシステムは、チップを含んでよいか、又はチップ及び別の個別デバイスを含んでよい。
【００４９】
第１６の態様から第２１の態様のいずれかの設計によってもたらされる技術的効果については、第３の態様の異なる設計によってもたらされる技術的効果を参照されたい。詳細は、本明細書で再び説明されない。
【００５０】
第２２の態様によると、通信システムが提供される。通信システムは、サービス管理ネットワーク要素及び第２のセッション管理ネットワーク要素を含む。サービス管理ネットワーク要素は、ローカルエリアネットワークの指示情報に基づいて、第１のアドレスに関連付けられた第１の経路情報を決定し、第２のセッション管理ネットワーク要素へ第１のメッセージを送信するように構成される。第１の経路情報は、第２のユーザプレーンネットワーク要素によって、その宛先アドレスが第１のアドレスであるデータを、第１のユーザプレーンネットワーク要素へルーティングするために使用される。第１のユーザプレーンネットワーク要素は、第１のアドレスに対応する端末に、ローカルエリアネットワークへのアクセスを提供する。第２のセッション管理ネットワーク要素は、サービス管理ネットワーク要素から第１のメッセージを受信し、第１のメッセージに基づいて、第２のユーザプレーンネットワーク要素上で第１のルーティングルールを構成するために、第１のルーティングルールを、第２のユーザプレーンネットワーク要素へ送信するように構成される。第１のルーティングルールは、ローカルエリアネットワークの指示情報、第１のアドレス、及び第１の経路情報を含む。
【００５１】
可能な設計では、第１のアドレスは第１の端末のアドレスであり、第１のアドレスに対応する端末は第１の端末であり、第１のメッセージは、第２のユーザプレーンネットワーク要素の識別子及び第１のルーティングルールを含む。通信システムは、第１のセッション管理ネットワーク要素をさらに含む。第１のセッション管理ネットワーク要素は、サービス管理ネットワーク要素へ第２のメッセージを送信するように構成される。第２のメッセージは、第１のユーザプレーンネットワーク要素の識別子及びローカルエリアネットワークの識別子を含む。それに対応して、ローカルエリアネットワークの指示情報は、ローカルエリアネットワークの識別子である。サービス管理ネットワーク要素が、ローカルエリアネットワークの指示情報に基づいて、第１のアドレスに関連付けられた第１の経路情報を決定するように構成されることは、以下を含む。サービス管理ネットワーク要素は、ローカルエリアネットワークの識別子に基づいて、第２のユーザプレーンネットワーク要素の識別子を決定し、ローカルエリアネットワークの識別子、第２のユーザプレーンネットワーク要素の識別子、及び第１のユーザプレーンネットワーク要素の識別子に基づいて、第１の端末のアドレスに関連付けられた第１の経路情報を決定するように構成される。
【００５２】
可能な設計では、サービス管理ネットワーク要素は、第１のユーザプレーンネットワーク要素の識別子及びローカルエリアネットワークの識別子に基づいて、第１のユーザプレーンネットワーク要素がローカルエリアネットワークへのアクセスを提供するのは初めてであると決定した後、第１のセッション管理ネットワーク要素へ第３のメッセージを送信するようにさらに構成される。第１のセッション管理ネットワーク要素は、サービス管理ネットワーク要素から第３のメッセージを受信し、第３のメッセージに基づいて、第１のユーザプレーンネットワーク要素上で第２のルーティングルールを構成するために、第１のユーザプレーンネットワーク要素へ第２のルーティングルールを送信するようにさらに構成される。第２のルーティングルールは、ローカルエリアネットワークの指示情報、第２の端末のアドレス、及び第３の経路情報を含む。第３の経路情報は、第１のユーザプレーンネットワーク要素によって、その宛先アドレスが第２の端末のアドレスであるデータを、第２のユーザプレーンネットワーク要素へルーティングするために使用される。第２の端末は、第２のユーザプレーンネットワーク要素がローカルエリアネットワークへのアクセスを提供する先の端末である。
【００５３】
可能な設計では、サービス管理ネットワーク要素が、ローカルエリアネットワークの識別子、第２のユーザプレーンネットワーク要素の識別子、及び第１のユーザプレーンネットワーク要素の識別子に基づいて、第１のアドレスに関連付けられた第１の経路情報を決定するように構成されることは、ローカルエリアネットワークの識別子に基づいて、第１のユーザプレーンネットワーク要素がローカルエリアネットワークへのアクセスを提供するのは初めてであると決定することと、ローカルエリアネットワークの指示情報、第１のユーザプレーンネットワーク要素の識別子、及び第２のユーザプレーンネットワーク要素の識別子を、第１のセッション管理ネットワーク要素へ送信することであって、第１の経路情報を要求する、送信することと、第１のセッション管理ネットワーク要素から第１の経路情報を受信することとを含む。第１のセッション管理ネットワーク要素は、ローカルエリアネットワークの指示情報、第１のユーザプレーンネットワーク要素の識別子、及び第２のユーザプレーンネットワーク要素の識別子を、サービス管理ネットワーク要素から受信し、ローカルエリアネットワークの指示情報、第１のユーザプレーンネットワーク要素の識別子、及び第２のユーザプレーンネットワーク要素の識別子に基づいて、第１の経路情報を割り当て、サービス管理ネットワーク要素へ第１の経路情報を送信するように構成される。
【００５４】
可能な設計では、第２のセッション管理ネットワーク要素は、第１の経路情報に対応する第３の経路情報が、第２のユーザプレーンネットワーク要素上に存在しないと決定し、サービス管理ネットワーク要素へ第３の経路情報を送信するようにさらに構成される。第３の経路情報は、第１のユーザプレーンネットワーク要素によって、その宛先アドレスが第２の端末のアドレスであるデータを、第２のユーザプレーンネットワーク要素へルーティングするために使用される。第２の端末は、第２のユーザプレーンネットワーク要素がローカルエリアネットワークへのアクセスを提供する先の端末である。サービス管理ネットワーク要素は、第２のセッション管理ネットワーク要素から第３の経路情報を受信し、第１のセッション管理ネットワーク要素へ第３のメッセージを送信するようにさらに構成される。第１のセッション管理ネットワーク要素は、サービス管理ネットワーク要素から第３のメッセージを受信し、第３のメッセージに基づいて、第１のユーザプレーンネットワーク要素上で第２のルーティングルールを構成するために、第１のユーザプレーンネットワーク要素へ第２のルーティングルールを送信するようにさらに構成される。第２のルーティングルールは、ローカルエリアネットワークの指示情報、第２の端末のアドレス、及び第３の経路情報を含む。
【００５５】
可能な設計では、第２のセッション管理ネットワーク要素は、第２のユーザプレーンネットワーク要素からアドレス報告を受信するようにさらに構成される。アドレス報告は、ローカルエリアネットワークの指示情報及び第１のアドレスを含む。第１のアドレスは、第２のユーザプレーンネットワーク要素によってマッチングできる経路情報がないデータに対応する宛先アドレスである。第２のセッション管理ネットワーク要素は、サービス管理ネットワーク要素へ第４のメッセージを送信するようにさらに構成される。第４のメッセージは、ローカルエリアネットワークの指示情報、第２のユーザプレーンネットワーク要素の指示情報、及び第１のアドレスを含む。サービス管理ネットワーク要素は、第２のセッション管理ネットワーク要素から第４のメッセージを受信するようにさらに構成される。それに対応して、サービス管理ネットワーク要素が、ローカルエリアネットワークの指示情報に基づいて、第１のアドレスに関連付けられた第１の経路情報を決定するように構成されることは、以下を含む。サービス管理ネットワーク要素は、ローカルエリアネットワークの指示情報及び第１のアドレスに基づいて、第１のユーザプレーンネットワーク要素の識別子を決定し、ローカルエリアネットワークの指示情報、第２のユーザプレーンネットワーク要素の指示情報、及び第１のユーザプレーンネットワーク要素の識別子に基づいて、第１のアドレスに関連付けられた第１の経路情報を決定するように構成される。
【００５６】
可能な設計では、アドレス報告は第２のアドレスをさらに含み、第２のユーザプレーンネットワーク要素の指示情報は第２のアドレスであり、第２のアドレスは、第２のユーザプレーンネットワーク要素によってマッチングできる経路情報がないデータに対応するソースアドレスである。通信システムは、第１のセッション管理ネットワーク要素をさらに含む。サービス管理ネットワーク要素は、第２のセッション管理ネットワーク要素から第４のメッセージを受信した後、第１のセッション管理ネットワーク要素へ第５のメッセージを送信するようにさらに構成される。第５のメッセージは、ローカルエリアネットワークの指示情報、第２のアドレス、第１のユーザプレーンネットワーク要素の識別子、及び第４の経路情報を含む。第４の経路情報は、第１のユーザプレーンネットワーク要素によって、その宛先アドレスが第２のアドレスであるデータを、第２のユーザプレーンネットワーク要素へルーティングするために使用される。第１のセッション管理ネットワーク要素は、サービス管理ネットワーク要素から第５のメッセージを受信し、第１のユーザプレーンネットワーク要素上で第３のルーティングルールを構成するために、第３のルーティングルールを、第１のユーザプレーンネットワーク要素へ送信するようにさらに構成される。第３のルーティングルールは、ローカルエリアネットワークの指示情報、第２のアドレス、及び第４の経路情報を含む。
【００５７】
第２２の態様のいずれかの設計によってもたらされる技術的効果については、第１の態様又は第２の態様における異なる設計によってもたらされる技術的効果を参照されたい。詳細は、本明細書で再び説明されない。
【００５８】
第２３の態様によると、通信システムが提供される。通信システムは、第１のセッション管理ネットワーク要素及び第２のセッション管理ネットワーク要素を含む。第１のセッション管理ネットワーク要素は、第１の端末のアドレスに関連付けられた第１の経路情報を決定するように構成される。第１の経路情報は、第２のユーザプレーンネットワーク要素によって、その宛先アドレスが第１の端末のアドレスであるデータを、第１のユーザプレーンネットワーク要素へルーティングするために使用される。第１のユーザプレーンネットワーク要素は、ローカルエリアネットワークへのアクセスを第１の端末に提供する。第１のセッション管理ネットワーク要素は、第２のセッション管理ネットワーク要素へ第１のメッセージを送信するようにさらに構成される。第２のセッション管理ネットワーク要素は、第１のメッセージを受信し、第２のセッション管理ネットワーク要素上に第１のルーティングルールを構成するように構成される。第１のルーティングルールは、ローカルエリアネットワークの指示情報、第１の端末のアドレス、及び第１の経路情報を含む。
【００５９】
第２３の態様のいずれかの設計によってもたらされる技術的効果については、第３の態様の異なる設計方式によってもたらされる技術的効果を参照されたい。詳細は、本明細書で再び説明されない。
【００６０】
本出願におけるこれらの態様又は他の態様は、以下の実施形態の説明においてより明らかになり、明瞭になることがある。
【図面の簡単な説明】
【００６１】
【図１】本出願の実施形態による通信システムの概略アーキテクチャ図１である。
【図２】本出願の実施形態による、５Ｇネットワーク中の通信システムのアプリケーションの概略図である。
【図３】既存の５ＧＬＡＮサービスのユーザプレーンアーキテクチャの概略図である。
【図４】本出願の実施形態による通信デバイスのハードウェア構造の概略図である。
【図５】本出願の実施形態によるローカルエリアネットワーク通信方法の概略フローチャート１である。
【図６】本出願の実施形態によるローカルエリアネットワーク通信方法の概略フローチャート２である。
【図７】本出願の実施形態によるローカルエリアネットワーク通信方法の概略フローチャート３である。
【図８】本出願の実施形態によるローカルエリアネットワーク通信方法の概略フローチャート４である。
【図９】本出願の実施形態によるサービス管理ネットワーク要素の概略構造図である。
【図１０】本出願の実施形態による第２のセッション管理ネットワーク要素の概略構造図である。
【図１１】本出願の実施形態による第１のセッション管理ネットワーク要素の概略構造図である。
【発明を実施するための形態】
【００６２】
以下は、本出願の実施形態における添付の図面を参照して、本出願の実施形態における技術的な解決策を説明する。本出願の説明において、「／」は、別段に規定されていない限り、関連付けられる事物の間の「又は」の関係を表す。例えば、Ａ／Ｂは、Ａ又はＢを表し得る。本出願における「及び／又は」という用語は、関連付けられる事物を記述するための関連付け関係のみを示し、３つの関係が存在し得ることを示す。例えば、Ａ及び／又はＢは、以下の３つのケースを示し得る。即ち、Ａのみが存在する、ＡとＢの両方が存在する、ならびにＢのみが存在する、であって、ここで、Ａ及びＢは単数又は複数であってよい。加えて、別段に規定されていない限り、本出願の記述における「複数の」は、２つ又は２つよりも多いことを意味する。「以下のうちの少なくとも１つの項目（断片）」又はその類似表現は、単数の項目（断片）又は複数の項目（断片）のどの組合せも含む、これらの項目のどの組合せも意味する。例えば、ａ、ｂ、又はｃのうちの少なくとも１つは、ａ、ｂ、ｃ、ａ及びｂ、ａ及びｃ、ｂ及びｃ、又はａ、ｂ、及びｃを示してよく、ここでａ、ｂ、及びｃは、単数又は複数であってよい。加えて、本出願の実施形態における技術的解決策の明確な説明の便宜上、本出願の実施形態では、「第１の」、「第２の」、などのような用語が、機能及び目的が基本的に同じである、同じ事物又は類似事物を区別するために使用される。「第１の」及び「第２の」などの用語は、量又は実行順を制限するものではなく、「第１の」及び「第２の」などの用語は、明確な差異を示すものではないと、当業者は理解してよい。
【００６３】
加えて、本出願の実施形態において説明されるネットワークアーキテクチャ及びサービスシナリオは、本出願の実施形態における技術的解決策をより明らかに説明することが意図され、本出願の実施形態において提供される技術的解決策に対する制限とはならない。ネットワークアーキテクチャが進化し、新たなサービスシナリオが現れると、本出願の実施形態において提供される技術的解決策は、同様の技術的問題にも適用可能であることを、当業者は学習してよい。
【００６４】
図１は、本出願の実施形態による通信システム１０を示す。通信システム１０は、サービス管理ネットワーク要素と、サービス管理ネットワーク要素と通信するセッション管理ネットワーク要素１及びセッション管理ネットワーク要素２と、セッション管理ネットワーク要素１によって管理されるユーザプレーンネットワーク要素１と、ユーザプレーンネットワーク要素１がローカルエリアネットワークへのアクセスを提供する先の端末１と、セッション管理ネットワーク要素２によって管理されるユーザプレーンネットワーク要素２と、ユーザプレーンネットワーク要素２がローカルエリアネットワークへのアクセスを提供する先の端末２及び端末３とを含む。
【００６５】
本出願の本実施形態及び以下の実施形態では、ローカルエリアネットワークへのアクセスを提供することは、ローカルエリアネットワークサービスを提供することとしても説明されることがあることに留意されたい。本明細書では概略的な説明が提供され、詳細は以下で再び説明されない。
【００６６】
図１は、ただ２つのセッション管理ネットワーク要素（即ち、セッション管理ネットワーク要素１及びセッション管理ネットワーク要素２）を例として示すことに留意されたい。当然ながら、サービス管理ネットワーク要素、例えば、セッション管理ネットワーク要素３又はセッション管理ネットワーク要素４と通信する別のセッション管理ネットワーク要素があってもよい。このことは、本出願の本実施形態において特に制限されない。
【００６７】
図１は、１つのセッション管理ネットワーク要素が１つのユーザプレーンネットワーク要素と通信する一例を使用することによってのみ説明されることに留意されたい。例えば、セッション管理ネットワーク要素１はユーザプレーンネットワーク要素１と通信し、セッション管理ネットワーク要素２はユーザプレーンネットワーク要素２と通信する。当然ながら、１つのセッション管理ネットワーク要素が、代替として、複数のユーザプレーンネットワーク要素と通信することがある。例えば、セッション管理ネットワーク要素１は、代替として、ユーザプレーンネットワーク要素３又はユーザプレーンネットワーク要素４と通信することがある。代替として、セッション管理ネットワーク要素２は、ユーザプレーンネットワーク要素５と通信することがある。このことは、本出願の本実施形態において特に制限されない。
【００６８】
図１は、ユーザプレーンネットワーク要素１がローカルエリアネットワークへのアクセスを端末１に提供し、又はユーザプレーンネットワーク要素２がローカルエリアネットワークへのアクセスを端末２及び端末３に提供する一例を使用することによってのみ説明されることに留意されたい。当然ながら、ユーザプレーンネットワーク要素１は、代替として、ローカルエリアネットワークへのアクセスを複数の端末に提供することがある。例えば、ユーザプレーンネットワーク要素１は、代替として、ローカルエリアネットワークへのアクセスを端末４又は端末５に提供することがある。代替として、ユーザプレーンネットワーク要素２は、ローカルエリアネットワークへのアクセスを１つの端末又は２つより多い端末に提供することがある。例えば、ユーザプレーンネットワーク要素２は、代替として、ローカルエリアネットワークへのアクセスを端末５に提供することがある。このことは、本出願の本実施形態において特に制限されない。
【００６９】
図１に示すネットワーク要素は、互いと通信し得るか、又は別のデバイスによる転送を通して通信し得ることに留意されたい。このことは、本出願の本実施形態において特に制限されない。
【００７０】
図１に示す通信システム１０に基づいて、端末２が第１のローカルエリアネットワークにアクセスし、サービス管理ネットワーク要素が、端末２にサービスするセッション管理ネットワーク要素２によって送信されるメッセージＡを受信すると想定する。メッセージＡは、第１のローカルエリアネットワークへのアクセスを端末２に提供するユーザプレーンネットワーク要素２の識別子と、ユーザプレーンネットワーク要素２を管理するセッション管理ネットワーク要素２の識別子と、第１のローカルエリアネットワークの識別子と、端末２の識別子又は端末２のアドレスのうちの少なくとも一方とを搬送する。次いで、サービス管理ネットワーク要素は、第１のローカルエリアネットワークについてであるとともに第１のローカルエリアネットワークの識別子に対応する指示情報と、セッション管理ネットワーク要素２の識別子と、ユーザプレーンネットワーク要素２の識別子と、端末２の識別子又は端末２のアドレスのうちの少なくとも一方との間の対応を記憶する。第１のローカルエリアネットワークの指示情報は、例えば、第１のローカルエリアネットワークの識別子又は第１のローカルエリアネットワークのラベルであってよい。第１のローカルエリアネットワークのラベルの関連する説明については、図５に示される以下の実施形態を参照されたい。詳細は、本明細書で説明されない。第１のローカルエリアネットワークの指示情報が第１のローカルエリアネットワークの識別子である場合、第１のローカルエリアネットワークの指示情報は、メッセージＡから直接取得されてよい。第１のローカルエリアネットワークの指示情報が第１のローカルエリアネットワークのラベルである場合、第１のローカルエリアネットワークの指示情報は、メッセージＡから取得されるローカルエリアネットワークの識別子に基づいて取得されてよい。このことは、本出願の本実施形態において特に制限されない。加えて、メッセージＡが端末２のアドレスを含まない場合、端末２の識別子を搬送するメッセージＡを受信した後、サービス管理ネットワーク要素は、端末２の識別子に対応する端末２のアドレスを決定し得る。具体的な決定方式については、以下の方法実施形態における説明を参照されたく、詳細は本明細書では説明されない。
【００７１】
加えて、端末３が第１のローカルエリアネットワークにアクセスし、サービス管理ネットワーク要素が、端末３にサービスするセッション管理ネットワーク要素２によって送信されるメッセージＦを受信すると想定する。メッセージＦは、第１のローカルエリアネットワークへのアクセスを端末３に提供するユーザプレーンネットワーク要素２の識別子と、ユーザプレーンネットワーク要素２を管理するセッション管理ネットワーク要素２の識別子と、第１のローカルエリアネットワークの識別子と、端末３の識別子又は端末３のアドレスのうちの少なくとも一方とを搬送する。次いで、サービス管理ネットワーク要素は、第１のローカルエリアネットワークについてであるとともに第１のローカルエリアネットワークの識別子に対応する指示情報と、セッション管理ネットワーク要素２の識別子と、ユーザプレーンネットワーク要素２の識別子と、端末３の識別子又は端末３のアドレスのうちの少なくとも一方との間の対応を記憶する。第１のローカルエリアネットワークの指示情報の関連する説明については、上記の説明を参照されたい。詳細は、本明細書で再び説明されない。
【００７２】
端末２及び端末３が第１のローカルエリアネットワークにアクセスした後で、端末１が、第１のローカルエリアネットワークにアクセスする場合、サービス管理ネットワーク要素は、端末１にサービスするセッション管理ネットワーク要素１によって送信されるメッセージＢを受信する。メッセージＢは、第１のローカルエリアネットワークへのアクセスを端末１に提供するユーザプレーンネットワーク要素１の識別子と、ユーザプレーンネットワーク要素１を管理するセッション管理ネットワーク要素１の識別子と、第１のローカルエリアネットワークの識別子と、端末１の識別子又は端末１のアドレスのうちの少なくとも一方とを搬送する。次いで、サービス管理ネットワーク要素は、第１のローカルエリアネットワークについてであるとともに第１のローカルエリアネットワークの識別子に対応する指示情報と、セッション管理ネットワーク要素１の識別子と、ユーザプレーンネットワーク要素１の識別子と、端末１の識別子又は端末１のアドレスのうちの少なくとも一方との間の対応を記憶する。第１のローカルエリアネットワークの指示情報の関連する説明については、上記の説明を参照されたい。詳細は、本明細書で再び説明されない。加えて、メッセージＢが端末１のアドレスを含まない場合、端末１の識別子を搬送するメッセージＢを受信した後、サービス管理ネットワーク要素は、端末１の識別子に対応する端末１のアドレスを決定し得る。具体的な決定方式については、以下の方法実施形態における説明を参照されたく、詳細は本明細書で説明されない。
【００７３】
上記のシナリオに基づいて、ケース１からケース４における以下の４つのローカルエリアネットワーク通信方法が、ローカルエリアネットワークサービス用のセッション管理ネットワーク要素にわたるプライベート通信を実装するために、例として提供される。
【００７４】
ケース１：セッションを作成若しくは更新する処理又は別の処理において、サービス管理ネットワーク要素は、ローカルエリアネットワーク用のトポロジー管理及びユーザプレーン経路管理を提供し得る。加えて、サービス管理ネットワーク要素は経路情報を割り当てる。
【００７５】
具体的には、サービス管理ネットワーク要素がメッセージＢを受信した後、サービス管理ネットワーク要素は、メッセージＢの中の、第１のローカルエリアネットワークの指示情報に基づいて、及びローカルエリアネットワークの指示情報と、セッション管理ネットワーク要素の識別子と、ユーザプレーンネットワーク要素の識別子と、１つ若しくは複数の端末の識別子又は１つ若しくは複数の端末のアドレスのうちの少なくとも一方との間の、１つ又は複数の端末が第１のローカルエリアネットワークにアクセスするときにサービス管理ネットワーク要素によって記憶された対応を参照して、別のユーザプレーンネットワーク要素が現在、第１のローカルエリアネットワークへのアクセスを別の端末に提供するかどうかを決定し得る。別のユーザプレーンネットワーク要素が現在、第１のローカルエリアネットワークへのアクセスを別の端末に提供する場合、サービス管理ネットワーク要素は、第１のローカルエリアネットワークの指示情報、別のユーザプレーンネットワーク要素の識別子、及びユーザプレーンネットワーク要素１の識別子に基づいて、第１の方向での対応する経路情報を取得し得る。第１の方向での経路情報は、別のユーザプレーンネットワーク要素によって、その宛先アドレスが端末１のアドレスであるデータを、ユーザプレーンネットワーク要素１へルーティングするために使用される。例えば、上記のシナリオを参照すると、この場合、サービス管理ネットワーク要素は、ユーザプレーンネットワーク要素２が、第１のローカルエリアネットワークへのアクセスを端末２及び端末３に提供すると決定し得る。次いで、サービス管理ネットワーク要素は、第１のローカルエリアネットワークの指示情報、ユーザプレーンネットワーク要素２の識別子、及びユーザプレーンネットワーク要素１の識別子に基づいて、経路情報２を取得し得る。経路情報２は、ユーザプレーンネットワーク要素２によって、その宛先アドレスが端末１のアドレスであるデータを、ユーザプレーンネットワーク要素１へルーティングするために使用される。例えば、サービス管理ネットワーク要素は、経路情報２を、以下のようにして取得し得る。ユーザプレーンネットワーク要素１が、第１のローカルエリアネットワークへのアクセスを端末１又は任意の他の端末に対しても提供するのが初めてであるとき、サービス管理ネットワーク要素は、第１のローカルエリアネットワークの指示情報、ユーザプレーンネットワーク要素２の識別子、及びユーザプレーンネットワーク要素１の識別子に基づいて、経路情報２を割り当てる。サービス管理ネットワーク要素が経路情報２を割り当てた後、任意選択で、サービス管理ネットワーク要素は、第１のローカルエリアネットワークの指示情報と、ソースユーザプレーンネットワーク要素（本明細書ではユーザプレーンネットワーク要素２である）の識別子と、ターゲットユーザプレーンネットワーク要素（本明細書ではユーザプレーンネットワーク要素１である）の識別子と、経路情報２との間の対応を記憶してよい。代替として、ユーザプレーンネットワーク要素１が、第１のローカルエリアネットワークへのアクセスを端末１又は任意の他の端末に対しても提供するのが初めてではないとき、サービス管理ネットワーク要素は、ユーザプレーンネットワーク要素１の識別子、ユーザプレーンネットワーク要素２の識別子、及び第１のローカルエリアネットワークの指示情報に基づいて、第１のローカルエリアネットワークの指示情報と、ソースユーザプレーンネットワーク要素の識別子と、ターゲットユーザプレーンネットワーク要素の識別子と、経路情報との間の記憶された対応を問い合わせ、対応する経路情報２を決定してよい。このことは、本出願の本実施形態において特に制限されない。
【００７６】
さらに、サービス管理ネットワーク要素が、第１の方向での対応する経路情報を決定した後、サービス管理ネットワーク要素は、対応するセッション管理ネットワーク要素へ、対応するユーザプレーンネットワーク要素の識別子と、第１の方向での経路情報に関連した情報とを送信し得る。次いで、セッション管理ネットワーク要素は、ユーザプレーンネットワーク要素の識別子に対応するユーザプレーンネットワーク要素へ、ユーザプレーンネットワーク要素上で、第１の方向での経路情報に関連した情報を構成するために、第１の方向での経路情報に関連した情報を送信する。例えば、上記のシナリオを参照すると、経路情報２を取得した後、サービス管理ネットワーク要素は、ルーティングルール２と、ユーザプレーンネットワーク要素２の識別子とを、ユーザプレーンネットワーク要素２を管理するセッション管理ネットワーク要素２へ送信し得る。次いで、セッション管理ネットワーク要素２は、ユーザプレーンネットワーク要素２の識別子に基づいて、ユーザプレーンネットワーク要素２上でルーティングルール２を構成するために、ルーティングルール２を、対応するユーザプレーンネットワーク要素２へ送信し得る。ルーティングルール２は、第１のローカルエリアネットワークの指示情報、端末１のアドレス、及び経路情報２を含む。このようにして、その宛先アドレスが端末１のアドレスであるデータを受信した後、ユーザプレーンネットワーク要素２は、ルーティングルール２に従って、ユーザプレーンネットワーク要素１へデータをルーティングしてよい。次いで、ユーザプレーンネットワーク要素１は、対応するアクセスデバイスを通して、端末１へデータをルーティングする。このことは、本出願の本実施形態において特に制限されない。
【００７７】
任意選択で、上記のシナリオでは、ユーザプレーンネットワーク要素１が、第１のローカルエリアネットワークへのアクセスを端末１又は任意の他の端末に対しても提供するのが初めてであると想定される。この場合、別のユーザプレーンネットワーク要素が現在、第１のローカルエリアネットワークへのアクセスを別の端末に提供すると決定した後、サービス管理ネットワーク要素は、第１のローカルエリアネットワークの指示情報、別のユーザプレーンネットワーク要素の識別子、及びユーザプレーンネットワーク要素１の識別子に基づいて、第２の方向にあるとともに、第１の方向での経路情報に対応する経路情報をさらに割り当て得る。第２の方向での経路情報は、ユーザプレーンネットワーク要素１によって、対応するユーザプレーンネットワーク要素へ、その宛先アドレスが別の端末のアドレスであるデータをルーティングするために使用される。本明細書での別の端末は、対応するユーザプレーンネットワーク要素が第１のローカルエリアネットワークへのアクセスを提供する先の端末である。例えば、上記のシナリオを参照すると、この場合、サービス管理ネットワーク要素は、ユーザプレーンネットワーク要素２が、第１のローカルエリアネットワークへのアクセスを端末２及び端末３に提供すると決定し得る。次いで、サービス管理ネットワーク要素は、第１のローカルエリアネットワークの指示情報、ユーザプレーンネットワーク要素２の識別子、及びユーザプレーンネットワーク要素１の識別子に基づいて、経路情報１を割り当て得る。経路情報１は、ユーザプレーンネットワーク要素１によって、その宛先アドレスが端末２のアドレス又は端末３のアドレスであるデータを、ユーザプレーンネットワーク要素２へルーティングするために使用される。
【００７８】
さらに、サービス管理ネットワーク要素が、第２の方向での対応する経路情報を割り当てた後、サービス管理ネットワーク要素は、第２の方向での経路情報に関連した情報を、セッション管理ネットワーク要素１へ送信し得る。次いで、セッション管理ネットワーク要素１は、ユーザプレーンネットワーク要素１上で、第２の方向での経路情報に関連した情報を構成するために、第２の方向での経路情報に関連した情報を、対応するユーザプレーンネットワーク要素１へ送信する。例えば、上記のシナリオを参照すると、経路情報１を決定した後、サービス管理ネットワーク要素は、セッション管理ネットワーク要素１へルーティングルール１を送信し得る。次いで、セッション管理ネットワーク要素１は、ユーザプレーンネットワーク要素１上でルーティングルール１を構成するために、ルーティングルール１を、対応するユーザプレーンネットワーク要素１へ送信する。ルーティングルール１は、第１のローカルエリアネットワークの指示情報、端末２のアドレス、端末３のアドレス、及び経路情報１を含む。このようにして、その宛先アドレスが端末２のアドレス又は端末３のアドレスであるデータを受信した後、ユーザプレーンネットワーク要素１は、ルーティングルール１に従って、ユーザプレーンネットワーク要素２へデータをルーティングしてよい。次いで、ユーザプレーンネットワーク要素２は、対応するアクセスデバイスを通して、端末２又は端末３へデータをルーティングする。このことは、本出願の本実施形態において特に制限されない。
【００７９】
結論として、上記の解決策によると、セッション管理ネットワーク要素１によって管理されるユーザプレーンネットワーク要素１が第１のローカルエリアネットワークサービスを提供する先の端末１と、セッション管理ネットワーク要素２によって管理されるユーザプレーンネットワーク要素２が第１のローカルエリアネットワークサービスを提供する先の端末２又は端末３との間で、プライベート通信が実装されることが可能である。言い換えると、セッション管理ネットワーク要素にわたるプライベート通信が、ローカルエリアネットワークサービス用に実装されることが可能である。
【００８０】
ケース２：セッションを作成若しくは更新する処理又は別の処理において、サービス管理ネットワーク要素は、ローカルエリアネットワークの中の経路情報を更新しない。そうではなく、例えば、セッション処理を完了した後、セッション管理ネットワーク要素は、必要に応じて、ユーザプレーンネットワーク要素上に構成されたアドレス報告に基づいて、処理されることが可能でないデータパケットの宛先アドレスを取得し、サービス管理ネットワーク要素に対して、宛先アドレスに関連付けられた経路情報を要求し、ユーザプレーンネットワーク要素上でリアルタイムに経路情報を更新する。
【００８１】
具体的には、ユーザプレーンネットワーク要素上に報告ルールが構成され得る。報告ルールは、以下の通りであり得る。ユーザプレーンネットワーク要素が、第１のローカルエリアネットワークへ送信されたデータを検出し、データをユーザプレーン経路情報とマッチングさせるのに失敗したとき、ユーザプレーンネットワーク要素は、対応するセッション管理ネットワーク要素へ、データに対応する宛先アドレス及びソースアドレス（即ち、データの受信機アドレス及び送信機アドレス）ならびに第１のローカルエリアネットワークの識別子などのデータ記述情報を報告する。
【００８２】
さらに、端末１が端末２へデータを送信すると想定すると、ユーザプレーンネットワーク要素１が、その宛先アドレスが端末２のアドレスであるデータを受信した後、ユーザプレーンネットワーク要素１が、その宛先アドレスが端末２のアドレスであるデータについてのどの転送経路情報もマッチングできないことを検出しない場合、ユーザプレーンネットワーク要素１は、セッション管理ネットワーク要素１へアドレス報告を送信する。アドレス報告は、第１のローカルエリアの指示情報と、端末２のアドレス（即ち、宛先アドレス）とを含む。任意選択で、アドレス報告は、端末１のアドレス（即ち、ソースアドレス）をさらに含み得る。このことは、本出願の本実施形態において特に制限されない。
【００８３】
さらに、アドレス報告を受信した後、セッション管理ネットワーク要素１は、サービス管理ネットワーク要素に対して経路情報１を要求し得る。経路情報１は、ユーザプレーンネットワーク要素１によって、その宛先アドレスが端末２のアドレスであるデータを、第１のローカルエリアネットワークへのアクセスを端末２に提供するユーザプレーンネットワーク要素、例えば、上記のシナリオではユーザプレーンネットワーク要素２へルーティングするために使用される。例えば、セッション管理ネットワーク要素１は、サービス管理ネットワーク要素へメッセージＣを送信し得る。メッセージＣは、第１のローカルエリアネットワークの指示情報、ユーザプレーンネットワーク要素１の識別子、及び端末２のアドレスを搬送し、端末２のアドレスに関連付けられた経路情報を要求するために使用される。このようにして、メッセージＣを受信した後、サービス管理ネットワーク要素は、第１のローカルエリアネットワークの指示情報と、セッション管理ネットワーク要素２の識別子と、ユーザプレーンネットワーク要素２の識別子と、端末２の識別子又は端末２のアドレスのうちの少なくとも一方との間の、端末２が第１のローカルエリアネットワークにアクセスするときにサービス管理ネットワーク要素によって記憶された対応に基づいて、端末２のアドレスに対応する端末２に、第１のローカルエリアネットワークへのアクセスを提供するユーザプレーンネットワーク要素がユーザプレーンネットワーク要素２であると決定し得る。さらに、サービス管理ネットワーク要素は、要求された経路情報１を取得し得る。例えば、サービス管理ネットワーク要素は、要求された経路情報１を、以下のようにして取得し得る。ユーザプレーンネットワーク要素１が、第１のローカルエリアネットワークへのアクセスを端末１又は任意の他の端末に対しても提供するのが初めてであるとき、サービス管理ネットワーク要素は、第１のローカルエリアネットワークの指示情報、ユーザプレーンネットワーク要素２の識別子、及びユーザプレーンネットワーク要素１の識別子に基づいて、経路情報１を割り当てる。サービス管理ネットワーク要素が経路情報１を割り当てた後、任意選択で、サービス管理ネットワーク要素は、第１のローカルエリアネットワークの指示情報と、ソースユーザプレーンネットワーク要素（本明細書ではユーザプレーンネットワーク要素１である）の識別子と、ターゲットユーザプレーンネットワーク要素（本明細書ではユーザプレーンネットワーク要素２である）の識別子と、経路情報１との間の対応を記憶してよい。代替として、ユーザプレーンネットワーク要素１が、第１のローカルエリアネットワークへのアクセスを端末１又は任意の他の端末に対しても提供するのが初めてではないとき、サービス管理ネットワーク要素は、ユーザプレーンネットワーク要素１の識別子、ユーザプレーンネットワーク要素２の識別子、及び第１のローカルエリアネットワークの指示情報に基づいて、第１のローカルエリアネットワークの指示情報と、ソースユーザプレーンネットワーク要素の識別子と、ターゲットユーザプレーンネットワーク要素の識別子と、経路情報との間の記憶された対応を問い合わせ、対応する経路情報１を決定してよい。このことは、本出願の本実施形態において特に制限されない。
【００８４】
加えて、任意選択で、メッセージＣは、ユーザプレーンネットワーク要素１の識別子は搬送しないが、端末１のアドレスを搬送し得る。このようにして、メッセージＣを受信した後、サービス管理ネットワーク要素は、第１のローカルエリアネットワークの指示情報と、セッション管理ネットワーク要素１の識別子と、ユーザプレーンネットワーク要素１の識別子と、端末１の識別子又は端末１のアドレスのうちの少なくとも一方との間の、端末１が第１のローカルエリアネットワークにアクセスするときにサービス管理ネットワーク要素によって記憶された対応に基づいて、端末１のアドレスに対応する端末１に、第１のローカルエリアネットワークへのアクセスを提供するユーザプレーンネットワーク要素がユーザプレーンネットワーク要素１であると決定する必要がさらにある。次いで、サービス管理ネットワーク要素は、上記のようにして、経路情報１を取得する。このことは、本出願の本実施形態において特に制限されない。
【００８５】
さらに、対応する経路情報１を取得した後、サービス管理ネットワーク要素は、セッション管理ネットワーク要素１へ経路情報１を送信し得る。次いで、セッション管理ネットワーク要素１は、ユーザプレーンネットワーク要素１上でルーティングルール１を構成するために、アドレス報告を送信するユーザプレーンネットワーク要素１へルーティングルール１（即ち、経路情報１に関連した情報）を送信する。ルーティングルール１は、第１のローカルエリアネットワークの指示情報、端末２のアドレス、及び経路情報１を含む。このようにして、ユーザプレーンネットワーク要素１は、ルーティングルール１に従って、その宛先アドレスが端末２のアドレスである受信されたデータを、ユーザプレーンネットワーク要素２へルーティングし得る。次いで、ユーザプレーンネットワーク要素２は、対応するアクセスデバイスを通して、端末２へデータをルーティングする。このことは、本出願の本実施形態において特に制限されない。
【００８６】
任意選択で、上記のシナリオでは、メッセージＣが端末１のアドレスを搬送する場合、サービス管理ネットワーク要素は、経路情報２をさらに取得し得る。経路情報２は、ユーザプレーンネットワーク要素２によって、その宛先アドレスが端末１のアドレスであるデータを、第１のローカルエリアネットワークへのアクセスを端末１に提供するユーザプレーンネットワーク要素、例えば、上記のシナリオではユーザプレーンネットワーク要素１へルーティングするために使用される。サービス管理ネットワーク要素が経路情報２を取得する方式については、上記のケース１における説明を参照されたい。詳細は本明細書で再び説明されない。
【００８７】
さらに、経路情報２を取得した後、サービス管理ネットワーク要素は、ユーザプレーンネットワーク要素２を管理するセッション管理ネットワーク要素２へ、ルーティングルール２とユーザプレーンネットワーク要素１の識別子とを送信し得る。次いで、セッション管理ネットワーク要素２は、ユーザプレーンネットワーク要素２上でルーティングルール２を構成するために、ルーティングルール２を、ユーザプレーンネットワーク要素２の識別子に対応するユーザプレーンネットワーク要素２へ送信する。ルーティングルール２は、第１のローカルエリアネットワークの指示情報、端末１のアドレス、及び経路情報２を含む。このようにして、その宛先アドレスが端末１のアドレスであるデータを受信した後、ユーザプレーンネットワーク要素２は、ルーティングルール２に従って、ユーザプレーンネットワーク要素１へデータをルーティングしてよい。次いで、ユーザプレーンネットワーク要素１は、対応するアクセスデバイスを通して、端末１へデータをルーティングする。このことは、本出願の本実施形態において特に制限されない。
【００８８】
当然ながら、本出願の本実施形態において、ルーティングルール２は、ユーザプレーンネットワーク要素２上にさらに構成されなくてよい。そうではなく、アドレス報告が、ユーザプレーンネットワーク要素２上に構成される。端末２が端末１へデータを送信するとき、ユーザプレーンネットワーク要素２が、その宛先アドレスが端末１のアドレスであるデータを受信した後、ユーザプレーンネットワーク要素２が、その宛先アドレスが端末１のアドレスであるデータについてのどの転送経路情報もマッチングできないことを検出した場合、ユーザプレーンネットワーク要素２は、セッション管理ネットワーク要素２へアドレス報告を送信する。次いで、ルーティングルール２は、ユーザプレーンネットワーク要素１上でルーティングルール１を構成する上記の方式と同様の方式で、ユーザプレーンネットワーク要素２上に構成される。このことは、本出願の本実施形態において特に制限されない。
【００８９】
結論として、上記の解決策によると、セッション管理ネットワーク要素１によって管理されるユーザプレーンネットワーク要素１が第１のローカルエリアネットワークサービスを提供する先の端末１と、セッション管理ネットワーク要素２によって管理されるユーザプレーンネットワーク要素２が第１のローカルエリアネットワークサービスを提供する先の端末２との間で、プライベート通信が実装されることが可能である。言い換えると、セッション管理ネットワーク要素にわたるプライベート通信が、ローカルエリアネットワークサービス用に実装されることが可能である。
【００９０】
ケース３：セッションを作成若しくは更新する処理又は別の処理において、サービス管理ネットワーク要素は、ローカルエリアネットワーク用のトポロジー管理及びユーザプレーン経路管理を提供し得る。加えて、セッション管理ネットワーク要素は経路情報を割り当てる。
【００９１】
特定の実装は、ケース１のものと同様であり、ケース３とケース１との間の差異は、以下の通りである。
【００９２】
一態様では、ユーザプレーンネットワーク要素１が、第１のローカルエリアネットワークへのアクセスを端末１又は任意の他の端末に対しても提供するのが初めてであるとき、ケース３における、第１の方向での経路情報を取得する方式は、ケース１のものとは異なる。ケース１では、ユーザプレーンネットワーク要素１が、第１のローカルエリアネットワークへのアクセスを端末１又は任意の他の端末に対しても提供するのが初めてであるとき、サービス管理ネットワーク要素は、第１のローカルエリアネットワークの指示情報、別のユーザプレーンネットワーク要素の識別子、及びユーザプレーンネットワーク要素１の識別子に基づいて、第１の方向での経路情報を割り当てる。ケース３では、ユーザプレーンネットワーク要素１が、第１のローカルエリアネットワークへのアクセスを端末１又は任意の他の端末に対しても提供するのが初めてであるとき、サービス管理ネットワーク要素は、ユーザプレーンネットワーク要素１を管理するセッション管理ネットワーク要素１に対して、第１の方向での経路情報を要求する。例えば、サービス管理ネットワーク要素は、経路情報２を取得する。ケース１では、ユーザプレーンネットワーク要素１が、第１のローカルエリアネットワークへのアクセスを端末１又は任意の他の端末に対しても提供するのが初めてであるとき、サービス管理ネットワーク要素は、第１のローカルエリアネットワークの指示情報、ユーザプレーンネットワーク要素２の識別子、及びユーザプレーンネットワーク要素１の識別子に基づいて、経路情報２を割り当てる。しかし、ケース３では、ユーザプレーンネットワーク要素１が、第１のローカルエリアネットワークへのアクセスを端末１又は任意の他の端末に対しても提供するのが初めてであるとき、サービス管理ネットワーク要素は、ユーザプレーンネットワーク要素１を管理するセッション管理ネットワーク要素１に対して、経路情報２を要求する。セッション管理ネットワーク要素１が経路情報２を割り当てた後、セッション管理ネットワーク要素１は、経路情報２をサービス管理ネットワーク要素へ送信する。関連する実装については、図７に示される以下の実施形態を参照されたい。詳細は、本明細書で再び説明されない。
【００９３】
別の態様では、サービス管理ネットワーク要素が第２の方向での経路情報を取得する方式は、ケース１でのものとは異なる。ケース１では、ユーザプレーンネットワーク要素１が、第１のローカルエリアネットワークへのアクセスを端末１又は任意の他の端末に対しても提供するのが初めてであるとき、サービス管理ネットワーク要素は、第１のローカルエリアネットワークの指示情報、別のユーザプレーンネットワーク要素の識別子、及びユーザプレーンネットワーク要素１の識別子に基づいて、第２の方向での経路情報を割り当て、第２の方向での経路情報を、ユーザプレーンネットワーク要素１に対応するセッション管理ネットワーク要素１へ送信する。ユーザプレーンネットワーク要素１が、第１のローカルエリアネットワークへのアクセスを端末１又は任意の他の端末に対しても提供するのが初めてではないとき、サービス管理ネットワーク要素は、第２の方向での経路情報を取得する必要がない。ケース３では、サービス管理ネットワーク要素は、第１の方向での対応する経路情報を取得し、対応するユーザプレーンネットワーク要素の識別子と、第１の方向での経路情報に関連した情報とを、対応するセッション管理ネットワーク要素へ送信する。次いで、第１の方向での経路情報の各断片について、セッション管理ネットワーク要素は、第２の方向であるとともに、第１の方向での経路情報に対応する経路情報が、対応するユーザプレーンネットワーク要素上に存在しないと決定した場合、セッション管理ネットワーク要素は、第１のローカルエリアネットワークの指示情報、ユーザプレーンネットワーク要素の識別子、及びユーザプレーンネットワーク要素１の識別子に基づいて、第２の方向での対応する経路情報を割り当て、次いで、第２の方向での経路情報をサービス管理ネットワーク要素へ送信する。例えば、サービス管理ネットワーク要素は、経路情報１を取得する。ケース１では、ユーザプレーンネットワーク要素１が、第１のローカルエリアネットワークへのアクセスを端末１又は任意の他の端末に対しても提供するのが初めてであるとき、サービス管理ネットワーク要素は、第１のローカルエリアネットワークの指示情報、ユーザプレーンネットワーク要素２の識別子、及びユーザプレーンネットワーク要素１の識別子に基づいて、経路情報１を割り当て、経路情報１を、ユーザプレーンネットワーク要素１に対応するセッション管理ネットワーク要素１へ送信する。ユーザプレーンネットワーク要素１が、第１のローカルエリアネットワークへのアクセスを端末１又は任意の他の端末に対しても提供するのが初めてではないとき、サービス管理ネットワーク要素は、経路情報１を取得する必要がない。ケース３では、サービス管理ネットワーク要素は、経路情報２を決定し、ユーザプレーンネットワーク要素２の識別子と、経路情報２に関連した情報とを、ユーザプレーンネットワーク要素２を管理するセッション管理ネットワーク要素２へ送信する。次いで、経路情報２に対応する経路情報１が、対応するユーザプレーンネットワーク要素２上に存在しないとセッション管理ネットワーク要素２が決定した場合、セッション管理ネットワーク要素２は、第１のローカルエリアネットワークの指示情報、ユーザプレーンネットワーク要素２の識別子、及びユーザプレーンネットワーク要素１の識別子に基づいて、経路情報１を割り当て、次いで、経路情報１をサービス管理ネットワーク要素へ送信する。
【００９４】
関連する他の説明については、ケース１における説明を参照されたい。詳細は、本明細書で再び説明されない。
【００９５】
ケース４：サービス管理ネットワーク要素は、ローカルエリアネットワークにユーザプレーン経路管理を提供しない。そうではなく、異なるセッション管理ネットワーク要素が、経路情報を更新するために互いと交渉する。
【００９６】
具体的には、サービス管理ネットワーク要素がメッセージＢを受信した後、サービス管理ネットワーク要素は、メッセージＢの中の、第１のローカルエリアネットワークの指示情報に基づいて、及びローカルエリアネットワークの指示情報と、セッション管理ネットワーク要素の識別子と、ユーザプレーンネットワーク要素の識別子と、端末の識別子又は端末のアドレスのうちの少なくとも一方との間の、１つ又は複数の端末が第１のローカルエリアネットワークにアクセスするときにサービス管理ネットワーク要素によって記憶された対応を参照して、別のユーザプレーンネットワーク要素が現在、第１のローカルエリアネットワークへのアクセスを別の端末に提供するかどうかを決定し得る。別のユーザプレーンネットワーク要素が現在、第１のローカルエリアネットワークへのアクセスを別の端末に提供する場合、サービス管理ネットワーク要素は、セッション管理ネットワーク要素１へ、別のユーザプレーンネットワーク要素の識別子と、別のユーザプレーンネットワーク要素に対応するセッション管理ネットワーク要素の識別子と、対応する第１のローカルエリアネットワークの指示情報とを戻してよい（代替として、セッション管理ネットワーク要素１は、第１のローカルエリアネットワークの識別子を、第１のローカルエリアネットワークの指示情報として使用する）。次いで、セッション管理ネットワーク要素１は、第１のローカルエリアネットワークの指示情報、別のユーザプレーンネットワーク要素の識別子、及びユーザプレーンネットワーク要素１の識別子に基づいて、第１の方向での対応する経路情報を取得する。第１の方向での経路情報は、別のユーザプレーンネットワーク要素によって、その宛先アドレスが端末１のアドレスであるデータを、ユーザプレーンネットワーク要素１へルーティングするために使用される。さらに、セッション管理ネットワーク要素１は、別のユーザプレーンネットワーク要素に対応するセッション管理ネットワーク要素のものであるとともにサービス管理ネットワーク要素によって送信される識別子に基づいて、対応するセッション管理ネットワーク要素へメッセージＤを送信し得る。メッセージＤは、第１のローカルエリアネットワークの指示情報、端末１のアドレス、第１の方向での対応する経路情報、及び対応するユーザプレーンネットワーク要素の識別子を含む。セッション管理ネットワーク要素は、対応するユーザプレーンネットワーク要素の識別子に基づいて、ユーザプレーンネットワーク要素上で、第１の方向での経路情報に関連した情報を構成するために、第１の方向での経路情報に関連した情報（情報は、第１のローカルエリアネットワークの指示情報、端末１のアドレス、及び第１の方向での対応する経路情報を含む）を、対応するユーザプレーンネットワーク要素へ送信する。セッション管理ネットワーク要素１が第１の方向での対応する経路情報を取得する方式については、ケース１において、サービス管理ネットワーク要素が第１の方向での対応する経路情報を取得する方式を参照されたい。例えば、ケース１におけるサービス管理ネットワーク要素が、ケース４におけるセッション管理ネットワーク要素１によって置き換えられるという点で差異がある。関連する他の説明については、ケース１における説明を参照されたい。詳細について、本明細書で再び説明しない。
【００９７】
例えば、上記のシナリオを参照すると、サービス管理ネットワーク要素は、ユーザプレーンネットワーク要素２が、第１のローカルエリアネットワークへのアクセスを端末２及び端末３に提供すると決定し得る。この場合、サービス管理ネットワーク要素は、セッション管理ネットワーク要素１へ、ユーザプレーンネットワーク要素２の識別子、セッション管理ネットワーク要素２の識別子、及び第１のローカルエリアネットワークの対応する指示情報を送信する（代替として、セッション管理ネットワーク要素１は、第１のローカルエリアネットワークの識別子を、第１のローカルエリアネットワークの指示情報として使用する）。次いで、セッション管理ネットワーク要素１は、第１のローカルエリアネットワークの指示情報、ユーザプレーンネットワーク要素２の識別子、及びユーザプレーンネットワーク要素１の識別子に基づいて、経路情報２を取得する。経路情報２は、ユーザプレーンネットワーク要素２によって、その宛先アドレスが端末１のアドレスであるデータを、ユーザプレーンネットワーク要素１へルーティングするために使用される。さらに、セッション管理ネットワーク要素１は、サービス管理ネットワーク要素によって送信される、対応するセッション管理ネットワーク要素２の識別子に基づいて、ルーティングルール２及びユーザプレーンネットワーク要素２の識別子をセッション管理ネットワーク要素２へ送信し得る。次いで、セッション管理ネットワーク要素２は、ユーザプレーンネットワーク要素２の識別子に基づいて、ユーザプレーンネットワーク要素２上でルーティングルール２を構成するために、ルーティングルール２を、対応するユーザプレーンネットワーク要素２へ送信する。ルーティングルール２は、第１のローカルエリアネットワークの指示情報、端末１のアドレス、及び経路情報２を含む。このようにして、その宛先アドレスが端末１のアドレスであるデータを受信した後、ユーザプレーンネットワーク要素２は、ルーティングルール２に従って、ユーザプレーンネットワーク要素１へデータをルーティングしてよい。次いで、ユーザプレーンネットワーク要素１は、対応するアクセスデバイスを通して、端末１へデータをルーティングする。このことは、本出願の本実施形態において特に制限されない。
【００９８】
さらに、別のセッション管理ネットワーク要素がセッション管理ネットワーク要素１からメッセージＤを受信した後、第１の方向での経路情報の各断片について、セッション管理ネットワーク要素は、第２の方向であるとともに、第１の方向での経路情報に対応する経路情報が、対応するユーザプレーンネットワーク要素上に存在しないと決定し、セッション管理ネットワーク要素は、第１のローカルエリアネットワークの指示情報、ユーザプレーンネットワーク要素の識別子、及びユーザプレーンネットワーク要素１の識別子に基づいて、第２の方向での対応する経路情報を割り当て、次いで、第２の方向での経路情報をサービス管理ネットワーク要素へ送信する。第２の方向での経路情報は、ユーザプレーンネットワーク要素１によって、その宛先アドレスが別の端末のアドレスであるデータを、対応するユーザプレーンネットワーク要素へルーティングするために使用される。本明細書の別の端末は、対応するユーザプレーンネットワーク要素が第１のローカルエリアネットワークへのアクセスを提供する端末である。さらに、サービス管理ネットワーク要素は、セッション管理ネットワーク要素１へ、対応するユーザプレーンネットワーク要素１の識別子ならびに第２の方向での経路情報に関連した情報（情報は、第１のローカルエリアネットワークの指示情報、別の端末のアドレス、及び第２の方向での対応する経路情報を含む）を送信し得る。次いで、セッション管理ネットワーク要素１は、ユーザプレーンネットワーク要素１上で、第２の方向での経路情報に関連した情報を構成するために、ユーザプレーンネットワーク要素１の識別子に基づいて、第２の方向での経路情報に関連した情報を、対応するユーザプレーンネットワーク要素１へ送信する。例えば、上記のシナリオを参照すると、セッション管理ネットワーク要素１からメッセージＤを受信した後、セッション管理ネットワーク要素２は、経路情報２に対応する経路情報１が、対応するユーザプレーンネットワーク要素２上に存在しないと決定することが仮定される。この場合では、セッション管理ネットワーク要素２は、第１のローカルエリアネットワークの指示情報、ユーザプレーンネットワーク要素２の識別子、及びユーザプレーンネットワーク要素１の識別子に基づいて、対応する経路情報１を割り当てる。経路情報１は、ユーザプレーンネットワーク要素１によって、その宛先アドレスが端末２のアドレス又は端末３のアドレスであるデータを、ユーザプレーンネットワーク要素２へルーティングするために使用される。さらに、サービス管理ネットワーク要素は、ルーティングルール１及びユーザプレーンネットワーク要素１の識別子（任意選択）を、セッション管理ネットワーク要素１へ送信し得る。次いで、セッション管理ネットワーク要素１は、ユーザプレーンネットワーク要素１の識別子に基づいて、ユーザプレーンネットワーク要素１上でルーティングルール１を構成するために、ルーティングルール１を、対応するユーザプレーンネットワーク要素１へ送信する。ルーティングルール１は、第１のローカルエリアネットワークの指示情報、端末２のアドレス、端末３のアドレス、及び経路情報１を含む。このようにして、その宛先アドレスが端末２のアドレス又は端末３のアドレスであるデータを受信した後、ユーザプレーンネットワーク要素１は、ルーティングルール１に従って、ユーザプレーンネットワーク要素２へデータをルーティングしてよい。次いで、ユーザプレーンネットワーク要素２は、対応するアクセスデバイスを通して、端末２又は端末３へデータをルーティングする。このことは、本出願の本実施形態において特に制限されない。
【００９９】
結論として、上記の解決策によると、セッション管理ネットワーク要素１によって管理されるユーザプレーンネットワーク要素１が第１のローカルエリアネットワークサービスを提供する先の端末１と、セッション管理ネットワーク要素２によって管理されるユーザプレーンネットワーク要素２が第１のローカルエリアネットワークサービスを提供する先の端末２又は端末３との間で、プライベート通信が実装されることが可能である。言い換えると、セッション管理ネットワーク要素にわたるプライベート通信が、ローカルエリアネットワークサービス用に実装されることが可能である。
【０１００】
任意選択で、図１に示される通信システムは、現行の５Ｇネットワーク又は別の将来のネットワークに適用され得る。このことは、本出願の本実施形態において特に制限されない。
【０１０１】
例えば、図２に示されるように、図１に示される通信システムは、現行の５Ｇネットワークに適用され、図１のセッション管理ネットワーク要素１に対応するネットワーク要素又はエンティティは、５ＧネットワークアーキテクチャにおけるＳＭＦネットワーク要素１であってよく、図１のセッション管理ネットワーク要素２に対応するネットワーク要素又はエンティティは、５ＧネットワークアーキテクチャにおけるＳＭＦネットワーク要素２であってよく、図１のユーザプレーンネットワーク要素１に対応するネットワーク要素又はエンティティは、５ＧネットワークアーキテクチャにおけるＵＰＦネットワーク要素１であってよく、図１のユーザプレーンネットワーク要素２に対応するネットワーク要素又はエンティティは、５ＧネットワークアーキテクチャにおけるＵＰＦネットワーク要素２であってよく、図１のサービス管理ネットワーク要素に対応するネットワーク要素又はエンティティは、５Ｇネットワークアーキテクチャにおける５ＧＬＡＮ  ＳＭＦ（５ＧＬＡＮ  ＳＭＦ、ＬＳＭＦ）ネットワーク要素であってよい。上記のローカルエリアネットワークは、５ＧＬＡＮであってよい。加えて、表現によっては、５ＧＬＡＮは、ＬＡＮ、ＬＡＮタイプサービス（ｔｙｐｅ  ｓｅｒｖｉｃｅ）、ＬＡＮ仮想ネットワーク（ｖｉｒｔｕａｌ  ｎｅｔｗｏｒｋ、ＶＮ）、５ＧＬＡＮタイプサービス、５ＧＬＡＮ−ＶＮ、５ＧＬＡＮグループ（ｇｒｏｕｐ）、ＬＡＮグループなどとも呼ばれ得る。ＬＳＭＦネットワーク要素は、５ＧＬＡＮグループ管理機能（ｇｒｏｕｐ  ｍａｎａｇｅｍｅｎｔ  ｆｕｎｃｔｉｏｎ、ＧＭＦ）ネットワーク要素、５ＧＬＡＮ経路管理機能（ｐａｔｈ  ｍａｎａｇｅｍｅｎｔ  ｆｕｎｃｔｉｏｎ、ＰＭＦ）ネットワーク要素、５ＧＬＡＮアドレス解決機能（ａｄｄｒｅｓｓ  ｒｅｓｏｌｕｔｉｏｎ  ｆｕｎｃｔｉｏｎ、ＡＲＦ）ネットワーク要素、５ＧＬＡＮグループコントローラ／制御機能（ｇｒｏｕｐ  ｃｏｎｔｒｏｌｌｅｒ／ｃｏｎｔｒｏｌ  ｆｕｎｃｔｉｏｎ、ＧＣＦ）ネットワーク要素、５ＧＬＡＮ構成コントローラ／制御機能（ｃｏｎｆｉｇｕｒａｔｉｏｎ  ｃｏｎｔｒｏｌｌｅｒ／ｃｏｎｔｒｏｌ  ｆｕｎｃｔｉｏｎ、ＣＣＦ）ネットワーク要素、５ＧＬＡＮ構成管理機能（ｃｏｎｆｉｇｕｒａｔｉｏｎ  ｍａｎａｇｅｍｅｎｔ  ｆｕｎｃｔｉｏｎ、ＣＭＦ）ネットワーク要素、５ＧＬＡＮタイプサービス管理機能（５ＧＬＡＮ−ｔｙｐｅ  ｓｅｒｖｉｃｅ  ｍａｎａｇｅｍｅｎｔ  ｆｕｎｃｔｉｏｎ、５ＬＳＭＦ）ネットワーク要素、５ＧＬＡＮ仮想ネットワーク管理機能（５ＧＬＡＮ−ＶＮ  ｍａｎａｇｅｍｅｎｔ  ｆｕｎｃｔｉｏｎ、５ＬＶＭＦ）ネットワーク要素、５ＧＬＡＮ仮想ネットワークコントローラ（５ＧＬＡＮ−ＶＮ  ｃｏｎｔｒｏｌｌｅｒ、５ＬＶＣ）、５ＧＬＡＮコントローラ（５ＧＬＡＮ  ｃｏｎｔｒｏｌｌｅｒ、５ＬＣ）、５ＧＬＡＮタイプサービスコントローラ（５ＧＬＡＮ−ｔｙｐｅ  ｓｅｒｖｉｃｅ  ｃｏｎｔｒｏｌｌｅｒ、５ＬＳＣ）などとも呼ばれ得る。５ＧＬＡＮ及びＬＳＭＦネットワーク要素の名称は、本出願の本実施形態において特に制限されない。
【０１０２】
本出願の本実施形態において、ＬＳＭＦネットワーク要素は、５ＧＬＡＮのトポロジー構造と、５ＧＬＡＮ中の異なるＵＰＦネットワーク要素の間のルーティングとを管理するように構成される。例えば、ＬＳＭＦネットワーク要素は、端末が５ＧＬＡＮにアクセスするロケーションに基づいて、ＳＭＦネットワーク要素若しくはＵＰＦネットワーク要素を５ＧＬＡＮに動的に追加することができるか、又は端末の動きに基づいて、ＳＭＦネットワーク要素若しくはＵＰＦネットワーク要素を動的に更新することができる。代替として、ＬＳＭＦネットワーク要素は、アドレス変更、例えば、５ＧＬＡＮ中の端末の新規アドレスの追加又は古いアドレスの消去に基づいて、５ＧＬＡＮにおけるルーティングを更新して、５ＧＬＡＮが５ＧＬＡＮプライベート通信、即ち、端末の間の二地点間データ伝送を満たすことが可能であることを保証することができる。代替として、端末にサービスするＳＭＦネットワーク要素が、別の端末にサービスするＳＭＦネットワーク要素とは異なることをＬＳＭＦネットワーク要素が検出したとき、ＬＳＭＦネットワーク要素は、２つのＳＭＦネットワーク要素の間の交渉を通して、対応するＵＰＦネットワーク要素の間のルーティングを更新する。ＵＰＦネットワーク要素が端末に５ＧＬＡＮサービスを提供するのが初めてである場合、ルーティングの更新中に、ＵＰＦネットワーク要素と別のＵＰＦネットワーク要素との間の転送経路が確立される必要がある。
【０１０３】
加えて、図２に示されるように、現行の５Ｇネットワークは、アクセスデバイス１、アクセスデバイス２、アクセス及びモビリティ管理機能（ｃｏｒｅ  ａｃｃｅｓｓ  ａｎｄ  ｍｏｂｉｌｉｔｙ  ｍａｎａｇｅｍｅｎｔ  ｆｕｎｃｔｉｏｎ、ＡＭＦ）ネットワーク要素、認証サーバ機能（ａｕｔｈｅｎｔｉｃａｔｉｏｎ  ｓｅｒｖｅｒ  ｆｕｎｃｔｉｏｎ、ＡＵＳＦ）ネットワーク要素、ネットワークスライス選択機能（ｎｅｔｗｏｒｋ  ｓｌｉｃｅ  ｓｅｌｅｃｔｉｏｎ  ｆｕｎｃｔｉｏｎ、ＮＳＳＦ）ネットワーク要素、ネットワーク露出機能（ｎｅｔｗｏｒｋ  ｅｘｐｏｓｕｒｅ  ｆｕｎｃｔｉｏｎ、ＮＥＦ）ネットワーク要素、ネットワークリポジトリ機能（ｎｅｔｗｏｒｋ  ｅｘｐｏｓｕｒｅ  ｆｕｎｃｔｉｏｎ  Ｒｅｐｏｓｉｔｏｒｙ  Ｆｕｎｃｔｉｏｎ、ＮＲＦ）ネットワーク要素、ポリシー制御機能（ｐｏｌｉｃｙ  ｃｏｎｔｒｏｌ  ｆｕｎｃｔｉｏｎ、ＰＣＦ）ネットワーク要素、統合データ管理（Ｕｎｉｆｉｅｄ  Ｄａｔａ  Ｍａｎａｇｅｍｅｎｔ、ＵＤＭ）ネットワーク要素、アプリケーション機能（ａｐｐｌｉｃａｔｉｏｎ  ｆｕｎｃｔｉｏｎ、ＡＦ）ネットワーク要素などをさらに含み得る。このことは、本出願の本実施形態において特に制限されない。
【０１０４】
図２に示されるように、端末１が、アクセスデバイス１を通して５Ｇネットワークにアクセスし、端末１は、次世代（ｎｅｘｔ  ｇｅｎｅｒａｔｉｏｎ、Ｎ）１インターフェース（略してＮ１）を通してＡＭＦネットワーク要素と通信する。端末２が、アクセスデバイス２を通して５Ｇネットワークにアクセスし、端末２は、Ｎ１を通してＡＭＦネットワーク要素と通信する。端末３が、アクセスデバイス２を通して５Ｇネットワークにアクセスし、端末３は、Ｎ１を通してＡＭＦネットワーク要素と通信する。アクセスデバイス１又はアクセスデバイス２は、Ｎ２インターフェース（略してＮ２）を通してＡＭＦネットワーク要素と通信する。アクセスデバイス１は、Ｎ３インターフェース（略してＮ３）を通してＵＰＦネットワーク要素１と通信し、アクセスデバイス２は、Ｎ３を通してＵＰＦネットワーク要素２と通信する。ＳＭＦネットワーク要素１は、Ｎ４インターフェース（略してＮ４）を通してＵＰＦネットワーク要素１と通信し、ＳＭＦネットワーク要素２は、Ｎ４を通してＵＰＦネットワーク要素２と通信する。ＵＰＦネットワーク要素１は、Ｎｘインターフェース（略してＮｘ）を通してＵＰＦネットワーク要素２と通信する。代替として、ＵＰＦネットワーク要素１又はＵＰＦネットワーク要素２は、Ｎ６インターフェース（略してＮ６）を通してデータネットワークにアクセスする。Ｎｘインターフェースは、既存のＮ９インターフェース若しくは既存のＮ６インターフェースを再利用してよいか、又は新たな定義されたインターフェースであってよい。これは、制限されない。加えて、図２に示されるＡＵＳＦネットワーク要素、ＡＭＦネットワーク要素、ＳＭＦネットワーク要素、ＮＳＳＦネットワーク要素、ＮＥＦネットワーク要素、ＮＲＦネットワーク要素、ＰＣＦネットワーク要素、ＵＤＭネットワーク要素、及びＡＦネットワーク要素などの制御プレーンネットワーク要素は、代替として、サービスベースのインターフェースを通して互いと対話し得る。例えば、ＡＵＳＦネットワーク要素によって提示されるサービスベースのインターフェースはＮａｕｓｆであってよく、ＡＭＦネットワーク要素によって提示されるサービスベースのインターフェースはＮａｍｆであってよく、ＳＭＦネットワーク要素によって提示されるサービスベースのインターフェースはＮｓｍｆであってよく、ＮＳＳＦネットワーク要素によって提示されるサービスベースのインターフェースはＮｎｓｓｆであってよく、ＮＥＦネットワーク要素によって提示されるサービスベースのインターフェースはＮｎｅｆであってよく、ＮＲＦネットワーク要素によって提示されるサービスベースのインターフェースはＮｎｒｆであってよく、ＰＣＦネットワーク要素によって提示されるサービスベースのインターフェースはＮｐｃｆであってよく、ＵＤＭネットワーク要素によって提示されるサービスベースのインターフェースはＮｕｄｍであってよく、ＡＦネットワーク要素によって提示されるサービスベースのインターフェースはＮａｆであってよい。関連する説明については、規格ＴＳ２３．５０１における５Ｇシステムアーキテクチャ（５Ｇ  ｓｙｓｔｅｍ  ａｒｃｈｉｔｅｃｔｕｒｅ）の図を参照されたい。詳細は、本明細書で説明されない。
【０１０５】
図３は、既存の５ＧＬＡＮサービスのユーザプレーンアーキテクチャの概略図である。端末は、５ＧＬＡＮサービスを提供するＵＰＦネットワーク要素へのセッションを確立して、５ＧＬＡＮサービスを提供するＵＰＦネットワーク要素にアクセスする。上記で説明されたように、５ＧＬＡＮサービスを提供するＵＰＦネットワーク要素は、Ｎ６を通してデータネットワークの中の既存のＬＡＮと通信してもよく、例えば、ＬＡＮの中のパーソナルコンピュータ（ｐｅｒｓｏｎａｌ  ｃｏｍｐｕｔｅｒ、ＰＣ）と通信し得る。代替として、５ＧＬＡＮサービスを提供するＵＰＦネットワーク要素は、異なる端末のセッションをＵＰＦネットワーク要素の間の内部接続を通して関連付けて、プライベート通信を実装し得る。このことは、本出願の本実施形態において特に制限されない。
【０１０６】
任意選択で、本出願の本実施形態における端末（ｔｅｒｍｉｎａｌ）は、ワイヤレス通信機能を有する、様々なハンドヘルドデバイス、車載デバイス、ウェアラブルデバイス、及びコンピューティングデバイス、又はワイヤレスモデムに接続された他の処理デバイスを含んでよい。端末は、加入者ユニット（ｓｕｂｓｃｒｉｂｅｒ  ｕｎｉｔ）、セルラーフォン（ｃｅｌｌｕｌａｒ  ｐｈｏｎｅ）、スマートフォン（ｓｍａｒｔｐｈｏｎｅ）、ワイヤレスデータカード、携帯情報端末（ｐｅｒｓｏｎａｌ  ｄｉｇｉｔａｌ  ａｓｓｉｓｔａｎｔ、ＰＤＡ）コンピュータ、タブレットコンピュータ、ワイヤレスモデム（ｍｏｄｅｍ）、ハンドヘルド（ｈａｎｄｈｅｌｄ）デバイス、ラップトップコンピュータ（ｌａｐｔｏｐ  ｃｏｍｐｕｔｅｒ）、コードレスフォン（ｃｏｒｄｌｅｓｓ  ｐｈｏｎｅ）、又はワイヤレスローカルループ（ｗｉｒｅｌｅｓｓ  ｌｏｃａｌ  ｌｏｏｐ、ＷＬＬ）局、マシンタイプ通信（ｍａｃｈｉｎｅ  ｔｙｐｅ  ｃｏｍｍｕｎｉｃａｔｉｏｎ、ＭＴＣ）端末、ユーザ機器（ｕｓｅｒ  ｅｑｕｉｐｍｅｎｔ、ＵＥ）、移動局（ｍｏｂｉｌｅ  ｓｔａｔｉｏｎ、ＭＳ）、端末デバイス（ｔｅｒｍｉｎａｌ  ｄｅｖｉｃｅ）、中継ユーザ機器などをさらに含んでよい。中継ユーザ機器は、例えば、５Ｇ宅内ゲートウェイ（ｒｅｓｉｄｅｎｔｉａｌ  ｇａｔｅｗａｙ、ＲＧ）であってよい。説明しやすいように、本出願では、上述のデバイスは端末と総称される。
【０１０７】
任意選択で、本出願の実施形態におけるアクセスデバイス（アクセスデバイス１又はアクセスデバイス２を含む）とは、コアネットワークにアクセスするデバイスであり、例えば、基地局、広帯域ネットワークゲートウェイ（ｂｒｏａｄｂａｎｄ  ｎｅｔｗｏｒｋ  ｇａｔｅｗａｙ、ＢＮＧ）、集約スイッチ、又は非第３世代パートナーシッププロジェクト（３ｒｄ  ｇｅｎｅｒａｔｉｏｎ  ｐａｒｔｎｅｒｓｈｉｐ  ｐｒｏｊｅｃｔ、３ＧＰＰ）アクセスデバイスであってよい。基地局は、様々な形態をなす基地局、例えば、マクロ基地局、マイクロ基地局（スモールセルとも呼ばれる）、中継局、及びアクセスポイントを含んでよい。
【０１０８】
任意選択で、本出願の実施形態における図１のサービス管理ネットワーク要素、セッション管理ネットワーク要素１、又はセッション管理ネットワーク要素２は、１つのデバイスによって実装されてよいか、又は複数のデバイスによって共同で実装されてよいか、又はデバイスの中の機能モジュールであってよい。このことは、本出願の本実施形態において特に制限されない。上記の機能が、ハードウェアデバイスの中のネットワーク要素であってよいか、又は専用ハードウェア上で実行するソフトウェア機能であってよいか、又はプラットフォーム（例えば、クラウドプラットフォーム）上でインスタンス化された仮想化機能であってよいことが、理解され得る。
【０１０９】
例えば、本出願の実施形態における図１のサービス管理ネットワーク要素、セッション管理ネットワーク要素１、又はセッション管理ネットワーク要素２は、図４の通信デバイスによって実装され得る。図４は、本出願の実施形態による通信デバイス４００のハードウェア構造の概略図である。通信デバイス４００は、プロセッサ４０１、通信線４０２、メモリ４０３、及び少なくとも１つの通信インターフェースを含む（図４は、通信デバイス４００が通信インターフェース４０４を含む例を使用することによってのみ説明される）。
【０１１０】
プロセッサ４０１は、汎用中央処理ユニット（ｃｅｎｔｒａｌ  ｐｒｏｃｅｓｓｉｎｇ  ｕｎｉｔ、ＣＰＵ）、マイクロプロセッサ、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、又は本出願の解決策のプログラム実行を制御するように構成された１つ若しくは複数の集積回路であってよい。
【０１１１】
通信線４０２は、上記の構成要素の間で情報を伝送するための経路を含んでよい。
【０１１２】
通信インターフェース４０４は、トランシーバなどの任意の装置を通して、イーサネット、無線アクセスネットワーク（ｒａｄｉｏ  ａｃｃｅｓｓ  ｎｅｔｗｏｒｋ、ＲＡＮ）、又はワイヤレスローカルエリアネットワーク（ｗｉｒｅｌｅｓｓ  ｌｏｃａｌ  ａｒｅａ  ｎｅｔｗｏｒｋｓ、ＷＬＡＮ）などの、別のデバイス又は通信ネットワークと通信するように構成される。
【０１１３】
メモリ４０３は、読取り専用メモリ（ｒｅａｄ−ｏｎｌｙ  ｍｅｍｏｒｙ、ＲＯＭ）、若しくは静的な情報及び命令を記憶できる別のタイプのスタティック記憶デバイス、又はランダムアクセスメモリ（ｒａｎｄｏｍ  ａｃｃｅｓｓ  ｍｅｍｏｒｙ、ＲＡＭ）、若しくは情報及び命令を記憶できる別のタイプのダイナミック記憶デバイスであってよい。代替として、メモリ４０３は、電気的消去可能プログラマブル読取り専用メモリ（ｅｌｅｃｔｒｉｃａｌｌｙ  ｅｒａｓａｂｌｅ  ｐｒｏｇｒａｍｍａｂｌｅ  ｒｅａｄ−ｏｎｌｙ  ｍｅｍｏｒｙ、ＥＥＰＲＯＭ）、コンパクトディスク読取り専用メモリ（ｃｏｍｐａｃｔ  ｄｉｓｃ  ｒｅａｄ−ｏｎｌｙ  ｍｅｍｏｒｙ、ＣＤ−ＲＯＭ）若しくは別のコンパクトディスクストレージ、光ディスクストレージ（コンパクト光ディスク、レーザーディスク、光ディスク、デジタル多用途ディスク、Ｂｌｕ−ｒａｙディスクなどを含む）、磁気ディスク記憶媒体若しくは別の磁気記憶デバイス、又は命令若しくはデータ構造の形態の予想されるプログラムコードを搬送若しくは記憶するために使用されることができ、かつコンピュータによってアクセスされることができる、任意の他の媒体であってよい。しかし、メモリ４０３はそれらに制限されない。メモリは独立して存在してよく、通信線４０２を通してプロセッサに接続される。代替として、メモリはプロセッサと統合されてよい。
【０１１４】
メモリ４０３は、本出願の解決策を実行するためのコンピュータ実行可能命令を記憶するように構成され、プロセッサ４０１がその実行を制御する。プロセッサ４０１は、メモリ４０３に記憶されたコンピュータ実行可能命令を実行して、本出願の以下の実施形態において提供されるローカルエリアネットワーク通信方法を実装するように構成される。
【０１１５】
任意選択で、本出願の本実施形態におけるコンピュータ実行可能命令は、アプリケーションプログラムコードと呼ばれることもある。このことは、本出願の本実施形態において特に制限されない。
【０１１６】
特定の実装中、実施形態では、プロセッサ４０１は、１つ又は複数のＣＰＵ、例えば、図４のＣＰＵ０及びＣＰＵ１を含んでよい。
【０１１７】
特定の実装中、実施形態では、通信デバイス４００は、複数のプロセッサ、例えば、図４のプロセッサ４０１及びプロセッサ４０８を含んでよい。プロセッサの各々は、シングルコアプロセッサ（シングルＣＰＵ）又はマルチコアプロセッサ（マルチＣＰＵ）であってよい。本明細書におけるプロセッサとは、データ（例えば、コンピュータプログラム命令）を処理するように構成された１つ又は複数のデバイス、回路、及び／又は処理コアを指してよい。
【０１１８】
特定の実装中、実施形態では、通信デバイス４００は、出力デバイス４０５及び入力デバイス４０６をさらに含んでよい。出力デバイス４０５はプロセッサ４０１と通信し、複数の方式で情報を表示し得る。例えば、出力デバイス４０５は、液晶ディスプレイ（ｌｉｑｕｉｄ  ｃｒｙｓｔａｌ  ｄｉｓｐｌａｙ、ＬＣＤ）、発光ダイオード（ｌｉｇｈｔ  ｅｍｉｔｔｉｎｇ  ｄｉｏｄｅ、ＬＥＤ）ディスプレイデバイス、陰極線管（ｃａｔｈｏｄｅ  ｒａｙ  ｔｕｂｅ、ＣＲＴ）ディスプレイデバイス、プロジェクタ（ｐｒｏｊｅｃｔｏｒ）などであってよい。入力デバイス４０６はプロセッサ４０１と通信し、複数の方式でユーザの入力を受信し得る。例えば、入力デバイス４０６は、マウス、キーボード、タッチスクリーンデバイス、又は感知デバイスであってよい。
【０１１９】
通信デバイス４００は、汎用デバイス又は専用デバイスであってよい。特定の実装中、通信デバイス４００は、デスクトップコンピュータ、ポータブルコンピュータ、ネットワークサーバ、携帯情報端末（ｐｅｒｓｏｎａｌ  ｄｉｇｉｔａｌ  ａｓｓｉｓｔａｎｔ、ＰＤＡ）、モバイルフォン、タブレットコンピュータ、ワイヤレス端末デバイス、組込みデバイス、又は図４のそれと同様の構造を有するデバイスであってよい。通信デバイス４００のタイプは、本出願の本実施形態において制限されない。
【０１２０】
以下のことは、図１から図４を参照して、本出願の実施形態において提供されるローカルエリアネットワーク通信方法を詳細に説明する。
【０１２１】
本出願の以下の実施形態において、ネットワーク要素の間のメッセージの名称、メッセージの中のパラメータの名称などが例にすぎず、特定の実装において他の名称があり得ることに留意されたい。このことは、本出願の実施形態において特に制限されない。
【０１２２】
最初に、図１に示される通信システムが図２に示される５Ｇネットワークに適用され、セッション管理ネットワーク要素１がＳＭＦネットワーク要素１であり、セッション管理ネットワーク要素２がＳＭＦネットワーク要素２であり、ユーザプレーンネットワーク要素１がＵＰＦネットワーク要素１であり、かつユーザプレーンネットワーク要素２がＵＰＦネットワーク要素２である一例が、説明のために使用される。セッションを作成若しくは更新する処理又は別の処理において、ＬＳＭＦネットワーク要素が５ＧＬＡＮ用のトポロジー管理及びユーザプレーン経路管理を提供し得ることが想定される。加えて、ＬＳＭＦネットワーク要素は経路情報を割り当てるとともに管理する（そのことは上記のケース１に対応する）。図５は、本出願の実施形態によるローカルエリアネットワーク通信方法を示す。ローカルエリアネットワーク通信方法は以下のステップを含む。
【０１２３】
Ｓ５０２：ＡＭＦネットワーク要素が、セッション管理（ｓｅｓｓｉｏｎ  ｍａｎａｇｅｍｅｎｔ、ＳＭ）コンテキスト更新（ｕｐｄａｔｅ）要求又はＳＭコンテキスト作成（ｃｒｅａｔｅ）要求をＳＭＦネットワーク要素１へ送信し、ＳＭＦネットワーク要素１が、ＡＭＦネットワーク要素からＳＭコンテキスト更新要求又はＳＭコンテキスト作成要求を受信する。
【０１２４】
ＳＭコンテキスト更新要求又はＳＭコンテキスト作成要求は、セッション識別子（セッションＩＤ）、及び端末１の識別子を含む。
【０１２５】
任意選択で、本出願の本実施形態では、ＡＭＦネットワーク要素は、端末１からセッション確立要求メッセージを受信した後にステップＳ５０２を実施し得る。代替として、ＡＭＦネットワーク要素は、端末１からセッション更新要求メッセージを受信した後にステップＳ５０２を実施する。代替として、ＡＭＦネットワーク要素は、端末１から登録要求メッセージ又はサービス要求メッセージを受信した後にステップＳ５０２を実施する。代替として、ＡＭＦネットワーク要素は、第１のアクセスデバイスからハンドオーバ要求メッセージを受信した後にステップＳ５０２を実施する。いつ又はどのようにステップＳ５０２を実施すべきかは、本出願の本実施形態において特に制限されない。
【０１２６】
任意選択で、ＡＭＦネットワーク要素は、第１のアクセスデバイスからハンドオーバ要求メッセージを受信した後にステップＳ５０２を実施する。対応するシナリオが、端末１に現在サービスするＳＭＦネットワーク要素３から、端末１をサービスすることになるＳＭＦネットワーク要素１に、端末１がハンドオーバされることであることが想定される。この場合、対応するＳＭコンテキスト更新要求又はＳＭコンテキスト作成要求は、ＳＭＦネットワーク要素３の識別子、及びセッション識別子をさらに含んでよい。このことは、本出願の本実施形態において特に制限されない。
【０１２７】
任意選択で、端末１からセッション確立要求メッセージを受信した後にＡＭＦネットワーク要素がステップＳ５０２を実施する場合、ＡＭＦネットワーク要素によってＳＭＦネットワーク要素１へ送信されるＳＭコンテキスト作成要求は、ＳＭメッセージを含んでよい。ＳＭメッセージは、例えば、セッション確立要求メッセージであってよい。このことは、本出願の本実施形態において特に制限されない。
【０１２８】
代替として、端末１からセッション更新要求メッセージを受信した後にＡＭＦネットワーク要素がステップＳ５０２を実施する場合、ＡＭＦネットワーク要素によってＳＭＦネットワーク要素１へ送信されるＳＭコンテキスト更新要求は、ＳＭメッセージを含んでよい。ＳＭメッセージは、例えば、セッション更新要求メッセージであってよい。このことは、本出願の本実施形態において特に制限されない。
【０１２９】
任意選択で、ＳＭコンテキスト更新要求又はＳＭコンテキスト作成要求は、セッションのＬＡＮ  ＩＤをさらに含んでよい。代替として、ＳＭメッセージが、セッションのＬＡＮ  ＩＤをさらに含んでよい。このことは、本出願の本実施形態において特に制限されない。
【０１３０】
本出願の本実施形態では、ＬＡＮ  ＩＤは、５ＧＬＡＮグループの識別子として理解されてよい。言い換えると、ＬＡＮ  ＩＤは、５ＧＬＡＮグループ、５Ｇ  ＬＡＮ−ＶＮ、又は特定の５ＧＬＡＮサービスを表すために使用され得る。同じＬＡＮ  ＩＤを使用する端末は、同じ５ＧＬＡＮグループに属し、ＬＡＮ  ＩＤに対応する５ＧＬＡＮサービスを使用してよいか、又はＬＡＮ  ＩＤに対応する５ＧＬＡＮ−ＶＮを使用してよい。言い換えると、ローカルエリアネットワークプライベート通信は、同じＬＡＮ  ＩＤを使用する端末の間で実施され得る。本明細書では概略的な説明が提供され、詳細は以下で再び説明されない。
【０１３１】
任意選択で、フォーマットに関して、ＬＡＮ  ＩＤは、特別なドメイン名（例えば、データネットワーク名（ｄａｔａ  ｎｅｔｗｏｒｋ  ｎａｍｅ、ＤＮＮ））、完全修飾されたドメイン名（ｆｕｌｌｙ  ｑｕａｌｉｆｉｅｄ  ｄｏｍａｉｎ  ｎａｍｅ、ＦＱＤＮ）、ＶＩＤ、文字列、内部グループ識別子（ｉｎｔｅｒｎａｌ  ｇｒｏｕｐ  ｉｄｅｎｔｉｆｉｅｒ）、外部グループ識別子（ｅｘｔｅｒｎａｌ  ｇｒｏｕｐ  ｉｄｅｎｔｉｆｉｅｒ）、シーケンス番号などであってよい。加えて、ＬＡＮ  ＩＤは、いくつかの特別なフォーマットをさらに使用し得る。例えば、ＬＡＮ  ＩＤは、プロバイダ情報、事業者情報、ネットワーク情報、ドメイン情報などをさらに含んでよい。このことは、本出願の本実施形態において特に制限されない。
【０１３２】
Ｓ５０３：ＳＭＦネットワーク要素１は、セッションのＬＡＮ  ＩＤを取得し、端末１にサービスすべきＵＰＦネットワーク要素１を選択する。
【０１３３】
例えば、本出願の本実施形態では、ＳＭＦネットワーク要素１は、以下の方式でセッションのＬＡＮ  ＩＤを取得し得る。即ち、例えば、ＳＭＦネットワーク要素１は、ＳＭコンテキスト更新要求又はＳＭコンテキスト作成要求からセッションのＬＡＮ  ＩＤを取得し得る。代替として、ＳＭＦネットワーク要素１は、ＳＭコンテキスト更新要求又はＳＭコンテキスト作成要求の中のＳＭメッセージからセッションのＬＡＮ  ＩＤを取得してよい。代替として、ＳＭＦネットワーク要素１は、ＳＭコンテキスト更新要求又はＳＭコンテキスト作成要求の中のセッション識別子に基づいて、ローカルのＵＥコンテキストからセッションのＬＡＮ  ＩＤを取得してよい。代替として、ステップＳ５０２において説明されたハンドオーバシナリオでは、ＳＭＦネットワーク要素１は、ＳＭＦネットワーク要素３の識別子、及びＳＭコンテキスト更新要求又はＳＭコンテキスト作成要求の中にあるセッション識別子に基づいて、ＳＭＦネットワーク要素３からセッションのＬＡＮ  ＩＤを取得してよい。このことは、本出願の本実施形態において特に制限されない。
【０１３４】
ＳＭＦネットワーク要素１がＵＰＦネットワーク要素１を選択する方式については、従来の技術を参照されたい。詳細は、本明細書で説明されない。
【０１３５】
Ｓ５０４：ＳＭＦネットワーク要素１は、メッセージ１をＬＳＭＦネットワーク要素へ送信し、ＬＳＭＦネットワーク要素は、ＳＭＦネットワーク要素１からメッセージ１を受信する。
【０１３６】
メッセージ１は、セッションのＬＡＮ  ＩＤ、端末１の識別子、ＳＭＦネットワーク要素１の識別子、及びＵＰＦネットワーク要素１の識別子を含み、５ＧＬＡＮに接続される端末についての情報を更新するために使用される。
【０１３７】
任意選択で、本出願の本実施形態では、端末１の識別子は、例えば、加入永久識別子（ｓｕｂｓｃｒｉｐｔｉｏｎ  ｐｅｒｍａｎｅｎｔ  ｉｄｅｎｔｉｆｉｅｒ、ＳＵＰＩ）、国際モバイル加入者識別（ｉｎｔｅｒｎａｔｉｏｎａｌ  ｍｏｂｉｌｅ  ｓｕｂｓｃｒｉｂｅｒ  ｉｄｅｎｔｉｆｉｃａｔｉｏｎ  ｎｕｍｂｅｒ、ＩＭＳＩ）、モバイル加入者統合サービスデジタルネットワーク（ｍｏｂｉｌｅ  ｓｔａｔｉｏｎ  ｉｎｔｅｇｒａｔｅｄ  ｓｅｒｖｉｃｅｓ  ｄｉｇｉｔａｌ  ｎｅｔｗｏｒｋ  ｎｕｍｂｅｒ、ＭＳＩＳＤＮ）番号、グローバル一意一時識別（ｇｌｏｂａｌ  ｕｎｉｑｕｅ  ｔｅｍｐｏｒａｒｙ  ｉｄｅｎｔｉｆｉｅｒ、ＧＵＴＩ）、データネットワークに関係する識別（例えば、ネットワークアクセス識別子（ｎｅｔｗｏｒｋ  ａｃｃｅｓｓ  ｉｄｅｎｔｉｆｉｅｒ、ＮＡＩ）、又はローカルエリアネットワークに特有のユーザ識別子であってよい。このことは、本出願の本実施形態において特に制限されない。
【０１３８】
本出願の本実施形態では、ＳＭＦネットワーク要素１からメッセージ１を受信した後、ＬＳＭＦネットワーク要素は、端末１の識別子に対応する端末１のアドレスを決定し得る。例えば、ＬＳＭＦネットワーク要素は、ＬＡＤ  ＩＤに対応するアドレスプールを使用することによって端末１のアドレスを割り当てる。代替として、ＬＳＭＦネットワーク要素は、動的ホスト構成プロトコル（ｄｙｎａｍｉｃ  ｈｏｓｔ  ｃｏｎｆｉｇｕｒａｔｉｏｎ  ｐｒｏｔｏｃｏｌ、ＤＨＣＰ）サーバ又はデータネットワーク認証、許可、及び課金（ｄａｔａ  ｎｅｔｗｏｒｋ−ａｕｔｈｅｎｔｉｃａｔｉｏｎ，  ａｕｔｈｏｒｉｚａｔｉｏｎ，  ａｃｃｏｕｎｔｉｎｇ、ＤＮ−ＡＡＡ）サーバから端末１のアドレスを取得する。このことは、本出願の本実施形態において特に制限されない。
【０１３９】
任意選択で、本出願の本実施形態では、端末１のアドレスは、例えば、インターネットプロトコルバージョン４（ｉｎｔｅｒｎｅｔ  ｐｒｏｔｏｃｏｌ  ｖｅｒｓｉｏｎ  ４、ＩＰｖ４）アドレス、インターネットプロトコルバージョン６（ｉｎｔｅｒｎｅｔ  ｐｒｏｔｏｃｏｌ  ｖｅｒｓｉｏｎ  ６、Ｉｐｖ６）アドレス、メディアアクセス制御（ｍｅｄｉａ  ａｃｃｅｓｓ  ｃｏｎｔｒｏｌ、ＭＡＣ）アドレス、又はＭＡＣアドレス＋仮想ローカルエリアネットワーク識別子（ｖｉｒｔｕａｌ  ｌｏｃａｌ  ａｒｅａ  ｎｅｔｗｏｒｋ  ｉｄｅｎｔｉｆｙ、ＶＩＤ）であってよい。このことは、本出願の本実施形態において特に制限されない。
【０１４０】
任意選択で、本出願の本実施形態では、セッションのＬＡＮ  ＩＤがＬＡＮ  ＩＤ１であることを想定すると、ＬＳＭＦネットワーク要素が、５ＧＬＡＮに接続される端末についての情報を更新することは、例えば、ＬＳＭＦネットワーク要素が、ＬＡＮ  ＩＤ１と、ＳＭＦネットワーク要素１の識別子と、ＵＰＦネットワーク要素１の識別子と、端末１の識別子又は端末１のアドレスのうちの少なくとも一方との間の対応を記憶することであってよい。例えば、５ＧＬＡＮに接続される端末についての更新済みの情報が、表１又は表２に示されてよく、ＬＡＮ  ＩＤ、ＳＭＦネットワーク要素の識別子と、ＵＰＦネットワーク要素の識別子と、端末の識別子又は端末のアドレスのうちの少なくとも一方との間の対応を含む。
【０１４１】
【表１】
2022501927.tif 000003
【０１４２】
【表２】
2022501927.tif 000004
【０１４３】
ＬＡＮ  ＩＤ１に対応する５ＧＬＡＮに端末１がアクセスする前に、ＬＡＮ  ＩＤ１に対応する５ＧＬＡＮサービスをＵＰＦネットワーク要素２が提供する先の端末２及び端末３が、ＬＡＮ  ＩＤ１に対応する５ＧＬＡＮにアクセスしている一例を使用することによって、表１が説明される。ＵＰＦネットワーク要素２はＳＭＦネットワーク要素２によって管理される。ＬＡＮ  ＩＤ１に対応する５ＧＬＡＮに端末１がアクセスする前に、ＬＡＮ  ＩＤ１に対応する５ＧＬＡＮサービスをＵＰＦネットワーク要素２が提供する先の端末２及び端末３が、ＬＡＮ  ＩＤ１に対応する５ＧＬＡＮにアクセスしており、かつＬＡＮ  ＩＤ１に対応する５ＧＬＡＮサービスをＵＰＦネットワーク要素１が提供する先の端末４が、ＬＡＮ  ＩＤ１に対応する５ＧＬＡＮにアクセスしている一例を使用することによって、表２が説明される。ＵＰＦネットワーク要素２はＳＭＦネットワーク要素２によって管理され、ＵＰＦネットワーク要素１はＳＭＦネットワーク要素１によって管理される。本明細書では概略的な説明が提供され、詳細は以下で再び説明されない。
【０１４４】
表１又は表２は、５ＧＬＡＮに接続される端末についての情報をＬＳＭＦネットワーク要素上に記憶する、２つの例示的な方式を示すにすぎない。５ＧＬＡＮに接続される端末についての情報をＬＳＭＦネットワーク要素上に記憶する方式は、本出願の本実施形態によって特に制限されない。
【０１４５】
さらに、上記のメッセージ１を受信した後、ＬＳＭＦネットワーク要素は、メッセージ１の中の（ＬＡＮ  ＩＤ１と想定される）ＬＡＮ  ＩＤに基づいて、かつローカルエリアネットワークの識別子と、ＳＭＦネットワーク要素の識別子と、ＵＰＦネットワーク要素の識別子と、端末の識別子又は端末のアドレスのうちの少なくとも一方との間の、１つ又は複数の端末が５ＧＬＡＮにアクセスするときにＬＳＭＦネットワーク要素によって記憶される（表１又は表２に示されるような）対応を参照して、ＬＡＮ  ＩＤ１に対応する５ＧＬＡＮサービスを別のＵＰＦネットワーク要素が別の端末に現在提供するかどうかを決定し得る。例えば、表１において、ＬＳＭＦネットワーク要素は、ＬＡＮ  ＩＤ１に対応する５ＧＬＡＮサービスをＵＰＦネットワーク要素２が端末２及び端末３に現在提供することを決定し得る。さらに、ＵＰＦネットワーク要素２に対して、本出願の本実施形態において提供されるローカルエリアネットワーク通信方法は、以下のステップＳ５０５からＳ５１２をさらに含む。
【０１４６】
Ｓ５０５：ＬＳＭＦネットワーク要素は、ＬＡＮ  ＩＤ１、ＵＰＦネットワーク要素１の識別子、及びＵＰＦネットワーク要素２の識別子に基づいて、端末１のアドレスに関連付けられた経路情報２を取得する。経路情報２は、ＵＰＦネットワーク要素２によって、その宛先アドレスが端末１のアドレスであるデータをＵＰＦネットワーク要素１へルーティングするために使用される。
【０１４７】
例えば、ＬＳＭＦネットワーク要素が、ＬＡＮ  ＩＤ１に基づいて、５ＧＬＡＮに接続される端末についての、かつＬＳＭＦネットワーク要素上にある、（表１に示されるような）情報を問い合わせ、ＬＡＮ  ＩＤ１に対応する５ＧＬＡＮサービスをＵＰＦネットワーク要素１が端末１又は任意の他の端末に提供するのが初めてであることを決定することが想定される。この場合、ＬＳＭＦネットワーク要素は、ＬＡＮ  ＩＤ１、ＵＰＦネットワーク要素２の識別子、及びＵＰＦネットワーク要素１の識別子に基づいて、端末１のアドレスに関連付けられた経路情報２を割り当ててよい。
【０１４８】
任意選択で、本出願の本実施形態では、経路情報２を割り当てた後、ＬＳＭＦネットワーク要素は、表３に示すように、ＬＡＮ  ＩＤ１、ＵＰＦネットワーク要素２の識別子、ＵＰＦネットワーク要素１の識別子、及び対応する経路情報２を、ＬＳＭＦネットワーク要素上に記憶し得る。
【０１４９】
【表３】
2022501927.tif 000005
【０１５０】
代替として、例えば、ＬＳＭＦネットワーク要素が、ＬＡＮ  ＩＤ１に基づいて、５ＧＬＡＮに接続される端末についての、かつＬＳＭＦネットワーク要素上にある、（表２に示されるような）情報を問い合わせ、ＬＡＮ  ＩＤ１に対応する５ＧＬＡＮサービスをＵＰＦネットワーク要素１が端末１又は任意の他の端末に提供するのが初めてではないことを決定することが想定される。この場合、ＬＳＭＦネットワーク要素は、ＬＡＮ  ＩＤ１、ＵＰＦネットワーク要素２の識別子、及びＵＰＦネットワーク要素１の識別子に基づいて、かつ表４に示される対応を参照して、端末１のアドレスに関連付けられた経路情報２を決定し得る。このことは、本出願の本実施形態において特に制限されない。
【０１５１】
【表４】
2022501927.tif 000006
【０１５２】
ＬＡＮ  ＩＤ１に対応する５ＧＬＡＮサービスをＵＰＦネットワーク要素１が端末１又は任意の他の端末に提供するのが初めてであるときに、ＬＡＮ  ＩＤ１と、ＵＰＦネットワーク要素２の識別子と、ＵＰＦネットワーク要素１の識別子と、対応する経路情報２との間の、表４における対応が、表３における確立方式で確立されることに留意されたい。ＬＡＮ  ＩＤ１に対応する５ＧＬＡＮサービスをＵＰＦネットワーク要素１が端末１又は任意の他の端末に提供するのが初めてであるとき、ＬＡＮ  ＩＤ１と、ＵＰＦネットワーク要素１の識別子と、ＵＰＦネットワーク要素２の識別子と、対応する経路情報１との間の、表４における対応は、以下のステップＳ５０９において確立される。本明細書では概略的な説明が提供され、詳細は以下で再び説明されない。
【０１５３】
任意選択で、本出願の本実施形態における経路（ステップＳ５０５における経路情報２に対応する経路又は経路情報１に対応する経路を含む）は、仮想ローカルエリアネットワーク（仮想ＬＡＮ、ＶＬＡＮ）、仮想拡張可能ローカルエリアネットワーク（仮想拡張可能ＬＡＮ、ＶｘＬＡＮ）、汎用パケット無線サービス（ｇｅｎｅｒａｌ  ｐａｃｋｅｔ  ｒａｄｉｏ  ｓｅｒｖｉｃｅ、ＧＰＲＳ）トンネリングプロトコル−ユーザプレーン（ＧＰＲＳ  ｔｕｎｎｅｌｉｎｇ  ｐｒｏｔｏｃｏｌ−ｕｓｅｒ  ｐｌａｎｅ、ＧＴＰ−Ｕ）、汎用ルーティングカプセル化（ｇｅｎｅｒｉｃ  ｒｏｕｔｉｎｇ  ｅｎｃａｐｓｕｌａｔｉｏｎ、ＧＲＥ）プロトコル、又はＩＰトンネル方式の方式で構築され得る。上記の構築方式は動的であってよいか、又はネットワークの中で事前構成されてよい。このことは、本出願の本実施形態において特に制限されない。対応する経路情報は異なる構築方式の間で様々である。例えば、経路がＶＬＡＮの方式で構築されるとき、経路情報は、ＵＰＦ  ＩＤ、ＵＰＦ  ＩＤ＋仮想ローカルエリアネットワーク識別子（ＶＬＡＮ  ＩＤ、ＶＩＤ）、又はＭＡＣ＋ＶＩＤであってよい。代替として、例えば、経路がＶｘＬＡＮの方式で構築されるとき、経路情報は、ＵＰＦ  ＩＤ、ＵＰＦ  ＩＤ＋ＶＩＤ、ＩＰアドレス＋ＶＩＤ、又はＩＰアドレス＋ポート番号（ｐｏｒｔ）＋ＶＩＤであってよい。代替として、例えば、経路がＧＴＰ−Ｕの方式で構築されるとき、経路情報は、ＵＰＦ  ＩＤ、ＵＰＦ  ＩＤ＋トンネルエンドポイント識別子（ｔｕｎｎｅｌ  ｅｎｄｐｏｉｎｔ  ｉｄｅｎｔｉｆｉｅｒ、ＴＥＩＤ）、ＩＰアドレス＋ＴＥＩＤ、又はＩＰアドレス＋ポート＋ＴＥＩＤであってよい。代替として、例えば、経路がＧＲＥの方式で構築されるとき、経路情報は、ＵＰＦ  ＩＤ、ＵＰＦ  ＩＤ＋鍵（ｋｅｙ）、ＩＰアドレス＋鍵、又はＩＰアドレス＋ポート＋鍵であってよい。代替として、経路がＩＰトンネルの方式で構築されるとき、経路情報は、ＵＰＦ  ＩＤ、ＩＰアドレス、又はＩＰアドレス＋ポートであってよい。経路情報がＵＰＦ  ＩＤを含む場合、ＵＰＦ  ＩＤは、ＭＡＣアドレス若しくはＩＰアドレス、又はＩＰアドレス＋ポートであってよい。代替として、ＳＭＦネットワーク要素又はＵＰＦネットワーク要素は、ＵＰＦ  ＩＤに基づいて、対応するＭＡＣアドレス若しくはＩＰアドレス、又はＩＰアドレス＋ポートを決定し得る。本明細書では概略的な説明が提供され、詳細は以下で再び説明されない。
【０１５４】
本出願の本実施形態では、ソースＵＰＦネットワーク要素からターゲットＵＰＦネットワーク要素への経路に対応する経路情報、及びターゲットＵＰＦネットワーク要素からソースＵＰＦネットワーク要素への経路に対応する経路情報が、相互に対応する経路情報であることに留意されたい。例えば、表４における経路情報２及び経路情報１は、相互に対応する経路情報である。いくつかの技術では、例えば、ＶＬＡＮ及びＶｘＬＡＮでは、相互に対応する経路情報はＶＩＤを共有する。代替として、ＧＲＥでは、相互に対応する経路情報はＧＲＥ鍵を共有する。このことは、本出願の本実施形態において特に制限されない。
【０１５５】
Ｓ５０６：ＬＳＭＦネットワーク要素は、ＵＰＦネットワーク要素２に対応するＳＭＦネットワーク要素２へ５ＧＬＡＮルート更新要求１を送信し、ＳＭＦネットワーク要素２は、ＬＳＭＦネットワーク要素から５ＧＬＡＮルート更新要求１を受信する。
【０１５６】
５ＧＬＡＮルート更新要求１は、ＬＡＮの指示情報、端末１のアドレス、ＵＰＦネットワーク要素２の識別子、及び対応する経路情報２を含む。
【０１５７】
任意選択で、本出願の本実施形態では、ＬＡＮの指示情報は、例えば、ＬＡＮ  ＩＤ又はＬＡＮラベルであってよい。このことは、本出願の本実施形態において特に制限されない。ＬＡＮの指示情報がＬＡＮラベルである場合、ＬＡＮラベルはＬＡＮ  ＩＤに基づいて決定され得る。詳細については、既存の実装を参照されたい。詳細は、本明細書で再び説明されない。
【０１５８】
例えば、本出願の本実施形態では、ＬＡＮラベルは、例えば、ネットワークインスタンス（ｎｅｔｗｏｒｋ  ｉｎｓｔａｎｃｅ）識別子、ＶＩＤ、又はＬＡＮ  ＩＤであってよい。このことは、本出願の本実施形態において特に制限されない。ＬＡＮラベルは、ＬＡＮのインスタンス若しくはＬＡＮの仮想ネットワークを表すために使用されてよいか、又はＬＡＮのデータを識別し、カプセル化し、若しくは表すために使用されてよい。ＬＡＮラベルは、トンネル情報、端末データ、又は構成データの中に存在してもよく、異なるＬＡＮの通信を区別するために主に使用される。
【０１５９】
任意選択で、本出願の本実施形態では、５ＧＬＡＮグループを表すためにＬＡＮ  ＩＤが使用される場合、ＬＡＮラベルは、５ＧＬＡＮグループに対応する５ＧＬＡＮサービス（インスタンス又は仮想ネットワーク）のＬＡＮラベルであってよい。本明細書では概略的な説明が提供され、詳細は以下で再び説明されない。
【０１６０】
任意選択で、本出願の本実施形態では、ＬＡＮ  ＩＤに基づいてＬＡＮラベルを決定した後、ＬＳＭＦネットワーク要素は、ＬＡＮ  ＩＤとＬＡＮラベルとの間の対応を上記の表１から表４若しくは以下の表に追加してよいか、又はＬＡＮ  ＩＤをＬＡＮラベルに置き換えてよい。このことは、本出願の本実施形態において特に制限されない。
【０１６１】
Ｓ５０７：ＳＭＦネットワーク要素２は、ＵＰＦネットワーク要素２の識別子に対応するＵＰＦネットワーク要素２へルーティングメッセージ１を送信し、ＵＰＦネットワーク要素２は、ＳＭＦネットワーク要素２からルーティングメッセージ１を受信する。
【０１６２】
ルーティングメッセージ１はルーティングルール２を含み、ＵＰＦネットワーク要素２上にルーティングルール２を構成するために使用される。ルーティングルール２は、ＬＡＮの指示情報、端末１のアドレス、及び経路情報２を含む。
【０１６３】
このようにして、その宛先アドレスが端末１のアドレスであるデータをＵＰＦネットワーク要素２が受信した後、ＵＰＦネットワーク要素２は、ＬＡＮ  ＩＤに対応する５ＧＬＡＮ上にあり端末１へ送信されることになるデータを、ルーティングルール２に従ってＵＰＦネットワーク要素１へ送信し得る。次いで、ＵＰＦネットワーク要素１は、対応するアクセスデバイスを通して端末１へデータを送信する。このことは、本出願の本実施形態において特に制限されない。
【０１６４】
任意選択で、本出願の本実施形態では、ＵＰＦネットワーク要素２がＵＰＦネットワーク要素２上にルーティングルール２を構成した後、ＵＰＦネットワーク要素２上にルーティング情報を記憶する方式が表５又は表６に示されてよく、即ち、ルーティング情報は、ＬＡＮの指示情報、経路情報、及び対応する端末のアドレスを含む。任意選択で、経路情報は、ターゲットＵＰＦネットワーク要素の識別子を含んでよい。このことは、本出願の本実施形態において特に制限されない。
【０１６５】
【表５】
2022501927.tif 000007
【０１６６】
【表６】
2022501927.tif 000008
【０１６７】
例えば、ＬＡＮ  ＩＤ１に対応する５ＧＬＡＮサービスをＵＰＦネットワーク要素１が端末１又は任意の他の端末に提供するのが初めてである一例を使用することによって、表５が説明される。ＬＡＮ  ＩＤ１に対応する５ＧＬＡＮに端末１がアクセスする前に、ＬＡＮ  ＩＤ１に対応する５ＧＬＡＮサービスをＵＰＦネットワーク要素１が提供した先の端末４が、（表２に示されるような）ＬＡＮ  ＩＤ１に対応する５ＧＬＡＮにアクセスしている一例を使用することによって、表６が説明される。本明細書では概略的な説明が提供され、詳細は以下で再び説明されない。
【０１６８】
Ｓ５０８：ＳＭＦネットワーク要素２は、５ＧＬＡＮルート更新応答１をＬＳＭＦネットワーク要素へ送信し、ＬＳＭＦネットワーク要素は、ＳＭＦネットワーク要素２から５ＧＬＡＮルート更新応答１を受信する。
【０１６９】
任意選択で、本出願の本実施形態では、ＬＳＭＦネットワーク要素が、ＬＡＮ  ＩＤ１に基づいて、５ＧＬＡＮに接続される端末についての、かつＬＳＭＦネットワーク要素上にある、（表１に示されるような）情報を問い合わせ、ＬＡＮ  ＩＤ１に対応する５ＧＬＡＮサービスをＵＰＦネットワーク要素１が端末１又は任意の他の端末に提供するのが初めてであることを決定することが想定される。加えて、表１又は表２に示されるように、ＬＡＮ  ＩＤ１に対応する５ＧＬＡＮに端末１がアクセスする前に、ＬＡＮ  ＩＤ１に対応する５ＧＬＡＮサービスをＵＰＦネットワーク要素２が提供する先の端末２及び端末３が、ＬＡＮ  ＩＤ１に対応する５ＧＬＡＮにアクセスしていることが想定される。上記のケースでは、本出願の本実施形態において提供されるローカルエリアネットワーク通信方法は、以下のステップＳ５０９からＳ５１２をさらに含んでよい。
【０１７０】
Ｓ５０９：ＬＳＭＦネットワーク要素は、ＬＡＮ  ＩＤ１、ＵＰＦネットワーク要素１の識別子、及びＵＰＦネットワーク要素２の識別子に基づいて、経路情報１を割り当てる。経路情報１は、ＵＰＦネットワーク要素１によってその宛先アドレスが端末２のアドレス及び端末３のアドレスであるデータをＵＰＦネットワーク要素２へルーティングするために使用される。
【０１７１】
任意選択で、本出願の本実施形態では、経路情報１を割り当てた後、ＬＳＭＦネットワーク要素は、ＬＡＮ  ＩＤ１、ＵＰＦネットワーク要素１の識別子、ＵＰＦネットワーク要素２の識別子、及び対応する経路情報１を、ＬＳＭＦネットワーク要素上に記憶し得る。詳細は、表４に示され本明細書で再び説明されない。
【０１７２】
Ｓ５１０：ＬＳＭＦネットワーク要素は、５ＧＬＡＮルート更新要求２をＳＭＦネットワーク要素１へ送信し、ＳＭＦネットワーク要素１は、ＬＳＭＦネットワーク要素から５ＧＬＡＮルート更新要求２を受信する。
【０１７３】
５ＧＬＡＮルート更新要求２は、ＬＡＮの指示情報、端末１のアドレス、端末２のアドレス、端末３のアドレス、及び対応する経路情報１を含む。
【０１７４】
任意選択で、本出願の本実施形態における５ＧＬＡＮルート更新要求２は、対応するＵＰＦネットワーク要素１を決定するために使用されるＵＰＦネットワーク要素１の識別子をさらに含んでよい。当然ながら、５ＧＬＡＮルート更新要求２がＵＰＦネットワーク要素１の識別子を含まない場合、ＳＭＦネットワーク要素１は、ステップＳ５０３において選択されたＵＰＦネットワーク要素１を、ＳＭＦネットワーク要素１に対応するＵＰＦネットワーク要素１としてさらに決定してよい。このことは、本出願の本実施形態において特に制限されない。
【０１７５】
Ｓ５１１：ＳＭＦネットワーク要素１は、対応するＵＰＦネットワーク要素１へルーティングメッセージ２を送信し、ＵＰＦネットワーク要素１は、ＳＭＦネットワーク要素１からルーティングメッセージ２を受信する。
【０１７６】
ルーティングメッセージ２はルーティングルール１を含み、ＵＰＦネットワーク要素１上にルーティングルール１を構成するために使用される。ルーティングルール１は、ローカルエリアネットワークの指示情報、端末２のアドレス、端末３のアドレス、及び対応する経路情報１を含む。
【０１７７】
このようにして、その宛先アドレスが端末２のアドレス又は端末３のアドレスであるデータをＵＰＦネットワーク要素１が受信した後、ＵＰＦネットワーク要素１は、ＬＡＮ  ＩＤに対応する５ＧＬＡＮ上にあり端末２又は端末３へ送信されることになるデータを、ルーティングルール１に従ってＵＰＦネットワーク要素２へ送信し得る。次いで、ＵＰＦネットワーク要素２は、対応するアクセスデバイスを通して端末２又は端末３へデータを送信する。このことは、本出願の本実施形態において特に制限されない。
【０１７８】
任意選択で、本出願の本実施形態では、ＵＰＦネットワーク要素１がＵＰＦネットワーク要素１上にルーティングルール１を構成した後、ＵＰＦネットワーク要素１上にルーティング情報を記憶する方式が表７に示されてよく、即ち、ルーティング情報は、ＬＡＮの指示情報、経路情報、及び対応する端末のアドレスを含む。任意選択で、経路情報は、ターゲットＵＰＦネットワーク要素の識別子を含んでよい。このことは、本出願の本実施形態において特に制限されない。
【０１７９】
【表７】
2022501927.tif 000009
【０１８０】
Ｓ５１２：ＳＭＦネットワーク要素１は、５ＧＬＡＮルート更新応答２をＬＳＭＦネットワーク要素へ送信し、ＬＳＭＦネットワーク要素は、ＳＭＦネットワーク要素１から５ＧＬＡＮルート更新応答２を受信する。
【０１８１】
ＬＳＭＦネットワーク要素が上記のメッセージ１を受信した後、ＬＳＭＦネットワーク要素が、メッセージ１の中のＬＡＮ  ＩＤに基づいて（ＬＡＮ  ＩＤ１と想定して）、かつローカルエリアネットワークの識別子と、ＳＭＦネットワーク要素の識別子と、ＵＰＦネットワーク要素の識別子と、端末の識別子又は端末のアドレスのうちの少なくとも一方との間の、１つ又は複数の端末が５ＧＬＡＮにアクセスするときにＬＳＭＦネットワーク要素によって記憶される（表１又は表２に示されるような）対応を参照して、ＬＡＮ  ＩＤ１に対応する５ＧＬＡＮサービスをＵＰＦネットワーク要素２が端末２及び端末３に現在提供することを決定する例を使用することによってのみ、上記のステップＳ５０５からＳ５１２が説明されることに留意されたい。当然ながら、ＬＡＮ  ＩＤ１に対応する５ＧＬＡＮサービスを別のＵＰＦネットワーク要素が別の端末に提供する場合、ＵＰＦネットワーク要素のための対応するローカルエリアネットワーク通信方法については、上記のステップＳ５０５からＳ５１２を参照されたい。上記のステップＳ５０５からＳ５１２におけるＵＰＦネットワーク要素２が、ＵＰＦネットワーク要素で置き換えられる必要があり、上記のステップＳ５０５からＳ５１２におけるＳＭＦネットワーク要素２が、ＵＰＦネットワーク要素に対応するＳＭＦネットワーク要素で置き換えられる必要があり、かつ上記のステップＳ５０５からＳ５１２における端末２及び端末３が、ローカルエリアネットワークへのアクセスをＵＰＦネットワーク要素が提供する先の端末で置き換えられる必要があるという点でしか差異がない。関連する他の説明については、上記のステップＳ５０５からＳ５１２を参照されたい。詳細は、本明細書で再び説明されない。
【０１８２】
さらに、ＳＭＦネットワーク要素１が端末１のアドレスを取得した後、本出願の本実施形態において提供されるローカルエリアネットワーク通信方法は、以下のステップＳ５１３をさらに含む。
【０１８３】
Ｓ５１３：ＳＭＦネットワーク要素１は、対応するＵＰＦネットワーク要素１へルーティングメッセージ３を送信し、ＵＰＦネットワーク要素１は、ＳＭＦネットワーク要素１からルーティングメッセージ３を受信する。
【０１８４】
ルーティングメッセージ３は、ＬＡＮの指示情報、端末１のアドレス、及び経路情報３を含み、ＬＡＮの指示情報と、端末１のアドレスと、経路情報３との間の対応を、ＵＰＦネットワーク要素１上に構成するために使用される。経路情報３は、ＵＰＦネットワーク要素１によって、その宛先アドレスが端末１のアドレスであるデータを端末１に対応するアクセスデバイスへルーティングするために使用される。次いで、アクセスデバイスは、そのデータを端末１へルーティングする。
【０１８５】
このようにして、その宛先アドレスが端末１のアドレスであるデータをＵＰＦネットワーク要素１が受信した後、ＵＰＦネットワーク要素１は、ＵＰＦネットワーク要素１上に記憶されている、ＬＡＮの指示情報、端末１のアドレス、及び対応する経路情報３に基づいて、その宛先アドレスが端末１のアドレスであるデータを端末１に対応するアクセスデバイスへルーティングする。次いで、アクセスデバイスは、そのデータを端末１へルーティングする。
【０１８６】
任意選択で、本出願の本実施形態では、経路情報３は、例えば、ＵＰＦネットワーク要素１から対応するアクセスデバイスへのＧＴＰ−Ｕトンネル上のアクセスデバイスの、ＩＰアドレス又はトンネルエンドポイント識別子などのトンネル情報であってよい。このことは、本出願の本実施形態において特に制限されない。
【０１８７】
任意選択で、本出願の本実施形態では、ＬＳＭＦネットワーク要素が、ＬＡＮ  ＩＤ１に基づいて、５ＧＬＡＮに接続される端末についての、かつＬＳＭＦネットワーク要素上にある、（表２に示されるような）情報を問い合わせ、ＬＡＮ  ＩＤ１に対応する５ＧＬＡＮサービスをＵＰＦネットワーク要素１が端末１又は任意の他の端末に提供するのが初めてではないことを決定することが想定される。この場合、上記のステップＳ５０９からＳ５１２は実施されなくてよい。そうではなく、ＬＳＭＦネットワーク要素は、端末１のアドレスをＳＭＦネットワーク要素１へ送信し、ＳＭＦネットワーク要素１は、ＬＳＭＦネットワーク要素から端末１のアドレスを受信した後にステップＳ５１３を実施してよい。このことは、本出願の本実施形態において特に制限されない。
【０１８８】
代替として、任意選択で、本出願の本実施形態では、ＳＭＦネットワーク要素１が端末１のアドレスを決定してよい。このようにして、ステップＳ５０４におけるメッセージ１は端末１のアドレスを含んでよい。メッセージ１は、端末１の識別子を任意選択で含む。さらに、ＬＳＭＦネットワーク要素が、ＬＡＮ  ＩＤ１に基づいて、５ＧＬＡＮに接続される端末についての、かつＬＳＭＦネットワーク要素上にある、（表１に示されるような）情報を問い合わせ、ＬＡＮ  ＩＤ１に対応する５ＧＬＡＮサービスをＵＰＦネットワーク要素１が端末１又は任意の他の端末に提供するのが初めてであることを決定することが想定される。この場合、ステップＳ５１０における５ＧＬＡＮルート更新要求２は、端末１のアドレスを含まなくてよい。ＬＳＭＦネットワーク要素が、ＬＡＮ  ＩＤ１に基づいて、５ＧＬＡＮに接続された端末についてのものであり、かつＬＳＭＦネットワーク要素上にある、（表２に示されるような）情報を問い合わせ、ＬＡＮ  ＩＤ１に対応する５ＧＬＡＮサービスをＵＰＦネットワーク要素１が端末１又は任意の他の端末に提供するのが初めてではないことを決定する場合。この場合、ＬＳＭＦネットワーク要素は、端末１のアドレスをＳＭＦネットワーク要素１へ送信する必要がない。言い換えると、ＳＭＦネットワーク要素１は、端末１のアドレスを決定した後にステップＳ５１３を実施する。このことは、本出願の本実施形態において特に制限されない。
【０１８９】
例えば、ＳＭＦネットワーク要素１は、端末１のアドレスを以下の方式で決定し得る。即ち、ＳＭＦネットワーク要素１は、端末１の識別子に基づいてローカルのコンテキストから端末１のアドレスを取得し得る。代替として、ＳＭＦネットワーク要素１は、ローカルのアドレスプールを使用することによって端末１のアドレスを割り当ててよい。代替として、ＳＭＦネットワーク要素１は、ＤＨＣＰサーバから端末１のアドレスを取得してよい。代替として、ＳＭＦネットワーク要素１は、ＵＤＭネットワーク要素によって戻される加入データから端末１のアドレスを取得してよい。代替として、ＳＭＦネットワーク要素１は、ＵＰＦネットワーク要素１の報告から端末１のアドレスを取得してよい。代替として、ＳＭＦネットワーク要素１は、ＤＮ−ＡＡＡサーバによって戻される認証応答から端末１のアドレスを取得してよい。代替として、ハンドオーバシナリオ（例えば、ステップＳ５０２において説明されたハンドオーバシナリオ）では、ＳＭＦネットワーク要素１は、ＳＭコンテキスト更新要求又はＳＭコンテキスト作成要求の中にあるＳＭＦネットワーク要素３の識別子及びセッション識別子に基づいて、ＳＭＦネットワーク要素３から端末１のアドレスを取得してよい。ＳＭＦネットワーク要素１が端末１のアドレスを取得する方式は、本出願の本実施形態において特に制限されない。
【０１９０】
結論として、本出願の本実施形態において提供されるローカルエリアネットワーク通信方法によれば、ＳＭＦネットワーク要素１によって管理されるＵＰＦネットワーク要素１が、ＬＡＮ  ＩＤ１に対応する５ＧＬＡＮサービスを提供する先の端末１と、ＳＭＦネットワーク要素２によって管理されるＵＰＦネットワーク要素２が、ＬＡＮ  ＩＤ１に対応する５ＧＬＡＮサービスを提供する先の端末２又は端末３との間で、プライベート通信が実装されることができる。言い換えると、ローカルエリアネットワークサービスのために、ＳＭＦネットワーク要素にわたるプライベート通信が実装されることができる。
【０１９１】
ステップＳ５０２からＳ５１３におけるＬＳＭＦネットワーク要素のアクション又はＳＭＦネットワーク要素２のアクションは、メモリ４０３に記憶されたアプリケーションプログラムコードを呼び出すことによって、図４に示される通信デバイス４００の中のプロセッサ４０１によって実施され得る。このことは、本実施形態において制限されない。
【０１９２】
任意選択で、図１に示される通信システムが図２に示される５Ｇネットワークに適用され、セッション管理ネットワーク要素１がＳＭＦネットワーク要素１であり、セッション管理ネットワーク要素２がＳＭＦネットワーク要素２であり、ユーザプレーンネットワーク要素１がＵＰＦネットワーク要素１であり、かつユーザプレーンネットワーク要素２がＵＰＦネットワーク要素２である一例が、説明のために使用される。セッションを作成若しくは更新する処理又は別の処理において、ＬＳＭＦネットワーク要素が５ＧＬＡＮにおける経路情報を更新しないことが想定される。そうではなく、例えば、セッション処理を完了した後、ＳＭＦネットワーク要素は、必要に応じて、ＵＰＦネットワーク要素上で構成されたアドレス報告に基づいて、処理されることが可能でないデータパケットの宛先アドレスを取得し、宛先アドレスに関連付けられた経路情報をＬＳＭＦネットワーク要素に要求し、ＵＰＦネットワーク要素上でリアルタイムに経路情報を更新する（そのことは上記のケース２に対応する）。図６は、本出願の実施形態によるローカルエリアネットワーク通信方法を示す。ローカルエリアネットワーク通信方法は以下のステップを含む。
【０１９３】
Ｓ６０１：ＵＰＦネットワーク要素１が報告ルールを構成する。報告ルールは次の通りである。即ち、ＵＰＦネットワーク要素１がデータと転送経路情報とのマッチングに失敗する場合、ＵＰＦネットワーク要素１は対応するＳＭＦネットワーク要素１へアドレス報告を送信する。
【０１９４】
任意選択で、本出願の本実施形態では、報告ルールは、代替として、次の通りであってよい。即ち、ＵＰＦネットワーク要素１が、アドレスに関連付けられたデータを予め設定された時間内に検出しない場合、ＵＰＦネットワーク要素１は、対応するＳＭＦネットワーク要素１へアドレス報告を送信する。例えば、本明細書における予め設定された時間とは、非活動タイマーの値であってよい。
【０１９５】
任意選択で、本出願の本実施形態における報告ルールは、ＳＭＦネットワーク要素１によって構成され得るか、又はＵＰＦネットワーク要素１によってローカルで構成され得る。このことは、本出願の本実施形態において特に制限されない。
【０１９６】
Ｓ６０３：図５に示される実施形態におけるステップＳ５０２と同じ。関連する説明については、図５に示される実施形態を参照されたい。詳細は、本明細書で再び説明されない。
【０１９７】
Ｓ６０４：図５に示される実施形態におけるステップＳ５０３と同様。例えば、本出願の本実施形態では、ＳＭＦネットワーク要素１が端末１のアドレスを決定するという点で差異がある。ＳＭＦネットワーク要素１が端末１のアドレスを決定する方式については、図５に示される実施形態における説明を参照されたい。詳細は、本明細書で再び説明されない。
【０１９８】
Ｓ６０５：図５に示される実施形態におけるステップＳ５０４と同様。例えば、メッセージ１の中の端末１の識別子が、本出願の本実施形態では端末１のアドレスで置き換えられ、かつ任意選択で、端末１の識別子が含められるという点で差異がある。関連する他の説明については、図５に示される実施形態を参照されたい。詳細は、本明細書で再び説明されない。
【０１９９】
Ｓ６０６：図５に示される実施形態におけるステップＳ５１３と同じ。関連する説明については、図５に示される実施形態を参照されたい。詳細は、本明細書で再び説明されない。
【０２００】
さらに、その宛先アドレスが端末２のアドレスであるデータをユーザプレーンネットワーク要素１が受信した後、図１の端末１がデータを端末２へ送信することを想定すると、本出願の本実施形態において提供されるローカルエリアネットワーク通信方法は、以下のステップＳ６０７からＳ６１１をさらに含んでよい。
【０２０１】
Ｓ６０７：その宛先アドレスが端末２のアドレスであるデータに対して転送経路情報がマッチングできないことをＵＰＦネットワーク要素１が検出する場合、ＵＰＦネットワーク要素１は、対応するＳＭＦネットワーク要素１へアドレス報告１を送信する。アドレス報告１は、ＬＡＮの指示情報、及び端末２のアドレス（宛先アドレス）を含む。
【０２０２】
任意選択で、アドレス報告１は、端末１のアドレス（ソースアドレス）をさらに含み、端末１のアドレスは、ＵＰＦネットワーク要素１によってマッチングできる経路情報がないデータに対応するソースアドレスである。
【０２０３】
ＬＡＮの指示情報の関連する説明については、図６に示される実施形態を参照されたい。詳細は、本明細書で再び説明されない。
【０２０４】
Ｓ６０８：ＳＭＦネットワーク要素１は、ルート更新要求をＬＳＭＦネットワーク要素へ送信し、ＬＳＭＦネットワーク要素は、ＳＭＦネットワーク要素１からルート更新要求を受信する。
【０２０５】
ルート更新要求は、ＬＡＮの指示情報、ＵＰＦネットワーク要素１の指示情報、及び端末２のアドレス（宛先アドレス）を含み、端末２のアドレスに関連付けられた経路情報１を要求するために使用される。経路情報１は、ＵＰＦネットワーク要素１によって、その宛先アドレスが端末２のアドレスであるデータをＵＰＦネットワーク要素２へルーティングするために使用される。
【０２０６】
任意選択で、本出願の本実施形態では、ＵＰＦネットワーク要素１の指示情報は、例えば、端末１のアドレス（ソースアドレス）又はＵＰＦネットワーク要素１の識別子であってよい。このことは、本出願の本実施形態において特に制限されない。ＵＰＦネットワーク要素１の指示情報が端末１のアドレスであるとき、ＬＳＭＦネットワーク要素は、ＬＡＮの指示情報及び端末１のアドレスに基づいて、かつ表１又は表２における対応を参照して、対応するＵＰＦネットワーク要素１の識別子を決定し得る。このことは、本出願の本実施形態において特に制限されない。
【０２０７】
加えて、ルート更新要求を受信した後、ＬＳＭＦネットワーク要素は、ルート更新要求の中にあるＬＡＮの指示情報及び端末２のアドレスに基づいて、かつ表１又は表２における対応を参照して、対応するＵＰＦネットワーク要素２の識別子を決定し得る。このことは、本出願の本実施形態において特に制限されない。
【０２０８】
Ｓ６０９：ＬＳＭＦネットワーク要素は、ＬＡＮ  ＩＤ１、ＵＰＦネットワーク要素１の識別子、及びＵＰＦネットワーク要素２の識別子に基づいて、端末２のアドレスに関連付けられた経路情報１を取得する。経路情報１は、ＵＰＦネットワーク要素１によって、その宛先アドレスが端末２のアドレスであるデータをＵＰＦネットワーク要素２へルーティングするために使用される。
【０２０９】
本出願の本実施形態では、端末２のアドレスに関連付けられた経路情報１をＬＳＭＦネットワーク要素が取得する方式は、図５に示される実施形態における、端末１のアドレスに関連付けられた経路情報２をＬＳＭＦネットワーク要素が取得する方式と同様である。例えば、以下のこと、即ち、図５に示される実施形態における端末１のアドレスに関連付けられた経路情報２が、本出願の本実施形態では端末２のアドレスに関連付けられた経路情報１で置き換えられ、図５に示される実施形態におけるＵＰＦネットワーク要素１が、本出願の本実施形態ではＵＰＦネットワーク要素２で置き換えられ、かつ図５に示される実施形態におけるＵＰＦネットワーク要素２が、本出願の本実施形態ではＵＰＦネットワーク要素１で置き換えられることに差異がある。関連する他の説明については、図５に示される実施形態を参照されたい。詳細は、本明細書で再び説明されない。
【０２１０】
Ｓ６１０：ＬＳＭＦネットワーク要素は、ルート更新応答をＳＭＦネットワーク要素１へ送信し、ＳＭＦネットワーク要素１は、ＬＳＭＦネットワーク要素からルート更新応答を受信する。
【０２１１】
ルート更新応答は、端末２のアドレスに関連付けられた経路情報１を含む。
【０２１２】
Ｓ６１１：ＳＭＦネットワーク要素１は、対応するＵＰＦネットワーク要素１へルーティングメッセージ２を送信し、ＵＰＦネットワーク要素１は、ＳＭＦネットワーク要素１からルーティングメッセージ２を受信する。
【０２１３】
ルーティングメッセージ２はルーティングルール３を含み、ＵＰＦネットワーク要素１上にルーティングルール３を構成するために使用される。ルーティングルール３は、ＬＡＮの指示情報、端末２のアドレス、及び対応する経路情報１を含む。
【０２１４】
このようにして、その宛先アドレスが端末２のアドレスであるデータをＵＰＦネットワーク要素１が受信した後、ＵＰＦネットワーク要素１は、ＬＡＮ  ＩＤに対応する５ＧＬＡＮ上にあり端末２へ送信されることになるデータを、ルーティングルール３に従ってＵＰＦネットワーク要素２へ送信し得る。次いで、ＵＰＦネットワーク要素２は、対応するアクセスデバイスを通して端末２へデータを送信する。このことは、本出願の本実施形態において特に制限されない。
【０２１５】
任意選択で、本出願の本実施形態では、ＵＰＦネットワーク要素１がＵＰＦネットワーク要素１上にルーティングルール３を構成した後、ＵＰＦネットワーク要素１上にルーティング情報を記憶する方式が表８に示されてよく、即ち、ルーティング情報は、ＬＡＮの指示情報、経路情報、及び対応する端末のアドレスを含む。任意選択で、経路情報は、ターゲットＵＰＦネットワーク要素の識別子を含んでよい。このことは、本出願の本実施形態において特に制限されない。
【０２１６】
【表８】
2022501927.tif 000010
【０２１７】
ＬＡＮ  ＩＤ１に対応する５ＧＬＡＮサービスを端末２に提供するＵＰＦネットワーク要素がＵＰＦネットワーク要素２であり、かつＵＰＦネットワーク要素２がＳＭＦネットワーク要素２によって管理される一例を使用することによって、本出願の本実施形態が説明される。任意選択で、端末２が移動し、ＬＡＮ  ＩＤ１に対応する５ＧＬＡＮサービスを端末２に提供するＵＰＦネットワーク要素がＵＰＦネットワーク要素３であり、かつＵＰＦネットワーク要素３がＳＭＦネットワーク要素３によって管理されることが想定される（ＳＭＦネットワーク要素３はＳＭＦネットワーク要素２と同じであってよいか又はそれとは異なってもよい）。この場合、ＳＭＦネットワーク要素３は、メッセージ２をＬＳＭＦネットワーク要素へ送信してよく、ＬＳＭＦネットワーク要素は、ＳＭＦネットワーク要素３からメッセージ２を受信する。メッセージ２は、図６に示される実施形態でのステップＳ６０５におけるメッセージ１と同様であり、ＳＭＦネットワーク要素１の識別子及びＵＰＦネットワーク要素１の識別子が、それぞれ、ＳＭＦネットワーク要素３の識別子及びＵＰＦネットワーク要素３の識別子で置き換えられるという点で差異がある。関連する他の説明については、ステップＳ６０５におけるメッセージ１の説明を参照されたい。詳細は、本明細書で再び説明されない。さらに、ＳＭＦネットワーク要素３からメッセージ２を受信した後、ＬＳＭＦネットワーク要素は、図５に示される実施形態における表１又は表２に示される方式で、５ＧＬＡＮに接続される端末についての情報を更新し得る。加えて、ＬＳＭＦネットワーク要素は、端末２のアドレスに関連付けられた経路情報１を端末２のアドレスに関連付けられた経路情報５に更新し、ＵＰＦネットワーク要素１上に構成されたルーティングルール３をルーティングルール４に更新するために、メッセージ３をＳＭＦネットワーク要素１へ送信する。ルーティングルール４は、ＬＡＮの指示情報、端末２のアドレス、及び対応する経路情報５を含む。このことは、本出願の本実施形態において特に制限されない。経路情報５は、ＵＰＦネットワーク要素１によって、その宛先アドレスが端末２のアドレスであるデータをＵＰＦネットワーク要素３へルーティングするために使用される。
【０２１８】
任意選択で、ステップＳ６０８におけるルート更新要求の中に含まれるＵＰＦネットワーク要素１の指示情報が端末１のアドレス（ソースアドレス）である場合、本出願の本実施形態において提供されるローカルエリアネットワーク通信方法は、以下のステップＳ６１２からＳ６１４をさらに含んでよい。
【０２１９】
Ｓ６１２からＳ６１５：図５に示される実施形態におけるステップＳ５０５からＳ５０８と同じ。関連する説明については、図５に示される実施形態を参照されたい。詳細は、本明細書で再び説明されない。
【０２２０】
当然ながら、本出願の本実施形態では、ステップＳ６１２からＳ６１５は実施されなくてよい。そうではなく、アドレス報告がＵＰＦネットワーク要素２上に構成される。端末２がデータを端末１へ送信するとき、その宛先アドレスが端末１のアドレスであるデータをＵＰＦネットワーク要素２が受信した後、その宛先アドレスが端末１のアドレスであるデータについて、マッチングできる転送経路情報がないことをＵＰＦネットワーク要素２が検出する場合、ユーザプレーンネットワーク要素２は、アドレス報告をＳＭＦネットワーク要素２へ送信する。次いで、ＵＰＦネットワーク要素１上にルーティングルール３を構成する上記の方式と同様の方式で、ルーティングルール１がユーザプレーンネットワーク要素２上に構成される。このことは、本出願の本実施形態において特に制限されない。
【０２２１】
任意選択で、本出願の本実施形態では、ステップＳ６０１における報告ルールが、代替として、ＵＰＦネットワーク要素１が、アドレスに関連付けられたデータを予め設定された時間内に検出しない場合、ＵＰＦネットワーク要素１が、対応するＳＭＦネットワーク要素１へアドレス報告を送信することであり得る場合、本出願の本実施形態において提供されるローカルエリアネットワーク通信方法は、以下のステップＳ６１６及びＳ６１７をさらに含んでよい。
【０２２２】
Ｓ６１６：ＵＰＦネットワーク要素１が、端末２のアドレスに関連付けられた（その宛先アドレスが端末２のアドレスである）データを予め設定された時間内に検出しない場合、ＵＰＦネットワーク要素１は、対応するＳＭＦネットワーク要素１へアドレス報告２を送信し、ＳＭＦネットワーク要素１は、ＵＰＦネットワーク要素１からアドレス報告２を受信する。アドレス報告２は、ＬＡＮの指示情報、及び端末２のアドレスを含む。
【０２２３】
例えば、非活動タイマーが満了した後、その宛先アドレスが端末２のアドレスである関連するデータをＵＰＦネットワーク要素１が依然として検出しないことを想定すると、ＵＰＦネットワーク要素１は、対応するＳＭＦネットワーク要素１へアドレス報告２を送信する。
【０２２４】
任意選択で、本出願の本実施形態では、ＵＰＦネットワーク要素１が、端末２のアドレスに関連付けられた（その宛先アドレスが端末２のアドレスである）データを予め設定された時間内に検出しない場合、ＵＰＦネットワーク要素１は、代替として、端末２のアドレス、又は端末２のアドレスに関連付けられたルーティング情報、例えば、上記の経路情報１を、ローカルで削除し得る。このことは、本出願の本実施形態において特に制限されない。
【０２２５】
Ｓ６１７：ＳＭＦネットワーク要素１は、ルーティング取消し要求をＬＳＭＦネットワーク要素へ送信し、ＬＳＭＦネットワーク要素は、ＳＭＦネットワーク要素１からルーティング取消し要求を受信する。
【０２２６】
ルーティング取消し要求は、ＬＡＮの指示情報、ＵＰＦネットワーク要素１の識別子、及び端末２のアドレスを含み、ＬＡＮの指示情報、端末２のアドレス、及びＵＰＦネットワーク要素１の識別子に関連付けられた経路情報の更新を取り消すことを要求するために使用される。このようにして、ＬＳＭＦネットワーク要素は、ＬＡＮの指示情報、端末２のアドレス、及びＵＰＦネットワーク要素１の識別子に関連付けられた経路情報をＳＭＦネットワーク要素１へ送信することをやめてよい。このことは、本出願の本実施形態において特に制限されない。例えば、ステップＳ６１１において説明されたシナリオでは、端末２が移動し、ＬＡＮ  ＩＤ１に対応する５ＧＬＡＮサービスを端末２に提供するＵＰＦネットワーク要素がＵＰＦネットワーク要素３であり、かつＵＰＦネットワーク要素３がＳＭＦネットワーク要素３によって管理される場合でも（ＳＭＦネットワーク要素３はＳＭＦネットワーク要素２と同じであってよいか又はそれとは異なってもよい）、ＬＳＭＦネットワーク要素は、端末２のアドレスに関連付けられた経路情報１を端末２のアドレスに関連する経路情報５に更新する必要がない。加えて、ＬＳＭＦネットワーク要素は、ＵＰＦネットワーク要素１上に構成されたルーティングルール３をルーティングルール４に更新するためにメッセージ３をＳＭＦネットワーク要素１へ送信する必要がない。ルーティングルール４は、ＬＡＮの指示情報、端末２のアドレス、及び対応する経路情報５を含む。本明細書では概略的な説明が提供され、詳細は以下で再び説明されない。
【０２２７】
任意選択で、本出願の本実施形態において提供されるローカルエリアネットワーク通信方法によれば、ＬＳＭＦネットワーク要素は、端末１のアドレスを決定し得るし、次いで、端末１のアドレスをＳＭＦネットワーク要素１へ送信し得る。次いで、ＳＭＦネットワーク要素１は、端末１のアドレスを受信した後、ルーティングメッセージ３をＵＰＦネットワーク要素１へ送信する。関連する説明については、図５に示される実施形態を参照されたい。詳細は、本明細書で再び説明されない。
【０２２８】
結論として、本出願の本実施形態において提供されるローカルエリアネットワーク通信方法によれば、ＳＭＦネットワーク要素１によって管理されるＵＰＦネットワーク要素１が、ＬＡＮ  ＩＤ１に対応する５ＧＬＡＮサービスを提供する先の端末１と、ＳＭＦネットワーク要素２によって管理されるＵＰＦネットワーク要素２が、ＬＡＮ  ＩＤ１に対応する５ＧＬＡＮサービスを提供する先の端末２との間で、プライベート通信が実装されることができる。言い換えると、ローカルエリアネットワークサービスのために、ＳＭＦネットワーク要素にわたるプライベート通信が実装されることができる。
【０２２９】
ステップＳ６０１からＳ６１５におけるＬＳＭＦネットワーク要素のアクション又はＳＭＦネットワーク要素２のアクションは、メモリ４０３に記憶されたアプリケーションプログラムコードを呼び出すことによって、図４に示される通信デバイス４００の中のプロセッサ４０１によって実施され得る。このことは、本実施形態において制限されない。
【０２３０】
任意選択で、図５に示される実施形態又は図６に示される実施形態では、ＬＳＭＦネットワーク要素とＵＰＦネットワーク要素との間に直接のインターフェースがない一例が、説明のために使用される。当然ながら、ＬＳＭＦネットワーク要素とＵＰＦネットワーク要素との間に直接のインターフェースがあってよい。この場合、ＬＳＭＦネットワーク要素はＵＰＦネットワーク要素と直接通信し得る。例えば、図５に示される実施形態では、ＬＳＭＦネットワーク要素は、ＵＰＦネットワーク要素２上にルーティングルール２を構成するために、ルーティングルール２をＵＰＦネットワーク要素２へ直接送信してよい。代替として、図５に示される実施形態では、ＬＳＭＦネットワーク要素は、ＵＰＦネットワーク要素１上にルーティングルール１を構成するために、ルーティングルール１をＵＰＦネットワーク要素１へ直接送信してよい。代替として、図６に示される実施形態では、ＬＳＭＦネットワーク要素は、ＵＰＦネットワーク要素１上にルーティングルール３を構成するために、ルーティングルール３をＵＰＦネットワーク要素１へ直接送信してよい。代替として、図６に示される実施形態では、ＬＳＭＦネットワーク要素は、ＵＰＦネットワーク要素２上にルーティングルール２を構成するために、ルーティングルール２をＵＰＦネットワーク要素２へ直接送信してよい。このことは、本出願の本実施形態において特に制限されない。
【０２３１】
任意選択で、図１に示される通信システムが図２に示される５Ｇネットワークに適用され、セッション管理ネットワーク要素１がＳＭＦネットワーク要素１であり、セッション管理ネットワーク要素２がＳＭＦネットワーク要素２であり、ユーザプレーンネットワーク要素１がＵＰＦネットワーク要素１であり、かつユーザプレーンネットワーク要素２がＵＰＦネットワーク要素２である一例が、説明のために使用される。セッションを作成若しくは更新する処理又は別の処理において、ＬＳＭＦネットワーク要素が５ＧＬＡＮ用のトポロジー管理及びユーザプレーン経路管理を提供し得ることが想定される。加えて、ＳＭＦネットワーク要素は経路情報を割り当てる（そのことは上記のケース３に対応する）。図７は、本出願の実施形態によるローカルエリアネットワーク通信方法を示す。ローカルエリアネットワーク通信方法は以下のステップを含む。
【０２３２】
Ｓ７０１及びＳ７０２：図５に示される実施形態におけるステップＳ５０１及びＳ５０２と同じ。関連する説明については、図５に示される実施形態を参照されたい。詳細は、本明細書で再び説明されない。
【０２３３】
Ｓ７０３からＳ７０５：図６に示される実施形態におけるステップＳ６０４からＳ６０６と同じ。関連する説明については、図６に示される実施形態を参照されたい。詳細は、本明細書で再び説明されない。
【０２３４】
さらに、上記のメッセージ１を受信した後、ＬＳＭＦネットワーク要素は、メッセージ１の中の（ＬＡＮ  ＩＤ１と想定される）ＬＡＮ  ＩＤに基づいて、かつＳＭＦネットワーク要素の識別子と、ＵＰＦネットワーク要素の識別子と、及び端末の識別子又は端末のアドレスのうちの少なくとも一方と、ローカルエリアネットワークの識別子との間の、１つ又は複数の端末が５ＧＬＡＮにアクセスするときにＬＳＭＦネットワーク要素によって記憶される（表１又は表２に示されるような）対応を参照して、ＬＡＮ  ＩＤ１に対応する５ＧＬＡＮサービスを別のＵＰＦネットワーク要素が別の端末に現在提供するかどうかを決定し得る。例えば、表１又は表２において、ＬＳＭＦネットワーク要素は、ＬＡＮ  ＩＤ１に対応する５ＧＬＡＮサービスをＵＰＦネットワーク要素２が端末２及び端末３に現在提供することを決定し得る。さらに、ＵＰＦネットワーク要素２に対して、ＬＳＭＦネットワーク要素が、ＬＡＮ  ＩＤ１に基づいて、５ＧＬＡＮに接続される端末についての、かつＬＳＭＦネットワーク要素上にある、（表１に示されるような）情報を問い合わせ、ＬＡＮ  ＩＤ１に対応する５ＧＬＡＮサービスをＵＰＦネットワーク要素１が端末１又は任意の他の端末に提供するのが初めてであることを決定することが想定される。この場合、任意選択で、本出願の本実施形態において提供されるローカルエリアネットワーク通信方法は、以下のステップＳ７０６からＳ７０８をさらに含む。
【０２３５】
Ｓ７０６：ＬＳＭＦネットワーク要素は、ＵＰＦネットワーク要素１に対応するＳＭＦネットワーク要素１へ５ＧＬＡＮ転送経路確立要求を送信し、ＳＭＦネットワーク要素１は、ＬＳＭＦネットワーク要素から５ＧＬＡＮ転送経路確立要求を受信する。
【０２３６】
５ＧＬＡＮ転送経路確立要求は、ＬＡＮの指示情報、ＵＰＦネットワーク要素１の識別子、及びＵＰＦネットワーク要素２の識別子を含み、端末１のアドレスに関連付けられた経路情報２を要求するために使用される。経路情報２の関連する説明については、図５に示される実施形態を参照されたい。詳細は、本明細書で再び説明されない。
【０２３７】
Ｓ７０７：ＳＭＦネットワーク要素１は、ＬＡＮの指示情報、ＵＰＦネットワーク要素１の識別子、及びＵＰＦネットワーク要素２の識別子に基づいて、経路情報２を割り当てる。
【０２３８】
Ｓ７０８：ＳＭＦネットワーク要素１は、５ＧＬＡＮ転送経路確立応答をＬＳＭＦネットワーク要素へ送信し、ＬＳＭＦネットワーク要素は、ＳＭＦネットワーク要素１から５ＧＬＡＮ転送経路確立応答を受信する。
【０２３９】
５ＧＬＡＮ転送経路確立応答は、経路情報２を含み、ＵＰＦネットワーク要素２の識別子、ＬＡＮの指示情報などを任意選択で含む。このことは、本出願の本実施形態において特に制限されない。
【０２４０】
任意選択で、本出願の本実施形態では、ＬＳＭＦネットワーク要素が、ＬＡＮ  ＩＤ１に基づいて、５ＧＬＡＮに接続される端末についての、かつＬＳＭＦネットワーク要素上にある、（表２に示されるような）情報を問い合わせ、ＬＡＮ  ＩＤ１に対応する５ＧＬＡＮサービスをＵＰＦネットワーク要素１が端末１又は任意の他の端末に提供するのが初めてではないことを決定することが想定される。この場合、上記のステップＳ７０６からＳ７０８は実施されなくてよい。そうではなく、ＬＳＭＦネットワーク要素は、ＬＡＮ  ＩＤ１、ＵＰＦネットワーク要素２の識別子、及びＵＰＦネットワーク要素１の識別子に基づいて、かつ表４に示される対応を参照して、端末１のアドレスに関連付けられた経路情報２を決定する。このことは、本出願の本実施形態において特に制限されない。
【０２４１】
さらに、端末１のアドレスに関連付けられた経路情報２をＬＳＭＦネットワーク要素が決定した後、本出願の本実施形態において提供されるローカルエリアネットワーク通信方法は、以下のステップＳ７０９及びＳ７１０をさらに含んでよい。
【０２４２】
Ｓ７０９及びＳ７１０：図５に示される実施形態におけるステップＳ５０６及びＳ５０７と同じ。関連する説明については、図５に示される実施形態を参照されたい。詳細は、本明細書で再び説明されない。
【０２４３】
Ｓ７１１：ＳＭＦネットワーク要素２は、５ＧＬＡＮルート更新応答１をＬＳＭＦネットワーク要素へ送信し、ＬＳＭＦネットワーク要素は、ＳＭＦネットワーク要素２から５ＧＬＡＮルート更新応答１を受信する。
【０２４４】
任意選択で、本出願の本実施形態では、経路情報２に対応する経路情報１がＵＰＦネットワーク要素２上に存在しないことをＳＭＦネットワーク要素２が決定する場合、ＳＭＦネットワーク要素２は、５ＧＬＡＮルート更新応答１の中に経路情報１を含める必要がある。任意選択で、５ＧＬＡＮルート更新応答１は、ＵＰＦネットワーク要素２の識別子をさらに搬送し得る。このことは、本出願の本実施形態において特に制限されない。例えば、ＬＡＮ  ＩＤ１に対応する５ＧＬＡＮサービスをＵＰＦネットワーク要素１が端末１又は任意の他の端末に提供するのが初めてである場合、ＳＭＦネットワーク要素２は、経路情報２に対応する経路情報１がＵＰＦネットワーク要素２上に存在しないことを決定し得る。このことは、本出願の本実施形態において特に制限されない。経路情報１の関連する説明については、図５に示される実施形態を参照されたい。詳細は、本明細書で再び説明されない。
【０２４５】
任意選択で、本出願の本実施形態では、ＬＳＭＦネットワーク要素が、ＬＡＮ  ＩＤ１に基づいて、５ＧＬＡＮに接続される端末についての、かつＬＳＭＦネットワーク要素上にある、（表１に示されるような）情報を問い合わせ、ＬＡＮ  ＩＤ１に対応する５ＧＬＡＮサービスをＵＰＦネットワーク要素１が端末１又は任意の他の端末に提供するのが初めてであることを決定することが想定される。この場合、本出願の本実施形態において提供されるローカルエリアネットワーク通信方法は、以下のステップＳ７１２からＳ７１４をさらに含んでよい。
【０２４６】
Ｓ７１２からＳ７１４：図５に示される実施形態におけるステップＳ５１０からＳ５１２と同様であり、本出願の本実施形態では、ＳＭＦネットワーク要素１が端末１のアドレスを決定し得るので、ステップＳ７１２における５ＧＬＡＮルート更新要求２が端末１のアドレスを搬送しなくてよいという点で差異がある。関連する他の説明については、図５に示される実施形態を参照されたい。詳細は、本明細書で再び説明されない。
【０２４７】
任意選択で、本出願の本実施形態において提供されるローカルエリアネットワーク通信方法によれば、ＬＳＭＦネットワーク要素は、端末１のアドレスを決定し得るし、次いで、端末１のアドレスをＳＭＦネットワーク要素１へ送信し得る。次いで、ＳＭＦネットワーク要素１は、端末１のアドレスを受信した後、ルーティングメッセージ３をＵＰＦネットワーク要素１へ送信する。関連する説明については、図５に示される実施形態を参照されたい。詳細は、本明細書で再び説明されない。
【０２４８】
ＬＳＭＦネットワーク要素が上記のメッセージ１を受信した後、ＬＳＭＦネットワーク要素が、メッセージ１の中のＬＡＮ  ＩＤに基づいて（ＬＡＮ  ＩＤ１と想定して）、かつローカルエリアネットワークの識別子と、ＳＭＦネットワーク要素の識別子と、ＵＰＦネットワーク要素の識別子と、端末の識別子又は端末のアドレスのうちの少なくとも一方との間の、１つ又は複数の端末が５ＧＬＡＮにアクセスするときにＬＳＭＦネットワーク要素によって記憶される（表１又は表２に示されるような）対応を参照して、ＬＡＮ  ＩＤ１に対応する５ＧＬＡＮサービスをＵＰＦネットワーク要素２が端末２及び端末３に現在提供することを決定する例を使用することによってのみ、上記のステップＳ７０６からＳ７１４が説明されることに留意されたい。当然ながら、ＬＡＮ  ＩＤ１に対応する５ＧＬＡＮサービスを別のＵＰＦネットワーク要素が別の端末に提供する場合、ＵＰＦネットワーク要素のための対応するローカルエリアネットワーク通信方法については、上記のステップＳ７０６からＳ７１４を参照されたい。上記のステップＳ７０６からＳ７１４におけるＵＰＦネットワーク要素２が、ＵＰＦネットワーク要素で置き換えられる必要があり、上記のステップＳ７０６からＳ７１４におけるＳＭＦネットワーク要素２が、ＵＰＦネットワーク要素に対応するＳＭＦネットワーク要素で置き換えられる必要があり、かつ上記のステップＳ７０６からＳ７１４における端末２及び端末３が、ローカルエリアネットワークへのアクセスをＵＰＦネットワーク要素が提供する先の端末で置き換えられる必要があるという点でしか差異がない。関連する他の説明については、上記のステップＳ７０６からＳ７１４を参照されたい。詳細は、本明細書で再び説明されない。
【０２４９】
結論として、本出願の本実施形態において提供されるローカルエリアネットワーク通信方法によれば、ＳＭＦネットワーク要素１によって管理されるＵＰＦネットワーク要素１が、ＬＡＮ  ＩＤ１に対応する５ＧＬＡＮサービスを提供する先の端末１と、ＳＭＦネットワーク要素２によって管理されるＵＰＦネットワーク要素２が、ＬＡＮ  ＩＤ１に対応する５ＧＬＡＮサービスを提供する先の端末２との間で、プライベート通信が実装されることができる。言い換えると、ローカルエリアネットワークサービスのために、ＳＭＦネットワーク要素にわたるプライベート通信が実装されることができる。
【０２５０】
ステップＳ７０２からＳ７１４におけるＬＳＭＦネットワーク要素のアクション又はＳＭＦネットワーク要素２のアクションは、メモリ４０３に記憶されたアプリケーションプログラムコードを呼び出すことによって、図４に示される通信デバイス４００の中のプロセッサ４０１によって実施され得る。このことは、本実施形態において制限されない。
【０２５１】
任意選択で、図１に示される通信システムが図２に示される５Ｇネットワークに適用され、セッション管理ネットワーク要素１がＳＭＦネットワーク要素１であり、セッション管理ネットワーク要素２がＳＭＦネットワーク要素２であり、ユーザプレーンネットワーク要素１がＵＰＦネットワーク要素１であり、かつユーザプレーンネットワーク要素２がＵＰＦネットワーク要素２である一例が、説明のために使用される。ＬＳＭＦネットワーク要素が５ＧＬＡＮ用のユーザプレーン経路管理を提供しないことが想定される。そうではなく、異なるＳＭＦネットワーク要素が、経路情報を更新するために互いに交渉する（そのことは上記のケース４に対応する）。図８は、本出願の実施形態によるローカルエリアネットワーク通信方法を示す。ローカルエリアネットワーク通信方法は以下のステップを含む。
【０２５２】
Ｓ８０１からＳ８０４：図５に示される実施形態におけるステップＳ５０１からＳ５０４と同じ。関連する説明については、図５に示される実施形態を参照されたい。詳細は、本明細書で再び説明されない。
【０２５３】
さらに、上記のメッセージ１を受信した後、ＬＳＭＦネットワーク要素は、メッセージ１の中の（ＬＡＮ  ＩＤ１と想定される）ＬＡＮ  ＩＤに基づいて、かつＳＭＦネットワーク要素の識別子と、ＵＰＦネットワーク要素の識別子と、端末の識別子又は端末のアドレスのうちの少なくとも一方と、ローカルエリアネットワークの識別子との間の、１つ又は複数の端末が５ＧＬＡＮにアクセスするときにＬＳＭＦネットワーク要素によって記憶される（表１又は表２に示されるような）対応を参照して、ＬＡＮ  ＩＤ１に対応する５ＧＬＡＮサービスを別のＵＰＦネットワーク要素が別の端末に現在提供するかどうかを決定し得る。例えば、表１又は表２において、ＬＳＭＦネットワーク要素は、ＬＡＮ  ＩＤ１に対応する５ＧＬＡＮサービスをＵＰＦネットワーク要素２が端末２及び端末３に現在提供することを決定し得る。さらに、ＵＰＦネットワーク要素２に対して、本出願の本実施形態において提供されるローカルエリアネットワーク通信方法は、以下のステップＳ８０５からＳ８１０をさらに含む。
【０２５４】
Ｓ８０５：ＬＳＭＦネットワーク要素は、メッセージ２をＳＭＦネットワーク要素１へ送信し、ＳＭＦネットワーク要素１は、ＬＳＭＦネットワーク要素からメッセージ２を受信する。メッセージ２は、端末１のアドレス、ＳＭＦネットワーク要素２の識別子、及びＵＰＦネットワーク要素２の識別子を含む。
【０２５５】
任意選択で、メッセージ２は、ＬＡＮ  ＩＤ１及び／又はＬＡＮの指示情報に対応する５ＧＬＡＮサービスをＵＰＦネットワーク要素２が提供する先の端末２のアドレス及び端末３のアドレスをさらに含んでよい。このことは、本出願の本実施形態において特に制限されない。ＬＡＮの指示情報の関連する説明については、図５に示される実施形態を参照されたい。詳細は、本明細書で再び説明されない。
【０２５６】
Ｓ８０６：図５に示される実施形態におけるステップＳ５０５と同様であり、以下のこと、即ち、図５に示される実施形態におけるＬＳＭＦネットワーク要素が、本出願の本実施形態ではＳＭＦネットワーク要素１で置き換えられ、かつ図５に示される実施形態におけるＬＡＮ  ＩＤが、本出願の本実施形態ではＬＡＮの指示情報で置き換えられることに差異がある。加えて、本出願の本実施形態では、ＳＭＦネットワーク要素１は、ＬＡＮの指示情報に基づいて、ＬＡＮ  ＩＤに対応する５ＧＬＡＮサービスをＵＰＦネットワーク要素１が端末１又は任意の他の端末に提供するのが初めてであるかどうかを決定する。関連する他の説明については、図５に示される実施形態を参照されたい。詳細は、本明細書で再び説明されない。
【０２５７】
Ｓ８０７：ＳＭＦネットワーク要素１は、ＳＭＦネットワーク要素２の識別子に対応するＳＭＦネットワーク要素２へ５ＧＬＡＮルート更新要求１を送信し、ＳＭＦネットワーク要素２は、ＳＭＦネットワーク要素１から５ＧＬＡＮルート更新要求１を受信する。
【０２５８】
５ＧＬＡＮルート更新要求１は、ＬＡＮの指示情報、端末１のアドレス、ＵＰＦネットワーク要素２の識別子、及び対応する経路情報２を含む。
【０２５９】
Ｓ８０８：図５に示される実施形態におけるステップＳ５０７と同じ。関連する説明については、図５に示される実施形態を参照されたい。詳細は、本明細書で再び説明されない。
【０２６０】
Ｓ８０９：図７に示される実施形態におけるステップＳ７１１と同様であり、図５に示される実施形態におけるＬＳＭＦネットワーク要素が、本出願の本実施形態ではＳＭＦネットワーク要素１で置き換えられるという点で差異がある。加えて、ステップＳ８０５におけるメッセージ２が端末２のアドレス及び端末３のアドレスを含まず、ここで、ＬＡＮ  ＩＤ１に対応する５ＧＬＡＮサービスをＵＰＦネットワーク要素２が端末２及び端末３に提供することが想定される。この場合、５ＧＬＡＮルート更新応答１は、端末２のアドレス及び端末３のアドレスをさらに含む。このことは、本出願の本実施形態において特に制限されない。
【０２６１】
任意選択で、本出願の本実施形態では、ＳＭＦネットワーク要素１が、ＬＡＮ  ＩＤに対応する５ＧＬＡＮサービスをＵＰＦネットワーク要素１が端末１又は任意の他の端末に提供するのが初めてであることを決定する場合、本出願の本実施形態において提供されるローカルエリアネットワーク通信方法は、以下のステップＳ８１０をさらに含む。
【０２６２】
Ｓ８１０：図５に示される実施形態におけるステップＳ５１１と同じ。関連する説明については、図５に示される実施形態を参照されたい。詳細は、本明細書で再び説明されない。
【０２６３】
ＬＳＭＦネットワーク要素が上記のメッセージ１を受信した後、ＬＳＭＦネットワーク要素が、メッセージ１の中のＬＡＮ  ＩＤに基づいて（ＬＡＮ  ＩＤ１と想定して）、かつローカルエリアネットワークの識別子と、ＳＭＦネットワーク要素の識別子と、ＵＰＦネットワーク要素の識別子と、端末の識別子又は端末のアドレスのうちの少なくとも一方との間の、１つ又は複数の端末が５ＧＬＡＮにアクセスするときにＬＳＭＦネットワーク要素によって記憶される（表１又は表２に示されるような）対応を参照して、ＬＡＮ  ＩＤ１に対応する５ＧＬＡＮサービスをＵＰＦネットワーク要素２が端末２及び端末３に現在提供することを決定する例を使用することによってのみ、上記のステップＳ８０５からＳ８１０が説明されることに留意されたい。当然ながら、ＬＡＮ  ＩＤ１に対応する５ＧＬＡＮサービスを別のＵＰＦネットワーク要素が別の端末に提供する場合、ＵＰＦネットワーク要素のための対応するローカルエリアネットワーク通信方法については、上記のステップＳ８０５からＳ８１０を参照されたい。上記のステップＳ８０５からＳ８１０におけるＵＰＦネットワーク要素２が、ＵＰＦネットワーク要素で置き換えられる必要があり、上記のステップＳ８０５からＳ８１０におけるＳＭＦネットワーク要素２が、ＵＰＦネットワーク要素に対応するＳＭＦネットワーク要素で置き換えられる必要があり、かつ上記のステップＳ８０５からＳ８１０における端末２及び端末３が、ローカルエリアネットワークへのアクセスをＵＰＦネットワーク要素が提供する先の端末で置き換えられる必要があるという点でしか差異がない。関連する他の説明については、上記のステップＳ８０５からＳ８１０を参照されたい。詳細は、本明細書で再び説明されない。
【０２６４】
さらに、ＳＭＦネットワーク要素１が端末１のアドレスを取得した後、本出願の本実施形態において提供されるローカルエリアネットワーク通信方法は、以下のステップＳ８１１をさらに含む。
【０２６５】
Ｓ８１１：図５に示される実施形態におけるステップＳ５１３と同じ。関連する説明については、図５に示される実施形態を参照されたい。詳細は、本明細書で再び説明されない。
【０２６６】
任意選択で、本出願の本実施形態では、ＳＭＦネットワーク要素１が、端末１のアドレスを決定してよい。このようにして、ステップＳ８０４におけるメッセージ１は、端末１のアドレスを含んでよい。メッセージ１は、端末１の識別子を任意選択で含む。さらに、ステップＳ８０９における５ＧＬＡＮルート更新応答１は、端末１のアドレスを含まなくてよい。ＳＭＦネットワーク要素１は、端末１のアドレスを決定した後にステップＳ８１１を実施する。このことは、本出願の本実施形態において特に制限されない。
【０２６７】
結論として、本出願の本実施形態において提供されるローカルエリアネットワーク通信方法によれば、ＳＭＦネットワーク要素１によって管理されるＵＰＦネットワーク要素１が、ＬＡＮ  ＩＤ１に対応する５ＧＬＡＮサービスを提供する先の端末１と、ＳＭＦネットワーク要素２によって管理されるＵＰＦネットワーク要素２が、ＬＡＮ  ＩＤ１に対応する５ＧＬＡＮサービスを提供する先の端末２との間で、プライベート通信が実装されることができる。言い換えると、ローカルエリアネットワークサービスのために、ＳＭＦネットワーク要素にわたるプライベート通信が実装されることができる。
【０２６８】
ステップＳ８０２からＳ８１１におけるＳＭＦネットワーク要素１のアクションは、メモリ４０３に記憶されたアプリケーションプログラムコードを呼び出すことによって、図４に示される通信デバイス４００の中のプロセッサ４０１によって実施され得る。このことは、本実施形態において制限されない。
【０２６９】
上記のことは、本出願の実施形態において提供される解決策をネットワーク要素の間の相互作用の観点から主に説明する。上記の機能を実装するために、サービス管理ネットワーク要素、第１のセッション管理ネットワーク要素、又は第２のセッション管理ネットワーク要素が、機能を実施するためのハードウェア構造及び／又はソフトウェアモジュールに対応することを含むことが理解され得る。本明細書で開示される実施形態で説明されるユニット及びアルゴリズムステップの例と組み合わせて、本出願がハードウェア又はハードウェアとコンピュータソフトウェアとの組合せによって実装されることができることに、当業者は容易に気づくはずである。機能がハードウェアによって実施されるのか、それともコンピュータソフトウェアによって駆動されるハードウェアによって実施されるのかは、技術的解決策の特定の適用例及び設計制約に依存する。当業者は、特定の適用例ごとに様々な方法を使用して、説明される機能を実装し得るが、実装が本出願の範囲を越えるものと見なされるべきでない。
【０２７０】
本出願の実施形態では、サービス管理ネットワーク要素、第１のセッション管理ネットワーク要素、又は第２のセッション管理ネットワーク要素は、上記の方法例に基づいて機能モジュールに分割されてよい。例えば、各機能モジュールは対応する各機能に基づく分割を通して取得されてよいか、又は２つ以上の機能が１つの処理モジュールの中に統合されてよい。統合されたモジュールは、ハードウェアの形態で実装されてよいか、又はソフトウェア機能モジュールの形態で実装されてよい。本出願の実施形態では、モジュールへの分割が一例であり、論理的な機能分割にすぎず、実際の実装の間に他の分割であってよいことに留意されたい。
【０２７１】
例えば、機能モジュールが統合方式での分割を通して取得されるとき、図９は、サービス管理ネットワーク要素９０の概略構造図である。サービス管理ネットワーク要素９０は、処理モジュール９０１及びトランシーバモジュール９０２を含む。処理モジュール９０１は、ローカルエリアネットワークの指示情報に基づいて、第１のアドレスに関連付けられた第１の経路情報を決定するように構成される。第１の経路情報は、第２のユーザプレーンネットワーク要素によって、その宛先アドレスが第１のアドレスであるデータを第１のユーザプレーンネットワーク要素へルーティングするために使用される。第１のユーザプレーンネットワーク要素は、第１のアドレスに対応する端末にローカルエリアネットワークへのアクセスを提供する。トランシーバモジュール９０２は、第２のユーザプレーンネットワーク要素上に第１のルーティングルールを構成するために、第１のメッセージを第２のセッション管理ネットワーク要素へ送信するように構成される。第１のルーティングルールは、ローカルエリアネットワークの指示情報、第１のアドレス、及び第１の経路情報を含む。
【０２７２】
任意選択で、第１のアドレスは第１の端末のアドレスであり、第１のメッセージは、第２のユーザプレーンネットワーク要素の識別子、及び第１のルーティングルールを含む。トランシーバモジュール９０２は、第１のセッション管理ネットワーク要素から第２のメッセージを受信するようにさらに構成される。第２のメッセージは、第１のユーザプレーンネットワーク要素の識別子、及びローカルエリアネットワークの識別子を含む。それに対応して、ローカルエリアネットワークの指示情報は、ローカルエリアネットワークの識別子である。処理モジュール９０１は、ローカルエリアネットワークの識別子に基づいて第２のユーザプレーンネットワーク要素の識別子を決定し、ローカルエリアネットワークの識別子、第２のユーザプレーンネットワーク要素の識別子、及び第１のユーザプレーンネットワーク要素の識別子に基づいて、第１の端末のアドレスに関連付けられた第１の経路情報を決定するように、特に構成される。
【０２７３】
任意選択で、第２のメッセージは、第１の端末の識別子をさらに含む。処理モジュール９０１は、第１の端末の識別子に対応する第１の端末のアドレスを決定するようにさらに構成される。トランシーバモジュール９０２は、第１の端末へのルーティングを示す第２の経路情報を第１のユーザプレーンネットワーク要素上に構成するために、第１の端末のアドレスを第１のセッション管理ネットワーク要素へ送信するようにさらに構成される。
【０２７４】
代替として、任意選択で、第２のメッセージは第１の端末のアドレスをさらに含む。
【０２７５】
任意選択で、処理モジュール９０１が、ローカルエリアネットワークの識別子、第２のユーザプレーンネットワーク要素の識別子、及び第１のユーザプレーンネットワーク要素の識別子に基づいて、第１の端末のアドレスに関連付けられた第１の経路情報を決定するように構成されることは、第１のユーザプレーンネットワーク要素の識別子、及びローカルエリアネットワークの識別子に基づいて、第１のユーザプレーンネットワーク要素がローカルエリアネットワークへのアクセスを提供するのが初めてであることを決定することと、ローカルエリアネットワークの識別子、第２のユーザプレーンネットワーク要素の識別子、及び第１のユーザプレーンネットワーク要素の識別子に基づいて、第１の端末のアドレスに関連する第１の経路情報を割り当てることとを含む。
【０２７６】
任意選択で、トランシーバモジュール９０２は、第１のユーザプレーンネットワーク要素上に第２のルーティングルールを構成するために、第３のメッセージを第１のセッション管理ネットワーク要素へ送信するようにさらに構成される。第２のルーティングルールは、ローカルエリアネットワークの指示情報、第２の端末のアドレス、及び第３の経路情報を含み、第３の経路情報は、第１のユーザプレーンネットワーク要素によって、その宛先アドレスが第２の端末のアドレスであるデータを第２のユーザプレーンネットワーク要素へルーティングするために使用され、第２の端末は、第２のユーザプレーンネットワーク要素がローカルエリアネットワークへのアクセスを提供する先の端末である。
【０２７７】
任意選択で、第１のアドレスは、第２のユーザプレーンネットワーク要素によってマッチングできる経路情報がないデータに対応する宛先アドレスであり、第１のメッセージは第１の経路情報を含む。トランシーバモジュール９０２は、第２のセッション管理ネットワーク要素から第４のメッセージを受信するようにさらに構成される。第４のメッセージは、ローカルエリアネットワークの指示情報、第２のユーザプレーンネットワーク要素の指示情報、及び第１のアドレスを含む。それに対応して、処理モジュール９０１が、ローカルエリアネットワークの指示情報に基づいて、第１のアドレスに関連付けられた第１の経路情報を決定するように構成されることは、ローカルエリアネットワークの指示情報、及び第１のアドレスに基づいて、第１のユーザプレーンネットワーク要素の識別子を決定することと、ローカルエリアネットワークの指示情報、第２のユーザプレーンネットワーク要素の指示情報、及び第１のユーザプレーンネットワーク要素の識別子に基づいて、第１のアドレスに関連する第１の経路情報を決定することとを含む。
【０２７８】
任意選択で、第２のユーザプレーンネットワーク要素の指示情報は第２のアドレスであり、第２のアドレスは、第２のユーザプレーンネットワーク要素によってマッチングできる経路情報がないデータに対応するソースアドレスである。トランシーバモジュール９０２は、第１のユーザプレーンネットワーク要素上に第３のルーティングルールを構成するために、第５のメッセージを第１のセッション管理ネットワーク要素へ送信するようにさらに構成される。第５のメッセージは、ローカルエリアネットワークの指示情報、第２のアドレス、第１のユーザプレーンネットワーク要素の識別子、及び第４の経路情報を含み、第３のルーティングルールは、ローカルエリアネットワークの指示情報、第２のアドレス、及び第４の経路情報を含み、第４の経路情報は、第１のユーザプレーンネットワーク要素によって、その宛先アドレスが第２のアドレスであるデータを第２のユーザプレーンネットワーク要素へルーティングするために使用される。
【０２７９】
任意選択で、トランシーバモジュール９０２は、第２のセッション管理ネットワーク要素から第６のメッセージを受信するようにさらに構成される。第６のメッセージは、ローカルエリアネットワークの指示情報、第２のユーザプレーンネットワーク要素の識別子、及び第１のアドレスを含み、ローカルエリアネットワークの指示情報、第１のアドレス、及び第２のユーザプレーンネットワーク要素の識別子に関連付けられた経路情報の更新を取り消すために使用される。処理モジュール９０１は、第６のメッセージに基づいて、ローカルエリアネットワークの指示情報、第１のアドレス、及び第２のユーザプレーンネットワーク要素の識別子に関連付けられた経路情報を第２のセッション管理ネットワーク要素へ送信することをやめるようにさらに構成される。
【０２８０】
上記の方法実施形態におけるステップのすべての関連する内容は、対応する機能モジュールの機能説明の中で言及されることがある。詳細は、本明細書で再び説明されない。
【０２８１】
本実施形態では、サービス管理ネットワーク要素９０は、統合方式での分割を通して取得される機能モジュールの形態で提示される。本明細書における「モジュール」は、１つ若しくは複数のソフトウェア若しくはファームウェアプログラムを実行する、特定のＡＳＩＣ、回路、プロセッサ、及びメモリ、集積論理回路、及び／又は上記の機能を提供できる別の構成要素であってよい。簡単な実施形態では、サービス管理ネットワーク要素９０が、図４に示される形態をなしてよいことを、当業者は解明し得る。
【０２８２】
例えば、図４のプロセッサ４０１は、メモリ４０３に記憶されたコンピュータ実行可能命令を呼び出して、サービス管理ネットワーク要素９０が上記の方法実施形態におけるローカルエリアネットワーク通信方法を実施することを可能にし得る。
【０２８３】
具体的には、図９のトランシーバモジュール９０２及び処理モジュール９０１の機能／実装処理は、メモリ４０３に記憶されたコンピュータ実行可能命令を呼び出すことによって、図４のプロセッサ４０１によって実装され得る。代替として、図９の処理モジュール９０１の機能／実装処理は、メモリ４０３に記憶されたコンピュータ実行可能命令を呼び出すことによって、図４のプロセッサ４０１によって実装されてよく、図９のトランシーバモジュール９０２の機能／実装処理は、図４の通信インターフェース４０４によって実装されてよい。
【０２８４】
本実施形態において提供されるサービス管理ネットワーク要素９０は、上記のローカルエリアネットワーク通信方法を実施し得る。従って、サービス管理ネットワーク要素９０によって達成されることができる技術的効果については、上記の方法実施形態を参照されたい。詳細は、本明細書で再び説明されない。
【０２８５】
任意選択で、本出願の実施形態は装置をさらに提供する（例えば、装置はチップシステムであってよい）。装置は、ローカルエリアネットワーク通信方法を実装する際に、例えば、ローカルエリアネットワークの指示情報に基づいて、第１のアドレスに関連付けられた第１の経路情報を決定する際に、サービス管理ネットワーク要素をサポートするように構成された、プロセッサを含む。可能な設計では、装置はメモリをさらに含む。メモリは、サービス管理ネットワーク要素にとって必要なプログラム命令及びデータを記憶するように構成される。当然ながら、メモリは、代替として、装置の中になくてよい。装置がチップシステムであるとき、装置はチップを含んでよいか、又はチップ及び別の個別デバイスを含んでよい。このことは、本出願の本実施形態において特に制限されない。
【０２８６】
代替として、例えば、機能モジュールは、統合方式での分割を通して取得される。図１０は、第２のセッション管理ネットワーク要素１００の概略構造図である。第２のセッション管理ネットワーク要素１００は、受信モジュール１００１及び送信モジュール１００２を含む。サービス管理ネットワーク要素から第１のメッセージを受信するように構成された受信モジュール１００１。送信モジュール１００２は、第２のユーザプレーンネットワーク要素上に第１のルーティングルールを構成するために、第１のメッセージに基づいて、第１のルーティングルールを第２のユーザプレーンネットワーク要素へ送信するように構成される。第１のルーティングルールは、ローカルエリアネットワークの指示情報、第１のアドレス、及び第１のアドレスに関連付けられた第１の経路情報を含む。第１の経路情報は、第２のユーザプレーンネットワーク要素によって、その宛先アドレスが第１のアドレスであるデータを第１のユーザプレーンネットワーク要素へルーティングするために使用される。第１のユーザプレーンネットワーク要素は、第１のアドレスに対応する端末にローカルエリアネットワークへのアクセスを提供する。
【０２８７】
任意選択で、受信モジュール１００１は、第２のユーザプレーンネットワーク要素から第１のアドレス報告を受信するようにさらに構成される。第１のアドレス報告は、ローカルエリアネットワークの指示情報、及び第１のアドレスを含む。代替として、第１のアドレス報告は、ローカルエリアネットワークの指示情報、第１のアドレス、及び第２のアドレスを含む。第１のアドレスは、第２のユーザプレーンネットワーク要素によってマッチングできる経路情報がないデータに対応する宛先アドレスである。第２のアドレスは、第２のユーザプレーンネットワーク要素によってマッチングできる経路情報がないデータに対応するソースアドレスである。送信モジュール１００２は、第４のメッセージをサービス管理ネットワーク要素へ送信するようにさらに構成される。第４のメッセージは、ローカルエリアネットワークの指示情報、第２のユーザプレーンネットワーク要素の指示情報、及び第１のアドレスを含み、第１のアドレスに関連付けられた第１の経路情報を決定するために使用される。
【０２８８】
任意選択で、受信モジュール１００１は、第２のユーザプレーンネットワーク要素から第２のアドレス報告を受信するようにさらに構成される。第２のアドレス報告は、ローカルエリアネットワークの指示情報、及び第１のアドレスを含む。第２のユーザプレーンネットワーク要素が、第１のアドレスに関連付けられたデータを予め設定された時間内に検出しないとき、第２のアドレス報告がトリガされる。送信モジュール１００２は、第６のメッセージをサービス管理ネットワーク要素へ送信するようにさらに構成される。第６のメッセージは、ローカルエリアネットワークの指示情報、第２のユーザプレーンネットワーク要素の識別子、及び第１のアドレスを含み、ローカルエリアネットワークの指示情報、第２のユーザプレーンネットワーク要素の識別子、及び第１のアドレスに関連付けられた経路情報の更新を取り消すために使用される。
【０２８９】
任意選択で、送信モジュール１００２は、第７のメッセージをサービス管理ネットワーク要素へ送信するようにさらに構成される。第７のメッセージは、ローカルエリアネットワークの識別子、第２のアドレス、第２のセッション管理ネットワーク要素の識別子、及び第２のユーザプレーンネットワーク要素の識別子を含み、ローカルエリアネットワークに接続される端末についての情報を更新するために使用される。
【０２９０】
任意選択で、図１０に示すように、本出願の本実施形態における第２のセッション管理ネットワーク要素１００は、処理モジュール１００３をさらに含んでよい。処理モジュール１００３は、第１の経路情報に対応する第３の経路情報が第２のユーザプレーンネットワーク要素上に存在しないことを決定するように構成される。第３の経路情報は、第１のユーザプレーンネットワーク要素によって、その宛先アドレスが第２の端末のアドレスであるデータを第２のユーザプレーンネットワーク要素へルーティングするために使用される。第２の端末は、第２のユーザプレーンネットワーク要素がローカルエリアネットワークへのアクセスを提供する先の端末である。送信モジュール１００２は、第３の経路情報をサービス管理ネットワーク要素へ送信するようにさらに構成される。
【０２９１】
上記の方法実施形態におけるステップのすべての関連する内容は、対応する機能モジュールの機能説明の中で言及されることがある。詳細は、本明細書で再び説明されない。
【０２９２】
本実施形態では、第２のセッション管理ネットワーク要素１００は、統合方式での分割を通して取得される機能モジュールの形態で提示される。本明細書における「モジュール」は、１つ若しくは複数のソフトウェア若しくはファームウェアプログラムを実行する、特定のＡＳＩＣ、回路、プロセッサ、及びメモリ、集積論理回路、及び／又は上記の機能を提供できる別の構成要素であってよい。簡単な実施形態では、第２のセッション管理ネットワーク要素１００が、図４に示される形態をなしてよいことを、当業者は解明し得る。
【０２９３】
例えば、図４のプロセッサ４０１は、メモリ４０３に記憶されたコンピュータ実行可能命令を呼び出して、第２のセッション管理ネットワーク要素１００が上記の方法実施形態におけるローカルエリアネットワーク通信方法を実施することを可能にし得る。
【０２９４】
詳細には、図１０の受信モジュール１００１、送信モジュール１００２、及び処理モジュール１００３の機能／実装処理は、メモリ４０３に記憶されたコンピュータ実行可能命令を呼び出すことによって、図４のプロセッサ４０１によって実装され得る。代替として、図１０の処理モジュール１００３の機能／実装処理は、メモリ４０３に記憶されたコンピュータ実行可能命令を呼び出すことによって、図４のプロセッサ４０１によって実装されてよく、図１０の受信モジュール１００１及び送信モジュール１００２の機能／実装処理は、図４の通信インターフェース４０４によって実装されてよい。
【０２９５】
本実施形態において提供される第２のセッション管理ネットワーク要素１００は、上記のローカルエリアネットワーク通信方法を実施し得る。従って、第２のセッション管理ネットワーク要素１００によって達成されることができる技術的効果については、上記の方法実施形態を参照されたい。詳細は、本明細書で再び説明されない。
【０２９６】
任意選択で、本出願の実施形態は装置をさらに提供する（例えば、装置はチップシステムであってよい）。装置は、ローカルエリアネットワーク通信方法を実装する際に、例えば、第１の経路情報に対応する第３の経路情報が第２のユーザプレーンネットワーク要素上に存在しないことを決定する際に、第２のセッション管理ネットワーク要素をサポートするように構成された、プロセッサを含む。可能な設計では、装置はメモリをさらに含む。メモリは、第２のセッション管理ネットワーク要素にとって必要なプログラム命令及びデータを記憶するように構成される。当然ながら、メモリは、代替として、装置の中になくてよい。装置がチップシステムであるとき、装置はチップを含んでよいか、又はチップ及び別の個別デバイスを含んでよい。このことは、本出願の本実施形態において特に制限されない。
【０２９７】
代替として、例えば、機能モジュールは、統合方式での分割を通して取得される。図１１は、第１のセッション管理ネットワーク要素１１０の概略構造図である。第１のセッション管理ネットワーク要素１１０は、処理モジュール１１０１及びトランシーバモジュール１１０２を含む。処理モジュール１１０１は、第１の端末のアドレスに関連付けられた第１の経路情報を決定するように構成される。第１の経路情報は、第２のユーザプレーンネットワーク要素によって、その宛先アドレスが第１の端末のアドレスであるデータを第１のユーザプレーンネットワーク要素へルーティングするために、使用される。第１のユーザプレーンネットワーク要素は、第１の端末にローカルエリアネットワークへのアクセスを提供する。トランシーバモジュール１１０２は、第２のユーザプレーンネットワーク要素上に第１のルーティングルールを構成するために、第１のメッセージを第２のセッション管理ネットワーク要素へ送信するように構成される。第１のルーティングルールは、ローカルエリアネットワークの指示情報、第１の端末のアドレス、及び第１の経路情報を含む。
【０２９８】
任意選択で、トランシーバモジュール１１０２は、サービス管理ネットワーク要素から第２のメッセージを受信するようにさらに構成される。第２のメッセージは、第２のユーザプレーンネットワーク要素の識別子を含む。それに対応して、処理モジュール１１０１が、第１の端末のアドレスに関連付けられた第１の経路情報を決定するように構成されることは、ローカルエリアネットワークの指示情報、第１のユーザプレーンネットワーク要素の識別子、及び第２のユーザプレーンネットワーク要素の識別子に基づいて、第１の端末のアドレスに関連付けられた第１の経路情報を決定することを含む。
【０２９９】
任意選択で、処理モジュール１１０１が、ローカルエリアネットワークの指示情報、第１のユーザプレーンネットワーク要素の識別子、及び第２のユーザプレーンネットワーク要素の識別子に基づいて、第１の端末のアドレスに関連付けられた第１の経路情報を決定するように構成されることは、ローカルエリアネットワークの指示情報、及び第１のユーザプレーンネットワーク要素の識別子に基づいて、第１のユーザプレーンネットワーク要素がローカルエリアネットワークへのアクセスを提供するのが初めてであることを決定することと、ローカルエリアネットワークの指示情報、第１のユーザプレーンネットワーク要素の識別子、及び第２のユーザプレーンネットワーク要素の識別子に基づいて、第１の端末のアドレスに関連付けられた第１の経路情報を割り当てることとを含む。
【０３００】
任意選択で、第２のメッセージは、第２の端末のアドレスをさらに含む。第２の端末は、第２のユーザプレーンネットワーク要素がローカルエリアネットワークへのアクセスを提供する先の端末である。トランシーバモジュール１１０２は、第２の端末のアドレスに関連付けられた第３の経路情報を第２のセッション管理ネットワーク要素から受信するようにさらに構成される。第３の経路情報は、第１のユーザプレーンネットワーク要素によって、その宛先アドレスが第２の端末のアドレスであるデータを第２のユーザプレーンネットワーク要素へルーティングするために使用される。トランシーバモジュール１１０２は、第１のユーザプレーンネットワーク要素上に第２のルーティングルールを構成するために、第２のルーティングルールを第１のユーザプレーンネットワーク要素へ送信するようにさらに構成される。第２のルーティングルールは、ローカルエリアネットワークの指示情報、第２の端末のアドレス、及び第３の経路情報を含む。
【０３０１】
任意選択で、トランシーバモジュール１１０２は、第３のメッセージをサービス管理ネットワーク要素へ送信するようにさらに構成される。第３のメッセージは、第１の端末の識別子又は第１の端末のアドレス、第１のセッション管理ネットワーク要素の識別子、第１のユーザプレーンネットワーク要素の識別子、及びローカルエリアネットワークの識別子を含み、ローカルエリアネットワークに接続される端末についての情報を更新するために使用される。
【０３０２】
上記の方法実施形態におけるステップのすべての関連する内容は、対応する機能モジュールの機能説明の中で言及されることがある。詳細は、本明細書で再び説明されない。
【０３０３】
本実施形態では、第１のセッション管理ネットワーク要素１１０は、統合方式での分割を通して取得される機能モジュールの形態で提示される。本明細書における「モジュール」は、１つ若しくは複数のソフトウェア若しくはファームウェアプログラムを実行する、特定のＡＳＩＣ、回路、プロセッサ、及びメモリ、集積論理回路、及び／又は上記の機能を提供できる別の構成要素であってよい。簡単な実施形態では、第１のセッション管理ネットワーク要素１１０が、図４に示される形態をなしてよいことを、当業者は解明し得る。
【０３０４】
例えば、図４のプロセッサ４０１は、メモリ４０３に記憶されたコンピュータ実行可能命令を呼び出して、第１のセッション管理ネットワーク要素１１０が上記の方法実施形態におけるローカルエリアネットワーク通信方法を実施することを可能にし得る。
【０３０５】
詳細には、図１１のトランシーバモジュール１１０２及び処理モジュール１１０１の機能／実装処理は、メモリ４０３に記憶されたコンピュータ実行可能命令を呼び出すことによって、図４のプロセッサ４０１によって実装され得る。代替として、図１１の処理モジュール１１０１の機能／実装処理は、メモリ４０３に記憶されたコンピュータ実行可能命令を呼び出すことによって、図４のプロセッサ４０１によって実装されてよく、図１１のトランシーバモジュール１１０２の機能／実装処理は、図４の通信インターフェース４０４によって実装されてよい。
【０３０６】
本実施形態において提供される第１のセッション管理ネットワーク要素１１０は、上記のローカルエリアネットワーク通信方法を実施し得る。従って、第１のセッション管理ネットワーク要素１１０によって達成されることができる技術的効果については、上記の方法実施形態を参照されたい。詳細は、本明細書で再び説明されない。
【０３０７】
任意選択で、本出願の実施形態は装置をさらに提供する（例えば、装置はチップシステムであってよい）。装置は、ローカルエリアネットワーク通信方法を実装する際に、例えば、第１の端末のアドレスに関連付けられた第１の経路情報を決定する際に、第１のセッション管理ネットワーク要素をサポートするように構成された、プロセッサを含む。可能な設計では、装置はメモリをさらに含む。メモリは、第１のセッション管理ネットワーク要素にとって必要なプログラム命令及びデータを記憶するように構成される。当然ながら、メモリは、代替として、装置の中になくてよい。装置がチップシステムであるとき、装置はチップを含んでよいか、又はチップ及び別の個別デバイスを含んでよい。このことは、本出願の本実施形態において特に制限されない。
【０３０８】
上記の実施形態のうちの全部又は一部は、ソフトウェア、ハードウェア、ファームウェア、又はそれらの任意の組合せを使用することによって実装され得る。本実施形態を実装するためにソフトウェアプログラムが使用されるとき、本実施形態のうちの全部又は一部は、コンピュータプログラム製品の形態で実装され得る。コンピュータプログラム製品は、１つ又は複数のコンピュータ命令を含む。コンピュータ命令がコンピュータ上でロード及び実行されるとき、本出願の実施形態による手順又は機能がすべて、又は部分的に生成される。コンピュータは、汎用コンピュータ、専用コンピュータ、コンピュータネットワーク、又は別のプログラマブル装置であってよい。コンピュータ命令は、コンピュータ可読記憶媒体の中に記憶されてよいか、又はあるコンピュータ可読記憶媒体から別のコンピュータ可読記憶媒体へ伝送されてよい。例えば、コンピュータ命令は、有線（例えば、同軸ケーブル、光ファイバ、又はデジタル加入者回線（ｄｉｇｉｔａｌ  ｓｕｂｓｃｒｉｂｅｒ  ｌｉｎｅ、ＤＳＬ））又はワイヤレス（例えば、赤外線、ワイヤレス、又はマイクロ波）の方式で、ウェブサイト、コンピュータ、サーバ、又はデータセンターから、別のウェブサイト、コンピュータ、サーバ、又はデータセンターへ伝送され得る。コンピュータ可読記憶媒体は、コンピュータ、又は１つ若しくは複数の使用可能な媒体を統合するサーバ若しくはデータセンターなどのデータ記憶デバイスによってアクセス可能な、任意の使用可能な媒体であってよい。使用可能な媒体は、磁気媒体（例えば、フロッピーディスク、ハードディスク、又は磁気テープ）、光学媒体（例えば、ＤＶＤ）、半導体媒体（例えば、ソリッドステートドライブ（ｓｏｌｉｄ  ｓｔａｔｅ  ｄｉｓｋ、ＳＳＤ））などであってよい。
【０３０９】
本出願は実施形態を参照して説明されるが、保護を主張する本出願を実装する手順において、当業者は、添付の図面、開示される内容、及び添付の特許請求の範囲を見ることによって、開示される実施形態の別の変形形態を理解及び実装し得る。特許請求の範囲において、「備える」（備えること）は別の構成要素又は別のステップを除外せず、「ａ」又は「ｏｎｅ」は複数形のケースを除外しない。単一のプロセッサ又は別のユニットが、特許請求の範囲の中に列挙された、いくつかの機能を実装し得る。いくつかの方策が、互いに異なる従属請求項の中に記録されるが、このことは、これらの方策が組み合わせられて大きい効果を生み出すことができないことを意味しない。
【０３１０】
本出願は特定の特徴及びそれらの実施形態を参照して説明されるが、本出願の範囲から逸脱することなく、様々な修正及び組合せがそれらに行われてよいことが明らかである。それに対応して、本明細書及び添付の図面は、添付の特許請求の範囲によって規定される本出願の例示的な説明にすぎず、本出願の範囲内のすべての修正、変形、組合せ、若しくは均等物、又はそれらのいずれかをカバーするものとする。本出願の趣旨及び範囲から逸脱することなく、当業者が本出願に様々な修正及び変形を加えることができることが明らかである。本出願は、本出願のこれらの修正及び変形を、それらが本出願の以下の特許請求の範囲及びそれらの均等な技術によって規定される保護の範囲内に入ることを条件としてカバーするものとする。
【図１】
2022501927.tif 000011
【図２】
2022501927.tif 000012
【図３】
2022501927.tif 000013
【図４】
2022501927.tif 000014
【図５】
2022501927.tif 000015
【図６】
2022501927.tif 000016
【図７】
2022501927.tif 000017
【図８】
2022501927.tif 000018
【図９】
2022501927.tif 000019
【図１０】
2022501927.tif 000020
【図１１】
2022501927.tif 000021
【手続補正書】
【提出日】令和3年4月28日(2021.4.28)
【手続補正１】
【補正対象書類名】特許請求の範囲
【補正対象項目名】全文
【補正方法】変更
【補正の内容】
【特許請求の範囲】
【請求項１】
ローカルエリアネットワーク通信方法であって、前記方法は、
サービス管理ネットワーク要素によって、ローカルエリアネットワークの指示情報に基づいて、第１のアドレスに関連する第１の経路情報を決定するステップであって、前記第１の経路情報は、第２のユーザプレーンネットワーク要素によって、その宛先アドレスが前記第１のアドレスであるデータを、第１のユーザプレーンネットワーク要素へとルーティングするために利用され、前記第１のユーザプレーンネットワーク要素は、前記ローカルエリアネットワークに対するアクセスを、前記第１のアドレスに対応する端末に提供する、ステップと、
前記サービス管理ネットワーク要素によって、前記第２のユーザプレーンネットワーク要素上で第１のルーティングルールを構成するために、第１のメッセージを第２のセッション管理ネットワーク要素に送信するステップであって、前記第１のルーティングルールは、前記ローカルエリアネットワークの前記指示情報と、前記第１のアドレスと、前記第１の経路情報とを含む、ステップと、
を含む、ローカルエリアネットワーク通信方法。
【請求項２】
前記第１のアドレスは、第１の端末のアドレスであり、前記第１のメッセージは、前記第２のユーザプレーンネットワーク要素の識別子と、前記第１のルーティングルールとを含み、
サービス管理ネットワーク要素によって、ローカルエリアネットワークの指示情報に基づいて、第１のアドレスに関連する第１の経路情報を決定する前記ステップの前に、前記方法は、
前記サービス管理ネットワーク要素によって、第２のメッセージを第１のセッション管理ネットワーク要素から受信するステップであって、前記第２のメッセージは、前記第１のユーザプレーンネットワーク要素の識別子と、前記ローカルエリアネットワークの識別子とを含む、ステップ
をさらに含み、
それに対応して、前記ローカルエリアネットワークの前記指示情報は、前記ローカルエリアネットワークの前記識別子であり、
サービス管理ネットワーク要素によって、ローカルエリアネットワークの指示情報に基づいて、第１のアドレスに関連する第１の経路情報を決定する前記ステップは、
前記サービス管理ネットワーク要素によって、前記ローカルエリアネットワークの前記識別子に基づいて、前記第２のユーザプレーンネットワーク要素の前記識別子を決定するステップと、
前記サービス管理ネットワーク要素によって、前記ローカルエリアネットワークの前記識別子と、前記第２のユーザプレーンネットワーク要素の前記識別子と、前記第１のユーザプレーンネットワーク要素の前記識別子とに基づいて、前記第１の端末の前記アドレスに関連する前記第１の経路情報を決定するステップと、
を含む、
請求項１に記載の方法。
【請求項３】
前記第２のメッセージは、前記第１の端末の識別子をさらに含み、前記サービス管理ネットワーク要素によって、第２のメッセージを第１のセッション管理ネットワーク要素から受信する前記ステップの後、前記方法は、前記サービス管理ネットワーク要素によって、前記第１の端末の前記識別子に対応する前記第１の端末の前記アドレスを決定するステップと、前記サービス管理ネットワーク要素によって、前記第１のユーザプレーンネットワーク要素上で、前記第１の端末へのルーティングを示す第２の経路情報を構成するために、前記第１の端末の前記アドレスを前記第１のセッション管理ネットワーク要素に送信するステップと、をさらに含む、又は、
前記第２のメッセージは、前記第１の端末の前記アドレスをさらに含む、
請求項２に記載の方法。
【請求項４】
前記サービス管理ネットワーク要素によって、前記ローカルエリアネットワークの前記識別子と、前記第２のユーザプレーンネットワーク要素の前記識別子と、前記第１のユーザプレーンネットワーク要素の前記識別子とに基づいて、前記第１の端末の前記アドレスに関連する前記第１の経路情報を決定する前記ステップは、
前記サービス管理ネットワーク要素によって、前記第１のユーザプレーンネットワーク要素の前記識別子と、前記ローカルエリアネットワークの前記識別子とに基づいて、前記第１のユーザプレーンネットワーク要素が前記ローカルエリアネットワークへのアクセスを提供することは初めてであると決定するステップと、
前記サービス管理ネットワーク要素によって、前記ローカルエリアネットワークの前記識別子と、前記第２のユーザプレーンネットワーク要素の前記識別子と、前記第１のユーザプレーンネットワーク要素の前記識別子とに基づいて、前記第１の端末の前記アドレスに関連する前記第１の経路情報を割り当てるステップと、
を含む、
請求項２又は３に記載の方法。
【請求項５】
前記サービス管理ネットワーク要素によって、前記第１のユーザプレーンネットワーク要素が前記ローカルエリアネットワークへのアクセスを提供することは初めてであると決定する前記ステップの後で、前記方法は、
前記サービス管理ネットワーク要素によって、前記第１のユーザプレーンネットワーク要素上で第２のルーティングルールを構成するために、第３のメッセージを前記第１のセッション管理ネットワーク要素に送信するステップであって、前記第２のルーティングルールは、前記ローカルエリアネットワークの前記指示情報と、第２の端末のアドレスと、第３の経路情報とを含み、前記第３の経路情報は、前記第１のユーザプレーンネットワーク要素によって、その宛先アドレスが前記第２の端末の前記アドレスであるデータを、前記第２のユーザプレーンネットワーク要素へとルーティングするために利用され、前記第２の端末は、前記第２のユーザプレーンネットワーク要素が前記ローカルエリアネットワークへのアクセスを提供する端末である、ステップと、
をさらに含む、
請求項４に記載の方法。
【請求項６】
前記第１のアドレスは、前記第２のユーザプレーンネットワーク要素によってマッチングできる経路情報がないデータに対応する宛先アドレスであり、前記第１のメッセージは、前記第１の経路情報を含み、
サービス管理ネットワーク要素によって、ローカルエリアネットワークの指示情報に基づいて、第１のアドレスに関連する第１の経路情報を決定する前記ステップの前に、前記方法は、
前記サービス管理ネットワーク要素によって、第４のメッセージを前記第２のセッション管理ネットワーク要素から受信するステップであって、前記第４のメッセージは、前記ローカルエリアネットワークの前記指示情報と、前記第２のユーザプレーンネットワーク要素の指示情報と、前記第１のアドレスとを含む、ステップ
をさらに含み、
それに対応して、サービス管理ネットワーク要素によって、ローカルエリアネットワークの指示情報に基づいて、第１のアドレスに関連する第１の経路情報を決定する前記ステップは、
前記サービス管理ネットワーク要素によって、前記ローカルエリアネットワークの前記指示情報と前記第１のアドレスとに基づいて、前記第１のユーザプレーンネットワーク要素の識別子を決定するステップと、
前記サービス管理ネットワーク要素によって、前記ローカルエリアネットワークの前記指示情報と、前記第２のユーザプレーンネットワーク要素の前記指示情報と、前記第１のユーザプレーンネットワーク要素の前記指示情報とに基づいて、前記第１のアドレスに関連する前記第１の経路情報を決定するステップと、
を含む、
請求項１に記載の方法。
【請求項７】
前記第２のユーザプレーンネットワーク要素の前記指示情報は、第２のアドレスであり、前記第２のアドレスは、前記第２のユーザプレーンネットワーク要素によってマッチングできる経路情報がない前記データに対応する送信元アドレスであり、
前記サービス管理ネットワーク要素によって、第４のメッセージを前記第２のセッション管理ネットワーク要素から受信する前記ステップの後で、前記方法は、
前記サービス管理ネットワーク要素によって、前記第１のユーザプレーンネットワーク要素上で、第３のルーティングルールを構成するために、第５のメッセージを第１のセッション管理ネットワーク要素に送信するステップであって、前記第５のメッセージは、前記ローカルエリアネットワークの前記指示情報と、前記第２のアドレスと、前記第１のユーザプレーンネットワーク要素の前記識別子と、第４の経路情報とを含み、前記第３のルーティングルールは、前記ローカルエリアネットワークの前記指示情報と、前記第２のアドレスと、前記第４の経路情報とを含み、前記第４の経路情報は、前記第１のユーザプレーンネットワーク要素によって、その宛先アドレスが前記第２のアドレスであるデータを前記第２のユーザプレーンネットワーク要素へとルーティングするために利用される、ステップ
をさらに含む、
請求項６に記載の方法。
【請求項８】
前記方法は、
前記サービス管理ネットワーク要素によって、第６のメッセージを前記第２のセッション管理ネットワーク要素から受信するステップであって、前記第６のメッセージは、前記ローカルエリアネットワークの前記指示情報と、前記第２のユーザプレーンネットワーク要素の識別子と、前記第１のアドレスとを含み、前記ローカルエリアネットワークの前記指示情報と、前記第１のアドレスと、前記第２のユーザプレーンネットワーク要素の前記識別子とに関連する経路情報の更新をキャンセルするために利用される、ステップと、
前記サービス管理ネットワーク要素によって、前記第６のメッセージに基づいて、前記ローカルエリアネットワークの前記指示情報と、前記第１のアドレスと、前記第２のユーザプレーンネットワーク要素の前記識別子とに関連する前記経路情報を、前記第２のセッション管理ネットワーク要素に送信することを停止するステップと、
をさらに含む、
請求項６又は７に記載の方法。
【請求項９】
ローカルエリアネットワーク通信方法であって、前記方法は、
第２のセッション管理ネットワーク要素によって、第１のメッセージをサービス管理ネットワーク要素から受信するステップと、
前記第２のセッション管理ネットワーク要素によって、前記第１のメッセージに基づいて、第１のルーティングルールを、第２のユーザプレーンネットワーク要素上で前記第１のルーティングルールを構成するために、前記第２のユーザプレーンネットワーク要素に送信するステップであって、前記第１のルーティングルールは、ローカルエリアネットワークの指示情報と、第１のアドレスと、前記第１のアドレスに関連する第１の経路情報とを含み、前記第１の経路情報は、前記第２のユーザプレーンネットワーク要素によって、その宛先アドレスが前記第１のアドレスであるデータを第１のユーザプレーンネットワーク要素へとルーティングするために利用され、前記第１のユーザプレーンネットワーク要素は、前記ローカルエリアネットワークへのアクセスを、前記第１のアドレスに対応する端末に提供する、ステップと、
を含む、
ローカルエリアネットワーク通信方法。
【請求項１０】
第２のセッション管理ネットワーク要素によって、第１のメッセージをサービス管理ネットワーク要素から受信する前記ステップの前に、前記方法は、
前記第２のセッション管理ネットワーク要素によって、第１のアドレス報告を前記第２のユーザプレーンネットワーク要素から受信するステップであって、前記第１のアドレス報告は、前記ローカルエリアネットワークの前記指示情報と前記第１のアドレスとを含む、又は、前記第１のアドレス報告は、前記ローカルエリアネットワークの前記指示情報と、前記第１のアドレスと、第２のアドレスとを含み、前記第１のアドレスは、前記第２のユーザプレーンネットワーク要素によってマッチングできる経路情報がないデータに対応する宛先アドレスであり、前記第２のアドレスは、前記第２のユーザプレーンネットワーク要素によってマッチングできる経路情報がない前記データに対応する送信元アドレスである、ステップと、
前記第２のセッション管理ネットワーク要素によって、第４のメッセージを前記サービス管理ネットワーク要素に送信するステップであって、前記第４のメッセージは、前記ローカルエリアネットワークの前記指示情報と、前記第２のユーザプレーンネットワーク要素の指示情報と、前記第１のアドレスとを含み、前記第１のアドレスに関連する前記第１の経路情報を決定するために利用される、ステップと、
をさらに含む、
請求項９に記載の方法。
【請求項１１】
前記方法は、
前記第２のセッション管理ネットワーク要素によって、第２のアドレス報告を前記第２のユーザプレーンネットワーク要素から受信するステップであって、前記第２のアドレス報告は、前記ローカルエリアネットワークの前記指示情報と、前記第１のアドレスとを含み、前記第２のアドレス報告は、前記第２のユーザプレーンネットワーク要素が、事前設定された時間内に前記第１のアドレスに関連するデータを検出しないときにトリガされる、ステップと、
前記第２のセッション管理ネットワーク要素によって、第６のメッセージを前記サービス管理ネットワーク要素に送信するステップであって、前記第６のメッセージは、前記ローカルエリアネットワークの前記指示情報と、前記第２のユーザプレーンネットワーク要素の識別子と、前記第１のアドレスとを含み、前記ローカルエリアネットワークの前記指示情報と、前記第２のユーザプレーンネットワーク要素の前記識別子と、前記第１のアドレスとに関連する経路情報の更新をキャンセルするために利用される、ステップと、
をさらに含む、
請求項９又は１０に記載の方法。
【請求項１２】
サービス管理ネットワーク要素であって、前記サービス管理ネットワーク要素は、処理モジュールと、トランシーバモジュールとを備え、
前記処理モジュールは、ローカルエリアネットワークの指示情報に基づいて、第１のアドレスに関連する第１の経路情報を決定することであって、前記第１の経路情報は、第２のユーザプレーンネットワーク要素によって、その宛先アドレスが前記第１のアドレスであるデータを第１のユーザプレーンネットワーク要素へとルーティングするために利用され、前記第１のユーザプレーンネットワーク要素は、前記ローカルエリアネットワークへのアクセスを、前記第１のアドレスに対応する端末に提供する、ことを行うように構成され、
前記トランシーバモジュールは、前記第２のユーザプレーンネットワーク要素上で第１のルーティングルールを構成するために、第１のメッセージを第２のセッション管理ネットワーク要素に送信することであって、前記第１のルーティングルールは、前記ローカルエリアネットワークの前記指示情報と、前記第１のアドレスと、前記第１の経路情報とを含む、ことを行うように構成される、
サービス管理ネットワーク要素。
【請求項１３】
前記第１のアドレスは、第１の端末のアドレスであり、前記第１のメッセージは、前記第２のユーザプレーンネットワーク要素の識別子と、前記第１のルーティングルールとを含み、
前記トランシーバモジュールは、第２のメッセージを第１のセッション管理ネットワーク要素から受信することであって、前記第２のメッセージは、前記第１のユーザプレーンネットワーク要素の識別子と、前記ローカルエリアネットワークの識別子とを含む、ことを行うようにさらに構成され、
それに対応して、前記ローカルエリアネットワークの前記指示情報は、前記ローカルエリアネットワークの前記識別子であり、前記処理モジュールは、
前記ローカルエリアネットワークの前記識別子に基づいて前記第２のユーザプレーンネットワーク要素の前記識別子を決定し、前記ローカルエリアネットワークの前記識別子と、前記第２のユーザプレーンネットワーク要素の前記識別子と、前記第１のユーザプレーンネットワーク要素の前記識別子とに基づいて、前記第１の端末の前記アドレスに関連する前記第１の経路情報を決定するように特に構成される、
請求項１２に記載のサービス管理ネットワーク要素。
【請求項１４】
前記第２のメッセージは、前記第１の端末の識別子をさらに含み、前記処理モジュールは、前記第１の端末の前記識別子に対応する前記第１の端末の前記アドレスを決定するようにさらに構成され、前記トランシーバモジュールは、前記第１のユーザプレーンネットワーク要素上で、前記第１の端末へのルーティングを示す第２の経路情報を構成するために、前記第１の端末の前記アドレスを前記第１のセッション管理ネットワーク要素に送信するようにさらに構成される、又は、
前記第２のメッセージは、前記第１の端末の前記アドレスをさらに含む、
請求項１３に記載のサービス管理ネットワーク要素。
【請求項１５】
前記処理モジュールは、前記第１のユーザプレーンネットワーク要素の前記識別子と、前記ローカルエリアネットワークの前記識別子とに基づいて、前記第１のユーザプレーンネットワーク要素が前記ローカルエリアネットワークへのアクセスを提供することは初めてであると決定し、前記ローカルエリアネットワークの前記識別子と、前記第２のユーザプレーンネットワーク要素の前記識別子と、前記第１のユーザプレーンネットワーク要素の前記識別子とに基づいて、前記第１の端末の前記アドレスに関連する前記第１の経路情報を割り当てるようにさらに構成される、
請求項１３又は１４に記載のサービス管理ネットワーク要素。
【請求項１６】
前記トランシーバモジュールは、前記第１のユーザプレーンネットワーク要素上で第２のルーティングルールを構成するために、第３のメッセージを前記第１のセッション管理ネットワーク要素に送信することであって、前記第２のルーティングルールは、前記ローカルエリアネットワークの前記指示情報と、第２の端末のアドレスと、第３の経路情報とを含み、前記第３の経路情報は、前記第１のユーザプレーンネットワーク要素によって、その宛先アドレスが前記第２の端末の前記アドレスであるデータを前記第２のユーザプレーンネットワーク要素にルーティングするために利用され、前記第２の端末は、前記第２のユーザプレーンネットワーク要素が前記ローカルエリアネットワークへのアクセスを提供する端末である、ことを行うようにさらに構成される、
請求項１５に記載のサービス管理ネットワーク要素。
【請求項１７】
前記第１のアドレスは、前記第２のユーザプレーンネットワーク要素によってマッチングできる経路情報がないデータに対応する宛先アドレスであり、前記第１のメッセージは、前記第１の経路情報を含み、
前記トランシーバモジュールは、第４のメッセージを前記第２のセッション管理ネットワーク要素から受信することであって、前記第４のメッセージは、前記ローカルエリアネットワークの前記指示情報と、前記第２のユーザプレーンネットワーク要素の指示情報と、前記第１のアドレスとを含む、ことを行うようにさらに構成され、
それに対応して、前記処理モジュールは、前記ローカルエリアネットワークの前記指示情報と、前記第１のアドレスとに基づいて、前記第１のユーザプレーンネットワーク要素の識別子を決定し、前記ローカルエリアネットワークの前記指示情報と、前記第２のユーザプレーンネットワーク要素の前記指示情報と、前記第１のユーザプレーンネットワーク要素の前記識別子とに基づいて、前記第１のアドレスに関連する前記第１の経路情報を決定するようにさらに構成される、
請求項１２に記載のサービス管理ネットワーク要素。
【請求項１８】
前記第２のユーザプレーンネットワーク要素の前記指示情報は、第２のアドレスであり、前記第２のアドレスは、前記第２のユーザプレーンネットワーク要素によってマッチングできる経路情報がない前記データに対応する送信元アドレスであり、
前記トランシーバモジュールは、前記第１のユーザプレーンネットワーク要素上で第３のルーティングルールを構成するために、第５のメッセージを第１のセッション管理ネットワーク要素に送信することであって、前記第５のメッセージは、前記ローカルエリアネットワークの前記指示情報と、前記第２のアドレスと、前記第１のユーザプレーンネットワーク要素の前記識別子と、第４の経路情報とを含み、前記第３のルーティングルールは、前記ローカルエリアネットワークの前記指示情報と、前記第２のアドレスと、前記第４の経路情報とを含み、前記第４の経路情報は、前記第１のユーザプレーンネットワーク要素によって、その宛先アドレスが前記第２のアドレスであるデータを前記第２のユーザプレーンネットワーク要素にルーティングするために利用される、ことを行うようにさらに構成される、
請求項１７に記載のサービス管理ネットワーク要素。
【請求項１９】
前記トランシーバモジュールは、第６のメッセージを前記第２のセッション管理ネットワーク要素から受信することであって、前記第６のメッセージは、前記ローカルエリアネットワークの前記指示情報と、前記第２のユーザプレーンネットワーク要素の識別子と、前記第１のアドレスとを含み、前記ローカルエリアネットワークの前記指示情報と、前記第１のアドレスと、前記第２のユーザプレーンネットワーク要素の前記識別子とに関連する経路情報の更新をキャンセルするために利用される、ことを行うようにさらに構成され、
前記処理モジュールは、前記第６のメッセージに基づいて、前記ローカルエリアネットワークの前記指示情報と、前記第１のアドレスと、前記第２のユーザプレーンネットワーク要素の前記識別子とに関連する前記経路情報を前記第２のセッション管理ネットワーク要素に送信することを停止するようにさらに構成される、
請求項１７又は１８に記載のサービス管理ネットワーク要素。
【請求項２０】
第２のセッション管理ネットワーク要素であって、前記第２のセッション管理ネットワーク要素は、受信モジュールと、送信モジュールとを備え、
前記受信モジュールは、第１のメッセージをサービス管理ネットワーク要素から受信するように構成され、
前記送信モジュールは、前記第１のメッセージに基づいて、第１のルーティングルールを、第２のユーザプレーンネットワーク要素上で前記第１のルーティングルールを構成するために、前記第２のユーザプレーンネットワーク要素に送信することであって、前記第１のルーティングルールは、ローカルエリアネットワークの指示情報と、第１のアドレスと、前記第１のアドレスに関連する第１の経路情報とを含み、前記第１の経路情報は、前記第２のユーザプレーンネットワーク要素によって、その宛先アドレスが前記第１のアドレスであるデータを前記第１のユーザプレーンネットワーク要素にルーティングするために利用され、前記第１のユーザプレーンネットワーク要素は、前記第１のアドレスに対応する端末に前記ローカルエリアネットワークへのアクセスを提供する、ことを行うように構成される、
第２のセッション管理ネットワーク要素。
【請求項２１】
前記受信モジュールは、第１のアドレス報告を前記第２のユーザプレーンネットワーク要素から受信することであって、前記第１のアドレス報告は、前記ローカルエリアネットワークの前記指示情報と、前記第１のアドレスを含む、又は、前記第１のアドレス報告は、前記ローカルエリアネットワークの前記指示情報と、前記第１のアドレスと、第２のアドレスを含み、前記第１のアドレスは、前記第２のユーザプレーンネットワーク要素によってマッチングできる経路情報がないデータに対応する宛先アドレスであり、前記第２のアドレスは、前記第２のユーザプレーンネットワーク要素によってマッチングできる経路情報がない前記データに対応する送信元アドレスである、ことを行うようにさらに構成され、
前記送信モジュールは、第４のメッセージを前記サービス管理ネットワーク要素に送信することであって、前記第４のメッセージは、前記ローカルエリアネットワークの前記指示情報と、前記第２のユーザプレーンネットワーク要素の指示情報と、前記第１のアドレスとを含み、前記第１のアドレスに関連する前記第１の経路情報を決定するために利用される、ことを行うようにさらに構成される、
請求項２０に記載の第２のセッション管理ネットワーク要素。
【請求項２２】
前記受信モジュールは、第２のアドレス報告を前記第２のユーザプレーンネットワーク要素から受信することであって、前記第２のアドレス報告は、前記ローカルエリアネットワークの前記指示情報と、前記第１のアドレスとを含み、前記第２のアドレス報告は、前記第２のユーザプレーンネットワーク要素が、事前設定された時間内に前記第１のアドレスに関連するデータを検出しないときにトリガされる、ことを行うようにさらに構成され、
前記送信モジュールは、第６のメッセージを前記サービス管理ネットワーク要素に送信することであって、前記第６のメッセージは、前記ローカルエリアネットワークの前記指示情報と、前記第２のユーザプレーンネットワーク要素の識別子と、前記第１のアドレスとを含み、前記ローカルエリアネットワークの前記指示情報と、前記第２のユーザプレーンネットワーク要素の前記識別子と、前記第１のアドレスとに関連する経路情報の更新をキャンセルするために利用される、ことを行うようにさらに構成される、
請求項２０又は２１に記載の第２のセッション管理ネットワーク要素。
【請求項２３】
通信システムであって、前記通信システムは、サービス管理ネットワーク要素と、第２のセッション管理ネットワーク要素とを含み、
前記サービス管理ネットワーク要素は、ローカルエリアネットワークの指示情報に基づいて、第１のアドレスに関連する第１の経路情報を決定し、第１のメッセージを前記第２のセッション管理ネットワーク要素に送信するように構成され、前記第１の経路情報は、第２のユーザプレーンネットワーク要素によって、その宛先アドレスが前記第１のアドレスであるデータを第１のユーザプレーンネットワーク要素にルーティングするために利用され、前記第１のユーザプレーンネットワーク要素は、前記第１のアドレスに対応する端末に前記ローカルエリアネットワークへのアクセスを提供し、
前記第２のセッション管理ネットワーク要素は、前記第１のメッセージを前記サービス管理ネットワーク要素から受信し、前記第１のメッセージに基づいて、第１のルーティングルールを、前記第２のユーザプレーンネットワーク要素上で前記第１のルーティングルールを構成するために、前記第２のユーザプレーンネットワーク要素に送信するように構成され、前記第１のルーティングルールは、前記ローカルエリアネットワークの前記指示情報と、前記第１のアドレスと、前記第１の経路情報とを含む、
通信システム。
【請求項２４】
前記第１のアドレスは、第１の端末のアドレスであり、前記第１のアドレスに対応する端末は、前記第１の端末であり、前記第１のメッセージは、前記第２のユーザプレーンネットワーク要素の識別子と、前記第１のルーティングルールとを含み、前記通信システムは、第１のセッション管理ネットワーク要素をさらに含み、
前記第１のセッション管理ネットワーク要素は、第２のメッセージを前記サービス管理ネットワーク要素に送信することであって、前記第２のメッセージは、前記第１のユーザプレーンネットワーク要素の識別子と、前記ローカルエリアネットワークの識別子とを含む、ことを行うように構成され、
それに対応して、前記ローカルエリアネットワークの前記指示情報は、前記ローカルエリアネットワークの前記識別子であり、前記サービス管理ネットワーク要素は、前記ローカルエリアネットワークの前記識別子に基づいて、前記第２のユーザプレーンネットワーク要素の前記識別子を決定し、前記ローカルエリアネットワークの前記識別子と、前記第２のユーザプレーンネットワーク要素の前記識別子と、前記第１のユーザプレーンネットワーク要素の前記識別子とに基づいて、前記第１の端末の前記アドレスに関連する前記第１の経路情報を決定するようにさらに構成される、
請求項２３に記載の通信システム。
【請求項２５】
前記サービス管理ネットワーク要素は、前記第１のユーザプレーンネットワーク要素の前記識別子と前記ローカルエリアネットワークの前記識別子とに基づいて、前記第１のユーザプレーンネットワーク要素が前記ローカルエリアネットワークへのアクセスを提供することは初めてであると決定した後、第３のメッセージを前記第１のセッション管理ネットワーク要素に送信するようにさらに構成され、
前記第１のセッション管理ネットワーク要素は、前記第３のメッセージを前記サービス管理ネットワーク要素から受信し、前記第３のメッセージに基づいて、第２のルーティングルールを、前記第１のユーザプレーンネットワーク要素上で前記第２のルーティングルールを構成するために、前記第１のユーザプレーンネットワーク要素に送信するようにさらに構成され、前記第２のルーティングルールは、前記ローカルエリアネットワークの前記指示情報と、第２の端末のアドレスと、第３の経路情報とを含み、前記第３の経路情報は、前記第１のユーザプレーンネットワーク要素によって、その宛先アドレスが前記第２の端末の前記アドレスであるデータを前記第２のユーザプレーンネットワーク要素にルーティングするために利用され、前記第２の端末は、前記第２のユーザプレーンネットワーク要素が前記ローカルエリアネットワークへのアクセスを提供する端末である、
請求項２４に記載の通信システム。
【請求項２６】
前記第２のセッション管理ネットワーク要素は、アドレス報告を前記第２のユーザプレーンネットワーク要素から受信するようにさらに構成され、前記アドレス報告は、前記ローカルエリアネットワークの前記指示情報と、前記第１のアドレスとを含み、前記第１のアドレスは、前記第２のユーザプレーンネットワーク要素によってマッチングできる経路情報がないデータに対応する宛先アドレスであり、
前記第２のセッション管理ネットワーク要素は、第４のメッセージを前記サービス管理ネットワーク要素に送信するようにさらに構成され、前記第４のメッセージは、前記ローカルエリアネットワークの前記指示情報と、前記第２のユーザプレーンネットワーク要素の指示情報と、前記第１のアドレスとを含み、
前記サービス管理ネットワーク要素は、前記第４のメッセージを前記第２のセッション管理ネットワーク要素から受信するようにさらに構成され、
それに対応して、前記サービス管理ネットワーク要素は、前記ローカルエリアネットワークの前記指示情報と、前記第１のアドレスとに基づいて、前記第１のユーザプレーンネットワーク要素の識別子を決定し、前記ローカルエリアネットワークの前記指示情報と、前記第２のユーザプレーンネットワーク要素の前記指示情報と、前記第１のユーザプレーンネットワーク要素の前記識別子とに基づいて、前記第１のアドレスに関連する前記第１の経路情報を決定するようにさらに構成される、
請求項２３に記載の通信システム。
【請求項２７】
前記アドレス報告は、第２のアドレスをさらに含み、前記第２のユーザプレーンネットワーク要素の前記指示情報は、前記第２のアドレスであり、前記第２のアドレスは、前記第２のユーザプレーンネットワーク要素によってマッチングできる経路情報がない前記データに対応する送信元アドレスであり、前記通信システムは、第１のセッション管理ネットワーク要素をさらに含み、
前記サービス管理ネットワーク要素は、前記第４のメッセージを前記第２のセッション管理ネットワーク要素から受信した後、第５のメッセージを前記第１のセッション管理ネットワーク要素に送信するようにさらに構成され、前記第５のメッセージは、前記ローカルエリアネットワークの前記指示情報と、前記第２のアドレスと、前記第１のユーザプレーンネットワーク要素の前記識別子と、第４の経路情報とを含み、前記第４の経路情報は、前記第１のユーザプレーンネットワーク要素によって、その宛先アドレスが前記第２のアドレスであるデータを前記第２のユーザプレーンネットワーク要素にルーティングするために利用され、
前記第１のセッション管理ネットワーク要素は、前記第５のメッセージを前記サービス管理ネットワーク要素から受信し、第３のルーティングルールを、前記第１のユーザプレーンネットワーク要素上で前記第３のルーティングルールを構成するために、前記第１のユーザプレーンネットワーク要素に送信するようにさらに構成され、前記第３のルーティングルールは、前記ローカルエリアネットワークの前記指示情報と、前記第２のアドレスと、前記第４の経路情報とを含む、
請求項２６に記載の通信システム。
【請求項２８】
通信装置であって、プロセッサと、前記プロセッサに接続されたメモリであって、前記プロセッサによって実行されたときに、前記装置に、請求項１〜８のいずれか１項に記載のローカルエリアネットワーク通信方法を実行させる、そこに記憶されたプログラム命令を有する、メモリと、を備える、通信装置。
【請求項２９】
通信装置であって、プロセッサと、前記プロセッサに接続されたメモリであって、前記プロセッサによって実行されたときに、前記装置に、請求項９〜１１のいずれか１項に記載のローカルエリアネットワーク通信方法を実行させる、そこに記憶されたプログラム命令を有する、メモリとを備える、通信装置。
【請求項３０】
コンピュータ可読記憶媒体であって、前記コンピュータ可読記憶媒体は、命令を格納し、前記命令がコンピュータ上で実行されるとき、前記コンピュータは、請求項１〜８のいずれか１項に記載のローカルエリアネットワーク通信方法を実行できるようになる、コンピュータ可読記憶媒体。
【請求項３１】
コンピュータ可読記憶媒体であって、前記コンピュータ可読記憶媒体は、命令を格納し、前記命令がコンピュータ上で実行されるとき、前記コンピュータは、請求項９〜１１のいずれか１項に記載のローカルエリアネットワーク通信方法を実行できるようになる、コンピュータ可読記憶媒体。
【手続補正２】
【補正対象書類名】明細書
【補正対象項目名】全文
【補正方法】変更
【補正の内容】
【発明の詳細な説明】
【技術分野】
【０００１】
本出願は、通信技術の分野に関し、詳細には、ローカルエリアネットワーク通信方法、デバイス、及びシステムに関する。
【背景技術】
【０００２】
第５世代（５ｔｈ  ｇｅｎｅｒａｔｉｏｎ、５Ｇ）ローカルエリアネットワーク（ｌｏｃａｌ  ａｒｅａ  ｎｅｔｗｏｒｋ、５ＧＬＡＮ）サービスとは、現行の５Ｇネットワークによって提供されるサービスであり、ホーム通信、企業のオフィス、工場での製造、車両のインターネット、送電網再構築、公安組織などにおいて主に使用される。サービスは、端末のグループの中の２つ以上の端末のための、インターネットプロトコル（ｉｎｔｅｒｎｅｔ  ｐｒｏｔｏｃｏｌ、ＩＰ）タイプ又は非ＩＰタイプ（例えば、イーサネットタイプ）のプライベート通信を提供することができる。例えば、工場の中のデバイスがグループを構成してよく、グループの中のデバイスは、イーサネットデータパケットを互いへ送信し得る。代替として、企業の部署の中の従業員のオフィスデバイス（モバイルフォン、コンピュータ、又はラップトップコンピュータなど）がグループを構成してよく、オフィスデバイスは、ＩＰパケットを互いへ送信し得る。２つの端末が、同じグループにない場合、２つの端末は互いと通信することができない。
【０００３】
現在、５ＧＬＡＮサービスは、広いカバレージをもつ、端末用の二地点間データ送信、例えば、国にわたるか、又は省にわたる通信を提供する。例えば、５ＧＬＡＮサービスは、多国籍企業の、異なる省、市、又は国に位置するオフィスエリアにあるデバイス用のプライベート通信を提供する。従来の技術では、２つの端末が、互いから遠く離れている場合、５Ｇネットワークは、それぞれ、端末から５ＧＬＡＮサービスへのセッションを管理するために、２つの端末のための異なるセッション管理機能（ｓｅｓｓｉｏｎ  ｍａｎａｇｅｍｅｎｔ  ｆｕｎｃｔｉｏｎ、ＳＭＦ）ネットワーク要素を選択する必要がある。加えて、５Ｇネットワークは、端末のセッションのデータ送信のために、異なるユーザプレーン機能（ｕｓｅｒ  ｐｌａｎｅ  ｆｕｎｃｔｉｏｎ、ＵＰＦ）ネットワーク要素を選択する。
【０００４】
しかし、現在、ローカルエリアネットワークサービス用のセッション管理ネットワーク要素にわたるプライベート通信をどのようにして実装するかに対する関連する解決策はない。
【発明の概要】
【０００５】
本出願の実施形態は、ローカルエリアネットワークサービス用のセッション管理ネットワーク要素にわたるプライベート通信を実装するための、ローカルエリアネットワーク通信方法、デバイス、及びシステムを提供する。
【０００６】
上述の目的を達成するために、以下の技術的解決策が、本出願の実施形態において使用される。
【０００７】
第１の態様によると、ローカルエリアネットワーク通信方法が提供される。この方法は、以下を含む。サービス管理ネットワーク要素が、ローカルエリアネットワークの指示情報に基づいて、第１のアドレスに関連付けられた第１の経路情報を決定する。第１の経路情報は、第２のユーザプレーンネットワーク要素によって、その宛先アドレスが第１のアドレスであるデータを、第１のユーザプレーンネットワーク要素へルーティングするために使用される。第１のユーザプレーンネットワーク要素は、第１のアドレスに対応する端末に、ローカルエリアネットワークへのアクセスを提供する。サービス管理ネットワーク要素は、第２のユーザプレーンネットワーク要素上で第１のルーティングルールを構成するために、第２のセッション管理ネットワーク要素へ第１のメッセージを送信する。第１のルーティングルールは、ローカルエリアネットワークの指示情報、第１のアドレス、及び第１の経路情報を含む。解決策によると、第２のユーザプレーンネットワーク要素は、第１のルーティングルールに従って、その宛先アドレスが第１のアドレスであるデータを、第１のユーザプレーンネットワーク要素へルーティングすることができる。従って、セッション管理ネットワーク要素にわたるプライベート通信が、ローカルエリアネットワークサービス用に実装されることが可能である。
【０００８】
可能な設計では、第１のアドレスは第１の端末のアドレスであり、第１のメッセージは、第２のユーザプレーンネットワーク要素の識別子及び第１のルーティングルールを含む。サービス管理ネットワーク要素が、ローカルエリアネットワークの指示情報に基づいて、第１のアドレスに関連付けられた第１の経路情報を決定する前に、方法は、以下をさらに含む。サービス管理ネットワーク要素は、第１のセッション管理ネットワーク要素から第２のメッセージを受信する。第２のメッセージは、第１のユーザプレーンネットワーク要素の識別子及びローカルエリアネットワークの識別子を含む。それに対応して、ローカルエリアネットワークの指示情報は、ローカルエリアネットワークの識別子である。サービス管理ネットワーク要素が、ローカルエリアネットワークの指示情報に基づいて、第１のアドレスに関連付けられた第１の経路情報を決定することは、以下を含む。サービス管理ネットワーク要素は、ローカルエリアネットワークの識別子に基づいて、第２のユーザプレーンネットワーク要素の識別子を決定する。サービス管理ネットワーク要素は、ローカルエリアネットワークの識別子、第２のユーザプレーンネットワーク要素の識別子、及び第１のユーザプレーンネットワーク要素の識別子に基づいて、第１の端末のアドレスに関連付けられた第１の経路情報を決定する。解決策によると、サービス管理ネットワーク要素は、第１のアドレスに関連付けられた第１の経路情報を決定することができる。
【０００９】
可能な設計では、第２のメッセージは、第１の端末の識別子をさらに含む。サービス管理ネットワーク要素が、第１のセッション管理ネットワーク要素から第２のメッセージを受信した後、方法は、以下をさらに含む。サービス管理ネットワーク要素は、第１の端末の識別子に対応する第１の端末のアドレスを決定する。サービス管理ネットワーク要素は、第１のユーザプレーンネットワーク要素上で、第１の端末へのルーティングを示す第２の経路情報を構成するために、第１の端末のアドレスを第１のセッション管理ネットワーク要素へ送信する。言い換えると、本出願の本実施形態において、サービス管理ネットワーク要素は、第１の端末のアドレスを決定し得る。
【００１０】
可能な設計では、第２のメッセージは、第１の端末のアドレスをさらに含む。言い換えると、本出願の本実施形態において、第１のセッション管理ネットワーク要素は、第１の端末のアドレスを決定し得る。
【００１１】
可能な設計では、サービス管理ネットワーク要素が、ローカルエリアネットワークの識別子、第２のユーザプレーンネットワーク要素の識別子、及び第１のユーザプレーンネットワーク要素の識別子に基づいて、第１の端末のアドレスに関連付けられた第１の経路情報を決定することは、以下を含む。サービス管理ネットワーク要素は、第１のユーザプレーンネットワーク要素の識別子及びローカルエリアネットワークの識別子に基づいて、第１のユーザプレーンネットワーク要素がローカルエリアネットワークへのアクセスを提供するのは初めてであると決定する。サービス管理ネットワーク要素は、ローカルエリアネットワークの識別子、第２のユーザプレーンネットワーク要素の識別子、及び第１のユーザプレーンネットワーク要素の識別子に基づいて、第１の端末のアドレスに関連付けられた第１の経路情報を割り当てる。言い換えると、本出願の本実施形態において、サービス管理ネットワーク要素は、第１の端末のアドレスに関連付けられた第１の経路情報を割り当て得る。
【００１２】
可能な設計では、サービス管理ネットワーク要素が、第１のユーザプレーンネットワーク要素がローカルエリアネットワークへのアクセスを提供するのは初めてであると決定した後、方法は、以下をさらに含む。サービス管理ネットワーク要素は、第１のユーザプレーンネットワーク要素上で第２のルーティングルールを構成するために、第１のセッション管理ネットワーク要素へ第３のメッセージを送信する。第２のルーティングルールは、ローカルエリアネットワークの指示情報、第２の端末のアドレス、及び第３の経路情報を含む。第３の経路情報は、第１のユーザプレーンネットワーク要素によって、その宛先アドレスが第２の端末のアドレスであるデータを、第２のユーザプレーンネットワーク要素へルーティングするために使用される。第２の端末は、第２のユーザプレーンネットワーク要素がローカルエリアネットワークへのアクセスを提供する先の端末である。解決策によると、第１のユーザプレーンネットワーク要素は、第２のルーティングルールに従って、その宛先アドレスが第２の端末のアドレスであるデータを、第２のユーザプレーンネットワーク要素へルーティングすることができる。従って、セッション管理ネットワーク要素にわたるプライベート通信が、ローカルエリアネットワークサービス用に実装されることが可能である。
【００１３】
可能な設計では、サービス管理ネットワーク要素が、ローカルエリアネットワークの識別子、第２のユーザプレーンネットワーク要素の識別子、及び第１のユーザプレーンネットワーク要素の識別子に基づいて、第１の端末のアドレスに関連付けられた第１の経路情報を決定することは、以下を含む。サービス管理ネットワーク要素は、ローカルエリアネットワークの識別子に基づいて、第１のユーザプレーンネットワーク要素がローカルエリアネットワークへのアクセスを提供するのは初めてであると決定する。サービス管理ネットワーク要素は、ローカルエリアネットワークの指示情報、第１のユーザプレーンネットワーク要素の識別子、及び第２のユーザプレーンネットワーク要素の識別子を、第１のセッション管理ネットワーク要素へ送信して、第１の経路情報を要求する。サービス管理ネットワーク要素は、第１のセッション管理ネットワーク要素から第１の経路情報を受信する。言い換えると、本出願の本実施形態において、第１のセッション管理ネットワーク要素は、第１の端末のアドレスに関連付けられた第１の経路情報を割り当て得る。
【００１４】
可能な設計では、方法は、以下をさらに含む。サービス管理ネットワーク要素は、第２のセッション管理ネットワーク要素から第３の経路情報を受信する。第３の経路情報は、第１のユーザプレーンネットワーク要素によって、その宛先アドレスが第２の端末のアドレスであるデータを、第２のユーザプレーンネットワーク要素へルーティングするために使用される。第２の端末は、第２のユーザプレーンネットワーク要素がローカルエリアネットワークへのアクセスを提供する先の端末である。サービス管理ネットワーク要素は、第１のユーザプレーンネットワーク要素上で第２のルーティングルールを構成するために、第１のセッション管理ネットワーク要素へ第３のメッセージを送信する。第２のルーティングルールは、ローカルエリアネットワークの指示情報、第２の端末のアドレス、及び第３の経路情報を含む。解決策によると、第１のユーザプレーンネットワーク要素は、第２のルーティングルールに従って、その宛先アドレスが第２の端末のアドレスであるデータを、第２のユーザプレーンネットワーク要素へルーティングすることができる。従って、セッション管理ネットワーク要素にわたるプライベート通信が、ローカルエリアネットワークサービス用に実装されることが可能である。
【００１５】
可能な設計では、第１のアドレスは、第２のユーザプレーンネットワーク要素によってマッチングできる経路情報がないデータに対応する宛先アドレスである。第１のメッセージは、第１の経路情報を含む。サービス管理ネットワーク要素が、ローカルエリアネットワークの指示情報に基づいて、第１のアドレスに関連付けられた第１の経路情報を決定する前に、方法は、以下をさらに含む。サービス管理ネットワーク要素は、第２のセッション管理ネットワーク要素から第４のメッセージを受信する。第４のメッセージは、ローカルエリアネットワークの指示情報、第２のユーザプレーンネットワーク要素の指示情報、及び第１のアドレスを含む。それに対応して、サービス管理ネットワーク要素が、ローカルエリアネットワークの指示情報に基づいて、第１のアドレスに関連付けられた第１の経路情報を決定することは、以下を含む。サービス管理ネットワーク要素は、ローカルエリアネットワークの指示情報及び第１のアドレスに基づいて、第１のユーザプレーンネットワーク要素の識別子を決定する。サービス管理ネットワーク要素は、ローカルエリアネットワークの指示情報、第２のユーザプレーンネットワーク要素の指示情報、及び第１のユーザプレーンネットワーク要素の識別子に基づいて、第１のアドレスに関連付けられた第１の経路情報を決定する。解決策によると、サービス管理ネットワーク要素は、第１のアドレスに関連付けられた第１の経路情報を決定することができる。
【００１６】
可能な設計では、第２のユーザプレーンネットワーク要素の指示情報は第２のアドレスであり、第２のアドレスは、第２のユーザプレーンネットワーク要素によってマッチングできる経路情報がないデータに対応するソースアドレスである。サービス管理ネットワーク要素が、第２のセッション管理ネットワーク要素から第４のメッセージを受信した後、方法は、以下をさらに含む。サービス管理ネットワーク要素は、第１のユーザプレーンネットワーク要素上で第３のルーティングルールを構成するために、第１のセッション管理ネットワーク要素へ第５のメッセージを送信する。第５のメッセージは、ローカルエリアネットワークの指示情報、第２のアドレス、第１のユーザプレーンネットワーク要素の識別子、及び第４の経路情報を含む。第３のルーティングルールは、ローカルエリアネットワークの指示情報、第２のアドレス、及び第４の経路情報を含む。第４の経路情報は、第１のユーザプレーンネットワーク要素によって、その宛先アドレスが第２のアドレスであるデータを、第２のユーザプレーンネットワーク要素へルーティングするために使用される。解決策によると、第１のユーザプレーンネットワーク要素は、第３のルーティングルールに従って、その宛先アドレスが第２のアドレスであるデータを、第２のユーザプレーンネットワーク要素へルーティングすることができる。従って、セッション管理ネットワーク要素にわたるプライベート通信が、ローカルエリアネットワークサービス用に実装されることが可能である。
【００１７】
可能な設計では、方法は、以下をさらに含む。サービス管理ネットワーク要素は、第２のセッション管理ネットワーク要素から第６のメッセージを受信する。第６のメッセージは、ローカルエリアネットワークの指示情報、第２のユーザプレーンネットワーク要素の識別子、及び第１のアドレスを含み、ローカルエリアネットワークの指示情報、第１のアドレス、及び第２のユーザプレーンネットワーク要素の識別子に関連付けられた経路情報の更新をキャンセルするために使用される。サービス管理ネットワーク要素は、第６のメッセージに基づいて、第２のセッション管理ネットワーク要素へ、ローカルエリアネットワークの指示情報、第１のアドレス、及び第２のユーザプレーンネットワーク要素の識別子に関連付けられた経路情報を送信することを停止する。解決策によると、ローカルエリアネットワークの指示情報、第１のアドレス、及び第２のユーザプレーンネットワーク要素の識別子に関連付けられた経路情報の更新がキャンセルされることが可能である。
【００１８】
第２の態様によると、ローカルエリアネットワーク通信方法が提供される。この方法は、以下を含む。第２のセッション管理ネットワーク要素が、サービス管理ネットワーク要素から第１のメッセージを受信する。第２のセッション管理ネットワーク要素は、第１のメッセージに基づいて、第２のユーザプレーンネットワーク要素上で第１のルーティングルールを構成するために、第２のユーザプレーンネットワーク要素へ第１のルーティングルールを送信する。第１のルーティングルールは、ローカルエリアネットワークの指示情報、第１のアドレス、及び第１のアドレスに関連付けられた第１の経路情報を含む。第１の経路情報は、第２のユーザプレーンネットワーク要素によって、その宛先アドレスが第１のアドレスであるデータを、第１のユーザプレーンネットワーク要素へルーティングするために使用される。第１のユーザプレーンネットワーク要素は、第１のアドレスに対応する端末に、ローカルエリアネットワークへのアクセスを提供する。解決策によると、第２のユーザプレーンネットワーク要素は、第１のルーティングルールに従って、その宛先アドレスが第１のアドレスであるデータを、第１のユーザプレーンネットワーク要素へルーティングすることができる。従って、セッション管理ネットワーク要素にわたるプライベート通信が、ローカルエリアネットワークサービス用に実装されることが可能である。
【００１９】
可能な設計では、第２のセッション管理ネットワーク要素が、サービス管理ネットワーク要素から第１のメッセージを受信する前に、方法は、以下をさらに含む。第２のセッション管理ネットワーク要素は、第２のユーザプレーンネットワーク要素から、第１のアドレス報告を受信する。第１のアドレス報告は、ローカルエリアネットワークの指示情報及び第１のアドレスを含む。代替として、第１のアドレス報告は、ローカルエリアネットワークの指示情報、第１のアドレス、及び第２のアドレスを含む。第１のアドレスは、第２のユーザプレーンネットワーク要素によってマッチングできる経路情報がないデータに対応する宛先アドレスである。第２のアドレスは、第２のユーザプレーンネットワーク要素によってマッチングできる経路情報がないデータに対応するソースアドレスである。第２のセッション管理ネットワーク要素は、サービス管理ネットワーク要素へ第４のメッセージを送信する。第４のメッセージは、ローカルエリアネットワークの指示情報、第２のユーザプレーンネットワーク要素の指示情報、及び第１のアドレスを含み、第１のアドレスに関連付けられた第１の経路情報を決定するために使用される。言い換えると、本出願の本実施形態において、サービス管理ネットワーク要素は、第１のアドレスに関連付けられた第１の経路情報を決定し得る。
【００２０】
可能な設計では、方法は、以下をさらに含む。第２のセッション管理ネットワーク要素は、第２のユーザプレーンネットワーク要素から、第２のアドレス報告を受信する。第２のアドレス報告は、ローカルエリアネットワークの指示情報及び第１のアドレスを含む。第２のアドレス報告は、第２のユーザプレーンネットワーク要素が、第１のアドレスに関連付けられたデータを、予め設定された時間内に検出しなかったときにトリガされる。第２のセッション管理ネットワーク要素は、サービス管理ネットワーク要素へ第６のメッセージを送信する。第６のメッセージは、ローカルエリアネットワークの指示情報、第２のユーザプレーンネットワーク要素の識別子、及び第１のアドレスを含み、ローカルエリアネットワークの指示情報、第２のユーザプレーンネットワーク要素の識別子、及び第１のアドレスに関連付けられた経路情報の更新をキャンセルするために使用される。解決策によると、ローカルエリアネットワークの指示情報、第２のユーザプレーンネットワーク要素の識別子、及び第１のアドレスに関連付けられた経路情報の更新は、キャンセルされることが可能である。
【００２１】
可能な設計では、方法は、以下をさらに含む。第２のセッション管理ネットワーク要素は、サービス管理ネットワーク要素へ第７のメッセージを送信する。第７のメッセージは、ローカルエリアネットワークの識別子、第２のアドレス、第２のセッション管理ネットワーク要素の識別子、及び第２のユーザプレーンネットワーク要素の識別子を含み、ローカルエリアネットワークに接続された端末についての情報を更新するために使用される。
【００２２】
可能な設計では、第２のセッション管理ネットワーク要素が、サービス管理ネットワーク要素から第１のメッセージを受信した後、方法は、以下をさらに含む。第２のセッション管理ネットワーク要素は、第１の経路情報に対応する第３の経路情報が、第２のユーザプレーンネットワーク要素上に存在しないと決定する。第３の経路情報は、第１のユーザプレーンネットワーク要素によって、その宛先アドレスが第２の端末のアドレスであるデータを、第２のユーザプレーンネットワーク要素へルーティングするために使用される。第２の端末は、第２のユーザプレーンネットワーク要素がローカルエリアネットワークへのアクセスを提供する先の端末である。第２のセッション管理ネットワーク要素は、第３の経路情報を、サービス管理ネットワーク要素へ送信する。解決策によると、サービス管理ネットワーク要素は、第３の経路情報を取得することができる。
【００２３】
第３の態様によると、ローカルエリアネットワーク通信方法が提供される。この方法は、以下を含む。第１のセッション管理ネットワーク要素が、第１の端末のアドレスに関連付けられた第１の経路情報を決定する。第１の経路情報は、第２のユーザプレーンネットワーク要素によって、その宛先アドレスが第１の端末のアドレスであるデータを、第１のユーザプレーンネットワーク要素へルーティングするために使用される。第１のユーザプレーンネットワーク要素は、ローカルエリアネットワークへのアクセスを第１の端末に提供する。第１のセッション管理ネットワーク要素は、第２のユーザプレーンネットワーク要素上で第１のルーティングルールを構成するために、第２のセッション管理ネットワーク要素へ第１のメッセージを送信する。第１のルーティングルールは、ローカルエリアネットワークの指示情報、第１の端末のアドレス、及び第１の経路情報を含む。解決策によると、第２のユーザプレーンネットワーク要素は、第１のルーティングルールに従って、その宛先アドレスが第１の端末のアドレスであるデータを、第１のユーザプレーンネットワーク要素へルーティングすることができる。従って、セッション管理ネットワーク要素にわたるプライベート通信が、ローカルエリアネットワークサービス用に実装されることが可能である。
【００２４】
可能な設計では、第１のセッション管理ネットワーク要素が、第１の端末のアドレスに関連付けられた第１の経路情報を決定する前に、方法は、以下をさらに含む。第１のセッション管理ネットワーク要素は、サービス管理ネットワーク要素から第２のメッセージを受信する。第２のメッセージは、第２のユーザプレーンネットワーク要素の識別子を含む。それに対応して、第１のセッション管理ネットワーク要素が、第１の端末のアドレスに関連付けられた第１の経路情報を決定することは、以下を含む。第１のセッション管理ネットワーク要素は、ローカルエリアネットワークの指示情報、第１のユーザプレーンネットワーク要素の識別子、及び第２のユーザプレーンネットワーク要素の識別子に基づいて、第１の端末のアドレスに関連付けられた第１の経路情報を決定する。解決策によると、第１のセッション管理ネットワーク要素は、第１の端末のアドレスに関連付けられた第１の経路情報を決定することができる。
【００２５】
可能な設計では、第１のセッション管理ネットワーク要素が、ローカルエリアネットワークの指示情報、第１のユーザプレーンネットワーク要素の識別子、及び第２のユーザプレーンネットワーク要素の識別子に基づいて、第１の端末のアドレスに関連付けられた第１の経路情報を決定することは、以下を含む。第１のセッション管理ネットワーク要素は、ローカルエリアネットワークの指示情報及び第１のユーザプレーンネットワーク要素の識別子に基づいて、第１のユーザプレーンネットワーク要素がローカルエリアネットワークへのアクセスを提供するのは初めてであると決定する。第１のセッション管理ネットワーク要素は、ローカルエリアネットワークの指示情報、第１のユーザプレーンネットワーク要素の識別子、及び第２のユーザプレーンネットワーク要素の識別子に基づいて、第１の端末のアドレスに関連付けられた第１の経路情報を割り当てる。言い換えると、本出願の本実施形態において、第１のユーザプレーンネットワーク要素がローカルエリアネットワークへのアクセスを提供するのは初めてであるとき、第１のセッション管理ネットワーク要素は、第１の端末のアドレスに関連付けられた第１の経路情報を割り当て得る。
【００２６】
可能な設計では、第２のメッセージは、第２の端末のアドレスをさらに含む。第２の端末は、第２のユーザプレーンネットワーク要素がローカルエリアネットワークへのアクセスを提供する先の端末である。方法は、以下をさらに含む。第１のセッション管理ネットワーク要素は、第２のセッション管理ネットワーク要素から、第２の端末のアドレスに関連付けられた第３の経路情報を受信する。第３の経路情報は、第１のユーザプレーンネットワーク要素によって、その宛先アドレスが第２の端末のアドレスであるデータを、第２のユーザプレーンネットワーク要素へルーティングするために使用される。第１のセッション管理ネットワーク要素は、第１のユーザプレーンネットワーク要素上で第２のルーティングルールを構成するための第２のルーティングルールを、第１のユーザプレーンネットワーク要素へ送信する。第２のルーティングルールは、ローカルエリアネットワークの指示情報、第２の端末のアドレス、及び第３の経路情報を含む。解決策によると、第１のユーザプレーンネットワーク要素は、第２のルーティングルールに従って、その宛先アドレスが第２の端末のアドレスであるデータを、第２のユーザプレーンネットワーク要素へルーティングすることができる。従って、セッション管理ネットワーク要素にわたるプライベート通信が、ローカルエリアネットワークサービス用に実装されることが可能である。
【００２７】
可能な設計では、方法は、以下をさらに含む。第１のセッション管理ネットワーク要素は、サービス管理ネットワーク要素へ第３のメッセージを送信する。第３のメッセージは、第１の端末の識別子又は第１の端末のアドレス、第１のセッション管理ネットワーク要素の識別子、第１のユーザプレーンネットワーク要素の識別子、及びローカルエリアネットワークの識別子を含み、ローカルエリアネットワークに接続された端末についての情報を更新するために使用される。
【００２８】
第４の態様によると、サービス管理ネットワーク要素が提供される。サービス管理ネットワーク要素は、第１の態様における方法を実装する機能を有する。機能は、ハードウェアを使用することによって実装され得るか、又は対応するソフトウェアを実行するハードウェアを使用することによって実装され得る。ハードウェア又はソフトウェアは、上記の機能に対応する１つ又は複数のモジュールを含む。
【００２９】
第５の態様によると、プロセッサ及びメモリを含むサービス管理ネットワーク要素が提供される。メモリは、コンピュータ実行可能命令を記憶するように構成される。サービス管理ネットワーク要素が稼動するとき、プロセッサは、メモリに記憶されたコンピュータ実行可能命令を実行し、そうすることによって、サービス管理ネットワーク要素は、第１の態様の可能な設計のうちのいずれか１つによるローカルエリアネットワーク通信方法を実施する。
【００３０】
第６の態様によると、プロセッサを含むサービス管理ネットワーク要素が提供される。プロセッサは、メモリに結合され、メモリの中の命令を読み取った後、命令に従って、第１の態様の可能な設計のうちのいずれか１つによるローカルエリアネットワーク通信方法を実施するように構成される。
【００３１】
第７の態様によると、コンピュータ可読記憶媒体が提供される。コンピュータ可読記憶媒体は命令を記憶し、命令がコンピュータ上で稼動されるとき、コンピュータは、第１の態様の可能な設計のうちのいずれか１つによるローカルエリアネットワーク通信方法を実施することを可能にされる。
【００３２】
第８の態様によると、命令を含むコンピュータプログラム製品が提供される。コンピュータプログラム製品がコンピュータ上で稼動するとき、コンピュータは、第１の態様の可能な設計のうちのいずれか１つによるローカルエリアネットワーク通信方法を実施することを可能にされる。
【００３３】
第９の態様によると、装置（例えば、装置はチップシステムであってよい）が提供される。装置は、サービス管理ネットワーク要素が、第１の態様における機能を実装する、例えば、ローカルエリアネットワークの指示情報に基づいて、第１のアドレスに関連付けられた第１の経路情報を決定するのをサポートするように構成されたプロセッサを含む。可能な設計では、装置は、メモリをさらに含む。メモリは、サービス管理ネットワーク要素に必要なプログラム命令及びデータを記憶するように構成される。装置がチップシステムであるとき、チップシステムは、チップを含んでよいか、又はチップ及び別の個別デバイスを含んでよい。
【００３４】
第４の態様から第９の態様のいずれかの設計によってもたらされる技術的効果については、第１の態様の異なる設計によってもたらされる技術的効果を参照されたい。詳細は、本明細書で再び説明されない。
【００３５】
第１０の態様によると、第２のセッション管理ネットワーク要素が提供される。第２のセッション管理ネットワーク要素は、第２の態様における方法を実装する機能を有する。機能は、ハードウェアを使用することによって実装され得るか、又は対応するソフトウェアを実行するハードウェアを使用することによって実装され得る。ハードウェア又はソフトウェアは、上記の機能に対応する１つ又は複数のモジュールを含む。
【００３６】
第１１の態様によると、プロセッサ及びメモリを含む第２のセッション管理ネットワーク要素が提供される。メモリは、コンピュータ実行可能命令を記憶するように構成される。第２のセッション管理ネットワーク要素が稼動するとき、プロセッサは、メモリに記憶されたコンピュータ実行可能命令を実行し、そうすることによって、第２のセッション管理ネットワーク要素は、第２の態様の可能な設計のうちのいずれか１つによるローカルエリアネットワーク通信方法を実施する。
【００３７】
第１２の態様によると、プロセッサを含む第２のセッション管理ネットワーク要素が提供される。プロセッサは、メモリに結合され、メモリの中の命令を読み取った後、命令に従って、第２の態様の可能な設計のうちのいずれか１つによるローカルエリアネットワーク通信方法を実施するように構成される。
【００３８】
第１３の態様によると、コンピュータ可読記憶媒体が提供される。コンピュータ可読記憶媒体は命令を記憶し、命令がコンピュータ上で稼動されるとき、コンピュータは、第２の態様の可能な設計のうちのいずれか１つによるローカルエリアネットワーク通信方法を実施することを可能にされる。
【００３９】
第１４の態様によると、命令を含むコンピュータプログラム製品が提供される。コンピュータプログラム製品がコンピュータ上で稼動するとき、コンピュータは、第２の態様の可能な設計のうちのいずれか１つによるローカルエリアネットワーク通信方法を実施することを可能にされる。
【００４０】
第１５の態様によると、装置（例えば、装置はチップシステムであってよい）が提供される。装置は、第２のセッション管理ネットワーク要素が、第２の態様における機能を実装するのを、例えば、第２の経路情報に対応する第３の経路情報が、第２のユーザプレーンネットワーク要素上に存在しないと決定するのをサポートするように構成されたプロセッサを含む。可能な設計では、装置は、メモリをさらに含む。メモリは、第２のセッション管理ネットワーク要素に必要なプログラム命令及びデータを記憶するように構成される。装置がチップシステムであるとき、チップシステムは、チップを含んでよいか、又はチップ及び別の個別デバイスを含んでよい。
【００４１】
第１０の態様から第１５の態様のいずれかの設計によってもたらされる技術的効果については、第２の態様の異なる設計によってもたらされる技術的効果を参照されたい。詳細は、本明細書で再び説明されない。
【００４２】
第１６の態様によると、第１のセッション管理ネットワーク要素が提供される。第１のセッション管理ネットワーク要素は、第３の態様における方法を実装する機能を有する。機能は、ハードウェアを使用することによって実装され得るか、又は対応するソフトウェアを実行するハードウェアを使用することによって実装され得る。ハードウェア又はソフトウェアは、上記の機能に対応する１つ又は複数のモジュールを含む。
【００４３】
第１７の態様によると、プロセッサ及びメモリを含む第１のセッション管理ネットワーク要素が提供される。メモリは、コンピュータ実行可能命令を記憶するように構成され、第１のセッション管理ネットワーク要素が稼動するとき、プロセッサは、メモリに記憶されたコンピュータ実行可能命令を実行し、そうすることによって、第１のセッション管理ネットワーク要素は、第３の態様の可能な設計のうちのいずれか１つによるローカルエリアネットワーク通信方法を実施する。
【００４４】
第１８の態様によると、プロセッサを含む第１のセッション管理ネットワーク要素が提供される。プロセッサは、メモリに結合され、メモリの中の命令を読み取った後、命令に従って、第３の態様の可能な設計のうちのいずれか１つによるローカルエリアネットワーク通信方法を実施するように構成される。
【００４５】
第１９の態様によると、コンピュータ可読記憶媒体が提供される。コンピュータ可読記憶媒体は命令を記憶し、命令がコンピュータ上で稼動されるとき、コンピュータは、第３の態様の可能な設計のうちのいずれか１つによるローカルエリアネットワーク通信方法を実施することを可能にされる。
【００４６】
第２０の態様によると、命令を含むコンピュータプログラム製品が提供される。コンピュータプログラム製品がコンピュータ上で稼動するとき、コンピュータは、第３の態様の可能な設計のうちのいずれか１つによるローカルエリアネットワーク通信方法を実施することを可能にされる。
【００４７】
第２１の態様によると、装置（例えば、装置はチップシステムであってよい）が提供される。装置は、第１のセッション管理ネットワーク要素が、第３の態様における機能を実装するのを、例えば、第１の端末のアドレスに関連付けられた第１の経路情報を決定するのをサポートするように構成されたプロセッサを含む。可能な設計では、装置は、メモリをさらに含む。メモリは、第１のセッション管理ネットワーク要素に必要なプログラム命令及びデータを記憶するように構成される。装置がチップシステムであるとき、チップシステムは、チップを含んでよいか、又はチップ及び別の個別デバイスを含んでよい。
【００４８】
第１６の態様から第２１の態様のいずれかの設計によってもたらされる技術的効果については、第３の態様の異なる設計によってもたらされる技術的効果を参照されたい。詳細は、本明細書で再び説明されない。
【００４９】
第２２の態様によると、通信システムが提供される。通信システムは、サービス管理ネットワーク要素及び第２のセッション管理ネットワーク要素を含む。サービス管理ネットワーク要素は、ローカルエリアネットワークの指示情報に基づいて、第１のアドレスに関連付けられた第１の経路情報を決定し、第２のセッション管理ネットワーク要素へ第１のメッセージを送信するように構成される。第１の経路情報は、第２のユーザプレーンネットワーク要素によって、その宛先アドレスが第１のアドレスであるデータを、第１のユーザプレーンネットワーク要素へルーティングするために使用される。第１のユーザプレーンネットワーク要素は、第１のアドレスに対応する端末に、ローカルエリアネットワークへのアクセスを提供する。第２のセッション管理ネットワーク要素は、サービス管理ネットワーク要素から第１のメッセージを受信し、第１のメッセージに基づいて、第２のユーザプレーンネットワーク要素上で第１のルーティングルールを構成するために、第１のルーティングルールを、第２のユーザプレーンネットワーク要素へ送信するように構成される。第１のルーティングルールは、ローカルエリアネットワークの指示情報、第１のアドレス、及び第１の経路情報を含む。
【００５０】
可能な設計では、第１のアドレスは第１の端末のアドレスであり、第１のアドレスに対応する端末は第１の端末であり、第１のメッセージは、第２のユーザプレーンネットワーク要素の識別子及び第１のルーティングルールを含む。通信システムは、第１のセッション管理ネットワーク要素をさらに含む。第１のセッション管理ネットワーク要素は、サービス管理ネットワーク要素へ第２のメッセージを送信するように構成される。第２のメッセージは、第１のユーザプレーンネットワーク要素の識別子及びローカルエリアネットワークの識別子を含む。それに対応して、ローカルエリアネットワークの指示情報は、ローカルエリアネットワークの識別子である。サービス管理ネットワーク要素が、ローカルエリアネットワークの指示情報に基づいて、第１のアドレスに関連付けられた第１の経路情報を決定するように構成されることは、以下を含む。サービス管理ネットワーク要素は、ローカルエリアネットワークの識別子に基づいて、第２のユーザプレーンネットワーク要素の識別子を決定し、ローカルエリアネットワークの識別子、第２のユーザプレーンネットワーク要素の識別子、及び第１のユーザプレーンネットワーク要素の識別子に基づいて、第１の端末のアドレスに関連付けられた第１の経路情報を決定するように構成される。
【００５１】
可能な設計では、サービス管理ネットワーク要素は、第１のユーザプレーンネットワーク要素の識別子及びローカルエリアネットワークの識別子に基づいて、第１のユーザプレーンネットワーク要素がローカルエリアネットワークへのアクセスを提供するのは初めてであると決定した後、第１のセッション管理ネットワーク要素へ第３のメッセージを送信するようにさらに構成される。第１のセッション管理ネットワーク要素は、サービス管理ネットワーク要素から第３のメッセージを受信し、第３のメッセージに基づいて、第１のユーザプレーンネットワーク要素上で第２のルーティングルールを構成するために、第１のユーザプレーンネットワーク要素へ第２のルーティングルールを送信するようにさらに構成される。第２のルーティングルールは、ローカルエリアネットワークの指示情報、第２の端末のアドレス、及び第３の経路情報を含む。第３の経路情報は、第１のユーザプレーンネットワーク要素によって、その宛先アドレスが第２の端末のアドレスであるデータを、第２のユーザプレーンネットワーク要素へルーティングするために使用される。第２の端末は、第２のユーザプレーンネットワーク要素がローカルエリアネットワークへのアクセスを提供する先の端末である。
【００５２】
可能な設計では、サービス管理ネットワーク要素が、ローカルエリアネットワークの識別子、第２のユーザプレーンネットワーク要素の識別子、及び第１のユーザプレーンネットワーク要素の識別子に基づいて、第１のアドレスに関連付けられた第１の経路情報を決定するように構成されることは、ローカルエリアネットワークの識別子に基づいて、第１のユーザプレーンネットワーク要素がローカルエリアネットワークへのアクセスを提供するのは初めてであると決定することと、ローカルエリアネットワークの指示情報、第１のユーザプレーンネットワーク要素の識別子、及び第２のユーザプレーンネットワーク要素の識別子を、第１のセッション管理ネットワーク要素へ送信することであって、第１の経路情報を要求する、送信することと、第１のセッション管理ネットワーク要素から第１の経路情報を受信することとを含む。第１のセッション管理ネットワーク要素は、ローカルエリアネットワークの指示情報、第１のユーザプレーンネットワーク要素の識別子、及び第２のユーザプレーンネットワーク要素の識別子を、サービス管理ネットワーク要素から受信し、ローカルエリアネットワークの指示情報、第１のユーザプレーンネットワーク要素の識別子、及び第２のユーザプレーンネットワーク要素の識別子に基づいて、第１の経路情報を割り当て、サービス管理ネットワーク要素へ第１の経路情報を送信するように構成される。
【００５３】
可能な設計では、第２のセッション管理ネットワーク要素は、第１の経路情報に対応する第３の経路情報が、第２のユーザプレーンネットワーク要素上に存在しないと決定し、サービス管理ネットワーク要素へ第３の経路情報を送信するようにさらに構成される。第３の経路情報は、第１のユーザプレーンネットワーク要素によって、その宛先アドレスが第２の端末のアドレスであるデータを、第２のユーザプレーンネットワーク要素へルーティングするために使用される。第２の端末は、第２のユーザプレーンネットワーク要素がローカルエリアネットワークへのアクセスを提供する先の端末である。サービス管理ネットワーク要素は、第２のセッション管理ネットワーク要素から第３の経路情報を受信し、第１のセッション管理ネットワーク要素へ第３のメッセージを送信するようにさらに構成される。第１のセッション管理ネットワーク要素は、サービス管理ネットワーク要素から第３のメッセージを受信し、第３のメッセージに基づいて、第１のユーザプレーンネットワーク要素上で第２のルーティングルールを構成するために、第１のユーザプレーンネットワーク要素へ第２のルーティングルールを送信するようにさらに構成される。第２のルーティングルールは、ローカルエリアネットワークの指示情報、第２の端末のアドレス、及び第３の経路情報を含む。
【００５４】
可能な設計では、第２のセッション管理ネットワーク要素は、第２のユーザプレーンネットワーク要素からアドレス報告を受信するようにさらに構成される。アドレス報告は、ローカルエリアネットワークの指示情報及び第１のアドレスを含む。第１のアドレスは、第２のユーザプレーンネットワーク要素によってマッチングできる経路情報がないデータに対応する宛先アドレスである。第２のセッション管理ネットワーク要素は、サービス管理ネットワーク要素へ第４のメッセージを送信するようにさらに構成される。第４のメッセージは、ローカルエリアネットワークの指示情報、第２のユーザプレーンネットワーク要素の指示情報、及び第１のアドレスを含む。サービス管理ネットワーク要素は、第２のセッション管理ネットワーク要素から第４のメッセージを受信するようにさらに構成される。それに対応して、サービス管理ネットワーク要素が、ローカルエリアネットワークの指示情報に基づいて、第１のアドレスに関連付けられた第１の経路情報を決定するように構成されることは、以下を含む。サービス管理ネットワーク要素は、ローカルエリアネットワークの指示情報及び第１のアドレスに基づいて、第１のユーザプレーンネットワーク要素の識別子を決定し、ローカルエリアネットワークの指示情報、第２のユーザプレーンネットワーク要素の指示情報、及び第１のユーザプレーンネットワーク要素の識別子に基づいて、第１のアドレスに関連付けられた第１の経路情報を決定するように構成される。
【００５５】
可能な設計では、アドレス報告は第２のアドレスをさらに含み、第２のユーザプレーンネットワーク要素の指示情報は第２のアドレスであり、第２のアドレスは、第２のユーザプレーンネットワーク要素によってマッチングできる経路情報がないデータに対応するソースアドレスである。通信システムは、第１のセッション管理ネットワーク要素をさらに含む。サービス管理ネットワーク要素は、第２のセッション管理ネットワーク要素から第４のメッセージを受信した後、第１のセッション管理ネットワーク要素へ第５のメッセージを送信するようにさらに構成される。第５のメッセージは、ローカルエリアネットワークの指示情報、第２のアドレス、第１のユーザプレーンネットワーク要素の識別子、及び第４の経路情報を含む。第４の経路情報は、第１のユーザプレーンネットワーク要素によって、その宛先アドレスが第２のアドレスであるデータを、第２のユーザプレーンネットワーク要素へルーティングするために使用される。第１のセッション管理ネットワーク要素は、サービス管理ネットワーク要素から第５のメッセージを受信し、第１のユーザプレーンネットワーク要素上で第３のルーティングルールを構成するために、第３のルーティングルールを、第１のユーザプレーンネットワーク要素へ送信するようにさらに構成される。第３のルーティングルールは、ローカルエリアネットワークの指示情報、第２のアドレス、及び第４の経路情報を含む。
【００５６】
第２２の態様のいずれかの設計によってもたらされる技術的効果については、第１の態様又は第２の態様における異なる設計によってもたらされる技術的効果を参照されたい。詳細は、本明細書で再び説明されない。
【００５７】
第２３の態様によると、通信システムが提供される。通信システムは、第１のセッション管理ネットワーク要素及び第２のセッション管理ネットワーク要素を含む。第１のセッション管理ネットワーク要素は、第１の端末のアドレスに関連付けられた第１の経路情報を決定するように構成される。第１の経路情報は、第２のユーザプレーンネットワーク要素によって、その宛先アドレスが第１の端末のアドレスであるデータを、第１のユーザプレーンネットワーク要素へルーティングするために使用される。第１のユーザプレーンネットワーク要素は、ローカルエリアネットワークへのアクセスを第１の端末に提供する。第１のセッション管理ネットワーク要素は、第２のセッション管理ネットワーク要素へ第１のメッセージを送信するようにさらに構成される。第２のセッション管理ネットワーク要素は、第１のメッセージを受信し、第２のセッション管理ネットワーク要素上に第１のルーティングルールを構成するように構成される。第１のルーティングルールは、ローカルエリアネットワークの指示情報、第１の端末のアドレス、及び第１の経路情報を含む。
【００５８】
第２３の態様のいずれかの設計によってもたらされる技術的効果については、第３の態様の異なる設計方式によってもたらされる技術的効果を参照されたい。詳細は、本明細書で再び説明されない。
【００５９】
本出願におけるこれらの態様又は他の態様は、以下の実施形態の説明においてより明らかになり、明瞭になることがある。
【図面の簡単な説明】
【００６０】
【図１】本出願の実施形態による通信システムの概略アーキテクチャ図１である。
【図２】本出願の実施形態による、５Ｇネットワーク中の通信システムのアプリケーションの概略図である。
【図３】既存の５ＧＬＡＮサービスのユーザプレーンアーキテクチャの概略図である。
【図４】本出願の実施形態による通信デバイスのハードウェア構造の概略図である。
【図５】本出願の実施形態によるローカルエリアネットワーク通信方法の概略フローチャート１である。
【図６】本出願の実施形態によるローカルエリアネットワーク通信方法の概略フローチャート２である。
【図７】本出願の実施形態によるローカルエリアネットワーク通信方法の概略フローチャート３である。
【図８】本出願の実施形態によるローカルエリアネットワーク通信方法の概略フローチャート４である。
【図９】本出願の実施形態によるサービス管理ネットワーク要素の概略構造図である。
【図１０】本出願の実施形態による第２のセッション管理ネットワーク要素の概略構造図である。
【図１１】本出願の実施形態による第１のセッション管理ネットワーク要素の概略構造図である。
【発明を実施するための形態】
【００６１】
以下は、本出願の実施形態における添付の図面を参照して、本出願の実施形態における技術的な解決策を説明する。本出願の説明において、「／」は、別段に規定されていない限り、関連付けられる事物の間の「又は」の関係を表す。例えば、Ａ／Ｂは、Ａ又はＢを表し得る。本出願における「及び／又は」という用語は、関連付けられる事物を記述するための関連付け関係のみを示し、３つの関係が存在し得ることを示す。例えば、Ａ及び／又はＢは、以下の３つのケースを示し得る。即ち、Ａのみが存在する、ＡとＢの両方が存在する、ならびにＢのみが存在する、であって、ここで、Ａ及びＢは単数又は複数であってよい。加えて、別段に規定されていない限り、本出願の記述における「複数の」は、２つ又は２つよりも多いことを意味する。「以下のうちの少なくとも１つの項目（断片）」又はその類似表現は、単数の項目（断片）又は複数の項目（断片）のどの組合せも含む、これらの項目のどの組合せも意味する。例えば、ａ、ｂ、又はｃのうちの少なくとも１つは、ａ、ｂ、ｃ、ａ及びｂ、ａ及びｃ、ｂ及びｃ、又はａ、ｂ、及びｃを示してよく、ここでａ、ｂ、及びｃは、単数又は複数であってよい。加えて、本出願の実施形態における技術的解決策の明確な説明の便宜上、本出願の実施形態では、「第１の」、「第２の」、などのような用語が、機能及び目的が基本的に同じである、同じ事物又は類似事物を区別するために使用される。「第１の」及び「第２の」などの用語は、量又は実行順を制限するものではなく、「第１の」及び「第２の」などの用語は、明確な差異を示すものではないと、当業者は理解してよい。
【００６２】
加えて、本出願の実施形態において説明されるネットワークアーキテクチャ及びサービスシナリオは、本出願の実施形態における技術的解決策をより明らかに説明することが意図され、本出願の実施形態において提供される技術的解決策に対する制限とはならない。ネットワークアーキテクチャが進化し、新たなサービスシナリオが現れると、本出願の実施形態において提供される技術的解決策は、同様の技術的問題にも適用可能であることを、当業者は学習してよい。
【００６３】
図１は、本出願の実施形態による通信システム１０を示す。通信システム１０は、サービス管理ネットワーク要素と、サービス管理ネットワーク要素と通信するセッション管理ネットワーク要素１及びセッション管理ネットワーク要素２と、セッション管理ネットワーク要素１によって管理されるユーザプレーンネットワーク要素１と、ユーザプレーンネットワーク要素１がローカルエリアネットワークへのアクセスを提供する先の端末１と、セッション管理ネットワーク要素２によって管理されるユーザプレーンネットワーク要素２と、ユーザプレーンネットワーク要素２がローカルエリアネットワークへのアクセスを提供する先の端末２及び端末３とを含む。
【００６４】
本出願の本実施形態及び以下の実施形態では、ローカルエリアネットワークへのアクセスを提供することは、ローカルエリアネットワークサービスを提供することとしても説明されることがあることに留意されたい。本明細書では概略的な説明が提供され、詳細は以下で再び説明されない。
【００６５】
図１は、ただ２つのセッション管理ネットワーク要素（即ち、セッション管理ネットワーク要素１及びセッション管理ネットワーク要素２）を例として示すことに留意されたい。当然ながら、サービス管理ネットワーク要素、例えば、セッション管理ネットワーク要素３又はセッション管理ネットワーク要素４と通信する別のセッション管理ネットワーク要素があってもよい。このことは、本出願の本実施形態において特に制限されない。
【００６６】
図１は、１つのセッション管理ネットワーク要素が１つのユーザプレーンネットワーク要素と通信する一例を使用することによってのみ説明されることに留意されたい。例えば、セッション管理ネットワーク要素１はユーザプレーンネットワーク要素１と通信し、セッション管理ネットワーク要素２はユーザプレーンネットワーク要素２と通信する。当然ながら、１つのセッション管理ネットワーク要素が、代替として、複数のユーザプレーンネットワーク要素と通信することがある。例えば、セッション管理ネットワーク要素１は、代替として、ユーザプレーンネットワーク要素３又はユーザプレーンネットワーク要素４と通信することがある。代替として、セッション管理ネットワーク要素２は、ユーザプレーンネットワーク要素５と通信することがある。このことは、本出願の本実施形態において特に制限されない。
【００６７】
図１は、ユーザプレーンネットワーク要素１がローカルエリアネットワークへのアクセスを端末１に提供し、又はユーザプレーンネットワーク要素２がローカルエリアネットワークへのアクセスを端末２及び端末３に提供する一例を使用することによってのみ説明されることに留意されたい。当然ながら、ユーザプレーンネットワーク要素１は、代替として、ローカルエリアネットワークへのアクセスを複数の端末に提供することがある。例えば、ユーザプレーンネットワーク要素１は、代替として、ローカルエリアネットワークへのアクセスを端末４又は端末５に提供することがある。代替として、ユーザプレーンネットワーク要素２は、ローカルエリアネットワークへのアクセスを１つの端末又は２つより多い端末に提供することがある。例えば、ユーザプレーンネットワーク要素２は、代替として、ローカルエリアネットワークへのアクセスを端末５に提供することがある。このことは、本出願の本実施形態において特に制限されない。
【００６８】
図１に示すネットワーク要素は、互いと通信し得るか、又は別のデバイスによる転送を通して通信し得ることに留意されたい。このことは、本出願の本実施形態において特に制限されない。
【００６９】
図１に示す通信システム１０に基づいて、端末２が第１のローカルエリアネットワークにアクセスし、サービス管理ネットワーク要素が、端末２にサービスするセッション管理ネットワーク要素２によって送信されるメッセージＡを受信すると想定する。メッセージＡは、第１のローカルエリアネットワークへのアクセスを端末２に提供するユーザプレーンネットワーク要素２の識別子と、ユーザプレーンネットワーク要素２を管理するセッション管理ネットワーク要素２の識別子と、第１のローカルエリアネットワークの識別子と、端末２の識別子又は端末２のアドレスのうちの少なくとも一方とを搬送する。次いで、サービス管理ネットワーク要素は、第１のローカルエリアネットワークについてであるとともに第１のローカルエリアネットワークの識別子に対応する指示情報と、セッション管理ネットワーク要素２の識別子と、ユーザプレーンネットワーク要素２の識別子と、端末２の識別子又は端末２のアドレスのうちの少なくとも一方との間の対応を記憶する。第１のローカルエリアネットワークの指示情報は、例えば、第１のローカルエリアネットワークの識別子又は第１のローカルエリアネットワークのラベルであってよい。第１のローカルエリアネットワークのラベルの関連する説明については、図５に示される以下の実施形態を参照されたい。詳細は、本明細書で説明されない。第１のローカルエリアネットワークの指示情報が第１のローカルエリアネットワークの識別子である場合、第１のローカルエリアネットワークの指示情報は、メッセージＡから直接取得されてよい。第１のローカルエリアネットワークの指示情報が第１のローカルエリアネットワークのラベルである場合、第１のローカルエリアネットワークの指示情報は、メッセージＡから取得されるローカルエリアネットワークの識別子に基づいて取得されてよい。このことは、本出願の本実施形態において特に制限されない。加えて、メッセージＡが端末２のアドレスを含まない場合、端末２の識別子を搬送するメッセージＡを受信した後、サービス管理ネットワーク要素は、端末２の識別子に対応する端末２のアドレスを決定し得る。具体的な決定方式については、以下の方法実施形態における説明を参照されたく、詳細は本明細書では説明されない。
【００７０】
加えて、端末３が第１のローカルエリアネットワークにアクセスし、サービス管理ネットワーク要素が、端末３にサービスするセッション管理ネットワーク要素２によって送信されるメッセージＦを受信すると想定する。メッセージＦは、第１のローカルエリアネットワークへのアクセスを端末３に提供するユーザプレーンネットワーク要素２の識別子と、ユーザプレーンネットワーク要素２を管理するセッション管理ネットワーク要素２の識別子と、第１のローカルエリアネットワークの識別子と、端末３の識別子又は端末３のアドレスのうちの少なくとも一方とを搬送する。次いで、サービス管理ネットワーク要素は、第１のローカルエリアネットワークについてであるとともに第１のローカルエリアネットワークの識別子に対応する指示情報と、セッション管理ネットワーク要素２の識別子と、ユーザプレーンネットワーク要素２の識別子と、端末３の識別子又は端末３のアドレスのうちの少なくとも一方との間の対応を記憶する。第１のローカルエリアネットワークの指示情報の関連する説明については、上記の説明を参照されたい。詳細は、本明細書で再び説明されない。
【００７１】
端末２及び端末３が第１のローカルエリアネットワークにアクセスした後で、端末１が、第１のローカルエリアネットワークにアクセスする場合、サービス管理ネットワーク要素は、端末１にサービスするセッション管理ネットワーク要素１によって送信されるメッセージＢを受信する。メッセージＢは、第１のローカルエリアネットワークへのアクセスを端末１に提供するユーザプレーンネットワーク要素１の識別子と、ユーザプレーンネットワーク要素１を管理するセッション管理ネットワーク要素１の識別子と、第１のローカルエリアネットワークの識別子と、端末１の識別子又は端末１のアドレスのうちの少なくとも一方とを搬送する。次いで、サービス管理ネットワーク要素は、第１のローカルエリアネットワークについてであるとともに第１のローカルエリアネットワークの識別子に対応する指示情報と、セッション管理ネットワーク要素１の識別子と、ユーザプレーンネットワーク要素１の識別子と、端末１の識別子又は端末１のアドレスのうちの少なくとも一方との間の対応を記憶する。第１のローカルエリアネットワークの指示情報の関連する説明については、上記の説明を参照されたい。詳細は、本明細書で再び説明されない。加えて、メッセージＢが端末１のアドレスを含まない場合、端末１の識別子を搬送するメッセージＢを受信した後、サービス管理ネットワーク要素は、端末１の識別子に対応する端末１のアドレスを決定し得る。具体的な決定方式については、以下の方法実施形態における説明を参照されたく、詳細は本明細書で説明されない。
【００７２】
上記のシナリオに基づいて、ケース１からケース４における以下の４つのローカルエリアネットワーク通信方法が、ローカルエリアネットワークサービス用のセッション管理ネットワーク要素にわたるプライベート通信を実装するために、例として提供される。
【００７３】
ケース１：セッションを作成若しくは更新する処理又は別の処理において、サービス管理ネットワーク要素は、ローカルエリアネットワーク用のトポロジー管理及びユーザプレーン経路管理を提供し得る。加えて、サービス管理ネットワーク要素は経路情報を割り当てる。
【００７４】
具体的には、サービス管理ネットワーク要素がメッセージＢを受信した後、サービス管理ネットワーク要素は、メッセージＢの中の、第１のローカルエリアネットワークの指示情報に基づいて、及びローカルエリアネットワークの指示情報と、セッション管理ネットワーク要素の識別子と、ユーザプレーンネットワーク要素の識別子と、１つ若しくは複数の端末の識別子又は１つ若しくは複数の端末のアドレスのうちの少なくとも一方との間の、１つ又は複数の端末が第１のローカルエリアネットワークにアクセスするときにサービス管理ネットワーク要素によって記憶された対応を参照して、別のユーザプレーンネットワーク要素が現在、第１のローカルエリアネットワークへのアクセスを別の端末に提供するかどうかを決定し得る。別のユーザプレーンネットワーク要素が現在、第１のローカルエリアネットワークへのアクセスを別の端末に提供する場合、サービス管理ネットワーク要素は、第１のローカルエリアネットワークの指示情報、別のユーザプレーンネットワーク要素の識別子、及びユーザプレーンネットワーク要素１の識別子に基づいて、第１の方向での対応する経路情報を取得し得る。第１の方向での経路情報は、別のユーザプレーンネットワーク要素によって、その宛先アドレスが端末１のアドレスであるデータを、ユーザプレーンネットワーク要素１へルーティングするために使用される。例えば、上記のシナリオを参照すると、この場合、サービス管理ネットワーク要素は、ユーザプレーンネットワーク要素２が、第１のローカルエリアネットワークへのアクセスを端末２及び端末３に提供すると決定し得る。次いで、サービス管理ネットワーク要素は、第１のローカルエリアネットワークの指示情報、ユーザプレーンネットワーク要素２の識別子、及びユーザプレーンネットワーク要素１の識別子に基づいて、経路情報２を取得し得る。経路情報２は、ユーザプレーンネットワーク要素２によって、その宛先アドレスが端末１のアドレスであるデータを、ユーザプレーンネットワーク要素１へルーティングするために使用される。例えば、サービス管理ネットワーク要素は、経路情報２を、以下のようにして取得し得る。ユーザプレーンネットワーク要素１が、第１のローカルエリアネットワークへのアクセスを端末１又は任意の他の端末に対しても提供するのが初めてであるとき、サービス管理ネットワーク要素は、第１のローカルエリアネットワークの指示情報、ユーザプレーンネットワーク要素２の識別子、及びユーザプレーンネットワーク要素１の識別子に基づいて、経路情報２を割り当てる。サービス管理ネットワーク要素が経路情報２を割り当てた後、任意選択で、サービス管理ネットワーク要素は、第１のローカルエリアネットワークの指示情報と、ソースユーザプレーンネットワーク要素（本明細書ではユーザプレーンネットワーク要素２である）の識別子と、ターゲットユーザプレーンネットワーク要素（本明細書ではユーザプレーンネットワーク要素１である）の識別子と、経路情報２との間の対応を記憶してよい。代替として、ユーザプレーンネットワーク要素１が、第１のローカルエリアネットワークへのアクセスを端末１又は任意の他の端末に対しても提供するのが初めてではないとき、サービス管理ネットワーク要素は、ユーザプレーンネットワーク要素１の識別子、ユーザプレーンネットワーク要素２の識別子、及び第１のローカルエリアネットワークの指示情報に基づいて、第１のローカルエリアネットワークの指示情報と、ソースユーザプレーンネットワーク要素の識別子と、ターゲットユーザプレーンネットワーク要素の識別子と、経路情報との間の記憶された対応を問い合わせ、対応する経路情報２を決定してよい。このことは、本出願の本実施形態において特に制限されない。
【００７５】
さらに、サービス管理ネットワーク要素が、第１の方向での対応する経路情報を決定した後、サービス管理ネットワーク要素は、対応するセッション管理ネットワーク要素へ、対応するユーザプレーンネットワーク要素の識別子と、第１の方向での経路情報に関連した情報とを送信し得る。次いで、セッション管理ネットワーク要素は、ユーザプレーンネットワーク要素の識別子に対応するユーザプレーンネットワーク要素へ、ユーザプレーンネットワーク要素上で、第１の方向での経路情報に関連した情報を構成するために、第１の方向での経路情報に関連した情報を送信する。例えば、上記のシナリオを参照すると、経路情報２を取得した後、サービス管理ネットワーク要素は、ルーティングルール２と、ユーザプレーンネットワーク要素２の識別子とを、ユーザプレーンネットワーク要素２を管理するセッション管理ネットワーク要素２へ送信し得る。次いで、セッション管理ネットワーク要素２は、ユーザプレーンネットワーク要素２の識別子に基づいて、ユーザプレーンネットワーク要素２上でルーティングルール２を構成するために、ルーティングルール２を、対応するユーザプレーンネットワーク要素２へ送信し得る。ルーティングルール２は、第１のローカルエリアネットワークの指示情報、端末１のアドレス、及び経路情報２を含む。このようにして、その宛先アドレスが端末１のアドレスであるデータを受信した後、ユーザプレーンネットワーク要素２は、ルーティングルール２に従って、ユーザプレーンネットワーク要素１へデータをルーティングしてよい。次いで、ユーザプレーンネットワーク要素１は、対応するアクセスデバイスを通して、端末１へデータをルーティングする。このことは、本出願の本実施形態において特に制限されない。
【００７６】
任意選択で、上記のシナリオでは、ユーザプレーンネットワーク要素１が、第１のローカルエリアネットワークへのアクセスを端末１又は任意の他の端末に対しても提供するのが初めてであると想定される。この場合、別のユーザプレーンネットワーク要素が現在、第１のローカルエリアネットワークへのアクセスを別の端末に提供すると決定した後、サービス管理ネットワーク要素は、第１のローカルエリアネットワークの指示情報、別のユーザプレーンネットワーク要素の識別子、及びユーザプレーンネットワーク要素１の識別子に基づいて、第２の方向にあるとともに、第１の方向での経路情報に対応する経路情報をさらに割り当て得る。第２の方向での経路情報は、ユーザプレーンネットワーク要素１によって、対応するユーザプレーンネットワーク要素へ、その宛先アドレスが別の端末のアドレスであるデータをルーティングするために使用される。本明細書での別の端末は、対応するユーザプレーンネットワーク要素が第１のローカルエリアネットワークへのアクセスを提供する先の端末である。例えば、上記のシナリオを参照すると、この場合、サービス管理ネットワーク要素は、ユーザプレーンネットワーク要素２が、第１のローカルエリアネットワークへのアクセスを端末２及び端末３に提供すると決定し得る。次いで、サービス管理ネットワーク要素は、第１のローカルエリアネットワークの指示情報、ユーザプレーンネットワーク要素２の識別子、及びユーザプレーンネットワーク要素１の識別子に基づいて、経路情報１を割り当て得る。経路情報１は、ユーザプレーンネットワーク要素１によって、その宛先アドレスが端末２のアドレス又は端末３のアドレスであるデータを、ユーザプレーンネットワーク要素２へルーティングするために使用される。
【００７７】
さらに、サービス管理ネットワーク要素が、第２の方向での対応する経路情報を割り当てた後、サービス管理ネットワーク要素は、第２の方向での経路情報に関連した情報を、セッション管理ネットワーク要素１へ送信し得る。次いで、セッション管理ネットワーク要素１は、ユーザプレーンネットワーク要素１上で、第２の方向での経路情報に関連した情報を構成するために、第２の方向での経路情報に関連した情報を、対応するユーザプレーンネットワーク要素１へ送信する。例えば、上記のシナリオを参照すると、経路情報１を決定した後、サービス管理ネットワーク要素は、セッション管理ネットワーク要素１へルーティングルール１を送信し得る。次いで、セッション管理ネットワーク要素１は、ユーザプレーンネットワーク要素１上でルーティングルール１を構成するために、ルーティングルール１を、対応するユーザプレーンネットワーク要素１へ送信する。ルーティングルール１は、第１のローカルエリアネットワークの指示情報、端末２のアドレス、端末３のアドレス、及び経路情報１を含む。このようにして、その宛先アドレスが端末２のアドレス又は端末３のアドレスであるデータを受信した後、ユーザプレーンネットワーク要素１は、ルーティングルール１に従って、ユーザプレーンネットワーク要素２へデータをルーティングしてよい。次いで、ユーザプレーンネットワーク要素２は、対応するアクセスデバイスを通して、端末２又は端末３へデータをルーティングする。このことは、本出願の本実施形態において特に制限されない。
【００７８】
結論として、上記の解決策によると、セッション管理ネットワーク要素１によって管理されるユーザプレーンネットワーク要素１が第１のローカルエリアネットワークサービスを提供する先の端末１と、セッション管理ネットワーク要素２によって管理されるユーザプレーンネットワーク要素２が第１のローカルエリアネットワークサービスを提供する先の端末２又は端末３との間で、プライベート通信が実装されることが可能である。言い換えると、セッション管理ネットワーク要素にわたるプライベート通信が、ローカルエリアネットワークサービス用に実装されることが可能である。
【００７９】
ケース２：セッションを作成若しくは更新する処理又は別の処理において、サービス管理ネットワーク要素は、ローカルエリアネットワークの中の経路情報を更新しない。そうではなく、例えば、セッション処理を完了した後、セッション管理ネットワーク要素は、必要に応じて、ユーザプレーンネットワーク要素上に構成されたアドレス報告に基づいて、処理されることが可能でないデータパケットの宛先アドレスを取得し、サービス管理ネットワーク要素に対して、宛先アドレスに関連付けられた経路情報を要求し、ユーザプレーンネットワーク要素上でリアルタイムに経路情報を更新する。
【００８０】
具体的には、ユーザプレーンネットワーク要素上に報告ルールが構成され得る。報告ルールは、以下の通りであり得る。ユーザプレーンネットワーク要素が、第１のローカルエリアネットワークへ送信されたデータを検出し、データをユーザプレーン経路情報とマッチングさせるのに失敗したとき、ユーザプレーンネットワーク要素は、対応するセッション管理ネットワーク要素へ、データに対応する宛先アドレス及びソースアドレス（即ち、データの受信機アドレス及び送信機アドレス）ならびに第１のローカルエリアネットワークの識別子などのデータ記述情報を報告する。
【００８１】
さらに、端末１が端末２へデータを送信すると想定すると、ユーザプレーンネットワーク要素１が、その宛先アドレスが端末２のアドレスであるデータを受信した後、ユーザプレーンネットワーク要素１が、その宛先アドレスが端末２のアドレスであるデータについてのどの転送経路情報もマッチングできないことを検出しない場合、ユーザプレーンネットワーク要素１は、セッション管理ネットワーク要素１へアドレス報告を送信する。アドレス報告は、第１のローカルエリアの指示情報と、端末２のアドレス（即ち、宛先アドレス）とを含む。任意選択で、アドレス報告は、端末１のアドレス（即ち、ソースアドレス）をさらに含み得る。このことは、本出願の本実施形態において特に制限されない。
【００８２】
さらに、アドレス報告を受信した後、セッション管理ネットワーク要素１は、サービス管理ネットワーク要素に対して経路情報１を要求し得る。経路情報１は、ユーザプレーンネットワーク要素１によって、その宛先アドレスが端末２のアドレスであるデータを、第１のローカルエリアネットワークへのアクセスを端末２に提供するユーザプレーンネットワーク要素、例えば、上記のシナリオではユーザプレーンネットワーク要素２へルーティングするために使用される。例えば、セッション管理ネットワーク要素１は、サービス管理ネットワーク要素へメッセージＣを送信し得る。メッセージＣは、第１のローカルエリアネットワークの指示情報、ユーザプレーンネットワーク要素１の識別子、及び端末２のアドレスを搬送し、端末２のアドレスに関連付けられた経路情報を要求するために使用される。このようにして、メッセージＣを受信した後、サービス管理ネットワーク要素は、第１のローカルエリアネットワークの指示情報と、セッション管理ネットワーク要素２の識別子と、ユーザプレーンネットワーク要素２の識別子と、端末２の識別子又は端末２のアドレスのうちの少なくとも一方との間の、端末２が第１のローカルエリアネットワークにアクセスするときにサービス管理ネットワーク要素によって記憶された対応に基づいて、端末２のアドレスに対応する端末２に、第１のローカルエリアネットワークへのアクセスを提供するユーザプレーンネットワーク要素がユーザプレーンネットワーク要素２であると決定し得る。さらに、サービス管理ネットワーク要素は、要求された経路情報１を取得し得る。例えば、サービス管理ネットワーク要素は、要求された経路情報１を、以下のようにして取得し得る。ユーザプレーンネットワーク要素１が、第１のローカルエリアネットワークへのアクセスを端末１又は任意の他の端末に対しても提供するのが初めてであるとき、サービス管理ネットワーク要素は、第１のローカルエリアネットワークの指示情報、ユーザプレーンネットワーク要素２の識別子、及びユーザプレーンネットワーク要素１の識別子に基づいて、経路情報１を割り当てる。サービス管理ネットワーク要素が経路情報１を割り当てた後、任意選択で、サービス管理ネットワーク要素は、第１のローカルエリアネットワークの指示情報と、ソースユーザプレーンネットワーク要素（本明細書ではユーザプレーンネットワーク要素１である）の識別子と、ターゲットユーザプレーンネットワーク要素（本明細書ではユーザプレーンネットワーク要素２である）の識別子と、経路情報１との間の対応を記憶してよい。代替として、ユーザプレーンネットワーク要素１が、第１のローカルエリアネットワークへのアクセスを端末１又は任意の他の端末に対しても提供するのが初めてではないとき、サービス管理ネットワーク要素は、ユーザプレーンネットワーク要素１の識別子、ユーザプレーンネットワーク要素２の識別子、及び第１のローカルエリアネットワークの指示情報に基づいて、第１のローカルエリアネットワークの指示情報と、ソースユーザプレーンネットワーク要素の識別子と、ターゲットユーザプレーンネットワーク要素の識別子と、経路情報との間の記憶された対応を問い合わせ、対応する経路情報１を決定してよい。このことは、本出願の本実施形態において特に制限されない。
【００８３】
加えて、任意選択で、メッセージＣは、ユーザプレーンネットワーク要素１の識別子は搬送しないが、端末１のアドレスを搬送し得る。このようにして、メッセージＣを受信した後、サービス管理ネットワーク要素は、第１のローカルエリアネットワークの指示情報と、セッション管理ネットワーク要素１の識別子と、ユーザプレーンネットワーク要素１の識別子と、端末１の識別子又は端末１のアドレスのうちの少なくとも一方との間の、端末１が第１のローカルエリアネットワークにアクセスするときにサービス管理ネットワーク要素によって記憶された対応に基づいて、端末１のアドレスに対応する端末１に、第１のローカルエリアネットワークへのアクセスを提供するユーザプレーンネットワーク要素がユーザプレーンネットワーク要素１であると決定する必要がさらにある。次いで、サービス管理ネットワーク要素は、上記のようにして、経路情報１を取得する。このことは、本出願の本実施形態において特に制限されない。
【００８４】
さらに、対応する経路情報１を取得した後、サービス管理ネットワーク要素は、セッション管理ネットワーク要素１へ経路情報１を送信し得る。次いで、セッション管理ネットワーク要素１は、ユーザプレーンネットワーク要素１上でルーティングルール１を構成するために、アドレス報告を送信するユーザプレーンネットワーク要素１へルーティングルール１（即ち、経路情報１に関連した情報）を送信する。ルーティングルール１は、第１のローカルエリアネットワークの指示情報、端末２のアドレス、及び経路情報１を含む。このようにして、ユーザプレーンネットワーク要素１は、ルーティングルール１に従って、その宛先アドレスが端末２のアドレスである受信されたデータを、ユーザプレーンネットワーク要素２へルーティングし得る。次いで、ユーザプレーンネットワーク要素２は、対応するアクセスデバイスを通して、端末２へデータをルーティングする。このことは、本出願の本実施形態において特に制限されない。
【００８５】
任意選択で、上記のシナリオでは、メッセージＣが端末１のアドレスを搬送する場合、サービス管理ネットワーク要素は、経路情報２をさらに取得し得る。経路情報２は、ユーザプレーンネットワーク要素２によって、その宛先アドレスが端末１のアドレスであるデータを、第１のローカルエリアネットワークへのアクセスを端末１に提供するユーザプレーンネットワーク要素、例えば、上記のシナリオではユーザプレーンネットワーク要素１へルーティングするために使用される。サービス管理ネットワーク要素が経路情報２を取得する方式については、上記のケース１における説明を参照されたい。詳細は本明細書で再び説明されない。
【００８６】
さらに、経路情報２を取得した後、サービス管理ネットワーク要素は、ユーザプレーンネットワーク要素２を管理するセッション管理ネットワーク要素２へ、ルーティングルール２とユーザプレーンネットワーク要素１の識別子とを送信し得る。次いで、セッション管理ネットワーク要素２は、ユーザプレーンネットワーク要素２上でルーティングルール２を構成するために、ルーティングルール２を、ユーザプレーンネットワーク要素２の識別子に対応するユーザプレーンネットワーク要素２へ送信する。ルーティングルール２は、第１のローカルエリアネットワークの指示情報、端末１のアドレス、及び経路情報２を含む。このようにして、その宛先アドレスが端末１のアドレスであるデータを受信した後、ユーザプレーンネットワーク要素２は、ルーティングルール２に従って、ユーザプレーンネットワーク要素１へデータをルーティングしてよい。次いで、ユーザプレーンネットワーク要素１は、対応するアクセスデバイスを通して、端末１へデータをルーティングする。このことは、本出願の本実施形態において特に制限されない。
【００８７】
当然ながら、本出願の本実施形態において、ルーティングルール２は、ユーザプレーンネットワーク要素２上にさらに構成されなくてよい。そうではなく、アドレス報告が、ユーザプレーンネットワーク要素２上に構成される。端末２が端末１へデータを送信するとき、ユーザプレーンネットワーク要素２が、その宛先アドレスが端末１のアドレスであるデータを受信した後、ユーザプレーンネットワーク要素２が、その宛先アドレスが端末１のアドレスであるデータについてのどの転送経路情報もマッチングできないことを検出した場合、ユーザプレーンネットワーク要素２は、セッション管理ネットワーク要素２へアドレス報告を送信する。次いで、ルーティングルール２は、ユーザプレーンネットワーク要素１上でルーティングルール１を構成する上記の方式と同様の方式で、ユーザプレーンネットワーク要素２上に構成される。このことは、本出願の本実施形態において特に制限されない。
【００８８】
結論として、上記の解決策によると、セッション管理ネットワーク要素１によって管理されるユーザプレーンネットワーク要素１が第１のローカルエリアネットワークサービスを提供する先の端末１と、セッション管理ネットワーク要素２によって管理されるユーザプレーンネットワーク要素２が第１のローカルエリアネットワークサービスを提供する先の端末２との間で、プライベート通信が実装されることが可能である。言い換えると、セッション管理ネットワーク要素にわたるプライベート通信が、ローカルエリアネットワークサービス用に実装されることが可能である。
【００８９】
ケース３：セッションを作成若しくは更新する処理又は別の処理において、サービス管理ネットワーク要素は、ローカルエリアネットワーク用のトポロジー管理及びユーザプレーン経路管理を提供し得る。加えて、セッション管理ネットワーク要素は経路情報を割り当てる。
【００９０】
特定の実装は、ケース１のものと同様であり、ケース３とケース１との間の差異は、以下の通りである。
【００９１】
一態様では、ユーザプレーンネットワーク要素１が、第１のローカルエリアネットワークへのアクセスを端末１又は任意の他の端末に対しても提供するのが初めてであるとき、ケース３における、第１の方向での経路情報を取得する方式は、ケース１のものとは異なる。ケース１では、ユーザプレーンネットワーク要素１が、第１のローカルエリアネットワークへのアクセスを端末１又は任意の他の端末に対しても提供するのが初めてであるとき、サービス管理ネットワーク要素は、第１のローカルエリアネットワークの指示情報、別のユーザプレーンネットワーク要素の識別子、及びユーザプレーンネットワーク要素１の識別子に基づいて、第１の方向での経路情報を割り当てる。ケース３では、ユーザプレーンネットワーク要素１が、第１のローカルエリアネットワークへのアクセスを端末１又は任意の他の端末に対しても提供するのが初めてであるとき、サービス管理ネットワーク要素は、ユーザプレーンネットワーク要素１を管理するセッション管理ネットワーク要素１に対して、第１の方向での経路情報を要求する。例えば、サービス管理ネットワーク要素は、経路情報２を取得する。ケース１では、ユーザプレーンネットワーク要素１が、第１のローカルエリアネットワークへのアクセスを端末１又は任意の他の端末に対しても提供するのが初めてであるとき、サービス管理ネットワーク要素は、第１のローカルエリアネットワークの指示情報、ユーザプレーンネットワーク要素２の識別子、及びユーザプレーンネットワーク要素１の識別子に基づいて、経路情報２を割り当てる。しかし、ケース３では、ユーザプレーンネットワーク要素１が、第１のローカルエリアネットワークへのアクセスを端末１又は任意の他の端末に対しても提供するのが初めてであるとき、サービス管理ネットワーク要素は、ユーザプレーンネットワーク要素１を管理するセッション管理ネットワーク要素１に対して、経路情報２を要求する。セッション管理ネットワーク要素１が経路情報２を割り当てた後、セッション管理ネットワーク要素１は、経路情報２をサービス管理ネットワーク要素へ送信する。関連する実装については、図７に示される以下の実施形態を参照されたい。詳細は、本明細書で再び説明されない。
【００９２】
別の態様では、サービス管理ネットワーク要素が第２の方向での経路情報を取得する方式は、ケース１でのものとは異なる。ケース１では、ユーザプレーンネットワーク要素１が、第１のローカルエリアネットワークへのアクセスを端末１又は任意の他の端末に対しても提供するのが初めてであるとき、サービス管理ネットワーク要素は、第１のローカルエリアネットワークの指示情報、別のユーザプレーンネットワーク要素の識別子、及びユーザプレーンネットワーク要素１の識別子に基づいて、第２の方向での経路情報を割り当て、第２の方向での経路情報を、ユーザプレーンネットワーク要素１に対応するセッション管理ネットワーク要素１へ送信する。ユーザプレーンネットワーク要素１が、第１のローカルエリアネットワークへのアクセスを端末１又は任意の他の端末に対しても提供するのが初めてではないとき、サービス管理ネットワーク要素は、第２の方向での経路情報を取得する必要がない。ケース３では、サービス管理ネットワーク要素は、第１の方向での対応する経路情報を取得し、対応するユーザプレーンネットワーク要素の識別子と、第１の方向での経路情報に関連した情報とを、対応するセッション管理ネットワーク要素へ送信する。次いで、第１の方向での経路情報の各断片について、セッション管理ネットワーク要素は、第２の方向であるとともに、第１の方向での経路情報に対応する経路情報が、対応するユーザプレーンネットワーク要素上に存在しないと決定した場合、セッション管理ネットワーク要素は、第１のローカルエリアネットワークの指示情報、ユーザプレーンネットワーク要素の識別子、及びユーザプレーンネットワーク要素１の識別子に基づいて、第２の方向での対応する経路情報を割り当て、次いで、第２の方向での経路情報をサービス管理ネットワーク要素へ送信する。例えば、サービス管理ネットワーク要素は、経路情報１を取得する。ケース１では、ユーザプレーンネットワーク要素１が、第１のローカルエリアネットワークへのアクセスを端末１又は任意の他の端末に対しても提供するのが初めてであるとき、サービス管理ネットワーク要素は、第１のローカルエリアネットワークの指示情報、ユーザプレーンネットワーク要素２の識別子、及びユーザプレーンネットワーク要素１の識別子に基づいて、経路情報１を割り当て、経路情報１を、ユーザプレーンネットワーク要素１に対応するセッション管理ネットワーク要素１へ送信する。ユーザプレーンネットワーク要素１が、第１のローカルエリアネットワークへのアクセスを端末１又は任意の他の端末に対しても提供するのが初めてではないとき、サービス管理ネットワーク要素は、経路情報１を取得する必要がない。ケース３では、サービス管理ネットワーク要素は、経路情報２を決定し、ユーザプレーンネットワーク要素２の識別子と、経路情報２に関連した情報とを、ユーザプレーンネットワーク要素２を管理するセッション管理ネットワーク要素２へ送信する。次いで、経路情報２に対応する経路情報１が、対応するユーザプレーンネットワーク要素２上に存在しないとセッション管理ネットワーク要素２が決定した場合、セッション管理ネットワーク要素２は、第１のローカルエリアネットワークの指示情報、ユーザプレーンネットワーク要素２の識別子、及びユーザプレーンネットワーク要素１の識別子に基づいて、経路情報１を割り当て、次いで、経路情報１をサービス管理ネットワーク要素へ送信する。
【００９３】
関連する他の説明については、ケース１における説明を参照されたい。詳細は、本明細書で再び説明されない。
【００９４】
ケース４：サービス管理ネットワーク要素は、ローカルエリアネットワークにユーザプレーン経路管理を提供しない。そうではなく、異なるセッション管理ネットワーク要素が、経路情報を更新するために互いと交渉する。
【００９５】
具体的には、サービス管理ネットワーク要素がメッセージＢを受信した後、サービス管理ネットワーク要素は、メッセージＢの中の、第１のローカルエリアネットワークの指示情報に基づいて、及びローカルエリアネットワークの指示情報と、セッション管理ネットワーク要素の識別子と、ユーザプレーンネットワーク要素の識別子と、端末の識別子又は端末のアドレスのうちの少なくとも一方との間の、１つ又は複数の端末が第１のローカルエリアネットワークにアクセスするときにサービス管理ネットワーク要素によって記憶された対応を参照して、別のユーザプレーンネットワーク要素が現在、第１のローカルエリアネットワークへのアクセスを別の端末に提供するかどうかを決定し得る。別のユーザプレーンネットワーク要素が現在、第１のローカルエリアネットワークへのアクセスを別の端末に提供する場合、サービス管理ネットワーク要素は、セッション管理ネットワーク要素１へ、別のユーザプレーンネットワーク要素の識別子と、別のユーザプレーンネットワーク要素に対応するセッション管理ネットワーク要素の識別子と、対応する第１のローカルエリアネットワークの指示情報とを戻してよい（代替として、セッション管理ネットワーク要素１は、第１のローカルエリアネットワークの識別子を、第１のローカルエリアネットワークの指示情報として使用する）。次いで、セッション管理ネットワーク要素１は、第１のローカルエリアネットワークの指示情報、別のユーザプレーンネットワーク要素の識別子、及びユーザプレーンネットワーク要素１の識別子に基づいて、第１の方向での対応する経路情報を取得する。第１の方向での経路情報は、別のユーザプレーンネットワーク要素によって、その宛先アドレスが端末１のアドレスであるデータを、ユーザプレーンネットワーク要素１へルーティングするために使用される。さらに、セッション管理ネットワーク要素１は、別のユーザプレーンネットワーク要素に対応するセッション管理ネットワーク要素のものであるとともにサービス管理ネットワーク要素によって送信される識別子に基づいて、対応するセッション管理ネットワーク要素へメッセージＤを送信し得る。メッセージＤは、第１のローカルエリアネットワークの指示情報、端末１のアドレス、第１の方向での対応する経路情報、及び対応するユーザプレーンネットワーク要素の識別子を含む。セッション管理ネットワーク要素は、対応するユーザプレーンネットワーク要素の識別子に基づいて、ユーザプレーンネットワーク要素上で、第１の方向での経路情報に関連した情報を構成するために、第１の方向での経路情報に関連した情報（情報は、第１のローカルエリアネットワークの指示情報、端末１のアドレス、及び第１の方向での対応する経路情報を含む）を、対応するユーザプレーンネットワーク要素へ送信する。セッション管理ネットワーク要素１が第１の方向での対応する経路情報を取得する方式については、ケース１において、サービス管理ネットワーク要素が第１の方向での対応する経路情報を取得する方式を参照されたい。例えば、ケース１におけるサービス管理ネットワーク要素が、ケース４におけるセッション管理ネットワーク要素１によって置き換えられるという点で差異がある。関連する他の説明については、ケース１における説明を参照されたい。詳細について、本明細書で再び説明しない。
【００９６】
例えば、上記のシナリオを参照すると、サービス管理ネットワーク要素は、ユーザプレーンネットワーク要素２が、第１のローカルエリアネットワークへのアクセスを端末２及び端末３に提供すると決定し得る。この場合、サービス管理ネットワーク要素は、セッション管理ネットワーク要素１へ、ユーザプレーンネットワーク要素２の識別子、セッション管理ネットワーク要素２の識別子、及び第１のローカルエリアネットワークの対応する指示情報を送信する（代替として、セッション管理ネットワーク要素１は、第１のローカルエリアネットワークの識別子を、第１のローカルエリアネットワークの指示情報として使用する）。次いで、セッション管理ネットワーク要素１は、第１のローカルエリアネットワークの指示情報、ユーザプレーンネットワーク要素２の識別子、及びユーザプレーンネットワーク要素１の識別子に基づいて、経路情報２を取得する。経路情報２は、ユーザプレーンネットワーク要素２によって、その宛先アドレスが端末１のアドレスであるデータを、ユーザプレーンネットワーク要素１へルーティングするために使用される。さらに、セッション管理ネットワーク要素１は、サービス管理ネットワーク要素によって送信される、対応するセッション管理ネットワーク要素２の識別子に基づいて、ルーティングルール２及びユーザプレーンネットワーク要素２の識別子をセッション管理ネットワーク要素２へ送信し得る。次いで、セッション管理ネットワーク要素２は、ユーザプレーンネットワーク要素２の識別子に基づいて、ユーザプレーンネットワーク要素２上でルーティングルール２を構成するために、ルーティングルール２を、対応するユーザプレーンネットワーク要素２へ送信する。ルーティングルール２は、第１のローカルエリアネットワークの指示情報、端末１のアドレス、及び経路情報２を含む。このようにして、その宛先アドレスが端末１のアドレスであるデータを受信した後、ユーザプレーンネットワーク要素２は、ルーティングルール２に従って、ユーザプレーンネットワーク要素１へデータをルーティングしてよい。次いで、ユーザプレーンネットワーク要素１は、対応するアクセスデバイスを通して、端末１へデータをルーティングする。このことは、本出願の本実施形態において特に制限されない。
【００９７】
さらに、別のセッション管理ネットワーク要素がセッション管理ネットワーク要素１からメッセージＤを受信した後、第１の方向での経路情報の各断片について、セッション管理ネットワーク要素は、第２の方向であるとともに、第１の方向での経路情報に対応する経路情報が、対応するユーザプレーンネットワーク要素上に存在しないと決定し、セッション管理ネットワーク要素は、第１のローカルエリアネットワークの指示情報、ユーザプレーンネットワーク要素の識別子、及びユーザプレーンネットワーク要素１の識別子に基づいて、第２の方向での対応する経路情報を割り当て、次いで、第２の方向での経路情報をサービス管理ネットワーク要素へ送信する。第２の方向での経路情報は、ユーザプレーンネットワーク要素１によって、その宛先アドレスが別の端末のアドレスであるデータを、対応するユーザプレーンネットワーク要素へルーティングするために使用される。本明細書の別の端末は、対応するユーザプレーンネットワーク要素が第１のローカルエリアネットワークへのアクセスを提供する端末である。さらに、サービス管理ネットワーク要素は、セッション管理ネットワーク要素１へ、対応するユーザプレーンネットワーク要素１の識別子ならびに第２の方向での経路情報に関連した情報（情報は、第１のローカルエリアネットワークの指示情報、別の端末のアドレス、及び第２の方向での対応する経路情報を含む）を送信し得る。次いで、セッション管理ネットワーク要素１は、ユーザプレーンネットワーク要素１上で、第２の方向での経路情報に関連した情報を構成するために、ユーザプレーンネットワーク要素１の識別子に基づいて、第２の方向での経路情報に関連した情報を、対応するユーザプレーンネットワーク要素１へ送信する。例えば、上記のシナリオを参照すると、セッション管理ネットワーク要素１からメッセージＤを受信した後、セッション管理ネットワーク要素２は、経路情報２に対応する経路情報１が、対応するユーザプレーンネットワーク要素２上に存在しないと決定することが仮定される。この場合では、セッション管理ネットワーク要素２は、第１のローカルエリアネットワークの指示情報、ユーザプレーンネットワーク要素２の識別子、及びユーザプレーンネットワーク要素１の識別子に基づいて、対応する経路情報１を割り当てる。経路情報１は、ユーザプレーンネットワーク要素１によって、その宛先アドレスが端末２のアドレス又は端末３のアドレスであるデータを、ユーザプレーンネットワーク要素２へルーティングするために使用される。さらに、サービス管理ネットワーク要素は、ルーティングルール１及びユーザプレーンネットワーク要素１の識別子（任意選択）を、セッション管理ネットワーク要素１へ送信し得る。次いで、セッション管理ネットワーク要素１は、ユーザプレーンネットワーク要素１の識別子に基づいて、ユーザプレーンネットワーク要素１上でルーティングルール１を構成するために、ルーティングルール１を、対応するユーザプレーンネットワーク要素１へ送信する。ルーティングルール１は、第１のローカルエリアネットワークの指示情報、端末２のアドレス、端末３のアドレス、及び経路情報１を含む。このようにして、その宛先アドレスが端末２のアドレス又は端末３のアドレスであるデータを受信した後、ユーザプレーンネットワーク要素１は、ルーティングルール１に従って、ユーザプレーンネットワーク要素２へデータをルーティングしてよい。次いで、ユーザプレーンネットワーク要素２は、対応するアクセスデバイスを通して、端末２又は端末３へデータをルーティングする。このことは、本出願の本実施形態において特に制限されない。
【００９８】
結論として、上記の解決策によると、セッション管理ネットワーク要素１によって管理されるユーザプレーンネットワーク要素１が第１のローカルエリアネットワークサービスを提供する先の端末１と、セッション管理ネットワーク要素２によって管理されるユーザプレーンネットワーク要素２が第１のローカルエリアネットワークサービスを提供する先の端末２又は端末３との間で、プライベート通信が実装されることが可能である。言い換えると、セッション管理ネットワーク要素にわたるプライベート通信が、ローカルエリアネットワークサービス用に実装されることが可能である。
【００９９】
任意選択で、図１に示される通信システムは、現行の５Ｇネットワーク又は別の将来のネットワークに適用され得る。このことは、本出願の本実施形態において特に制限されない。
【０１００】
例えば、図２に示されるように、図１に示される通信システムは、現行の５Ｇネットワークに適用され、図１のセッション管理ネットワーク要素１に対応するネットワーク要素又はエンティティは、５ＧネットワークアーキテクチャにおけるＳＭＦネットワーク要素１であってよく、図１のセッション管理ネットワーク要素２に対応するネットワーク要素又はエンティティは、５ＧネットワークアーキテクチャにおけるＳＭＦネットワーク要素２であってよく、図１のユーザプレーンネットワーク要素１に対応するネットワーク要素又はエンティティは、５ＧネットワークアーキテクチャにおけるＵＰＦネットワーク要素１であってよく、図１のユーザプレーンネットワーク要素２に対応するネットワーク要素又はエンティティは、５ＧネットワークアーキテクチャにおけるＵＰＦネットワーク要素２であってよく、図１のサービス管理ネットワーク要素に対応するネットワーク要素又はエンティティは、５Ｇネットワークアーキテクチャにおける５ＧＬＡＮ  ＳＭＦ（５ＧＬＡＮ  ＳＭＦ、ＬＳＭＦ）ネットワーク要素であってよい。上記のローカルエリアネットワークは、５ＧＬＡＮであってよい。加えて、表現によっては、５ＧＬＡＮは、ＬＡＮ、ＬＡＮタイプサービス（ｔｙｐｅ  ｓｅｒｖｉｃｅ）、ＬＡＮ仮想ネットワーク（ｖｉｒｔｕａｌ  ｎｅｔｗｏｒｋ、ＶＮ）、５ＧＬＡＮタイプサービス、５ＧＬＡＮ−ＶＮ、５ＧＬＡＮグループ（ｇｒｏｕｐ）、ＬＡＮグループなどとも呼ばれ得る。ＬＳＭＦネットワーク要素は、５ＧＬＡＮグループ管理機能（ｇｒｏｕｐ  ｍａｎａｇｅｍｅｎｔ  ｆｕｎｃｔｉｏｎ、ＧＭＦ）ネットワーク要素、５ＧＬＡＮ経路管理機能（ｐａｔｈ  ｍａｎａｇｅｍｅｎｔ  ｆｕｎｃｔｉｏｎ、ＰＭＦ）ネットワーク要素、５ＧＬＡＮアドレス解決機能（ａｄｄｒｅｓｓ  ｒｅｓｏｌｕｔｉｏｎ  ｆｕｎｃｔｉｏｎ、ＡＲＦ）ネットワーク要素、５ＧＬＡＮグループコントローラ／制御機能（ｇｒｏｕｐ  ｃｏｎｔｒｏｌｌｅｒ／ｃｏｎｔｒｏｌ  ｆｕｎｃｔｉｏｎ、ＧＣＦ）ネットワーク要素、５ＧＬＡＮ構成コントローラ／制御機能（ｃｏｎｆｉｇｕｒａｔｉｏｎ  ｃｏｎｔｒｏｌｌｅｒ／ｃｏｎｔｒｏｌ  ｆｕｎｃｔｉｏｎ、ＣＣＦ）ネットワーク要素、５ＧＬＡＮ構成管理機能（ｃｏｎｆｉｇｕｒａｔｉｏｎ  ｍａｎａｇｅｍｅｎｔ  ｆｕｎｃｔｉｏｎ、ＣＭＦ）ネットワーク要素、５ＧＬＡＮタイプサービス管理機能（５ＧＬＡＮ−ｔｙｐｅ  ｓｅｒｖｉｃｅ  ｍａｎａｇｅｍｅｎｔ  ｆｕｎｃｔｉｏｎ、５ＬＳＭＦ）ネットワーク要素、５ＧＬＡＮ仮想ネットワーク管理機能（５ＧＬＡＮ−ＶＮ  ｍａｎａｇｅｍｅｎｔ  ｆｕｎｃｔｉｏｎ、５ＬＶＭＦ）ネットワーク要素、５ＧＬＡＮ仮想ネットワークコントローラ（５ＧＬＡＮ−ＶＮ  ｃｏｎｔｒｏｌｌｅｒ、５ＬＶＣ）、５ＧＬＡＮコントローラ（５ＧＬＡＮ  ｃｏｎｔｒｏｌｌｅｒ、５ＬＣ）、５ＧＬＡＮタイプサービスコントローラ（５ＧＬＡＮ−ｔｙｐｅ  ｓｅｒｖｉｃｅ  ｃｏｎｔｒｏｌｌｅｒ、５ＬＳＣ）などとも呼ばれ得る。５ＧＬＡＮ及びＬＳＭＦネットワーク要素の名称は、本出願の本実施形態において特に制限されない。
【０１０１】
本出願の本実施形態において、ＬＳＭＦネットワーク要素は、５ＧＬＡＮのトポロジー構造と、５ＧＬＡＮ中の異なるＵＰＦネットワーク要素の間のルーティングとを管理するように構成される。例えば、ＬＳＭＦネットワーク要素は、端末が５ＧＬＡＮにアクセスするロケーションに基づいて、ＳＭＦネットワーク要素若しくはＵＰＦネットワーク要素を５ＧＬＡＮに動的に追加することができるか、又は端末の動きに基づいて、ＳＭＦネットワーク要素若しくはＵＰＦネットワーク要素を動的に更新することができる。代替として、ＬＳＭＦネットワーク要素は、アドレス変更、例えば、５ＧＬＡＮ中の端末の新規アドレスの追加又は古いアドレスの消去に基づいて、５ＧＬＡＮにおけるルーティングを更新して、５ＧＬＡＮが５ＧＬＡＮプライベート通信、即ち、端末の間の二地点間データ伝送を満たすことが可能であることを保証することができる。代替として、端末にサービスするＳＭＦネットワーク要素が、別の端末にサービスするＳＭＦネットワーク要素とは異なることをＬＳＭＦネットワーク要素が検出したとき、ＬＳＭＦネットワーク要素は、２つのＳＭＦネットワーク要素の間の交渉を通して、対応するＵＰＦネットワーク要素の間のルーティングを更新する。ＵＰＦネットワーク要素が端末に５ＧＬＡＮサービスを提供するのが初めてである場合、ルーティングの更新中に、ＵＰＦネットワーク要素と別のＵＰＦネットワーク要素との間の転送経路が確立される必要がある。
【０１０２】
加えて、図２に示されるように、現行の５Ｇネットワークは、アクセスデバイス１、アクセスデバイス２、アクセス及びモビリティ管理機能（ｃｏｒｅ  ａｃｃｅｓｓ  ａｎｄ  ｍｏｂｉｌｉｔｙ  ｍａｎａｇｅｍｅｎｔ  ｆｕｎｃｔｉｏｎ、ＡＭＦ）ネットワーク要素、認証サーバ機能（ａｕｔｈｅｎｔｉｃａｔｉｏｎ  ｓｅｒｖｅｒ  ｆｕｎｃｔｉｏｎ、ＡＵＳＦ）ネットワーク要素、ネットワークスライス選択機能（ｎｅｔｗｏｒｋ  ｓｌｉｃｅ  ｓｅｌｅｃｔｉｏｎ  ｆｕｎｃｔｉｏｎ、ＮＳＳＦ）ネットワーク要素、ネットワーク露出機能（ｎｅｔｗｏｒｋ  ｅｘｐｏｓｕｒｅ  ｆｕｎｃｔｉｏｎ、ＮＥＦ）ネットワーク要素、ネットワークリポジトリ機能（ｎｅｔｗｏｒｋ  ｅｘｐｏｓｕｒｅ  ｆｕｎｃｔｉｏｎ  Ｒｅｐｏｓｉｔｏｒｙ  Ｆｕｎｃｔｉｏｎ、ＮＲＦ）ネットワーク要素、ポリシー制御機能（ｐｏｌｉｃｙ  ｃｏｎｔｒｏｌ  ｆｕｎｃｔｉｏｎ、ＰＣＦ）ネットワーク要素、統合データ管理（Ｕｎｉｆｉｅｄ  Ｄａｔａ  Ｍａｎａｇｅｍｅｎｔ、ＵＤＭ）ネットワーク要素、アプリケーション機能（ａｐｐｌｉｃａｔｉｏｎ  ｆｕｎｃｔｉｏｎ、ＡＦ）ネットワーク要素などをさらに含み得る。このことは、本出願の本実施形態において特に制限されない。
【０１０３】
図２に示されるように、端末１が、アクセスデバイス１を通して５Ｇネットワークにアクセスし、端末１は、次世代（ｎｅｘｔ  ｇｅｎｅｒａｔｉｏｎ、Ｎ）１インターフェース（略してＮ１）を通してＡＭＦネットワーク要素と通信する。端末２が、アクセスデバイス２を通して５Ｇネットワークにアクセスし、端末２は、Ｎ１を通してＡＭＦネットワーク要素と通信する。端末３が、アクセスデバイス２を通して５Ｇネットワークにアクセスし、端末３は、Ｎ１を通してＡＭＦネットワーク要素と通信する。アクセスデバイス１又はアクセスデバイス２は、Ｎ２インターフェース（略してＮ２）を通してＡＭＦネットワーク要素と通信する。アクセスデバイス１は、Ｎ３インターフェース（略してＮ３）を通してＵＰＦネットワーク要素１と通信し、アクセスデバイス２は、Ｎ３を通してＵＰＦネットワーク要素２と通信する。ＳＭＦネットワーク要素１は、Ｎ４インターフェース（略してＮ４）を通してＵＰＦネットワーク要素１と通信し、ＳＭＦネットワーク要素２は、Ｎ４を通してＵＰＦネットワーク要素２と通信する。ＵＰＦネットワーク要素１は、Ｎｘインターフェース（略してＮｘ）を通してＵＰＦネットワーク要素２と通信する。代替として、ＵＰＦネットワーク要素１又はＵＰＦネットワーク要素２は、Ｎ６インターフェース（略してＮ６）を通してデータネットワークにアクセスする。Ｎｘインターフェースは、既存のＮ９インターフェース若しくは既存のＮ６インターフェースを再利用してよいか、又は新たな定義されたインターフェースであってよい。これは、制限されない。加えて、図２に示されるＡＵＳＦネットワーク要素、ＡＭＦネットワーク要素、ＳＭＦネットワーク要素、ＮＳＳＦネットワーク要素、ＮＥＦネットワーク要素、ＮＲＦネットワーク要素、ＰＣＦネットワーク要素、ＵＤＭネットワーク要素、及びＡＦネットワーク要素などの制御プレーンネットワーク要素は、代替として、サービスベースのインターフェースを通して互いと対話し得る。例えば、ＡＵＳＦネットワーク要素によって提示されるサービスベースのインターフェースはＮａｕｓｆであってよく、ＡＭＦネットワーク要素によって提示されるサービスベースのインターフェースはＮａｍｆであってよく、ＳＭＦネットワーク要素によって提示されるサービスベースのインターフェースはＮｓｍｆであってよく、ＮＳＳＦネットワーク要素によって提示されるサービスベースのインターフェースはＮｎｓｓｆであってよく、ＮＥＦネットワーク要素によって提示されるサービスベースのインターフェースはＮｎｅｆであってよく、ＮＲＦネットワーク要素によって提示されるサービスベースのインターフェースはＮｎｒｆであってよく、ＰＣＦネットワーク要素によって提示されるサービスベースのインターフェースはＮｐｃｆであってよく、ＵＤＭネットワーク要素によって提示されるサービスベースのインターフェースはＮｕｄｍであってよく、ＡＦネットワーク要素によって提示されるサービスベースのインターフェースはＮａｆであってよい。関連する説明については、規格ＴＳ２３．５０１における５Ｇシステムアーキテクチャ（５Ｇ  ｓｙｓｔｅｍ  ａｒｃｈｉｔｅｃｔｕｒｅ）の図を参照されたい。詳細は、本明細書で説明されない。
【０１０４】
図３は、既存の５ＧＬＡＮサービスのユーザプレーンアーキテクチャの概略図である。端末は、５ＧＬＡＮサービスを提供するＵＰＦネットワーク要素へのセッションを確立して、５ＧＬＡＮサービスを提供するＵＰＦネットワーク要素にアクセスする。上記で説明されたように、５ＧＬＡＮサービスを提供するＵＰＦネットワーク要素は、Ｎ６を通してデータネットワークの中の既存のＬＡＮと通信してもよく、例えば、ＬＡＮの中のパーソナルコンピュータ（ｐｅｒｓｏｎａｌ  ｃｏｍｐｕｔｅｒ、ＰＣ）と通信し得る。代替として、５ＧＬＡＮサービスを提供するＵＰＦネットワーク要素は、異なる端末のセッションをＵＰＦネットワーク要素の間の内部接続を通して関連付けて、プライベート通信を実装し得る。このことは、本出願の本実施形態において特に制限されない。
【０１０５】
任意選択で、本出願の本実施形態における端末（ｔｅｒｍｉｎａｌ）は、ワイヤレス通信機能を有する、様々なハンドヘルドデバイス、車載デバイス、ウェアラブルデバイス、及びコンピューティングデバイス、又はワイヤレスモデムに接続された他の処理デバイスを含んでよい。端末は、加入者ユニット（ｓｕｂｓｃｒｉｂｅｒ  ｕｎｉｔ）、セルラーフォン（ｃｅｌｌｕｌａｒ  ｐｈｏｎｅ）、スマートフォン（ｓｍａｒｔｐｈｏｎｅ）、ワイヤレスデータカード、携帯情報端末（ｐｅｒｓｏｎａｌ  ｄｉｇｉｔａｌ  ａｓｓｉｓｔａｎｔ、ＰＤＡ）コンピュータ、タブレットコンピュータ、ワイヤレスモデム（ｍｏｄｅｍ）、ハンドヘルド（ｈａｎｄｈｅｌｄ）デバイス、ラップトップコンピュータ（ｌａｐｔｏｐ  ｃｏｍｐｕｔｅｒ）、コードレスフォン（ｃｏｒｄｌｅｓｓ  ｐｈｏｎｅ）、又はワイヤレスローカルループ（ｗｉｒｅｌｅｓｓ  ｌｏｃａｌ  ｌｏｏｐ、ＷＬＬ）局、マシンタイプ通信（ｍａｃｈｉｎｅ  ｔｙｐｅ  ｃｏｍｍｕｎｉｃａｔｉｏｎ、ＭＴＣ）端末、ユーザ機器（ｕｓｅｒ  ｅｑｕｉｐｍｅｎｔ、ＵＥ）、移動局（ｍｏｂｉｌｅ  ｓｔａｔｉｏｎ、ＭＳ）、端末デバイス（ｔｅｒｍｉｎａｌ  ｄｅｖｉｃｅ）、中継ユーザ機器などをさらに含んでよい。中継ユーザ機器は、例えば、５Ｇ宅内ゲートウェイ（ｒｅｓｉｄｅｎｔｉａｌ  ｇａｔｅｗａｙ、ＲＧ）であってよい。説明しやすいように、本出願では、上述のデバイスは端末と総称される。
【０１０６】
任意選択で、本出願の実施形態におけるアクセスデバイス（アクセスデバイス１又はアクセスデバイス２を含む）とは、コアネットワークにアクセスするデバイスであり、例えば、基地局、広帯域ネットワークゲートウェイ（ｂｒｏａｄｂａｎｄ  ｎｅｔｗｏｒｋ  ｇａｔｅｗａｙ、ＢＮＧ）、集約スイッチ、又は非第３世代パートナーシッププロジェクト（３ｒｄ  ｇｅｎｅｒａｔｉｏｎ  ｐａｒｔｎｅｒｓｈｉｐ  ｐｒｏｊｅｃｔ、３ＧＰＰ）アクセスデバイスであってよい。基地局は、様々な形態をなす基地局、例えば、マクロ基地局、マイクロ基地局（スモールセルとも呼ばれる）、中継局、及びアクセスポイントを含んでよい。
【０１０７】
任意選択で、本出願の実施形態における図１のサービス管理ネットワーク要素、セッション管理ネットワーク要素１、又はセッション管理ネットワーク要素２は、１つのデバイスによって実装されてよいか、又は複数のデバイスによって共同で実装されてよいか、又はデバイスの中の機能モジュールであってよい。このことは、本出願の本実施形態において特に制限されない。上記の機能が、ハードウェアデバイスの中のネットワーク要素であってよいか、又は専用ハードウェア上で実行するソフトウェア機能であってよいか、又はプラットフォーム（例えば、クラウドプラットフォーム）上でインスタンス化された仮想化機能であってよいことが、理解され得る。
【０１０８】
例えば、本出願の実施形態における図１のサービス管理ネットワーク要素、セッション管理ネットワーク要素１、又はセッション管理ネットワーク要素２は、図４の通信デバイスによって実装され得る。図４は、本出願の実施形態による通信デバイス４００のハードウェア構造の概略図である。通信デバイス４００は、プロセッサ４０１、通信線４０２、メモリ４０３、及び少なくとも１つの通信インターフェースを含む（図４は、通信デバイス４００が通信インターフェース４０４を含む例を使用することによってのみ説明される）。
【０１０９】
プロセッサ４０１は、汎用中央処理ユニット（ｃｅｎｔｒａｌ  ｐｒｏｃｅｓｓｉｎｇ  ｕｎｉｔ、ＣＰＵ）、マイクロプロセッサ、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、又は本出願の解決策のプログラム実行を制御するように構成された１つ若しくは複数の集積回路であってよい。
【０１１０】
通信線４０２は、上記の構成要素の間で情報を伝送するための経路を含んでよい。
【０１１１】
通信インターフェース４０４は、トランシーバなどの任意の装置を通して、イーサネット、無線アクセスネットワーク（ｒａｄｉｏ  ａｃｃｅｓｓ  ｎｅｔｗｏｒｋ、ＲＡＮ）、又はワイヤレスローカルエリアネットワーク（ｗｉｒｅｌｅｓｓ  ｌｏｃａｌ  ａｒｅａ  ｎｅｔｗｏｒｋｓ、ＷＬＡＮ）などの、別のデバイス又は通信ネットワークと通信するように構成される。
【０１１２】
メモリ４０３は、読取り専用メモリ（ｒｅａｄ−ｏｎｌｙ  ｍｅｍｏｒｙ、ＲＯＭ）、若しくは静的な情報及び命令を記憶できる別のタイプのスタティック記憶デバイス、又はランダムアクセスメモリ（ｒａｎｄｏｍ  ａｃｃｅｓｓ  ｍｅｍｏｒｙ、ＲＡＭ）、若しくは情報及び命令を記憶できる別のタイプのダイナミック記憶デバイスであってよい。代替として、メモリ４０３は、電気的消去可能プログラマブル読取り専用メモリ（ｅｌｅｃｔｒｉｃａｌｌｙ  ｅｒａｓａｂｌｅ  ｐｒｏｇｒａｍｍａｂｌｅ  ｒｅａｄ−ｏｎｌｙ  ｍｅｍｏｒｙ、ＥＥＰＲＯＭ）、コンパクトディスク読取り専用メモリ（ｃｏｍｐａｃｔ  ｄｉｓｃ  ｒｅａｄ−ｏｎｌｙ  ｍｅｍｏｒｙ、ＣＤ−ＲＯＭ）若しくは別のコンパクトディスクストレージ、光ディスクストレージ（コンパクト光ディスク、レーザーディスク、光ディスク、デジタル多用途ディスク、Ｂｌｕ−ｒａｙディスクなどを含む）、磁気ディスク記憶媒体若しくは別の磁気記憶デバイス、又は命令若しくはデータ構造の形態の予想されるプログラムコードを搬送若しくは記憶するために使用されることができ、かつコンピュータによってアクセスされることができる、任意の他の媒体であってよい。しかし、メモリ４０３はそれらに制限されない。メモリは独立して存在してよく、通信線４０２を通してプロセッサに接続される。代替として、メモリはプロセッサと統合されてよい。
【０１１３】
メモリ４０３は、本出願の解決策を実行するためのコンピュータ実行可能命令を記憶するように構成され、プロセッサ４０１がその実行を制御する。プロセッサ４０１は、メモリ４０３に記憶されたコンピュータ実行可能命令を実行して、本出願の以下の実施形態において提供されるローカルエリアネットワーク通信方法を実装するように構成される。
【０１１４】
任意選択で、本出願の本実施形態におけるコンピュータ実行可能命令は、アプリケーションプログラムコードと呼ばれることもある。このことは、本出願の本実施形態において特に制限されない。
【０１１５】
特定の実装中、実施形態では、プロセッサ４０１は、１つ又は複数のＣＰＵ、例えば、図４のＣＰＵ０及びＣＰＵ１を含んでよい。
【０１１６】
特定の実装中、実施形態では、通信デバイス４００は、複数のプロセッサ、例えば、図４のプロセッサ４０１及びプロセッサ４０８を含んでよい。プロセッサの各々は、シングルコアプロセッサ（シングルＣＰＵ）又はマルチコアプロセッサ（マルチＣＰＵ）であってよい。本明細書におけるプロセッサとは、データ（例えば、コンピュータプログラム命令）を処理するように構成された１つ又は複数のデバイス、回路、及び／又は処理コアを指してよい。
【０１１７】
特定の実装中、実施形態では、通信デバイス４００は、出力デバイス４０５及び入力デバイス４０６をさらに含んでよい。出力デバイス４０５はプロセッサ４０１と通信し、複数の方式で情報を表示し得る。例えば、出力デバイス４０５は、液晶ディスプレイ（ｌｉｑｕｉｄ  ｃｒｙｓｔａｌ  ｄｉｓｐｌａｙ、ＬＣＤ）、発光ダイオード（ｌｉｇｈｔ  ｅｍｉｔｔｉｎｇ  ｄｉｏｄｅ、ＬＥＤ）ディスプレイデバイス、陰極線管（ｃａｔｈｏｄｅ  ｒａｙ  ｔｕｂｅ、ＣＲＴ）ディスプレイデバイス、プロジェクタ（ｐｒｏｊｅｃｔｏｒ）などであってよい。入力デバイス４０６はプロセッサ４０１と通信し、複数の方式でユーザの入力を受信し得る。例えば、入力デバイス４０６は、マウス、キーボード、タッチスクリーンデバイス、又は感知デバイスであってよい。
【０１１８】
通信デバイス４００は、汎用デバイス又は専用デバイスであってよい。特定の実装中、通信デバイス４００は、デスクトップコンピュータ、ポータブルコンピュータ、ネットワークサーバ、携帯情報端末（ｐｅｒｓｏｎａｌ  ｄｉｇｉｔａｌ  ａｓｓｉｓｔａｎｔ、ＰＤＡ）、モバイルフォン、タブレットコンピュータ、ワイヤレス端末デバイス、組込みデバイス、又は図４のそれと同様の構造を有するデバイスであってよい。通信デバイス４００のタイプは、本出願の本実施形態において制限されない。
【０１１９】
以下のことは、図１から図４を参照して、本出願の実施形態において提供されるローカルエリアネットワーク通信方法を詳細に説明する。
【０１２０】
本出願の以下の実施形態において、ネットワーク要素の間のメッセージの名称、メッセージの中のパラメータの名称などが例にすぎず、特定の実装において他の名称があり得ることに留意されたい。このことは、本出願の実施形態において特に制限されない。
【０１２１】
最初に、図１に示される通信システムが図２に示される５Ｇネットワークに適用され、セッション管理ネットワーク要素１がＳＭＦネットワーク要素１であり、セッション管理ネットワーク要素２がＳＭＦネットワーク要素２であり、ユーザプレーンネットワーク要素１がＵＰＦネットワーク要素１であり、かつユーザプレーンネットワーク要素２がＵＰＦネットワーク要素２である一例が、説明のために使用される。セッションを作成若しくは更新する処理又は別の処理において、ＬＳＭＦネットワーク要素が５ＧＬＡＮ用のトポロジー管理及びユーザプレーン経路管理を提供し得ることが想定される。加えて、ＬＳＭＦネットワーク要素は経路情報を割り当てるとともに管理する（そのことは上記のケース１に対応する）。図５は、本出願の実施形態によるローカルエリアネットワーク通信方法を示す。ローカルエリアネットワーク通信方法は以下のステップを含む。
【０１２２】
Ｓ５０２：ＡＭＦネットワーク要素が、セッション管理（ｓｅｓｓｉｏｎ  ｍａｎａｇｅｍｅｎｔ、ＳＭ）コンテキスト更新（ｕｐｄａｔｅ）要求又はＳＭコンテキスト作成（ｃｒｅａｔｅ）要求をＳＭＦネットワーク要素１へ送信し、ＳＭＦネットワーク要素１が、ＡＭＦネットワーク要素からＳＭコンテキスト更新要求又はＳＭコンテキスト作成要求を受信する。
【０１２３】
ＳＭコンテキスト更新要求又はＳＭコンテキスト作成要求は、セッション識別子（セッションＩＤ）、及び端末１の識別子を含む。
【０１２４】
任意選択で、本出願の本実施形態では、ＡＭＦネットワーク要素は、端末１からセッション確立要求メッセージを受信した後にステップＳ５０２を実施し得る。代替として、ＡＭＦネットワーク要素は、端末１からセッション更新要求メッセージを受信した後にステップＳ５０２を実施する。代替として、ＡＭＦネットワーク要素は、端末１から登録要求メッセージ又はサービス要求メッセージを受信した後にステップＳ５０２を実施する。代替として、ＡＭＦネットワーク要素は、第１のアクセスデバイスからハンドオーバ要求メッセージを受信した後にステップＳ５０２を実施する。いつ又はどのようにステップＳ５０２を実施すべきかは、本出願の本実施形態において特に制限されない。
【０１２５】
任意選択で、ＡＭＦネットワーク要素は、第１のアクセスデバイスからハンドオーバ要求メッセージを受信した後にステップＳ５０２を実施する。対応するシナリオが、端末１に現在サービスするＳＭＦネットワーク要素３から、端末１をサービスすることになるＳＭＦネットワーク要素１に、端末１がハンドオーバされることであることが想定される。この場合、対応するＳＭコンテキスト更新要求又はＳＭコンテキスト作成要求は、ＳＭＦネットワーク要素３の識別子、及びセッション識別子をさらに含んでよい。このことは、本出願の本実施形態において特に制限されない。
【０１２６】
任意選択で、端末１からセッション確立要求メッセージを受信した後にＡＭＦネットワーク要素がステップＳ５０２を実施する場合、ＡＭＦネットワーク要素によってＳＭＦネットワーク要素１へ送信されるＳＭコンテキスト作成要求は、ＳＭメッセージを含んでよい。ＳＭメッセージは、例えば、セッション確立要求メッセージであってよい。このことは、本出願の本実施形態において特に制限されない。
【０１２７】
代替として、端末１からセッション更新要求メッセージを受信した後にＡＭＦネットワーク要素がステップＳ５０２を実施する場合、ＡＭＦネットワーク要素によってＳＭＦネットワーク要素１へ送信されるＳＭコンテキスト更新要求は、ＳＭメッセージを含んでよい。ＳＭメッセージは、例えば、セッション更新要求メッセージであってよい。このことは、本出願の本実施形態において特に制限されない。
【０１２８】
任意選択で、ＳＭコンテキスト更新要求又はＳＭコンテキスト作成要求は、セッションのＬＡＮ  ＩＤをさらに含んでよい。代替として、ＳＭメッセージが、セッションのＬＡＮ  ＩＤをさらに含んでよい。このことは、本出願の本実施形態において特に制限されない。
【０１２９】
本出願の本実施形態では、ＬＡＮ  ＩＤは、５ＧＬＡＮグループの識別子として理解されてよい。言い換えると、ＬＡＮ  ＩＤは、５ＧＬＡＮグループ、５Ｇ  ＬＡＮ−ＶＮ、又は特定の５ＧＬＡＮサービスを表すために使用され得る。同じＬＡＮ  ＩＤを使用する端末は、同じ５ＧＬＡＮグループに属し、ＬＡＮ  ＩＤに対応する５ＧＬＡＮサービスを使用してよいか、又はＬＡＮ  ＩＤに対応する５ＧＬＡＮ−ＶＮを使用してよい。言い換えると、ローカルエリアネットワークプライベート通信は、同じＬＡＮ  ＩＤを使用する端末の間で実施され得る。本明細書では概略的な説明が提供され、詳細は以下で再び説明されない。
【０１３０】
任意選択で、フォーマットに関して、ＬＡＮ  ＩＤは、特別なドメイン名（例えば、データネットワーク名（ｄａｔａ  ｎｅｔｗｏｒｋ  ｎａｍｅ、ＤＮＮ））、完全修飾されたドメイン名（ｆｕｌｌｙ  ｑｕａｌｉｆｉｅｄ  ｄｏｍａｉｎ  ｎａｍｅ、ＦＱＤＮ）、ＶＩＤ、文字列、内部グループ識別子（ｉｎｔｅｒｎａｌ  ｇｒｏｕｐ  ｉｄｅｎｔｉｆｉｅｒ）、外部グループ識別子（ｅｘｔｅｒｎａｌ  ｇｒｏｕｐ  ｉｄｅｎｔｉｆｉｅｒ）、シーケンス番号などであってよい。加えて、ＬＡＮ  ＩＤは、いくつかの特別なフォーマットをさらに使用し得る。例えば、ＬＡＮ  ＩＤは、プロバイダ情報、事業者情報、ネットワーク情報、ドメイン情報などをさらに含んでよい。このことは、本出願の本実施形態において特に制限されない。
【０１３１】
Ｓ５０３：ＳＭＦネットワーク要素１は、セッションのＬＡＮ  ＩＤを取得し、端末１にサービスすべきＵＰＦネットワーク要素１を選択する。
【０１３２】
例えば、本出願の本実施形態では、ＳＭＦネットワーク要素１は、以下の方式でセッションのＬＡＮ  ＩＤを取得し得る。即ち、例えば、ＳＭＦネットワーク要素１は、ＳＭコンテキスト更新要求又はＳＭコンテキスト作成要求からセッションのＬＡＮ  ＩＤを取得し得る。代替として、ＳＭＦネットワーク要素１は、ＳＭコンテキスト更新要求又はＳＭコンテキスト作成要求の中のＳＭメッセージからセッションのＬＡＮ  ＩＤを取得してよい。代替として、ＳＭＦネットワーク要素１は、ＳＭコンテキスト更新要求又はＳＭコンテキスト作成要求の中のセッション識別子に基づいて、ローカルのＵＥコンテキストからセッションのＬＡＮ  ＩＤを取得してよい。代替として、ステップＳ５０２において説明されたハンドオーバシナリオでは、ＳＭＦネットワーク要素１は、ＳＭＦネットワーク要素３の識別子、及びＳＭコンテキスト更新要求又はＳＭコンテキスト作成要求の中にあるセッション識別子に基づいて、ＳＭＦネットワーク要素３からセッションのＬＡＮ  ＩＤを取得してよい。このことは、本出願の本実施形態において特に制限されない。
【０１３３】
ＳＭＦネットワーク要素１がＵＰＦネットワーク要素１を選択する方式については、従来の技術を参照されたい。詳細は、本明細書で説明されない。
【０１３４】
Ｓ５０４：ＳＭＦネットワーク要素１は、メッセージ１をＬＳＭＦネットワーク要素へ送信し、ＬＳＭＦネットワーク要素は、ＳＭＦネットワーク要素１からメッセージ１を受信する。
【０１３５】
メッセージ１は、セッションのＬＡＮ  ＩＤ、端末１の識別子、ＳＭＦネットワーク要素１の識別子、及びＵＰＦネットワーク要素１の識別子を含み、５ＧＬＡＮに接続される端末についての情報を更新するために使用される。
【０１３６】
任意選択で、本出願の本実施形態では、端末１の識別子は、例えば、加入永久識別子（ｓｕｂｓｃｒｉｐｔｉｏｎ  ｐｅｒｍａｎｅｎｔ  ｉｄｅｎｔｉｆｉｅｒ、ＳＵＰＩ）、国際モバイル加入者識別（ｉｎｔｅｒｎａｔｉｏｎａｌ  ｍｏｂｉｌｅ  ｓｕｂｓｃｒｉｂｅｒ  ｉｄｅｎｔｉｔｙ、ＩＭＳＩ）、モバイル加入者統合サービスデジタルネットワーク（ｍｏｂｉｌｅ  ｓｔａｔｉｏｎ  ｉｎｔｅｇｒａｔｅｄ  ｓｅｒｖｉｃｅｓ  ｄｉｇｉｔａｌ  ｎｅｔｗｏｒｋ  ｎｕｍｂｅｒ、ＭＳＩＳＤＮ）番号、グローバル一意一時識別（ｇｌｏｂａｌ  ｕｎｉｑｕｅ  ｔｅｍｐｏｒａｒｙ  ｉｄｅｎｔｉｔｙ、ＧＵＴＩ）、データネットワークに関係する識別（例えば、ネットワークアクセス識別子（ｎｅｔｗｏｒｋ  ａｃｃｅｓｓ  ｉｄｅｎｔｉｆｉｅｒ、ＮＡＩ））、又はローカルエリアネットワークに特有のユーザ識別子であってよい。このことは、本出願の本実施形態において特に制限されない。
【０１３７】
本出願の本実施形態では、ＳＭＦネットワーク要素１からメッセージ１を受信した後、ＬＳＭＦネットワーク要素は、端末１の識別子に対応する端末１のアドレスを決定し得る。例えば、ＬＳＭＦネットワーク要素は、ＬＡＮ  ＩＤに対応するアドレスプールを使用することによって端末１のアドレスを割り当てる。代替として、ＬＳＭＦネットワーク要素は、動的ホスト構成プロトコル（ｄｙｎａｍｉｃ  ｈｏｓｔ  ｃｏｎｆｉｇｕｒａｔｉｏｎ  ｐｒｏｔｏｃｏｌ、ＤＨＣＰ）サーバ又はデータネットワーク認証、許可、及び課金（ｄａｔａ  ｎｅｔｗｏｒｋ−ａｕｔｈｅｎｔｉｃａｔｉｏｎ，  ａｕｔｈｏｒｉｚａｔｉｏｎ，  ａｃｃｏｕｎｔｉｎｇ、ＤＮ−ＡＡＡ）サーバから端末１のアドレスを取得する。このことは、本出願の本実施形態において特に制限されない。
【０１３８】
任意選択で、本出願の本実施形態では、端末１のアドレスは、例えば、インターネットプロトコルバージョン４（ｉｎｔｅｒｎｅｔ  ｐｒｏｔｏｃｏｌ  ｖｅｒｓｉｏｎ  ４、ＩＰｖ４）アドレス、インターネットプロトコルバージョン６（ｉｎｔｅｒｎｅｔ  ｐｒｏｔｏｃｏｌ  ｖｅｒｓｉｏｎ  ６、Ｉｐｖ６）アドレス、メディアアクセス制御（ｍｅｄｉａ  ａｃｃｅｓｓ  ｃｏｎｔｒｏｌ、ＭＡＣ）アドレス、又はＭＡＣアドレス＋仮想ローカルエリアネットワーク識別子（ｖｉｒｔｕａｌ  ｌｏｃａｌ  ａｒｅａ  ｎｅｔｗｏｒｋ  ｉｄｅｎｔｉｆｉｅｒ、ＶＩＤ）であってよい。このことは、本出願の本実施形態において特に制限されない。
【０１３９】
任意選択で、本出願の本実施形態では、セッションのＬＡＮ  ＩＤがＬＡＮ  ＩＤ１であることを想定すると、ＬＳＭＦネットワーク要素が、５ＧＬＡＮに接続される端末についての情報を更新することは、例えば、ＬＳＭＦネットワーク要素が、ＬＡＮ  ＩＤ１と、ＳＭＦネットワーク要素１の識別子と、ＵＰＦネットワーク要素１の識別子と、端末１の識別子又は端末１のアドレスのうちの少なくとも一方との間の対応を記憶することであってよい。例えば、５ＧＬＡＮに接続される端末についての更新済みの情報が、表１又は表２に示されてよく、ＬＡＮ  ＩＤ、ＳＭＦネットワーク要素の識別子と、ＵＰＦネットワーク要素の識別子と、端末の識別子又は端末のアドレスのうちの少なくとも一方との間の対応を含む。
【０１４０】
【表１】
2022501927.tif 000022
【０１４１】
【表２】
2022501927.tif 000023
【０１４２】
ＬＡＮ  ＩＤ１に対応する５ＧＬＡＮに端末１がアクセスする前に、ＬＡＮ  ＩＤ１に対応する５ＧＬＡＮサービスをＵＰＦネットワーク要素２が提供する先の端末２及び端末３が、ＬＡＮ  ＩＤ１に対応する５ＧＬＡＮにアクセスしている一例を使用することによって、表１が説明される。ＵＰＦネットワーク要素２はＳＭＦネットワーク要素２によって管理される。ＬＡＮ  ＩＤ１に対応する５ＧＬＡＮに端末１がアクセスする前に、ＬＡＮ  ＩＤ１に対応する５ＧＬＡＮサービスをＵＰＦネットワーク要素２が提供する先の端末２及び端末３が、ＬＡＮ  ＩＤ１に対応する５ＧＬＡＮにアクセスしており、かつＬＡＮ  ＩＤ１に対応する５ＧＬＡＮサービスをＵＰＦネットワーク要素１が提供する先の端末４が、ＬＡＮ  ＩＤ１に対応する５ＧＬＡＮにアクセスしている一例を使用することによって、表２が説明される。ＵＰＦネットワーク要素２はＳＭＦネットワーク要素２によって管理され、ＵＰＦネットワーク要素１はＳＭＦネットワーク要素１によって管理される。本明細書では概略的な説明が提供され、詳細は以下で再び説明されない。
【０１４３】
表１又は表２は、５ＧＬＡＮに接続される端末についての情報をＬＳＭＦネットワーク要素上に記憶する、２つの例示的な方式を示すにすぎない。５ＧＬＡＮに接続される端末についての情報をＬＳＭＦネットワーク要素上に記憶する方式は、本出願の本実施形態によって特に制限されない。
【０１４４】
さらに、上記のメッセージ１を受信した後、ＬＳＭＦネットワーク要素は、メッセージ１の中の（ＬＡＮ  ＩＤ１と想定される）ＬＡＮ  ＩＤに基づいて、かつローカルエリアネットワークの識別子と、ＳＭＦネットワーク要素の識別子と、ＵＰＦネットワーク要素の識別子と、端末の識別子又は端末のアドレスのうちの少なくとも一方との間の、１つ又は複数の端末が５ＧＬＡＮにアクセスするときにＬＳＭＦネットワーク要素によって記憶される（表１又は表２に示されるような）対応を参照して、ＬＡＮ  ＩＤ１に対応する５ＧＬＡＮサービスを別のＵＰＦネットワーク要素が別の端末に現在提供するかどうかを決定し得る。例えば、表１において、ＬＳＭＦネットワーク要素は、ＬＡＮ  ＩＤ１に対応する５ＧＬＡＮサービスをＵＰＦネットワーク要素２が端末２及び端末３に現在提供することを決定し得る。さらに、ＵＰＦネットワーク要素２に対して、本出願の本実施形態において提供されるローカルエリアネットワーク通信方法は、以下のステップＳ５０５からＳ５１２をさらに含む。
【０１４５】
Ｓ５０５：ＬＳＭＦネットワーク要素は、ＬＡＮ  ＩＤ１、ＵＰＦネットワーク要素１の識別子、及びＵＰＦネットワーク要素２の識別子に基づいて、端末１のアドレスに関連付けられた経路情報２を取得する。経路情報２は、ＵＰＦネットワーク要素２によって、その宛先アドレスが端末１のアドレスであるデータをＵＰＦネットワーク要素１へルーティングするために使用される。
【０１４６】
例えば、ＬＳＭＦネットワーク要素が、ＬＡＮ  ＩＤ１に基づいて、５ＧＬＡＮに接続される端末についての、かつＬＳＭＦネットワーク要素上にある、（表１に示されるような）情報を問い合わせ、ＬＡＮ  ＩＤ１に対応する５ＧＬＡＮサービスをＵＰＦネットワーク要素１が端末１又は任意の他の端末に提供するのが初めてであることを決定することが想定される。この場合、ＬＳＭＦネットワーク要素は、ＬＡＮ  ＩＤ１、ＵＰＦネットワーク要素２の識別子、及びＵＰＦネットワーク要素１の識別子に基づいて、端末１のアドレスに関連付けられた経路情報２を割り当ててよい。
【０１４７】
任意選択で、本出願の本実施形態では、経路情報２を割り当てた後、ＬＳＭＦネットワーク要素は、表３に示すように、ＬＡＮ  ＩＤ１、ＵＰＦネットワーク要素２の識別子、ＵＰＦネットワーク要素１の識別子、及び対応する経路情報２を、ＬＳＭＦネットワーク要素上に記憶し得る。
【０１４８】
【表３】
2022501927.tif 000024
【０１４９】
代替として、例えば、ＬＳＭＦネットワーク要素が、ＬＡＮ  ＩＤ１に基づいて、５ＧＬＡＮに接続される端末についての、かつＬＳＭＦネットワーク要素上にある、（表２に示されるような）情報を問い合わせ、ＬＡＮ  ＩＤ１に対応する５ＧＬＡＮサービスをＵＰＦネットワーク要素１が端末１又は任意の他の端末に提供するのが初めてではないことを決定することが想定される。この場合、ＬＳＭＦネットワーク要素は、ＬＡＮ  ＩＤ１、ＵＰＦネットワーク要素２の識別子、及びＵＰＦネットワーク要素１の識別子に基づいて、かつ表４に示される対応を参照して、端末１のアドレスに関連付けられた経路情報２を決定し得る。このことは、本出願の本実施形態において特に制限されない。
【０１５０】
【表４】
2022501927.tif 000025
【０１５１】
ＬＡＮ  ＩＤ１に対応する５ＧＬＡＮサービスをＵＰＦネットワーク要素１が端末１又は任意の他の端末に提供するのが初めてであるときに、ＬＡＮ  ＩＤ１と、ＵＰＦネットワーク要素２の識別子と、ＵＰＦネットワーク要素１の識別子と、対応する経路情報２との間の、表４における対応が、表３における確立方式で確立されることに留意されたい。ＬＡＮ  ＩＤ１に対応する５ＧＬＡＮサービスをＵＰＦネットワーク要素１が端末１又は任意の他の端末に提供するのが初めてであるとき、ＬＡＮ  ＩＤ１と、ＵＰＦネットワーク要素１の識別子と、ＵＰＦネットワーク要素２の識別子と、対応する経路情報１との間の、表４における対応は、以下のステップＳ５０９において確立される。本明細書では概略的な説明が提供され、詳細は以下で再び説明されない。
【０１５２】
任意選択で、本出願の本実施形態における経路（ステップＳ５０５における経路情報２に対応する経路又は経路情報１に対応する経路を含む）は、仮想ローカルエリアネットワーク（仮想ＬＡＮ、ＶＬＡＮ）、仮想拡張可能ローカルエリアネットワーク（仮想拡張可能ＬＡＮ、ＶｘＬＡＮ）、汎用パケット無線サービス（ｇｅｎｅｒａｌ  ｐａｃｋｅｔ  ｒａｄｉｏ  ｓｅｒｖｉｃｅ、ＧＰＲＳ）トンネリングプロトコル−ユーザプレーン（ＧＰＲＳ  ｔｕｎｎｅｌｉｎｇ  ｐｒｏｔｏｃｏｌ−ｕｓｅｒ  ｐｌａｎｅ、ＧＴＰ−Ｕ）、汎用ルーティングカプセル化（ｇｅｎｅｒｉｃ  ｒｏｕｔｉｎｇ  ｅｎｃａｐｓｕｌａｔｉｏｎ、ＧＲＥ）プロトコル、又はＩＰトンネル方式の方式で構築され得る。上記の構築方式は動的であってよいか、又はネットワークの中で事前構成されてよい。このことは、本出願の本実施形態において特に制限されない。対応する経路情報は異なる構築方式の間で様々である。例えば、経路がＶＬＡＮの方式で構築されるとき、経路情報は、ＵＰＦ  ＩＤ、ＵＰＦ  ＩＤ＋仮想ローカルエリアネットワーク識別子（ＶＬＡＮ  ＩＤ、ＶＩＤ）、又はＭＡＣ＋ＶＩＤであってよい。代替として、例えば、経路がＶｘＬＡＮの方式で構築されるとき、経路情報は、ＵＰＦ  ＩＤ、ＵＰＦ  ＩＤ＋ＶＩＤ、ＩＰアドレス＋ＶＩＤ、又はＩＰアドレス＋ポート番号（ｐｏｒｔ）＋ＶＩＤであってよい。代替として、例えば、経路がＧＴＰ−Ｕの方式で構築されるとき、経路情報は、ＵＰＦ  ＩＤ、ＵＰＦ  ＩＤ＋トンネルエンドポイント識別子（ｔｕｎｎｅｌ  ｅｎｄｐｏｉｎｔ  ｉｄｅｎｔｉｆｉｅｒ、ＴＥＩＤ）、ＩＰアドレス＋ＴＥＩＤ、又はＩＰアドレス＋ポート＋ＴＥＩＤであってよい。代替として、例えば、経路がＧＲＥの方式で構築されるとき、経路情報は、ＵＰＦ  ＩＤ、ＵＰＦ  ＩＤ＋鍵（ｋｅｙ）、ＩＰアドレス＋鍵、又はＩＰアドレス＋ポート＋鍵であってよい。代替として、経路がＩＰトンネルの方式で構築されるとき、経路情報は、ＵＰＦ  ＩＤ、ＩＰアドレス、又はＩＰアドレス＋ポートであってよい。経路情報がＵＰＦ  ＩＤを含む場合、ＵＰＦ  ＩＤは、ＭＡＣアドレス若しくはＩＰアドレス、又はＩＰアドレス＋ポートであってよい。代替として、ＳＭＦネットワーク要素又はＵＰＦネットワーク要素は、ＵＰＦ  ＩＤに基づいて、対応するＭＡＣアドレス若しくはＩＰアドレス、又はＩＰアドレス＋ポートを決定し得る。本明細書では概略的な説明が提供され、詳細は以下で再び説明されない。
【０１５３】
本出願の本実施形態では、ソースＵＰＦネットワーク要素からターゲットＵＰＦネットワーク要素への経路に対応する経路情報、及びターゲットＵＰＦネットワーク要素からソースＵＰＦネットワーク要素への経路に対応する経路情報が、相互に対応する経路情報であることに留意されたい。例えば、表４における経路情報２及び経路情報１は、相互に対応する経路情報である。いくつかの技術では、例えば、ＶＬＡＮ及びＶｘＬＡＮでは、相互に対応する経路情報はＶＩＤを共有する。代替として、ＧＲＥでは、相互に対応する経路情報はＧＲＥ鍵を共有する。このことは、本出願の本実施形態において特に制限されない。
【０１５４】
Ｓ５０６：ＬＳＭＦネットワーク要素は、ＵＰＦネットワーク要素２に対応するＳＭＦネットワーク要素２へ５ＧＬＡＮルート更新要求１を送信し、ＳＭＦネットワーク要素２は、ＬＳＭＦネットワーク要素から５ＧＬＡＮルート更新要求１を受信する。
【０１５５】
５ＧＬＡＮルート更新要求１は、ＬＡＮの指示情報、端末１のアドレス、ＵＰＦネットワーク要素２の識別子、及び対応する経路情報２を含む。
【０１５６】
任意選択で、本出願の本実施形態では、ＬＡＮの指示情報は、例えば、ＬＡＮ  ＩＤ又はＬＡＮラベルであってよい。このことは、本出願の本実施形態において特に制限されない。ＬＡＮの指示情報がＬＡＮラベルである場合、ＬＡＮラベルはＬＡＮ  ＩＤに基づいて決定され得る。詳細については、既存の実装を参照されたい。詳細は、本明細書で再び説明されない。
【０１５７】
例えば、本出願の本実施形態では、ＬＡＮラベルは、例えば、ネットワークインスタンス（ｎｅｔｗｏｒｋ  ｉｎｓｔａｎｃｅ）識別子、ＶＩＤ、又はＬＡＮ  ＩＤであってよい。このことは、本出願の本実施形態において特に制限されない。ＬＡＮラベルは、ＬＡＮのインスタンス若しくはＬＡＮの仮想ネットワークを表すために使用されてよいか、又はＬＡＮのデータを識別し、カプセル化し、若しくは表すために使用されてよい。ＬＡＮラベルは、トンネル情報、端末データ、又は構成データの中に存在してもよく、異なるＬＡＮの通信を区別するために主に使用される。
【０１５８】
任意選択で、本出願の本実施形態では、５ＧＬＡＮグループを表すためにＬＡＮ  ＩＤが使用される場合、ＬＡＮラベルは、５ＧＬＡＮグループに対応する５ＧＬＡＮサービス（インスタンス又は仮想ネットワーク）のＬＡＮラベルであってよい。本明細書では概略的な説明が提供され、詳細は以下で再び説明されない。
【０１５９】
任意選択で、本出願の本実施形態では、ＬＡＮ  ＩＤに基づいてＬＡＮラベルを決定した後、ＬＳＭＦネットワーク要素は、ＬＡＮ  ＩＤとＬＡＮラベルとの間の対応を上記の表１から表４若しくは以下の表に追加してよいか、又はＬＡＮ  ＩＤをＬＡＮラベルに置き換えてよい。このことは、本出願の本実施形態において特に制限されない。
【０１６０】
Ｓ５０７：ＳＭＦネットワーク要素２は、ＵＰＦネットワーク要素２の識別子に対応するＵＰＦネットワーク要素２へルーティングメッセージ１を送信し、ＵＰＦネットワーク要素２は、ＳＭＦネットワーク要素２からルーティングメッセージ１を受信する。
【０１６１】
ルーティングメッセージ１はルーティングルール２を含み、ＵＰＦネットワーク要素２上にルーティングルール２を構成するために使用される。ルーティングルール２は、ＬＡＮの指示情報、端末１のアドレス、及び経路情報２を含む。
【０１６２】
このようにして、その宛先アドレスが端末１のアドレスであるデータをＵＰＦネットワーク要素２が受信した後、ＵＰＦネットワーク要素２は、ＬＡＮ  ＩＤに対応する５ＧＬＡＮ上にあり端末１へ送信されることになるデータを、ルーティングルール２に従ってＵＰＦネットワーク要素１へ送信し得る。次いで、ＵＰＦネットワーク要素１は、対応するアクセスデバイスを通して端末１へデータを送信する。このことは、本出願の本実施形態において特に制限されない。
【０１６３】
任意選択で、本出願の本実施形態では、ＵＰＦネットワーク要素２がＵＰＦネットワーク要素２上にルーティングルール２を構成した後、ＵＰＦネットワーク要素２上にルーティング情報を記憶する方式が表５又は表６に示されてよく、即ち、ルーティング情報は、ＬＡＮの指示情報、経路情報、及び対応する端末のアドレスを含む。任意選択で、経路情報は、ターゲットＵＰＦネットワーク要素の識別子を含んでよい。このことは、本出願の本実施形態において特に制限されない。
【０１６４】
【表５】
2022501927.tif 000026
【０１６５】
【表６】
2022501927.tif 000027
【０１６６】
例えば、ＬＡＮ  ＩＤ１に対応する５ＧＬＡＮサービスをＵＰＦネットワーク要素１が端末１又は任意の他の端末に提供するのが初めてである一例を使用することによって、表５が説明される。ＬＡＮ  ＩＤ１に対応する５ＧＬＡＮに端末１がアクセスする前に、ＬＡＮ  ＩＤ１に対応する５ＧＬＡＮサービスをＵＰＦネットワーク要素１が提供した先の端末４が、（表２に示されるような）ＬＡＮ  ＩＤ１に対応する５ＧＬＡＮにアクセスしている一例を使用することによって、表６が説明される。本明細書では概略的な説明が提供され、詳細は以下で再び説明されない。
【０１６７】
Ｓ５０８：ＳＭＦネットワーク要素２は、５ＧＬＡＮルート更新応答１をＬＳＭＦネットワーク要素へ送信し、ＬＳＭＦネットワーク要素は、ＳＭＦネットワーク要素２から５ＧＬＡＮルート更新応答１を受信する。
【０１６８】
任意選択で、本出願の本実施形態では、ＬＳＭＦネットワーク要素が、ＬＡＮ  ＩＤ１に基づいて、５ＧＬＡＮに接続される端末についての、かつＬＳＭＦネットワーク要素上にある、（表１に示されるような）情報を問い合わせ、ＬＡＮ  ＩＤ１に対応する５ＧＬＡＮサービスをＵＰＦネットワーク要素１が端末１又は任意の他の端末に提供するのが初めてであることを決定することが想定される。加えて、表１又は表２に示されるように、ＬＡＮ  ＩＤ１に対応する５ＧＬＡＮに端末１がアクセスする前に、ＬＡＮ  ＩＤ１に対応する５ＧＬＡＮサービスをＵＰＦネットワーク要素２が提供する先の端末２及び端末３が、ＬＡＮ  ＩＤ１に対応する５ＧＬＡＮにアクセスしていることが想定される。上記のケースでは、本出願の本実施形態において提供されるローカルエリアネットワーク通信方法は、以下のステップＳ５０９からＳ５１２をさらに含んでよい。
【０１６９】
Ｓ５０９：ＬＳＭＦネットワーク要素は、ＬＡＮ  ＩＤ１、ＵＰＦネットワーク要素１の識別子、及びＵＰＦネットワーク要素２の識別子に基づいて、経路情報１を割り当てる。経路情報１は、ＵＰＦネットワーク要素１によってその宛先アドレスが端末２のアドレス及び端末３のアドレスであるデータをＵＰＦネットワーク要素２へルーティングするために使用される。
【０１７０】
任意選択で、本出願の本実施形態では、経路情報１を割り当てた後、ＬＳＭＦネットワーク要素は、ＬＡＮ  ＩＤ１、ＵＰＦネットワーク要素１の識別子、ＵＰＦネットワーク要素２の識別子、及び対応する経路情報１を、ＬＳＭＦネットワーク要素上に記憶し得る。詳細は、表４に示され本明細書で再び説明されない。
【０１７１】
Ｓ５１０：ＬＳＭＦネットワーク要素は、５ＧＬＡＮルート更新要求２をＳＭＦネットワーク要素１へ送信し、ＳＭＦネットワーク要素１は、ＬＳＭＦネットワーク要素から５ＧＬＡＮルート更新要求２を受信する。
【０１７２】
５ＧＬＡＮルート更新要求２は、ＬＡＮの指示情報、端末１のアドレス、端末２のアドレス、端末３のアドレス、及び対応する経路情報１を含む。
【０１７３】
任意選択で、本出願の本実施形態における５ＧＬＡＮルート更新要求２は、対応するＵＰＦネットワーク要素１を決定するために使用されるＵＰＦネットワーク要素１の識別子をさらに含んでよい。当然ながら、５ＧＬＡＮルート更新要求２がＵＰＦネットワーク要素１の識別子を含まない場合、ＳＭＦネットワーク要素１は、ステップＳ５０３において選択されたＵＰＦネットワーク要素１を、ＳＭＦネットワーク要素１に対応するＵＰＦネットワーク要素１としてさらに決定してよい。このことは、本出願の本実施形態において特に制限されない。
【０１７４】
Ｓ５１１：ＳＭＦネットワーク要素１は、対応するＵＰＦネットワーク要素１へルーティングメッセージ２を送信し、ＵＰＦネットワーク要素１は、ＳＭＦネットワーク要素１からルーティングメッセージ２を受信する。
【０１７５】
ルーティングメッセージ２はルーティングルール１を含み、ＵＰＦネットワーク要素１上にルーティングルール１を構成するために使用される。ルーティングルール１は、ローカルエリアネットワークの指示情報、端末２のアドレス、端末３のアドレス、及び対応する経路情報１を含む。
【０１７６】
このようにして、その宛先アドレスが端末２のアドレス又は端末３のアドレスであるデータをＵＰＦネットワーク要素１が受信した後、ＵＰＦネットワーク要素１は、ＬＡＮ  ＩＤに対応する５ＧＬＡＮ上にあり端末２又は端末３へ送信されることになるデータを、ルーティングルール１に従ってＵＰＦネットワーク要素２へ送信し得る。次いで、ＵＰＦネットワーク要素２は、対応するアクセスデバイスを通して端末２又は端末３へデータを送信する。このことは、本出願の本実施形態において特に制限されない。
【０１７７】
任意選択で、本出願の本実施形態では、ＵＰＦネットワーク要素１がＵＰＦネットワーク要素１上にルーティングルール１を構成した後、ＵＰＦネットワーク要素１上にルーティング情報を記憶する方式が表７に示されてよく、即ち、ルーティング情報は、ＬＡＮの指示情報、経路情報、及び対応する端末のアドレスを含む。任意選択で、経路情報は、ターゲットＵＰＦネットワーク要素の識別子を含んでよい。このことは、本出願の本実施形態において特に制限されない。
【０１７８】
【表７】
2022501927.tif 000028
【０１７９】
Ｓ５１２：ＳＭＦネットワーク要素１は、５ＧＬＡＮルート更新応答２をＬＳＭＦネットワーク要素へ送信し、ＬＳＭＦネットワーク要素は、ＳＭＦネットワーク要素１から５ＧＬＡＮルート更新応答２を受信する。
【０１８０】
ＬＳＭＦネットワーク要素が上記のメッセージ１を受信した後、ＬＳＭＦネットワーク要素が、メッセージ１の中のＬＡＮ  ＩＤに基づいて（ＬＡＮ  ＩＤ１と想定して）、かつローカルエリアネットワークの識別子と、ＳＭＦネットワーク要素の識別子と、ＵＰＦネットワーク要素の識別子と、端末の識別子又は端末のアドレスのうちの少なくとも一方との間の、１つ又は複数の端末が５ＧＬＡＮにアクセスするときにＬＳＭＦネットワーク要素によって記憶される（表１又は表２に示されるような）対応を参照して、ＬＡＮ  ＩＤ１に対応する５ＧＬＡＮサービスをＵＰＦネットワーク要素２が端末２及び端末３に現在提供することを決定する例を使用することによってのみ、上記のステップＳ５０５からＳ５１２が説明されることに留意されたい。当然ながら、ＬＡＮ  ＩＤ１に対応する５ＧＬＡＮサービスを別のＵＰＦネットワーク要素が別の端末に提供する場合、ＵＰＦネットワーク要素のための対応するローカルエリアネットワーク通信方法については、上記のステップＳ５０５からＳ５１２を参照されたい。上記のステップＳ５０５からＳ５１２におけるＵＰＦネットワーク要素２が、ＵＰＦネットワーク要素で置き換えられる必要があり、上記のステップＳ５０５からＳ５１２におけるＳＭＦネットワーク要素２が、ＵＰＦネットワーク要素に対応するＳＭＦネットワーク要素で置き換えられる必要があり、かつ上記のステップＳ５０５からＳ５１２における端末２及び端末３が、ローカルエリアネットワークへのアクセスをＵＰＦネットワーク要素が提供する先の端末で置き換えられる必要があるという点でしか差異がない。関連する他の説明については、上記のステップＳ５０５からＳ５１２を参照されたい。詳細は、本明細書で再び説明されない。
【０１８１】
さらに、ＳＭＦネットワーク要素１が端末１のアドレスを取得した後、本出願の本実施形態において提供されるローカルエリアネットワーク通信方法は、以下のステップＳ５１３をさらに含む。
【０１８２】
Ｓ５１３：ＳＭＦネットワーク要素１は、対応するＵＰＦネットワーク要素１へルーティングメッセージ３を送信し、ＵＰＦネットワーク要素１は、ＳＭＦネットワーク要素１からルーティングメッセージ３を受信する。
【０１８３】
ルーティングメッセージ３は、ＬＡＮの指示情報、端末１のアドレス、及び経路情報３を含み、ＬＡＮの指示情報と、端末１のアドレスと、経路情報３との間の対応を、ＵＰＦネットワーク要素１上に構成するために使用される。経路情報３は、ＵＰＦネットワーク要素１によって、その宛先アドレスが端末１のアドレスであるデータを端末１に対応するアクセスデバイスへルーティングするために使用される。次いで、アクセスデバイスは、そのデータを端末１へルーティングする。
【０１８４】
このようにして、その宛先アドレスが端末１のアドレスであるデータをＵＰＦネットワーク要素１が受信した後、ＵＰＦネットワーク要素１は、ＵＰＦネットワーク要素１上に記憶されている、ＬＡＮの指示情報、端末１のアドレス、及び対応する経路情報３に基づいて、その宛先アドレスが端末１のアドレスであるデータを端末１に対応するアクセスデバイスへルーティングする。次いで、アクセスデバイスは、そのデータを端末１へルーティングする。
【０１８５】
任意選択で、本出願の本実施形態では、経路情報３は、例えば、ＵＰＦネットワーク要素１から対応するアクセスデバイスへのＧＴＰ−Ｕトンネル上のアクセスデバイスの、ＩＰアドレス又はトンネルエンドポイント識別子などのトンネル情報であってよい。このことは、本出願の本実施形態において特に制限されない。
【０１８６】
任意選択で、本出願の本実施形態では、ＬＳＭＦネットワーク要素が、ＬＡＮ  ＩＤ１に基づいて、５ＧＬＡＮに接続される端末についての、かつＬＳＭＦネットワーク要素上にある、（表２に示されるような）情報を問い合わせ、ＬＡＮ  ＩＤ１に対応する５ＧＬＡＮサービスをＵＰＦネットワーク要素１が端末１又は任意の他の端末に提供するのが初めてではないことを決定することが想定される。この場合、上記のステップＳ５０９からＳ５１２は実施されなくてよい。そうではなく、ＬＳＭＦネットワーク要素は、端末１のアドレスをＳＭＦネットワーク要素１へ送信し、ＳＭＦネットワーク要素１は、ＬＳＭＦネットワーク要素から端末１のアドレスを受信した後にステップＳ５１３を実施してよい。このことは、本出願の本実施形態において特に制限されない。
【０１８７】
代替として、任意選択で、本出願の本実施形態では、ＳＭＦネットワーク要素１が端末１のアドレスを決定してよい。このようにして、ステップＳ５０４におけるメッセージ１は端末１のアドレスを含んでよい。メッセージ１は、端末１の識別子を任意選択で含む。さらに、ＬＳＭＦネットワーク要素が、ＬＡＮ  ＩＤ１に基づいて、５ＧＬＡＮに接続される端末についての、かつＬＳＭＦネットワーク要素上にある、（表１に示されるような）情報を問い合わせ、ＬＡＮ  ＩＤ１に対応する５ＧＬＡＮサービスをＵＰＦネットワーク要素１が端末１又は任意の他の端末に提供するのが初めてであることを決定することが想定される。この場合、ステップＳ５１０における５ＧＬＡＮルート更新要求２は、端末１のアドレスを含まなくてよい。ＬＳＭＦネットワーク要素が、ＬＡＮ  ＩＤ１に基づいて、５ＧＬＡＮに接続された端末についてのものであり、かつＬＳＭＦネットワーク要素上にある、（表２に示されるような）情報を問い合わせ、ＬＡＮ  ＩＤ１に対応する５ＧＬＡＮサービスをＵＰＦネットワーク要素１が端末１又は任意の他の端末に提供するのが初めてではないことを決定する場合、ＬＳＭＦネットワーク要素は、端末１のアドレスをＳＭＦネットワーク要素１へ送信する必要がない。言い換えると、ＳＭＦネットワーク要素１は、端末１のアドレスを決定した後にステップＳ５１３を実施する。このことは、本出願の本実施形態において特に制限されない。
【０１８８】
例えば、ＳＭＦネットワーク要素１は、端末１のアドレスを以下の方式で決定し得る。即ち、ＳＭＦネットワーク要素１は、端末１の識別子に基づいてローカルのコンテキストから端末１のアドレスを取得し得る。代替として、ＳＭＦネットワーク要素１は、ローカルのアドレスプールを使用することによって端末１のアドレスを割り当ててよい。代替として、ＳＭＦネットワーク要素１は、ＤＨＣＰサーバから端末１のアドレスを取得してよい。代替として、ＳＭＦネットワーク要素１は、ＵＤＭネットワーク要素によって戻される加入データから端末１のアドレスを取得してよい。代替として、ＳＭＦネットワーク要素１は、ＵＰＦネットワーク要素１の報告から端末１のアドレスを取得してよい。代替として、ＳＭＦネットワーク要素１は、ＤＮ−ＡＡＡサーバによって戻される認証応答から端末１のアドレスを取得してよい。代替として、ハンドオーバシナリオ（例えば、ステップＳ５０２において説明されたハンドオーバシナリオ）では、ＳＭＦネットワーク要素１は、ＳＭコンテキスト更新要求又はＳＭコンテキスト作成要求の中にあるＳＭＦネットワーク要素３の識別子及びセッション識別子に基づいて、ＳＭＦネットワーク要素３から端末１のアドレスを取得してよい。ＳＭＦネットワーク要素１が端末１のアドレスを取得する方式は、本出願の本実施形態において特に制限されない。
【０１８９】
結論として、本出願の本実施形態において提供されるローカルエリアネットワーク通信方法によれば、ＳＭＦネットワーク要素１によって管理されるＵＰＦネットワーク要素１が、ＬＡＮ  ＩＤ１に対応する５ＧＬＡＮサービスを提供する先の端末１と、ＳＭＦネットワーク要素２によって管理されるＵＰＦネットワーク要素２が、ＬＡＮ  ＩＤ１に対応する５ＧＬＡＮサービスを提供する先の端末２又は端末３との間で、プライベート通信が実装されることができる。言い換えると、ローカルエリアネットワークサービスのために、ＳＭＦネットワーク要素にわたるプライベート通信が実装されることができる。
【０１９０】
ステップＳ５０２からＳ５１３におけるＬＳＭＦネットワーク要素のアクション又はＳＭＦネットワーク要素２のアクションは、メモリ４０３に記憶されたアプリケーションプログラムコードを呼び出すことによって、図４に示される通信デバイス４００の中のプロセッサ４０１によって実施され得る。このことは、本実施形態において制限されない。
【０１９１】
任意選択で、図１に示される通信システムが図２に示される５Ｇネットワークに適用され、セッション管理ネットワーク要素１がＳＭＦネットワーク要素１であり、セッション管理ネットワーク要素２がＳＭＦネットワーク要素２であり、ユーザプレーンネットワーク要素１がＵＰＦネットワーク要素１であり、かつユーザプレーンネットワーク要素２がＵＰＦネットワーク要素２である一例が、説明のために使用される。セッションを作成若しくは更新する処理又は別の処理において、ＬＳＭＦネットワーク要素が５ＧＬＡＮにおける経路情報を更新しないことが想定される。そうではなく、例えば、セッション処理を完了した後、ＳＭＦネットワーク要素は、必要に応じて、ＵＰＦネットワーク要素上で構成されたアドレス報告に基づいて、処理されることが可能でないデータパケットの宛先アドレスを取得し、宛先アドレスに関連付けられた経路情報をＬＳＭＦネットワーク要素に要求し、ＵＰＦネットワーク要素上でリアルタイムに経路情報を更新する（そのことは上記のケース２に対応する）。図６は、本出願の実施形態によるローカルエリアネットワーク通信方法を示す。ローカルエリアネットワーク通信方法は以下のステップを含む。
【０１９２】
Ｓ６０１：ＵＰＦネットワーク要素１が報告ルールを構成する。報告ルールは次の通りである。即ち、ＵＰＦネットワーク要素１がデータと転送経路情報とのマッチングに失敗する場合、ＵＰＦネットワーク要素１は対応するＳＭＦネットワーク要素１へアドレス報告を送信する。
【０１９３】
任意選択で、本出願の本実施形態では、報告ルールは、代替として、次の通りであってよい。即ち、ＵＰＦネットワーク要素１が、アドレスに関連付けられたデータを予め設定された時間内に検出しない場合、ＵＰＦネットワーク要素１は、対応するＳＭＦネットワーク要素１へアドレス報告を送信する。例えば、本明細書における予め設定された時間とは、非活動タイマーの値であってよい。
【０１９４】
任意選択で、本出願の本実施形態における報告ルールは、ＳＭＦネットワーク要素１によって構成され得るか、又はＵＰＦネットワーク要素１によってローカルで構成され得る。このことは、本出願の本実施形態において特に制限されない。
【０１９５】
Ｓ６０３：図５に示される実施形態におけるステップＳ５０２と同じ。関連する説明については、図５に示される実施形態を参照されたい。詳細は、本明細書で再び説明されない。
【０１９６】
Ｓ６０４：図５に示される実施形態におけるステップＳ５０３と同様。例えば、本出願の本実施形態では、ＳＭＦネットワーク要素１が端末１のアドレスを決定するという点で差異がある。ＳＭＦネットワーク要素１が端末１のアドレスを決定する方式については、図５に示される実施形態における説明を参照されたい。詳細は、本明細書で再び説明されない。
【０１９７】
Ｓ６０５：図５に示される実施形態におけるステップＳ５０４と同様。例えば、メッセージ１の中の端末１の識別子が、本出願の本実施形態では端末１のアドレスで置き換えられ、かつ任意選択で、端末１の識別子が含められるという点で差異がある。関連する他の説明については、図５に示される実施形態を参照されたい。詳細は、本明細書で再び説明されない。
【０１９８】
Ｓ６０６：図５に示される実施形態におけるステップＳ５１３と同じ。関連する説明については、図５に示される実施形態を参照されたい。詳細は、本明細書で再び説明されない。
【０１９９】
さらに、その宛先アドレスが端末２のアドレスであるデータをユーザプレーンネットワーク要素１が受信した後、図１の端末１がデータを端末２へ送信することを想定すると、本出願の本実施形態において提供されるローカルエリアネットワーク通信方法は、以下のステップＳ６０７からＳ６１１をさらに含んでよい。
【０２００】
Ｓ６０７：その宛先アドレスが端末２のアドレスであるデータに対して転送経路情報がマッチングできないことをＵＰＦネットワーク要素１が検出する場合、ＵＰＦネットワーク要素１は、対応するＳＭＦネットワーク要素１へアドレス報告１を送信する。アドレス報告１は、ＬＡＮの指示情報、及び端末２のアドレス（宛先アドレス）を含む。
【０２０１】
任意選択で、アドレス報告１は、端末１のアドレス（ソースアドレス）をさらに含み、端末１のアドレスは、ＵＰＦネットワーク要素１によってマッチングできる経路情報がないデータに対応するソースアドレスである。
【０２０２】
ＬＡＮの指示情報の関連する説明については、図６に示される実施形態を参照されたい。詳細は、本明細書で再び説明されない。
【０２０３】
Ｓ６０８：ＳＭＦネットワーク要素１は、ルート更新要求をＬＳＭＦネットワーク要素へ送信し、ＬＳＭＦネットワーク要素は、ＳＭＦネットワーク要素１からルート更新要求を受信する。
【０２０４】
ルート更新要求は、ＬＡＮの指示情報、ＵＰＦネットワーク要素１の指示情報、及び端末２のアドレス（宛先アドレス）を含み、端末２のアドレスに関連付けられた経路情報１を要求するために使用される。経路情報１は、ＵＰＦネットワーク要素１によって、その宛先アドレスが端末２のアドレスであるデータをＵＰＦネットワーク要素２へルーティングするために使用される。
【０２０５】
任意選択で、本出願の本実施形態では、ＵＰＦネットワーク要素１の指示情報は、例えば、端末１のアドレス（ソースアドレス）又はＵＰＦネットワーク要素１の識別子であってよい。このことは、本出願の本実施形態において特に制限されない。ＵＰＦネットワーク要素１の指示情報が端末１のアドレスであるとき、ＬＳＭＦネットワーク要素は、ＬＡＮの指示情報及び端末１のアドレスに基づいて、かつ表１又は表２における対応を参照して、対応するＵＰＦネットワーク要素１の識別子を決定し得る。このことは、本出願の本実施形態において特に制限されない。
【０２０６】
加えて、ルート更新要求を受信した後、ＬＳＭＦネットワーク要素は、ルート更新要求の中にあるＬＡＮの指示情報及び端末２のアドレスに基づいて、かつ表１又は表２における対応を参照して、対応するＵＰＦネットワーク要素２の識別子を決定し得る。このことは、本出願の本実施形態において特に制限されない。
【０２０７】
Ｓ６０９：ＬＳＭＦネットワーク要素は、ＬＡＮ  ＩＤ１、ＵＰＦネットワーク要素１の識別子、及びＵＰＦネットワーク要素２の識別子に基づいて、端末２のアドレスに関連付けられた経路情報１を取得する。経路情報１は、ＵＰＦネットワーク要素１によって、その宛先アドレスが端末２のアドレスであるデータをＵＰＦネットワーク要素２へルーティングするために使用される。
【０２０８】
本出願の本実施形態では、端末２のアドレスに関連付けられた経路情報１をＬＳＭＦネットワーク要素が取得する方式は、図５に示される実施形態における、端末１のアドレスに関連付けられた経路情報２をＬＳＭＦネットワーク要素が取得する方式と同様である。例えば、以下のこと、即ち、図５に示される実施形態における端末１のアドレスに関連付けられた経路情報２が、本出願の本実施形態では端末２のアドレスに関連付けられた経路情報１で置き換えられ、図５に示される実施形態におけるＵＰＦネットワーク要素１が、本出願の本実施形態ではＵＰＦネットワーク要素２で置き換えられ、かつ図５に示される実施形態におけるＵＰＦネットワーク要素２が、本出願の本実施形態ではＵＰＦネットワーク要素１で置き換えられることに差異がある。関連する他の説明については、図５に示される実施形態を参照されたい。詳細は、本明細書で再び説明されない。
【０２０９】
Ｓ６１０：ＬＳＭＦネットワーク要素は、ルート更新応答をＳＭＦネットワーク要素１へ送信し、ＳＭＦネットワーク要素１は、ＬＳＭＦネットワーク要素からルート更新応答を受信する。
【０２１０】
ルート更新応答は、端末２のアドレスに関連付けられた経路情報１を含む。
【０２１１】
Ｓ６１１：ＳＭＦネットワーク要素１は、対応するＵＰＦネットワーク要素１へルーティングメッセージ２を送信し、ＵＰＦネットワーク要素１は、ＳＭＦネットワーク要素１からルーティングメッセージ２を受信する。
【０２１２】
ルーティングメッセージ２はルーティングルール３を含み、ＵＰＦネットワーク要素１上にルーティングルール３を構成するために使用される。ルーティングルール３は、ＬＡＮの指示情報、端末２のアドレス、及び対応する経路情報１を含む。
【０２１３】
このようにして、その宛先アドレスが端末２のアドレスであるデータをＵＰＦネットワーク要素１が受信した後、ＵＰＦネットワーク要素１は、ＬＡＮ  ＩＤに対応する５ＧＬＡＮ上にあり端末２へ送信されることになるデータを、ルーティングルール３に従ってＵＰＦネットワーク要素２へ送信し得る。次いで、ＵＰＦネットワーク要素２は、対応するアクセスデバイスを通して端末２へデータを送信する。このことは、本出願の本実施形態において特に制限されない。
【０２１４】
任意選択で、本出願の本実施形態では、ＵＰＦネットワーク要素１がＵＰＦネットワーク要素１上にルーティングルール３を構成した後、ＵＰＦネットワーク要素１上にルーティング情報を記憶する方式が表８に示されてよく、即ち、ルーティング情報は、ＬＡＮの指示情報、経路情報、及び対応する端末のアドレスを含む。任意選択で、経路情報は、ターゲットＵＰＦネットワーク要素の識別子を含んでよい。このことは、本出願の本実施形態において特に制限されない。
【０２１５】
【表８】
2022501927.tif 000029
【０２１６】
ＬＡＮ  ＩＤ１に対応する５ＧＬＡＮサービスを端末２に提供するＵＰＦネットワーク要素がＵＰＦネットワーク要素２であり、かつＵＰＦネットワーク要素２がＳＭＦネットワーク要素２によって管理される一例を使用することによって、本出願の本実施形態が説明される。任意選択で、端末２が移動し、ＬＡＮ  ＩＤ１に対応する５ＧＬＡＮサービスを端末２に提供するＵＰＦネットワーク要素がＵＰＦネットワーク要素３であり、かつＵＰＦネットワーク要素３がＳＭＦネットワーク要素３によって管理されることが想定される（ＳＭＦネットワーク要素３はＳＭＦネットワーク要素２と同じであってよいか又はそれとは異なってもよい）。この場合、ＳＭＦネットワーク要素３は、メッセージ２をＬＳＭＦネットワーク要素へ送信してよく、ＬＳＭＦネットワーク要素は、ＳＭＦネットワーク要素３からメッセージ２を受信する。メッセージ２は、図６に示される実施形態でのステップＳ６０５におけるメッセージ１と同様であり、ＳＭＦネットワーク要素１の識別子及びＵＰＦネットワーク要素１の識別子が、それぞれ、ＳＭＦネットワーク要素３の識別子及びＵＰＦネットワーク要素３の識別子で置き換えられるという点で差異がある。関連する他の説明については、ステップＳ６０５におけるメッセージ１の説明を参照されたい。詳細は、本明細書で再び説明されない。さらに、ＳＭＦネットワーク要素３からメッセージ２を受信した後、ＬＳＭＦネットワーク要素は、図５に示される実施形態における表１又は表２に示される方式で、５ＧＬＡＮに接続される端末についての情報を更新し得る。加えて、ＬＳＭＦネットワーク要素は、端末２のアドレスに関連付けられた経路情報１を端末２のアドレスに関連付けられた経路情報５に更新し、ＵＰＦネットワーク要素１上に構成されたルーティングルール３をルーティングルール４に更新するために、メッセージ３をＳＭＦネットワーク要素１へ送信する。ルーティングルール４は、ＬＡＮの指示情報、端末２のアドレス、及び対応する経路情報５を含む。このことは、本出願の本実施形態において特に制限されない。経路情報５は、ＵＰＦネットワーク要素１によって、その宛先アドレスが端末２のアドレスであるデータをＵＰＦネットワーク要素３へルーティングするために使用される。
【０２１７】
任意選択で、ステップＳ６０８におけるルート更新要求の中に含まれるＵＰＦネットワーク要素１の指示情報が端末１のアドレス（ソースアドレス）である場合、本出願の本実施形態において提供されるローカルエリアネットワーク通信方法は、以下のステップＳ６１２からＳ６１４をさらに含んでよい。
【０２１８】
Ｓ６１２からＳ６１５：図５に示される実施形態におけるステップＳ５０５からＳ５０８と同じ。関連する説明については、図５に示される実施形態を参照されたい。詳細は、本明細書で再び説明されない。
【０２１９】
当然ながら、本出願の本実施形態では、ステップＳ６１２からＳ６１５は実施されなくてよい。そうではなく、アドレス報告がＵＰＦネットワーク要素２上に構成される。端末２がデータを端末１へ送信するとき、その宛先アドレスが端末１のアドレスであるデータをＵＰＦネットワーク要素２が受信した後、その宛先アドレスが端末１のアドレスであるデータについて、マッチングできる転送経路情報がないことをＵＰＦネットワーク要素２が検出する場合、ユーザプレーンネットワーク要素２は、アドレス報告をＳＭＦネットワーク要素２へ送信する。次いで、ＵＰＦネットワーク要素１上にルーティングルール３を構成する上記の方式と同様の方式で、ルーティングルール１がユーザプレーンネットワーク要素２上に構成される。このことは、本出願の本実施形態において特に制限されない。
【０２２０】
任意選択で、本出願の本実施形態では、ステップＳ６０１における報告ルールが、代替として、ＵＰＦネットワーク要素１が、アドレスに関連付けられたデータを予め設定された時間内に検出しない場合、ＵＰＦネットワーク要素１が、対応するＳＭＦネットワーク要素１へアドレス報告を送信することであり得る場合、本出願の本実施形態において提供されるローカルエリアネットワーク通信方法は、以下のステップＳ６１６及びＳ６１７をさらに含んでよい。
【０２２１】
Ｓ６１６：ＵＰＦネットワーク要素１が、端末２のアドレスに関連付けられた（その宛先アドレスが端末２のアドレスである）データを予め設定された時間内に検出しない場合、ＵＰＦネットワーク要素１は、対応するＳＭＦネットワーク要素１へアドレス報告２を送信し、ＳＭＦネットワーク要素１は、ＵＰＦネットワーク要素１からアドレス報告２を受信する。アドレス報告２は、ＬＡＮの指示情報、及び端末２のアドレスを含む。
【０２２２】
例えば、非活動タイマーが満了した後、その宛先アドレスが端末２のアドレスである関連するデータをＵＰＦネットワーク要素１が依然として検出しないことを想定すると、ＵＰＦネットワーク要素１は、対応するＳＭＦネットワーク要素１へアドレス報告２を送信する。
【０２２３】
任意選択で、本出願の本実施形態では、ＵＰＦネットワーク要素１が、端末２のアドレスに関連付けられた（その宛先アドレスが端末２のアドレスである）データを予め設定された時間内に検出しない場合、ＵＰＦネットワーク要素１は、代替として、端末２のアドレス、又は端末２のアドレスに関連付けられたルーティング情報、例えば、上記の経路情報１を、ローカルで削除し得る。このことは、本出願の本実施形態において特に制限されない。
【０２２４】
Ｓ６１７：ＳＭＦネットワーク要素１は、ルーティング取消し要求をＬＳＭＦネットワーク要素へ送信し、ＬＳＭＦネットワーク要素は、ＳＭＦネットワーク要素１からルーティング取消し要求を受信する。
【０２２５】
ルーティング取消し要求は、ＬＡＮの指示情報、ＵＰＦネットワーク要素１の識別子、及び端末２のアドレスを含み、ＬＡＮの指示情報、端末２のアドレス、及びＵＰＦネットワーク要素１の識別子に関連付けられた経路情報の更新を取り消すことを要求するために使用される。このようにして、ＬＳＭＦネットワーク要素は、ＬＡＮの指示情報、端末２のアドレス、及びＵＰＦネットワーク要素１の識別子に関連付けられた経路情報をＳＭＦネットワーク要素１へ送信することをやめてよい。このことは、本出願の本実施形態において特に制限されない。例えば、ステップＳ６１１において説明されたシナリオでは、端末２が移動し、ＬＡＮ  ＩＤ１に対応する５ＧＬＡＮサービスを端末２に提供するＵＰＦネットワーク要素がＵＰＦネットワーク要素３であり、かつＵＰＦネットワーク要素３がＳＭＦネットワーク要素３によって管理される場合でも（ＳＭＦネットワーク要素３はＳＭＦネットワーク要素２と同じであってよいか又はそれとは異なってもよい）、ＬＳＭＦネットワーク要素は、端末２のアドレスに関連付けられた経路情報１を端末２のアドレスに関連する経路情報５に更新する必要がない。加えて、ＬＳＭＦネットワーク要素は、ＵＰＦネットワーク要素１上に構成されたルーティングルール３をルーティングルール４に更新するためにメッセージ３をＳＭＦネットワーク要素１へ送信する必要がない。ルーティングルール４は、ＬＡＮの指示情報、端末２のアドレス、及び対応する経路情報５を含む。本明細書では概略的な説明が提供され、詳細は以下で再び説明されない。
【０２２６】
任意選択で、本出願の本実施形態において提供されるローカルエリアネットワーク通信方法によれば、ＬＳＭＦネットワーク要素は、端末１のアドレスを決定し得るし、次いで、端末１のアドレスをＳＭＦネットワーク要素１へ送信し得る。次いで、ＳＭＦネットワーク要素１は、端末１のアドレスを受信した後、ルーティングメッセージ３をＵＰＦネットワーク要素１へ送信する。関連する説明については、図５に示される実施形態を参照されたい。詳細は、本明細書で再び説明されない。
【０２２７】
結論として、本出願の本実施形態において提供されるローカルエリアネットワーク通信方法によれば、ＳＭＦネットワーク要素１によって管理されるＵＰＦネットワーク要素１が、ＬＡＮ  ＩＤ１に対応する５ＧＬＡＮサービスを提供する先の端末１と、ＳＭＦネットワーク要素２によって管理されるＵＰＦネットワーク要素２が、ＬＡＮ  ＩＤ１に対応する５ＧＬＡＮサービスを提供する先の端末２との間で、プライベート通信が実装されることができる。言い換えると、ローカルエリアネットワークサービスのために、ＳＭＦネットワーク要素にわたるプライベート通信が実装されることができる。
【０２２８】
ステップＳ６０１からＳ６１５におけるＬＳＭＦネットワーク要素のアクション又はＳＭＦネットワーク要素２のアクションは、メモリ４０３に記憶されたアプリケーションプログラムコードを呼び出すことによって、図４に示される通信デバイス４００の中のプロセッサ４０１によって実施され得る。このことは、本実施形態において制限されない。
【０２２９】
任意選択で、図５に示される実施形態又は図６に示される実施形態では、ＬＳＭＦネットワーク要素とＵＰＦネットワーク要素との間に直接のインターフェースがない一例が、説明のために使用される。当然ながら、ＬＳＭＦネットワーク要素とＵＰＦネットワーク要素との間に直接のインターフェースがあってよい。この場合、ＬＳＭＦネットワーク要素はＵＰＦネットワーク要素と直接通信し得る。例えば、図５に示される実施形態では、ＬＳＭＦネットワーク要素は、ＵＰＦネットワーク要素２上にルーティングルール２を構成するために、ルーティングルール２をＵＰＦネットワーク要素２へ直接送信してよい。代替として、図５に示される実施形態では、ＬＳＭＦネットワーク要素は、ＵＰＦネットワーク要素１上にルーティングルール１を構成するために、ルーティングルール１をＵＰＦネットワーク要素１へ直接送信してよい。代替として、図６に示される実施形態では、ＬＳＭＦネットワーク要素は、ＵＰＦネットワーク要素１上にルーティングルール３を構成するために、ルーティングルール３をＵＰＦネットワーク要素１へ直接送信してよい。代替として、図６に示される実施形態では、ＬＳＭＦネットワーク要素は、ＵＰＦネットワーク要素２上にルーティングルール２を構成するために、ルーティングルール２をＵＰＦネットワーク要素２へ直接送信してよい。このことは、本出願の本実施形態において特に制限されない。
【０２３０】
任意選択で、図１に示される通信システムが図２に示される５Ｇネットワークに適用され、セッション管理ネットワーク要素１がＳＭＦネットワーク要素１であり、セッション管理ネットワーク要素２がＳＭＦネットワーク要素２であり、ユーザプレーンネットワーク要素１がＵＰＦネットワーク要素１であり、かつユーザプレーンネットワーク要素２がＵＰＦネットワーク要素２である一例が、説明のために使用される。セッションを作成若しくは更新する処理又は別の処理において、ＬＳＭＦネットワーク要素が５ＧＬＡＮ用のトポロジー管理及びユーザプレーン経路管理を提供し得ることが想定される。加えて、ＳＭＦネットワーク要素は経路情報を割り当てる（そのことは上記のケース３に対応する）。図７は、本出願の実施形態によるローカルエリアネットワーク通信方法を示す。ローカルエリアネットワーク通信方法は以下のステップを含む。
【０２３１】
Ｓ７０１及びＳ７０２：図５に示される実施形態におけるステップＳ５０１及びＳ５０２と同じ。関連する説明については、図５に示される実施形態を参照されたい。詳細は、本明細書で再び説明されない。
【０２３２】
Ｓ７０３からＳ７０５：図６に示される実施形態におけるステップＳ６０４からＳ６０６と同じ。関連する説明については、図６に示される実施形態を参照されたい。詳細は、本明細書で再び説明されない。
【０２３３】
さらに、上記のメッセージ１を受信した後、ＬＳＭＦネットワーク要素は、メッセージ１の中の（ＬＡＮ  ＩＤ１と想定される）ＬＡＮ  ＩＤに基づいて、かつＳＭＦネットワーク要素の識別子と、ＵＰＦネットワーク要素の識別子と、及び端末の識別子又は端末のアドレスのうちの少なくとも一方と、ローカルエリアネットワークの識別子との間の、１つ又は複数の端末が５ＧＬＡＮにアクセスするときにＬＳＭＦネットワーク要素によって記憶される（表１又は表２に示されるような）対応を参照して、ＬＡＮ  ＩＤ１に対応する５ＧＬＡＮサービスを別のＵＰＦネットワーク要素が別の端末に現在提供するかどうかを決定し得る。例えば、表１又は表２において、ＬＳＭＦネットワーク要素は、ＬＡＮ  ＩＤ１に対応する５ＧＬＡＮサービスをＵＰＦネットワーク要素２が端末２及び端末３に現在提供することを決定し得る。さらに、ＵＰＦネットワーク要素２に対して、ＬＳＭＦネットワーク要素が、ＬＡＮ  ＩＤ１に基づいて、５ＧＬＡＮに接続される端末についての、かつＬＳＭＦネットワーク要素上にある、（表１に示されるような）情報を問い合わせ、ＬＡＮ  ＩＤ１に対応する５ＧＬＡＮサービスをＵＰＦネットワーク要素１が端末１又は任意の他の端末に提供するのが初めてであることを決定することが想定される。この場合、任意選択で、本出願の本実施形態において提供されるローカルエリアネットワーク通信方法は、以下のステップＳ７０６からＳ７０８をさらに含む。
【０２３４】
Ｓ７０６：ＬＳＭＦネットワーク要素は、ＵＰＦネットワーク要素１に対応するＳＭＦネットワーク要素１へ５ＧＬＡＮ転送経路確立要求を送信し、ＳＭＦネットワーク要素１は、ＬＳＭＦネットワーク要素から５ＧＬＡＮ転送経路確立要求を受信する。
【０２３５】
５ＧＬＡＮ転送経路確立要求は、ＬＡＮの指示情報、ＵＰＦネットワーク要素１の識別子、及びＵＰＦネットワーク要素２の識別子を含み、端末１のアドレスに関連付けられた経路情報２を要求するために使用される。経路情報２の関連する説明については、図５に示される実施形態を参照されたい。詳細は、本明細書で再び説明されない。
【０２３６】
Ｓ７０７：ＳＭＦネットワーク要素１は、ＬＡＮの指示情報、ＵＰＦネットワーク要素１の識別子、及びＵＰＦネットワーク要素２の識別子に基づいて、経路情報２を割り当てる。
【０２３７】
Ｓ７０８：ＳＭＦネットワーク要素１は、５ＧＬＡＮ転送経路確立応答をＬＳＭＦネットワーク要素へ送信し、ＬＳＭＦネットワーク要素は、ＳＭＦネットワーク要素１から５ＧＬＡＮ転送経路確立応答を受信する。
【０２３８】
５ＧＬＡＮ転送経路確立応答は、経路情報２を含み、ＵＰＦネットワーク要素２の識別子、ＬＡＮの指示情報などを任意選択で含む。このことは、本出願の本実施形態において特に制限されない。
【０２３９】
任意選択で、本出願の本実施形態では、ＬＳＭＦネットワーク要素が、ＬＡＮ  ＩＤ１に基づいて、５ＧＬＡＮに接続される端末についての、かつＬＳＭＦネットワーク要素上にある、（表２に示されるような）情報を問い合わせ、ＬＡＮ  ＩＤ１に対応する５ＧＬＡＮサービスをＵＰＦネットワーク要素１が端末１又は任意の他の端末に提供するのが初めてではないことを決定することが想定される。この場合、上記のステップＳ７０６からＳ７０８は実施されなくてよい。そうではなく、ＬＳＭＦネットワーク要素は、ＬＡＮ  ＩＤ１、ＵＰＦネットワーク要素２の識別子、及びＵＰＦネットワーク要素１の識別子に基づいて、かつ表４に示される対応を参照して、端末１のアドレスに関連付けられた経路情報２を決定する。このことは、本出願の本実施形態において特に制限されない。
【０２４０】
さらに、端末１のアドレスに関連付けられた経路情報２をＬＳＭＦネットワーク要素が決定した後、本出願の本実施形態において提供されるローカルエリアネットワーク通信方法は、以下のステップＳ７０９及びＳ７１０をさらに含んでよい。
【０２４１】
Ｓ７０９及びＳ７１０：図５に示される実施形態におけるステップＳ５０６及びＳ５０７と同じ。関連する説明については、図５に示される実施形態を参照されたい。詳細は、本明細書で再び説明されない。
【０２４２】
Ｓ７１１：ＳＭＦネットワーク要素２は、５ＧＬＡＮルート更新応答１をＬＳＭＦネットワーク要素へ送信し、ＬＳＭＦネットワーク要素は、ＳＭＦネットワーク要素２から５ＧＬＡＮルート更新応答１を受信する。
【０２４３】
任意選択で、本出願の本実施形態では、経路情報２に対応する経路情報１がＵＰＦネットワーク要素２上に存在しないことをＳＭＦネットワーク要素２が決定する場合、ＳＭＦネットワーク要素２は、５ＧＬＡＮルート更新応答１の中に経路情報１を含める必要がある。任意選択で、５ＧＬＡＮルート更新応答１は、ＵＰＦネットワーク要素２の識別子をさらに搬送し得る。このことは、本出願の本実施形態において特に制限されない。例えば、ＬＡＮ  ＩＤ１に対応する５ＧＬＡＮサービスをＵＰＦネットワーク要素１が端末１又は任意の他の端末に提供するのが初めてである場合、ＳＭＦネットワーク要素２は、経路情報２に対応する経路情報１がＵＰＦネットワーク要素２上に存在しないことを決定し得る。このことは、本出願の本実施形態において特に制限されない。経路情報１の関連する説明については、図５に示される実施形態を参照されたい。詳細は、本明細書で再び説明されない。
【０２４４】
任意選択で、本出願の本実施形態では、ＬＳＭＦネットワーク要素が、ＬＡＮ  ＩＤ１に基づいて、５ＧＬＡＮに接続される端末についての、かつＬＳＭＦネットワーク要素上にある、（表１に示されるような）情報を問い合わせ、ＬＡＮ  ＩＤ１に対応する５ＧＬＡＮサービスをＵＰＦネットワーク要素１が端末１又は任意の他の端末に提供するのが初めてであることを決定することが想定される。この場合、本出願の本実施形態において提供されるローカルエリアネットワーク通信方法は、以下のステップＳ７１２からＳ７１４をさらに含んでよい。
【０２４５】
Ｓ７１２からＳ７１４：図５に示される実施形態におけるステップＳ５１０からＳ５１２と同様であり、本出願の本実施形態では、ＳＭＦネットワーク要素１が端末１のアドレスを決定し得るので、ステップＳ７１２における５ＧＬＡＮルート更新要求２が端末１のアドレスを搬送しなくてよいという点で差異がある。関連する他の説明については、図５に示される実施形態を参照されたい。詳細は、本明細書で再び説明されない。
【０２４６】
任意選択で、本出願の本実施形態において提供されるローカルエリアネットワーク通信方法によれば、ＬＳＭＦネットワーク要素は、端末１のアドレスを決定し得るし、次いで、端末１のアドレスをＳＭＦネットワーク要素１へ送信し得る。次いで、ＳＭＦネットワーク要素１は、端末１のアドレスを受信した後、ルーティングメッセージ３をＵＰＦネットワーク要素１へ送信する。関連する説明については、図５に示される実施形態を参照されたい。詳細は、本明細書で再び説明されない。
【０２４７】
ＬＳＭＦネットワーク要素が上記のメッセージ１を受信した後、ＬＳＭＦネットワーク要素が、メッセージ１の中のＬＡＮ  ＩＤに基づいて（ＬＡＮ  ＩＤ１と想定して）、かつローカルエリアネットワークの識別子と、ＳＭＦネットワーク要素の識別子と、ＵＰＦネットワーク要素の識別子と、端末の識別子又は端末のアドレスのうちの少なくとも一方との間の、１つ又は複数の端末が５ＧＬＡＮにアクセスするときにＬＳＭＦネットワーク要素によって記憶される（表１又は表２に示されるような）対応を参照して、ＬＡＮ  ＩＤ１に対応する５ＧＬＡＮサービスをＵＰＦネットワーク要素２が端末２及び端末３に現在提供することを決定する例を使用することによってのみ、上記のステップＳ７０６からＳ７１４が説明されることに留意されたい。当然ながら、ＬＡＮ  ＩＤ１に対応する５ＧＬＡＮサービスを別のＵＰＦネットワーク要素が別の端末に提供する場合、ＵＰＦネットワーク要素のための対応するローカルエリアネットワーク通信方法については、上記のステップＳ７０６からＳ７１４を参照されたい。上記のステップＳ７０６からＳ７１４におけるＵＰＦネットワーク要素２が、ＵＰＦネットワーク要素で置き換えられる必要があり、上記のステップＳ７０６からＳ７１４におけるＳＭＦネットワーク要素２が、ＵＰＦネットワーク要素に対応するＳＭＦネットワーク要素で置き換えられる必要があり、かつ上記のステップＳ７０６からＳ７１４における端末２及び端末３が、ローカルエリアネットワークへのアクセスをＵＰＦネットワーク要素が提供する先の端末で置き換えられる必要があるという点でしか差異がない。関連する他の説明については、上記のステップＳ７０６からＳ７１４を参照されたい。詳細は、本明細書で再び説明されない。
【０２４８】
結論として、本出願の本実施形態において提供されるローカルエリアネットワーク通信方法によれば、ＳＭＦネットワーク要素１によって管理されるＵＰＦネットワーク要素１が、ＬＡＮ  ＩＤ１に対応する５ＧＬＡＮサービスを提供する先の端末１と、ＳＭＦネットワーク要素２によって管理されるＵＰＦネットワーク要素２が、ＬＡＮ  ＩＤ１に対応する５ＧＬＡＮサービスを提供する先の端末２との間で、プライベート通信が実装されることができる。言い換えると、ローカルエリアネットワークサービスのために、ＳＭＦネットワーク要素にわたるプライベート通信が実装されることができる。
【０２４９】
ステップＳ７０２からＳ７１４におけるＬＳＭＦネットワーク要素のアクション又はＳＭＦネットワーク要素２のアクションは、メモリ４０３に記憶されたアプリケーションプログラムコードを呼び出すことによって、図４に示される通信デバイス４００の中のプロセッサ４０１によって実施され得る。このことは、本実施形態において制限されない。
【０２５０】
任意選択で、図１に示される通信システムが図２に示される５Ｇネットワークに適用され、セッション管理ネットワーク要素１がＳＭＦネットワーク要素１であり、セッション管理ネットワーク要素２がＳＭＦネットワーク要素２であり、ユーザプレーンネットワーク要素１がＵＰＦネットワーク要素１であり、かつユーザプレーンネットワーク要素２がＵＰＦネットワーク要素２である一例が、説明のために使用される。ＬＳＭＦネットワーク要素が５ＧＬＡＮ用のユーザプレーン経路管理を提供しないことが想定される。そうではなく、異なるＳＭＦネットワーク要素が、経路情報を更新するために互いに交渉する（そのことは上記のケース４に対応する）。図８は、本出願の実施形態によるローカルエリアネットワーク通信方法を示す。ローカルエリアネットワーク通信方法は以下のステップを含む。
【０２５１】
Ｓ８０１からＳ８０４：図５に示される実施形態におけるステップＳ５０１からＳ５０４と同じ。関連する説明については、図５に示される実施形態を参照されたい。詳細は、本明細書で再び説明されない。
【０２５２】
さらに、上記のメッセージ１を受信した後、ＬＳＭＦネットワーク要素は、メッセージ１の中の（ＬＡＮ  ＩＤ１と想定される）ＬＡＮ  ＩＤに基づいて、かつＳＭＦネットワーク要素の識別子と、ＵＰＦネットワーク要素の識別子と、端末の識別子又は端末のアドレスのうちの少なくとも一方と、ローカルエリアネットワークの識別子との間の、１つ又は複数の端末が５ＧＬＡＮにアクセスするときにＬＳＭＦネットワーク要素によって記憶される（表１又は表２に示されるような）対応を参照して、ＬＡＮ  ＩＤ１に対応する５ＧＬＡＮサービスを別のＵＰＦネットワーク要素が別の端末に現在提供するかどうかを決定し得る。例えば、表１又は表２において、ＬＳＭＦネットワーク要素は、ＬＡＮ  ＩＤ１に対応する５ＧＬＡＮサービスをＵＰＦネットワーク要素２が端末２及び端末３に現在提供することを決定し得る。さらに、ＵＰＦネットワーク要素２に対して、本出願の本実施形態において提供されるローカルエリアネットワーク通信方法は、以下のステップＳ８０５からＳ８１０をさらに含む。
【０２５３】
Ｓ８０５：ＬＳＭＦネットワーク要素は、メッセージ２をＳＭＦネットワーク要素１へ送信し、ＳＭＦネットワーク要素１は、ＬＳＭＦネットワーク要素からメッセージ２を受信する。メッセージ２は、端末１のアドレス、ＳＭＦネットワーク要素２の識別子、及びＵＰＦネットワーク要素２の識別子を含む。
【０２５４】
任意選択で、メッセージ２は、ＬＡＮ  ＩＤ１及び／又はＬＡＮの指示情報に対応する５ＧＬＡＮサービスをＵＰＦネットワーク要素２が提供する先の端末２のアドレス及び端末３のアドレスをさらに含んでよい。このことは、本出願の本実施形態において特に制限されない。ＬＡＮの指示情報の関連する説明については、図５に示される実施形態を参照されたい。詳細は、本明細書で再び説明されない。
【０２５５】
Ｓ８０６：図５に示される実施形態におけるステップＳ５０５と同様であり、以下のこと、即ち、図５に示される実施形態におけるＬＳＭＦネットワーク要素が、本出願の本実施形態ではＳＭＦネットワーク要素１で置き換えられ、かつ図５に示される実施形態におけるＬＡＮ  ＩＤが、本出願の本実施形態ではＬＡＮの指示情報で置き換えられることに差異がある。加えて、本出願の本実施形態では、ＳＭＦネットワーク要素１は、ＬＡＮの指示情報に基づいて、ＬＡＮ  ＩＤに対応する５ＧＬＡＮサービスをＵＰＦネットワーク要素１が端末１又は任意の他の端末に提供するのが初めてであるかどうかを決定する。関連する他の説明については、図５に示される実施形態を参照されたい。詳細は、本明細書で再び説明されない。
【０２５６】
Ｓ８０７：ＳＭＦネットワーク要素１は、ＳＭＦネットワーク要素２の識別子に対応するＳＭＦネットワーク要素２へ５ＧＬＡＮルート更新要求１を送信し、ＳＭＦネットワーク要素２は、ＳＭＦネットワーク要素１から５ＧＬＡＮルート更新要求１を受信する。
【０２５７】
５ＧＬＡＮルート更新要求１は、ＬＡＮの指示情報、端末１のアドレス、ＵＰＦネットワーク要素２の識別子、及び対応する経路情報２を含む。
【０２５８】
Ｓ８０８：図５に示される実施形態におけるステップＳ５０７と同じ。関連する説明については、図５に示される実施形態を参照されたい。詳細は、本明細書で再び説明されない。
【０２５９】
Ｓ８０９：図７に示される実施形態におけるステップＳ７１１と同様であり、図５に示される実施形態におけるＬＳＭＦネットワーク要素が、本出願の本実施形態ではＳＭＦネットワーク要素１で置き換えられるという点で差異がある。加えて、ステップＳ８０５におけるメッセージ２が端末２のアドレス及び端末３のアドレスを含まず、ここで、ＬＡＮ  ＩＤ１に対応する５ＧＬＡＮサービスをＵＰＦネットワーク要素２が端末２及び端末３に提供することが想定される。この場合、５ＧＬＡＮルート更新応答１は、端末２のアドレス及び端末３のアドレスをさらに含む。このことは、本出願の本実施形態において特に制限されない。
【０２６０】
任意選択で、本出願の本実施形態では、ＳＭＦネットワーク要素１が、ＬＡＮ  ＩＤに対応する５ＧＬＡＮサービスをＵＰＦネットワーク要素１が端末１又は任意の他の端末に提供するのが初めてであることを決定する場合、本出願の本実施形態において提供されるローカルエリアネットワーク通信方法は、以下のステップＳ８１０をさらに含む。
【０２６１】
Ｓ８１０：図５に示される実施形態におけるステップＳ５１１と同じ。関連する説明については、図５に示される実施形態を参照されたい。詳細は、本明細書で再び説明されない。
【０２６２】
ＬＳＭＦネットワーク要素が上記のメッセージ１を受信した後、ＬＳＭＦネットワーク要素が、メッセージ１の中のＬＡＮ  ＩＤに基づいて（ＬＡＮ  ＩＤ１と想定して）、かつローカルエリアネットワークの識別子と、ＳＭＦネットワーク要素の識別子と、ＵＰＦネットワーク要素の識別子と、端末の識別子又は端末のアドレスのうちの少なくとも一方との間の、１つ又は複数の端末が５ＧＬＡＮにアクセスするときにＬＳＭＦネットワーク要素によって記憶される（表１又は表２に示されるような）対応を参照して、ＬＡＮ  ＩＤ１に対応する５ＧＬＡＮサービスをＵＰＦネットワーク要素２が端末２及び端末３に現在提供することを決定する例を使用することによってのみ、上記のステップＳ８０５からＳ８１０が説明されることに留意されたい。当然ながら、ＬＡＮ  ＩＤ１に対応する５ＧＬＡＮサービスを別のＵＰＦネットワーク要素が別の端末に提供する場合、ＵＰＦネットワーク要素のための対応するローカルエリアネットワーク通信方法については、上記のステップＳ８０５からＳ８１０を参照されたい。上記のステップＳ８０５からＳ８１０におけるＵＰＦネットワーク要素２が、ＵＰＦネットワーク要素で置き換えられる必要があり、上記のステップＳ８０５からＳ８１０におけるＳＭＦネットワーク要素２が、ＵＰＦネットワーク要素に対応するＳＭＦネットワーク要素で置き換えられる必要があり、かつ上記のステップＳ８０５からＳ８１０における端末２及び端末３が、ローカルエリアネットワークへのアクセスをＵＰＦネットワーク要素が提供する先の端末で置き換えられる必要があるという点でしか差異がない。関連する他の説明については、上記のステップＳ８０５からＳ８１０を参照されたい。詳細は、本明細書で再び説明されない。
【０２６３】
さらに、ＳＭＦネットワーク要素１が端末１のアドレスを取得した後、本出願の本実施形態において提供されるローカルエリアネットワーク通信方法は、以下のステップＳ８１１をさらに含む。
【０２６４】
Ｓ８１１：図５に示される実施形態におけるステップＳ５１３と同じ。関連する説明については、図５に示される実施形態を参照されたい。詳細は、本明細書で再び説明されない。
【０２６５】
任意選択で、本出願の本実施形態では、ＳＭＦネットワーク要素１が、端末１のアドレスを決定してよい。このようにして、ステップＳ８０４におけるメッセージ１は、端末１のアドレスを含んでよい。メッセージ１は、端末１の識別子を任意選択で含む。さらに、ステップＳ８０９における５ＧＬＡＮルート更新応答１は、端末１のアドレスを含まなくてよい。ＳＭＦネットワーク要素１は、端末１のアドレスを決定した後にステップＳ８１１を実施する。このことは、本出願の本実施形態において特に制限されない。
【０２６６】
結論として、本出願の本実施形態において提供されるローカルエリアネットワーク通信方法によれば、ＳＭＦネットワーク要素１によって管理されるＵＰＦネットワーク要素１が、ＬＡＮ  ＩＤ１に対応する５ＧＬＡＮサービスを提供する先の端末１と、ＳＭＦネットワーク要素２によって管理されるＵＰＦネットワーク要素２が、ＬＡＮ  ＩＤ１に対応する５ＧＬＡＮサービスを提供する先の端末２との間で、プライベート通信が実装されることができる。言い換えると、ローカルエリアネットワークサービスのために、ＳＭＦネットワーク要素にわたるプライベート通信が実装されることができる。
【０２６７】
ステップＳ８０２からＳ８１１におけるＳＭＦネットワーク要素１のアクションは、メモリ４０３に記憶されたアプリケーションプログラムコードを呼び出すことによって、図４に示される通信デバイス４００の中のプロセッサ４０１によって実施され得る。このことは、本実施形態において制限されない。
【０２６８】
上記のことは、本出願の実施形態において提供される解決策をネットワーク要素の間の相互作用の観点から主に説明する。上記の機能を実装するために、サービス管理ネットワーク要素、第１のセッション管理ネットワーク要素、又は第２のセッション管理ネットワーク要素が、機能を実施するためのハードウェア構造及び／又はソフトウェアモジュールに対応することを含むことが理解され得る。本明細書で開示される実施形態で説明されるユニット及びアルゴリズムステップの例と組み合わせて、本出願がハードウェア又はハードウェアとコンピュータソフトウェアとの組合せによって実装されることができることに、当業者は容易に気づくはずである。機能がハードウェアによって実施されるのか、それともコンピュータソフトウェアによって駆動されるハードウェアによって実施されるのかは、技術的解決策の特定の適用例及び設計制約に依存する。当業者は、特定の適用例ごとに様々な方法を使用して、説明される機能を実装し得るが、実装が本出願の範囲を越えるものと見なされるべきでない。
【０２６９】
本出願の実施形態では、サービス管理ネットワーク要素、第１のセッション管理ネットワーク要素、又は第２のセッション管理ネットワーク要素は、上記の方法例に基づいて機能モジュールに分割されてよい。例えば、各機能モジュールは対応する各機能に基づく分割を通して取得されてよいか、又は２つ以上の機能が１つの処理モジュールの中に統合されてよい。統合されたモジュールは、ハードウェアの形態で実装されてよいか、又はソフトウェア機能モジュールの形態で実装されてよい。本出願の実施形態では、モジュールへの分割が一例であり、論理的な機能分割にすぎず、実際の実装の間に他の分割であってよいことに留意されたい。
【０２７０】
例えば、機能モジュールが統合方式での分割を通して取得されるとき、図９は、サービス管理ネットワーク要素９０の概略構造図である。サービス管理ネットワーク要素９０は、処理モジュール９０１及びトランシーバモジュール９０２を含む。処理モジュール９０１は、ローカルエリアネットワークの指示情報に基づいて、第１のアドレスに関連付けられた第１の経路情報を決定するように構成される。第１の経路情報は、第２のユーザプレーンネットワーク要素によって、その宛先アドレスが第１のアドレスであるデータを第１のユーザプレーンネットワーク要素へルーティングするために使用される。第１のユーザプレーンネットワーク要素は、第１のアドレスに対応する端末にローカルエリアネットワークへのアクセスを提供する。トランシーバモジュール９０２は、第２のユーザプレーンネットワーク要素上に第１のルーティングルールを構成するために、第１のメッセージを第２のセッション管理ネットワーク要素へ送信するように構成される。第１のルーティングルールは、ローカルエリアネットワークの指示情報、第１のアドレス、及び第１の経路情報を含む。
【０２７１】
任意選択で、第１のアドレスは第１の端末のアドレスであり、第１のメッセージは、第２のユーザプレーンネットワーク要素の識別子、及び第１のルーティングルールを含む。トランシーバモジュール９０２は、第１のセッション管理ネットワーク要素から第２のメッセージを受信するようにさらに構成される。第２のメッセージは、第１のユーザプレーンネットワーク要素の識別子、及びローカルエリアネットワークの識別子を含む。それに対応して、ローカルエリアネットワークの指示情報は、ローカルエリアネットワークの識別子である。処理モジュール９０１は、ローカルエリアネットワークの識別子に基づいて第２のユーザプレーンネットワーク要素の識別子を決定し、ローカルエリアネットワークの識別子、第２のユーザプレーンネットワーク要素の識別子、及び第１のユーザプレーンネットワーク要素の識別子に基づいて、第１の端末のアドレスに関連付けられた第１の経路情報を決定するように、特に構成される。
【０２７２】
任意選択で、第２のメッセージは、第１の端末の識別子をさらに含む。処理モジュール９０１は、第１の端末の識別子に対応する第１の端末のアドレスを決定するようにさらに構成される。トランシーバモジュール９０２は、第１の端末へのルーティングを示す第２の経路情報を第１のユーザプレーンネットワーク要素上に構成するために、第１の端末のアドレスを第１のセッション管理ネットワーク要素へ送信するようにさらに構成される。
【０２７３】
代替として、任意選択で、第２のメッセージは第１の端末のアドレスをさらに含む。
【０２７４】
任意選択で、処理モジュール９０１が、ローカルエリアネットワークの識別子、第２のユーザプレーンネットワーク要素の識別子、及び第１のユーザプレーンネットワーク要素の識別子に基づいて、第１の端末のアドレスに関連付けられた第１の経路情報を決定するように構成されることは、第１のユーザプレーンネットワーク要素の識別子、及びローカルエリアネットワークの識別子に基づいて、第１のユーザプレーンネットワーク要素がローカルエリアネットワークへのアクセスを提供するのが初めてであることを決定することと、ローカルエリアネットワークの識別子、第２のユーザプレーンネットワーク要素の識別子、及び第１のユーザプレーンネットワーク要素の識別子に基づいて、第１の端末のアドレスに関連する第１の経路情報を割り当てることとを含む。
【０２７５】
任意選択で、トランシーバモジュール９０２は、第１のユーザプレーンネットワーク要素上に第２のルーティングルールを構成するために、第３のメッセージを第１のセッション管理ネットワーク要素へ送信するようにさらに構成される。第２のルーティングルールは、ローカルエリアネットワークの指示情報、第２の端末のアドレス、及び第３の経路情報を含み、第３の経路情報は、第１のユーザプレーンネットワーク要素によって、その宛先アドレスが第２の端末のアドレスであるデータを第２のユーザプレーンネットワーク要素へルーティングするために使用され、第２の端末は、第２のユーザプレーンネットワーク要素がローカルエリアネットワークへのアクセスを提供する先の端末である。
【０２７６】
任意選択で、第１のアドレスは、第２のユーザプレーンネットワーク要素によってマッチングできる経路情報がないデータに対応する宛先アドレスであり、第１のメッセージは第１の経路情報を含む。トランシーバモジュール９０２は、第２のセッション管理ネットワーク要素から第４のメッセージを受信するようにさらに構成される。第４のメッセージは、ローカルエリアネットワークの指示情報、第２のユーザプレーンネットワーク要素の指示情報、及び第１のアドレスを含む。それに対応して、処理モジュール９０１が、ローカルエリアネットワークの指示情報に基づいて、第１のアドレスに関連付けられた第１の経路情報を決定するように構成されることは、ローカルエリアネットワークの指示情報、及び第１のアドレスに基づいて、第１のユーザプレーンネットワーク要素の識別子を決定することと、ローカルエリアネットワークの指示情報、第２のユーザプレーンネットワーク要素の指示情報、及び第１のユーザプレーンネットワーク要素の識別子に基づいて、第１のアドレスに関連する第１の経路情報を決定することとを含む。
【０２７７】
任意選択で、第２のユーザプレーンネットワーク要素の指示情報は第２のアドレスであり、第２のアドレスは、第２のユーザプレーンネットワーク要素によってマッチングできる経路情報がないデータに対応するソースアドレスである。トランシーバモジュール９０２は、第１のユーザプレーンネットワーク要素上に第３のルーティングルールを構成するために、第５のメッセージを第１のセッション管理ネットワーク要素へ送信するようにさらに構成される。第５のメッセージは、ローカルエリアネットワークの指示情報、第２のアドレス、第１のユーザプレーンネットワーク要素の識別子、及び第４の経路情報を含み、第３のルーティングルールは、ローカルエリアネットワークの指示情報、第２のアドレス、及び第４の経路情報を含み、第４の経路情報は、第１のユーザプレーンネットワーク要素によって、その宛先アドレスが第２のアドレスであるデータを第２のユーザプレーンネットワーク要素へルーティングするために使用される。
【０２７８】
任意選択で、トランシーバモジュール９０２は、第２のセッション管理ネットワーク要素から第６のメッセージを受信するようにさらに構成される。第６のメッセージは、ローカルエリアネットワークの指示情報、第２のユーザプレーンネットワーク要素の識別子、及び第１のアドレスを含み、ローカルエリアネットワークの指示情報、第１のアドレス、及び第２のユーザプレーンネットワーク要素の識別子に関連付けられた経路情報の更新を取り消すために使用される。処理モジュール９０１は、第６のメッセージに基づいて、ローカルエリアネットワークの指示情報、第１のアドレス、及び第２のユーザプレーンネットワーク要素の識別子に関連付けられた経路情報を第２のセッション管理ネットワーク要素へ送信することをやめるようにさらに構成される。
【０２７９】
上記の方法実施形態におけるステップのすべての関連する内容は、対応する機能モジュールの機能説明の中で言及されることがある。詳細は、本明細書で再び説明されない。
【０２８０】
本実施形態では、サービス管理ネットワーク要素９０は、統合方式での分割を通して取得される機能モジュールの形態で提示される。本明細書における「モジュール」は、１つ若しくは複数のソフトウェア若しくはファームウェアプログラムを実行する、特定のＡＳＩＣ、回路、プロセッサ、及びメモリ、集積論理回路、及び／又は上記の機能を提供できる別の構成要素であってよい。簡単な実施形態では、サービス管理ネットワーク要素９０が、図４に示される形態をなしてよいことを、当業者は解明し得る。
【０２８１】
例えば、図４のプロセッサ４０１は、メモリ４０３に記憶されたコンピュータ実行可能命令を呼び出して、サービス管理ネットワーク要素９０が上記の方法実施形態におけるローカルエリアネットワーク通信方法を実施することを可能にし得る。
【０２８２】
具体的には、図９のトランシーバモジュール９０２及び処理モジュール９０１の機能／実装処理は、メモリ４０３に記憶されたコンピュータ実行可能命令を呼び出すことによって、図４のプロセッサ４０１によって実装され得る。代替として、図９の処理モジュール９０１の機能／実装処理は、メモリ４０３に記憶されたコンピュータ実行可能命令を呼び出すことによって、図４のプロセッサ４０１によって実装されてよく、図９のトランシーバモジュール９０２の機能／実装処理は、図４の通信インターフェース４０４によって実装されてよい。
【０２８３】
本実施形態において提供されるサービス管理ネットワーク要素９０は、上記のローカルエリアネットワーク通信方法を実施し得る。従って、サービス管理ネットワーク要素９０によって達成されることができる技術的効果については、上記の方法実施形態を参照されたい。詳細は、本明細書で再び説明されない。
【０２８４】
任意選択で、本出願の実施形態は装置をさらに提供する（例えば、装置はチップシステムであってよい）。装置は、ローカルエリアネットワーク通信方法を実装する際に、例えば、ローカルエリアネットワークの指示情報に基づいて、第１のアドレスに関連付けられた第１の経路情報を決定する際に、サービス管理ネットワーク要素をサポートするように構成された、プロセッサを含む。可能な設計では、装置はメモリをさらに含む。メモリは、サービス管理ネットワーク要素にとって必要なプログラム命令及びデータを記憶するように構成される。当然ながら、メモリは、代替として、装置の中になくてよい。装置がチップシステムであるとき、装置はチップを含んでよいか、又はチップ及び別の個別デバイスを含んでよい。このことは、本出願の本実施形態において特に制限されない。
【０２８５】
代替として、例えば、機能モジュールは、統合方式での分割を通して取得される。図１０は、第２のセッション管理ネットワーク要素１００の概略構造図である。第２のセッション管理ネットワーク要素１００は、受信モジュール１００１及び送信モジュール１００２を含む。受信モジュール１００１は、サービス管理ネットワーク要素から第１のメッセージを受信するように構成される。送信モジュール１００２は、第２のユーザプレーンネットワーク要素上に第１のルーティングルールを構成するために、第１のメッセージに基づいて、第１のルーティングルールを第２のユーザプレーンネットワーク要素へ送信するように構成される。第１のルーティングルールは、ローカルエリアネットワークの指示情報、第１のアドレス、及び第１のアドレスに関連付けられた第１の経路情報を含む。第１の経路情報は、第２のユーザプレーンネットワーク要素によって、その宛先アドレスが第１のアドレスであるデータを第１のユーザプレーンネットワーク要素へルーティングするために使用される。第１のユーザプレーンネットワーク要素は、第１のアドレスに対応する端末にローカルエリアネットワークへのアクセスを提供する。
【０２８６】
任意選択で、受信モジュール１００１は、第２のユーザプレーンネットワーク要素から第１のアドレス報告を受信するようにさらに構成される。第１のアドレス報告は、ローカルエリアネットワークの指示情報、及び第１のアドレスを含む。代替として、第１のアドレス報告は、ローカルエリアネットワークの指示情報、第１のアドレス、及び第２のアドレスを含む。第１のアドレスは、第２のユーザプレーンネットワーク要素によってマッチングできる経路情報がないデータに対応する宛先アドレスである。第２のアドレスは、第２のユーザプレーンネットワーク要素によってマッチングできる経路情報がないデータに対応するソースアドレスである。送信モジュール１００２は、第４のメッセージをサービス管理ネットワーク要素へ送信するようにさらに構成される。第４のメッセージは、ローカルエリアネットワークの指示情報、第２のユーザプレーンネットワーク要素の指示情報、及び第１のアドレスを含み、第１のアドレスに関連付けられた第１の経路情報を決定するために使用される。
【０２８７】
任意選択で、受信モジュール１００１は、第２のユーザプレーンネットワーク要素から第２のアドレス報告を受信するようにさらに構成される。第２のアドレス報告は、ローカルエリアネットワークの指示情報、及び第１のアドレスを含む。第２のユーザプレーンネットワーク要素が、第１のアドレスに関連付けられたデータを予め設定された時間内に検出しないとき、第２のアドレス報告がトリガされる。送信モジュール１００２は、第６のメッセージをサービス管理ネットワーク要素へ送信するようにさらに構成される。第６のメッセージは、ローカルエリアネットワークの指示情報、第２のユーザプレーンネットワーク要素の識別子、及び第１のアドレスを含み、ローカルエリアネットワークの指示情報、第２のユーザプレーンネットワーク要素の識別子、及び第１のアドレスに関連付けられた経路情報の更新を取り消すために使用される。
【０２８８】
任意選択で、送信モジュール１００２は、第７のメッセージをサービス管理ネットワーク要素へ送信するようにさらに構成される。第７のメッセージは、ローカルエリアネットワークの識別子、第２のアドレス、第２のセッション管理ネットワーク要素の識別子、及び第２のユーザプレーンネットワーク要素の識別子を含み、ローカルエリアネットワークに接続される端末についての情報を更新するために使用される。
【０２８９】
任意選択で、図１０に示すように、本出願の本実施形態における第２のセッション管理ネットワーク要素１００は、処理モジュール１００３をさらに含んでよい。処理モジュール１００３は、第１の経路情報に対応する第３の経路情報が第２のユーザプレーンネットワーク要素上に存在しないことを決定するように構成される。第３の経路情報は、第１のユーザプレーンネットワーク要素によって、その宛先アドレスが第２の端末のアドレスであるデータを第２のユーザプレーンネットワーク要素へルーティングするために使用される。第２の端末は、第２のユーザプレーンネットワーク要素がローカルエリアネットワークへのアクセスを提供する先の端末である。送信モジュール１００２は、第３の経路情報をサービス管理ネットワーク要素へ送信するようにさらに構成される。
【０２９０】
上記の方法実施形態におけるステップのすべての関連する内容は、対応する機能モジュールの機能説明の中で言及されることがある。詳細は、本明細書で再び説明されない。
【０２９１】
本実施形態では、第２のセッション管理ネットワーク要素１００は、統合方式での分割を通して取得される機能モジュールの形態で提示される。本明細書における「モジュール」は、１つ若しくは複数のソフトウェア若しくはファームウェアプログラムを実行する、特定のＡＳＩＣ、回路、プロセッサ、及びメモリ、集積論理回路、及び／又は上記の機能を提供できる別の構成要素であってよい。簡単な実施形態では、第２のセッション管理ネットワーク要素１００が、図４に示される形態をなしてよいことを、当業者は解明し得る。
【０２９２】
例えば、図４のプロセッサ４０１は、メモリ４０３に記憶されたコンピュータ実行可能命令を呼び出して、第２のセッション管理ネットワーク要素１００が上記の方法実施形態におけるローカルエリアネットワーク通信方法を実施することを可能にし得る。
【０２９３】
詳細には、図１０の受信モジュール１００１、送信モジュール１００２、及び処理モジュール１００３の機能／実装処理は、メモリ４０３に記憶されたコンピュータ実行可能命令を呼び出すことによって、図４のプロセッサ４０１によって実装され得る。代替として、図１０の処理モジュール１００３の機能／実装処理は、メモリ４０３に記憶されたコンピュータ実行可能命令を呼び出すことによって、図４のプロセッサ４０１によって実装されてよく、図１０の受信モジュール１００１及び送信モジュール１００２の機能／実装処理は、図４の通信インターフェース４０４によって実装されてよい。
【０２９４】
本実施形態において提供される第２のセッション管理ネットワーク要素１００は、上記のローカルエリアネットワーク通信方法を実施し得る。従って、第２のセッション管理ネットワーク要素１００によって達成されることができる技術的効果については、上記の方法実施形態を参照されたい。詳細は、本明細書で再び説明されない。
【０２９５】
任意選択で、本出願の実施形態は装置をさらに提供する（例えば、装置はチップシステムであってよい）。装置は、ローカルエリアネットワーク通信方法を実装する際に、例えば、第１の経路情報に対応する第３の経路情報が第２のユーザプレーンネットワーク要素上に存在しないことを決定する際に、第２のセッション管理ネットワーク要素をサポートするように構成された、プロセッサを含む。可能な設計では、装置はメモリをさらに含む。メモリは、第２のセッション管理ネットワーク要素にとって必要なプログラム命令及びデータを記憶するように構成される。当然ながら、メモリは、代替として、装置の中になくてよい。装置がチップシステムであるとき、装置はチップを含んでよいか、又はチップ及び別の個別デバイスを含んでよい。このことは、本出願の本実施形態において特に制限されない。
【０２９６】
代替として、例えば、機能モジュールは、統合方式での分割を通して取得される。図１１は、第１のセッション管理ネットワーク要素１１０の概略構造図である。第１のセッション管理ネットワーク要素１１０は、処理モジュール１１０１及びトランシーバモジュール１１０２を含む。処理モジュール１１０１は、第１の端末のアドレスに関連付けられた第１の経路情報を決定するように構成される。第１の経路情報は、第２のユーザプレーンネットワーク要素によって、その宛先アドレスが第１の端末のアドレスであるデータを第１のユーザプレーンネットワーク要素へルーティングするために、使用される。第１のユーザプレーンネットワーク要素は、第１の端末にローカルエリアネットワークへのアクセスを提供する。トランシーバモジュール１１０２は、第２のユーザプレーンネットワーク要素上に第１のルーティングルールを構成するために、第１のメッセージを第２のセッション管理ネットワーク要素へ送信するように構成される。第１のルーティングルールは、ローカルエリアネットワークの指示情報、第１の端末のアドレス、及び第１の経路情報を含む。
【０２９７】
任意選択で、トランシーバモジュール１１０２は、サービス管理ネットワーク要素から第２のメッセージを受信するようにさらに構成される。第２のメッセージは、第２のユーザプレーンネットワーク要素の識別子を含む。それに対応して、処理モジュール１１０１が、第１の端末のアドレスに関連付けられた第１の経路情報を決定するように構成されることは、ローカルエリアネットワークの指示情報、第１のユーザプレーンネットワーク要素の識別子、及び第２のユーザプレーンネットワーク要素の識別子に基づいて、第１の端末のアドレスに関連付けられた第１の経路情報を決定することを含む。
【０２９８】
任意選択で、処理モジュール１１０１が、ローカルエリアネットワークの指示情報、第１のユーザプレーンネットワーク要素の識別子、及び第２のユーザプレーンネットワーク要素の識別子に基づいて、第１の端末のアドレスに関連付けられた第１の経路情報を決定するように構成されることは、ローカルエリアネットワークの指示情報、及び第１のユーザプレーンネットワーク要素の識別子に基づいて、第１のユーザプレーンネットワーク要素がローカルエリアネットワークへのアクセスを提供するのが初めてであることを決定することと、ローカルエリアネットワークの指示情報、第１のユーザプレーンネットワーク要素の識別子、及び第２のユーザプレーンネットワーク要素の識別子に基づいて、第１の端末のアドレスに関連付けられた第１の経路情報を割り当てることとを含む。
【０２９９】
任意選択で、第２のメッセージは、第２の端末のアドレスをさらに含む。第２の端末は、第２のユーザプレーンネットワーク要素がローカルエリアネットワークへのアクセスを提供する先の端末である。トランシーバモジュール１１０２は、第２の端末のアドレスに関連付けられた第３の経路情報を第２のセッション管理ネットワーク要素から受信するようにさらに構成される。第３の経路情報は、第１のユーザプレーンネットワーク要素によって、その宛先アドレスが第２の端末のアドレスであるデータを第２のユーザプレーンネットワーク要素へルーティングするために使用される。トランシーバモジュール１１０２は、第１のユーザプレーンネットワーク要素上に第２のルーティングルールを構成するために、第２のルーティングルールを第１のユーザプレーンネットワーク要素へ送信するようにさらに構成される。第２のルーティングルールは、ローカルエリアネットワークの指示情報、第２の端末のアドレス、及び第３の経路情報を含む。
【０３００】
任意選択で、トランシーバモジュール１１０２は、第３のメッセージをサービス管理ネットワーク要素へ送信するようにさらに構成される。第３のメッセージは、第１の端末の識別子又は第１の端末のアドレス、第１のセッション管理ネットワーク要素の識別子、第１のユーザプレーンネットワーク要素の識別子、及びローカルエリアネットワークの識別子を含み、ローカルエリアネットワークに接続される端末についての情報を更新するために使用される。
【０３０１】
上記の方法実施形態におけるステップのすべての関連する内容は、対応する機能モジュールの機能説明の中で言及されることがある。詳細は、本明細書で再び説明されない。
【０３０２】
本実施形態では、第１のセッション管理ネットワーク要素１１０は、統合方式での分割を通して取得される機能モジュールの形態で提示される。本明細書における「モジュール」は、１つ若しくは複数のソフトウェア若しくはファームウェアプログラムを実行する、特定のＡＳＩＣ、回路、プロセッサ、及びメモリ、集積論理回路、及び／又は上記の機能を提供できる別の構成要素であってよい。簡単な実施形態では、第１のセッション管理ネットワーク要素１１０が、図４に示される形態をなしてよいことを、当業者は解明し得る。
【０３０３】
例えば、図４のプロセッサ４０１は、メモリ４０３に記憶されたコンピュータ実行可能命令を呼び出して、第１のセッション管理ネットワーク要素１１０が上記の方法実施形態におけるローカルエリアネットワーク通信方法を実施することを可能にし得る。
【０３０４】
詳細には、図１１のトランシーバモジュール１１０２及び処理モジュール１１０１の機能／実装処理は、メモリ４０３に記憶されたコンピュータ実行可能命令を呼び出すことによって、図４のプロセッサ４０１によって実装され得る。代替として、図１１の処理モジュール１１０１の機能／実装処理は、メモリ４０３に記憶されたコンピュータ実行可能命令を呼び出すことによって、図４のプロセッサ４０１によって実装されてよく、図１１のトランシーバモジュール１１０２の機能／実装処理は、図４の通信インターフェース４０４によって実装されてよい。
【０３０５】
本実施形態において提供される第１のセッション管理ネットワーク要素１１０は、上記のローカルエリアネットワーク通信方法を実施し得る。従って、第１のセッション管理ネットワーク要素１１０によって達成されることができる技術的効果については、上記の方法実施形態を参照されたい。詳細は、本明細書で再び説明されない。
【０３０６】
任意選択で、本出願の実施形態は装置をさらに提供する（例えば、装置はチップシステムであってよい）。装置は、ローカルエリアネットワーク通信方法を実装する際に、例えば、第１の端末のアドレスに関連付けられた第１の経路情報を決定する際に、第１のセッション管理ネットワーク要素をサポートするように構成された、プロセッサを含む。可能な設計では、装置はメモリをさらに含む。メモリは、第１のセッション管理ネットワーク要素にとって必要なプログラム命令及びデータを記憶するように構成される。当然ながら、メモリは、代替として、装置の中になくてよい。装置がチップシステムであるとき、装置はチップを含んでよいか、又はチップ及び別の個別デバイスを含んでよい。このことは、本出願の本実施形態において特に制限されない。
【０３０７】
上記の実施形態のうちの全部又は一部は、ソフトウェア、ハードウェア、ファームウェア、又はそれらの任意の組合せを使用することによって実装され得る。本実施形態を実装するためにソフトウェアプログラムが使用されるとき、本実施形態のうちの全部又は一部は、コンピュータプログラム製品の形態で実装され得る。コンピュータプログラム製品は、１つ又は複数のコンピュータ命令を含む。コンピュータ命令がコンピュータ上でロード及び実行されるとき、本出願の実施形態による手順又は機能がすべて、又は部分的に生成される。コンピュータは、汎用コンピュータ、専用コンピュータ、コンピュータネットワーク、又は別のプログラマブル装置であってよい。コンピュータ命令は、コンピュータ可読記憶媒体の中に記憶されてよいか、又はあるコンピュータ可読記憶媒体から別のコンピュータ可読記憶媒体へ伝送されてよい。例えば、コンピュータ命令は、有線（例えば、同軸ケーブル、光ファイバ、又はデジタル加入者回線（ｄｉｇｉｔａｌ  ｓｕｂｓｃｒｉｂｅｒ  ｌｉｎｅ、ＤＳＬ））又はワイヤレス（例えば、赤外線、ワイヤレス、又はマイクロ波）の方式で、ウェブサイト、コンピュータ、サーバ、又はデータセンターから、別のウェブサイト、コンピュータ、サーバ、又はデータセンターへ伝送され得る。コンピュータ可読記憶媒体は、コンピュータ、又は１つ若しくは複数の使用可能な媒体を統合するサーバ若しくはデータセンターなどのデータ記憶デバイスによってアクセス可能な、任意の使用可能な媒体であってよい。使用可能な媒体は、磁気媒体（例えば、フロッピーディスク、ハードディスク、又は磁気テープ）、光学媒体（例えば、ＤＶＤ）、半導体媒体（例えば、ソリッドステートドライブ（ｓｏｌｉｄ  ｓｔａｔｅ  ｄｒｉｖｅ、ＳＳＤ））などであってよい。
【０３０８】
本出願は実施形態を参照して説明されるが、保護を主張する本出願を実装する手順において、当業者は、添付の図面、開示される内容、及び添付の特許請求の範囲を見ることによって、開示される実施形態の別の変形形態を理解及び実装し得る。特許請求の範囲において、「備える」（備えること）は別の構成要素又は別のステップを除外せず、「ａ」又は「ｏｎｅ」は複数形のケースを除外しない。単一のプロセッサ又は別のユニットが、特許請求の範囲の中に列挙された、いくつかの機能を実装し得る。いくつかの方策が、互いに異なる従属請求項の中に記録されるが、このことは、これらの方策が組み合わせられて大きい効果を生み出すことができないことを意味しない。
【０３０９】
本出願は特定の特徴及びそれらの実施形態を参照して説明されるが、本出願の範囲から逸脱することなく、様々な修正及び組合せがそれらに行われてよいことが明らかである。それに対応して、本明細書及び添付の図面は、添付の特許請求の範囲によって規定される本出願の例示的な説明にすぎず、本出願の範囲内のすべての修正、変形、組合せ、若しくは均等物、又はそれらのいずれかをカバーするものとする。本出願の趣旨及び範囲から逸脱することなく、当業者が本出願に様々な修正及び変形を加えることができることが明らかである。本出願は、本出願のこれらの修正及び変形を、それらが本出願の以下の特許請求の範囲及びそれらの均等な技術によって規定される保護の範囲内に入ることを条件としてカバーするものとする。
【国際調査報告】
2022501927.tif 000030
2022501927.tif 000031
2022501927.tif 000032
2022501927.tif 000033